(57)【要約】【課題】記憶装置における初期化処理が確実に行われたことを明確にした記憶装置を提供する。【解決手段】遊技媒体を用いた遊技に関連する遊技関連情報を記憶可能な記憶領域と、遊技関連情報の入出力を行う入出力信号を受け付ける入出力端子と、記憶領域を初期化するための初期化信号を受け付ける初期化端子とを有し、初期化端子で前記初期化信号を受け付けると、導体に流れる電流によって誘起された電圧の変化による障害事象を回避する障害事象回避時間を計時すると、２つの安定状態のいずれか一方に分極して遊技関連情報を記憶している記憶領域を初期状態に初期化する。【選択図】図８６
2016036458.tif 000002
【特許請求の範囲】
【請求項１】
遊技媒体を用いた遊技に関連する遊技関連情報を記憶可能な記憶領域と、
前記遊技関連情報の入出力を行う入出力信号を受け付ける入出力端子と、
前記記憶領域を初期化するための初期化信号を受け付ける初期化端子と
を有し、
前記初期化端子で前記初期化信号を受け付けると、導体に流れる電流によって誘起された電圧の変化による障害事象を回避する障害事象回避時間を計時する障害事象回避時間計時手段と、
前記障害事象回避時間計時手段によって障害事象回避時間を計時すると、２つの安定状態のいずれか一方に分極して前記遊技関連情報を記憶している前記記憶領域を初期状態に初期化する初期化処理手段と
を具備する記憶装置。
【発明の詳細な説明】
【技術分野】
【０００１】
本発明は、記憶装置に関する。
【背景技術】
【０００２】
メダルを用いた遊技を提供する遊技機（スロットマシン）には、決定した当選役に基づく遊技を行う主制御基板（以下、「メイン制御基板」とも称する）のほか、そのメイン制御基板からの信号に基づいて演出を制御する副制御基板（「サブ制御基板」とも称する）を備えている。
【０００３】
このサブ制御基板は、メイン制御基板からの信号に基づく演出を制御するほか、さまざまな演出状態を管理することでその演出状態に基づいてメダルの払い出しを制御することも可能である。
【０００４】
このようなサブ制御基板では、ＳＲＡＭ（Static Random Access Memory）等の揮発性メモリを用いてさまざまなデータを記憶し、この揮発性メモリに記憶されたデータをサブＣＰＵが読み出して用いることによって演出を制御する処理が行われる。
【０００５】
このサブ制御基板では、外部電源から供給される外部電力を用いて各種の制御処理が行われているが、この外部電源からの外部電力の供給が電磁妨害（EMI：Electro Magnetic Interference）によって一時的に（瞬時に）停止（停電）したような場合に対応するために、ＳＲＡＭに記憶するデータの信頼度を高める補助電力供給装置を有していることがある。
【０００６】
この補助電力供給装置は、外部電力に代替できる電力（予備電力）を供給できる装置であって、蓄電装置（バッテリーのほか、コンデンサなど）によって構成される。
【０００７】
このようにしてサブ制御基板が、補助電力供給装置を備えており、揮発性メモリでデータを記憶しているような場合において、遊技機に対して、不正な動作（ゴトを含む）がされて本来の正常な遊技動作に基づくものでなくメダルが排出（払い出し）されると、遊技機では、その不正動作によるメダルの排出（払い出し）を最小限に抑制する処理等が行われる技術が公開されている。
【０００８】
このような技術によって不正動作によるメダルの払い出しを最小限に抑制したような場合であっても、不正動作後には、初期化して元の状態に戻す処理を行う必要がある。これは、その不正な動作による遊技の影響を防止するための処理であって、例えば、初期の状態に戻すリセット処理（初期化処理）がある。
【０００９】
このリセット処理の中でも、特に、記憶装置に記憶するデータについては確実にリセット処理が行われる必要がある。
【００１０】
このリセット処理の契機として、所定の当選役の確率を変更することで最終的な出玉率を変えることができる設定情報（設定値「１」〜「６」のいずれか）を変更した契機とすることができる。この設定情報の変更によるリセット処理は、遊技者による設定情報の変更操作に基づいて行われるソフトウェア処理であって、リセット処理の信頼度が低く、ユーザによる操作が必要となる。
【００１１】
このときの「リセット処理の信頼度が低い」とは、ソフトウェアによるリセット処理であることから実際にどのような処理によってリセットが行われているかが外部から判断し難く、たとえリセット処理が行われているとしても記憶装置の全記憶領域がリセット処理されたものであるかについても不明であることを示したものである。
【００１２】
また、後述する特許文献１では、段落[０１０８]乃至段落[０１２８]、段落[０２１７]に、システムリセット信号をリセット制御回路の所定端子から入力されることにより、基本回路内でシステムリセットを行うことが記載されている。
【先行技術文献】
【特許文献】
【００１３】
【特許文献１】特開２０１３−０２７６９３号公報
【発明の概要】
【発明が解決しようとする課題】
【００１４】
このときのシステムリセットについては、特許文献１の段落[０１１９]で、内部の回路でどのような信号の送受信が行われているかは不明であると示している。
【００１５】
また、メイン制御基板のＲＡＭのクリアについても記載されているが、特許文献１における記載では、単に、ＲＡＭクリアを行ってＲＡＭの全ての記憶領域の初期化を行うという記載にすぎない。すなわち、どのような処理が行われているか等が不明であって、確実にＲＡＭの全記憶領域が完全にリセット処理されたことを確認できるものではない。
【００１６】
また、記憶装置の種類としてフラッシュメモリがある。このフラッシュメモリは、電源供給が停止（停電）してもデータを記憶しておくことができる不揮発性メモリである。
【００１７】
このフラッシュメモリでは、メモリ内全てを初期化することによって、データを初期状態へと更新することができる。
【００１８】
このときの初期化処理は、ソフト制御によって、ＣＰＵ等の外部から書き換える対象となるブロックのアドレスを指定し、その指定されたアドレスのブロックに記憶されているデータを初期化するものである。
【００１９】
このように、フラッシュメモリでは、ソフト制御によって、ＲＡＭ内部に記憶するデータを消去したり、書き換えしたりすることが可能であるが、この初期化処理を行うためには、外部から初期化に関する情報を入力することが必要となるものである。
【００２０】
このことから、その入力される情報によっては、意図しない不正な処理が行われてしまう可能性がある。例えば、初期化したと見せかけるほか、実際に初期化した後に、不正なデータを記憶する処理が行われてしまうことがある。
【００２１】
すなわち、完全に初期化処理が行われたことを保証することができない。
【００２２】
そこで、本発明は、記憶装置における初期化処理が確実に行われたことを明確にした記憶装置を提供することを目的とする。
【課題を解決するための手段】
【００２３】
上記目的を達成するため、請求項１の発明は、遊技媒体を用いた遊技に関連する遊技関連情報を記憶可能な記憶領域と、前記遊技関連情報の入出力を行う入出力信号を受け付ける入出力端子と、前記記憶領域を初期化するための初期化信号を受け付ける初期化端子とを有し、前記初期化端子で前記初期化信号を受け付けると、導体に流れる電流によって誘起された電圧の変化による障害事象を回避する障害事象回避時間を計時する障害事象回避時間計時手段と、前記障害事象回避時間計時手段によって障害事象回避時間を計時すると、２つの安定状態のいずれか一方に分極して前記遊技関連情報を記憶している前記記憶領域を初期状態に初期化する初期化処理手段とを具備する。
【発明の効果】
【００２４】
本発明によれば、記憶装置における初期化処理が確実に行われたことが明確になるという効果を奏する。
【図面の簡単な説明】
【００２５】
【図１】本発明の実施の形態における遊技機の正面図の一例を示す図。
【図２】キャビネットの内部構造の一例を示す図。
【図３】前面扉の裏面の一例を示す図である。
【図４】遊技機全体のブロック図の一例を示す図。
【図５】演出装置の可動態様の一例を示す図。
【図６】配列データテーブルの一例を示す図。
【図７】図柄組み合わせ群が「００」の場合の図柄組み合わせテーブルの一例を示す図。
【図８】図柄組み合わせ群が「０１」の場合の図柄組み合わせテーブルの一例を示す図。
【図９】図柄組み合わせ群が「０２」の場合の図柄組み合わせテーブルの一例を示す図。
【図１０】図柄組み合わせ群が「０３」の場合の図柄組み合わせテーブルの一例を示す図。
【図１１】図柄組み合わせ群が「０４」の場合の図柄組み合わせテーブルの一例を示す図。
【図１２】当選役と、停止ボタンの操作順序と、入賞等の関係の一例を示す図。
【図１３】非ＲＴ遊技状態用第１当選役決定テーブルの一例を示す図。
【図１４】第１ＲＴ遊技状態用第１当選役決定テーブルの一例を示す図。
【図１５】第２ＲＴ遊技状態用第１当選役決定テーブルの一例を示す図。
【図１６】第３ＲＴ遊技状態用第１当選役決定テーブルの一例を示す図。
【図１７】第４ＲＴ遊技状態用第１当選役決定テーブルの一例を示す図。
【図１８】第５ＲＴ遊技状態用第１当選役決定テーブルの一例を示す図。
【図１９】第６ＲＴ遊技状態用第１当選役決定テーブルの一例を示す図。
【図２０】第２当選役決定テーブルの一例を示す図。
【図２１】遊技状態移行図の一例を示す図。
【図２２】サブ制御基板により管理される状態の一覧の一例を示す図。
【図２３】サブ制御基板により管理される状態の遷移図の一例を示す図。
【図２４】演出決定テーブルの一例を示す図。
【図２５】Ｂｏｎｕｓ準備状態移行抽選テーブルの一例を示す図。
【図２６】Ｂｏｎｕｓ状態振分抽選テーブルの一例を示す図。
【図２７】前兆ゲーム数決定テーブルの一例を示す図。
【図２８】チャンス状態移行抽選テーブルの一例を示す図。
【図２９】フェイクゲーム数決定テーブルの一例を示す図。
【図３０】昇格抽選テーブルの一例を示す図。
【図３１】ＡＲＴ準備状態移行抽選テーブルの一例を示す図。
【図３２】ＡＲＴ状態用ゲーム数上乗せ抽選テーブルの一例を示す図。
【図３３】引戻抽選テーブルの一例を示す図。
【図３４】上乗せ状態移行抽選テーブルの一例を示す図。
【図３５】メイン制御基板におけるプログラム開始処理の一例を示す図。
【図３６】メイン制御基板におけるメインループ処理の一例を示す図。
【図３７】メイン制御基板におけるスタートレバーチェック処理の一例を示す図。
【図３８】メイン制御基板における内部抽選処理の一例を示す図。
【図３９】メイン制御基板における図柄コード設定処理の一例を示す図。
【図４０】メイン制御基板におけるリール回転開始準備処理の一例を示す図。
【図４１】メイン制御基板におけるリール停止前処理の一例を示す図。
【図４２】メイン制御基板におけるリール回転中処理の一例を示す図。
【図４３】メイン制御基板における表示判定処理の一例を示す図。
【図４４】メイン制御基板における遊技状態移行処理の一例を示す図。
【図４５】メイン制御基板におけるＲＴ遊技状態移行処理の一例を示す図。
【図４６】メイン制御基板における割込処理の一例を示す図。
【図４７】サブ制御基板におけるメイン処理の一例を示す図。
【図４８】サブ制御基板における主基板通信処理の一例を示す図。
【図４９】サブ制御基板におけるコマンド解析処理の一例を示す図。
【図５０】サブ制御基板におけるコマンド別処理の一例を示す図。
【図５１】サブ制御基板における条件装置コマンド受信時処理の一例を示す図。
【図５２】サブ制御基板における通常状態用処理の一例を示す図。
【図５３】サブ制御基板におけるチャンス前兆状態用処理の一例を示す図。
【図５４】サブ制御基板におけるＢｏｎｕｓ前兆状態用処理の一例を示す図。
【図５５】サブ制御基板におけるチャンス状態用処理の一例を示す図。
【図５６】サブ制御基板におけるＢｏｎｕｓ準備状態用処理の一例を示す図。
【図５７】サブ制御基板における第１Ｂｏｎｕｓ状態用処理の一例を示す図。
【図５８】サブ制御基板における第２Ｂｏｎｕｓ状態用処理の一例を示す図。
【図５９】サブ制御基板における第３Ｂｏｎｕｓ状態用処理の一例を示す図。
【図６０】サブ制御基板における第１転落待機状態用処理の一例を示す図。
【図６１】サブ制御基板におけるＡＲＴ準備状態用処理の一例を示す図。
【図６２】サブ制御基板におけるＡＲＴ状態用処理の一例を示す図。
【図６３】サブ制御基板における第１上乗せ前兆状態用処理の一例を示す図。
【図６４】サブ制御基板における第１上乗せ準備状態用処理の一例を示す図。
【図６５】サブ制御基板における第１上乗せ状態用処理の一例を示す図。
【図６６】サブ制御基板における第２転落待機状態用処理の一例を示す図。
【図６７】サブ制御基板における第２上乗せ前兆状態用処理の一例を示す図。
【図６８】サブ制御基板における第２上乗せ準備状態用処理の一例を示す図。
【図６９】サブ制御基板における第２上乗せ状態用処理の一例を示す図。
【図７０】サブ制御基板における第３転落待機状態用処理の一例を示す図。
【図７１】サブ制御基板における第４転落待機状態用処理の一例を示す図。
【図７２】サブ制御基板における表示判定コマンド受信時処理の一例を示す図。
【図７３】サブ制御基板における表示判定コマンド受信時Ｂｏｎｕｓ準備状態用処理の一例を示す図。
【図７４】サブ制御基板における表示判定コマンド受信時第１転落待機状態用処理の一例を示す図。
【図７５】サブ制御基板における表示判定コマンド受信時ＡＲＴ準備状態用処理の一例を示す図。
【図７６】サブ制御基板における表示判定コマンド受信時第１上乗せ準備状態用処理の一例を示す図。
【図７７】サブ制御基板における表示判定コマンド受信時第２上乗せ準備状態用処理の一例を示す図。
【図７８】サブ制御基板における表示判定コマンド受信時第２転落待機状態用処理の一例を示す図。
【図７９】サブ制御基板における表示判定コマンド受信時第３転落待機状態用処理の一例を示す図。
【図８０】サブ制御基板における表示判定コマンド受信時第４転落待機状態用処理の一例を示す図。
【図８１】本発明の実施の形態における遊技機の演出制御基板に設置されたメモリチップを示す図。
【図８２】図８１に示すメモリチップにおける詳細な構成を示すブロックダイヤグラム。
【図８３】本発明の実施の形態におけるメモリチップ（記憶媒体）における状態遷移の様子を示す状態遷移図。
【図８４】本発明の実施の形態における遊技機が搭載するメモリチップに記憶するデータのリードタイミングを示すダイヤグラム。
【図８５】本発明の実施の形態における遊技機が搭載するメモリチップに記憶するデータのライトタイミングを示すダイヤグラム。
【図８６】本発明の実施の形態における遊技機に搭載されたメモリチップによって行われるリセット処理におけるタイミングダイヤグラム。
【図８７】本発明の実施の形態における遊技機に搭載されたメモリチップによって行われるリセット処理におけるタイミングダイヤグラム。
【発明を実施するための形態】
【００２６】
以下、本発明の実施の形態における遊技機を、図面を参照しながら具体的に説明する。
【００２７】
（遊技機の構成）
まず、図１〜図３を用いて、本発明の実施の形態における遊技機１の構成について具体的に説明する。図１は、遊技機の正面図の一例を示す図であり、図２は、キャビネット２の内部構造の一例を示す図である。また、図３は、前面扉３の裏面の一例を示す図である。
【００２８】
（遊技機１）
本発明の実施の形態における遊技機１は、後述のキャビネット２と、前面扉３等から構成されている。
【００２９】
（キャビネット２）
キャビネット２は、略矩形状の箱体であって、正面側に開口を有する。また、キャビネット２には、複数の部品が取り付けられている。
【００３０】
（前面扉３）
前面扉３は、キャビネット２の正面側の開口を閉塞するように取り付けられている。また前面扉３には、複数の部品が取り付けられている。
【００３１】
（蝶番機構４）
蝶番機構４は、キャビネット２の正面視左側に設けられており、前面扉３を開閉可能に軸支する。
【００３２】
（鍵穴５）
鍵穴５は、前面扉３の中央右側に設けられ、施錠装置（図示せず）により前面扉３を開錠する。ここで、遊技店の店員等がメンテナンス作業や、設定値の変更等を行う場合に、前面扉３に設けられている施錠装置（図示せず）の開錠が行われる。まず、前面扉３の鍵穴５にドアキー（図示せず）を挿入して時計回り方向に所定角度回動することにより開錠する。次に、前面扉３を開放し、メンテナンス作業や、設定値の変更等の作業を行う。そして、メンテナンス作業や、設定値の変更等の作業が終了すると、前面扉３を閉じることにより施錠される。
【００３３】
（メダル投入口６）
メダル投入口６は、鍵穴５の正面視左側上方に設けられ、遊技者がメダルを投入する。
【００３４】
（ＢＥＴボタン７）
ＢＥＴボタン７は、後述のスタートランプ２４の下方に設けられ、貯留（クレジット）されたメダルのうち、「１」枚のメダルを遊技に使用する。
【００３５】
（ＭＡＸＢＥＴボタン８）
ＭＡＸＢＥＴボタン８は、ＢＥＴボタン７の正面視右側に設けられ、貯留（クレジット）されたメダルのうち、一遊技（「１」ゲーム）において使用可能な最大枚数のメダルを遊技に使用する。ここで、本実施形態において、一遊技で使用可能なメダルの最大値は「３」枚である。
【００３６】
（精算ボタン９）
精算ボタン９は、ＢＥＴボタン７の奥側に設けられ、遊技者が獲得したメダルのうち、貯留（クレジット）されているメダルの精算を行う。なお、本実施形態において、貯留（クレジット）可能なメダルの最大枚数は「５０」枚である。
【００３７】
（スタートレバー１０）
スタートレバー１０は、ＢＥＴボタン７の下方に設けられている。また、スタートレバー１０は、遊技者が後述の左リール１８、中リール１９、右リール２０の回転を開始する契機となる開始操作を行う。ここで、遊技者による開始操作が検出されたことに基づいて、後述のメイン制御基板３００は、ハード乱数を取得する処理や、後述の左リール１８、中リール１９、右リール２０の回転を開始する処理等を行う。
【００３８】
（左停止ボタン１１）
左停止ボタン１１は、スタートレバー１０の正面視右側に設けられ、遊技者が後述の左リール１８の回転を停止する契機となる停止操作を行う。
【００３９】
（中停止ボタン１２）
中停止ボタン１２は、左停止ボタン１１の正面視右側に設けられ、遊技者が後述の中リール１９の回転を停止する契機となる停止操作を行う。
【００４０】
（右停止ボタン１３）
右停止ボタン１３は、中停止ボタン１２の正面視右側に設けられ、遊技者が後述の右リール２０の回転を停止する契機となる停止操作を行う。
【００４１】
（返却ボタン１４）
返却ボタン１４は、右停止ボタン１３の正面視右側に設けられ、メダル投入口６に投入されたメダルが後述のセレクター１５に詰まった場合に、詰まったメダルを返却する。
【００４２】
（セレクター１５）
セレクター１５は、前面扉３の背面側に設けられ、メダル投入口６に投入されたメダルの材質や形状等が適正であるか否かを判別する。
【００４３】
（エラー解除センサ１６ｓ）
エラー解除センサ１６ｓは、鍵穴５の背面側に設けられており、遊技機１で発生したエラーを解除する。ここで、エラー解除センサ１６ｓは、発光部と受光部からなり、鍵穴５にドアキー（図示せず）を挿入し、当該ドアキー（図示せず）を反時計回り方向に所定角度回動させると、施錠部（図示せず）が回動することとなる。そして、受光部は、施錠部が回動することにより、発光部から発光された光を受光することができなくなる。これにより、エラー解除センサ１６ｓは、遊技機１で発生したエラーを解除するためのエラー解除操作を検知することとなる。
【００４４】
（ドア開閉センサ１７ｓ）
ドア開閉センサ１７ｓは、鍵穴５の背面側に設けられており、前面扉３が開放しているか否かを検出する。ここで、ドア開閉センサ１７ｓは、発光部と受光部からなり、鍵穴５にドアキー（図示せず）を挿入し、当該ドアキー（図示せず）を時計回り方向に所定角度回動させると、施錠部（図示せず）が回動することとなる。そして、受光部は、施錠部が回動することにより、発光部から発光された光を受光することができなくなる。これにより、ドア開閉センサ１７ｓは、前面扉３の開放を検知することとなる。
【００４５】
（左リール１８）
左リール１８は、キャビネット２の内部に設けられており、円筒状の構造を有している。また、左リール１８の円筒状の構造の周面には、透光性のシートが装着されており、当該シートには、複数種類の図柄が一列に描かれている。そして、左リール１８は、後述の左ステッピングモータ１５１により回転駆動され、複数種類の図柄が変動表示される。
【００４６】
（中リール１９）
中リール１９は、キャビネット２の内部に設けられており、円筒状の構造を有している。また、中リール１９の円筒状の構造の周面には、透光性のシートが装着されており、当該シートには、複数種類の図柄が一列に描かれている。そして、中リール１９は、後述の中ステッピングモータ１５２により回転駆動され、複数種類の図柄が変動表示される。
【００４７】
（右リール２０）
右リール２０は、キャビネット２の内部に設けられており、円筒状の構造を有している。また、右リール２０の円筒状の構造の周面には、透光性のシートが装着されており、当該シートには、複数種類の図柄が一列に描かれている。そして、右リール２０は、後述の右ステッピングモータ１５３により回転駆動され、複数種類の図柄が変動表示される。
【００４８】
（演出ボタン２１）
演出ボタン２１は、ＭＡＸＢＥＴボタン８の正面視右側に設けられており、遊技者が所定のタイミングで操作する。また、演出ボタン２１が謳歌された場合に、後述の演出制御基板６００を介して、後述の液晶表示装置４６等の制御を行う。
【００４９】
（十字キー２２）
十字キー２２は、演出ボタン２１の正面視右側に設けられており、上方向ボタン、下方向ボタン、左方向ボタン、及び右方向ボタンにより構成され、遊技者が所定のタイミングで操作する。
【００５０】
（表示窓２３）
表示窓２３は、左リール１８、中リール１９、右リール２０の前面側に設けられており、左リール１８、中リール１９、右リール２０の周面に描かれた複数の図柄を視認可能とする。具体的には、左リール１８の周面に描かれた「３」個の図柄、中リール１９の周面に描かれた「３」個の図柄、及び右リール２０の周面に描かれた「３」個の図柄の合計「９」個の図柄が表示窓２３を介して視認可能となる。
【００５１】
（スタートランプ２４）
スタートランプ２４は、ＢＥＴボタン７の上方に設けられており、スタートレバー１０により開始操作を受け付けることが可能であるか否かを報知する。具体的には、後述のメイン制御基板３００は、ＢＥＴボタン７、ＭＡＸＢＥＴボタン８の操作により、遊技に使用するメダルの枚数が「３」枚となった場合や、メダル投入口６に「３」枚のメダルが投入された場合、前回の遊技において、後述の「リプレイ」に係る図柄の組み合わせが有効ライン上に表示された場合に、スタートランプ２４を点灯することにより、スタートレバー１０により開始操作を受け付けることが可能である旨を報知する処理を行う。
【００５２】
（有効ライン）
ここで、本実施形態において、有効ラインは、表示窓２３に表示された図柄のうち、左リール１８の上段に表示された図柄と、中リール１９の中段に表示された図柄と、右リール２０の下段に表示された図柄を直線で結んだ「右下がりライン」のみを有効ラインとしている。
【００５３】
ここで、本実施形態において、表示窓２３に表示された図柄のうち、（ａ）左リール１８の上段に表示された図柄と、中リール１９の上段に表示された図柄と、右リール２０の上段に表示された図柄を直線で結んだラインを「上段ライン」といい、（ｂ）左リール１８の中段に表示された図柄と、中リール１９の中段に表示された図柄と、右リール２０の中段に表示された図柄を直線で結んだラインを「中段ライン」といい、（ｃ）左リール１８の下段に表示された図柄と、中リール１９の下段に表示された図柄と、右リール２０の下段に表示された図柄を直線で結んだラインを「下段ライン」といい、（ｄ）左リール１８の下段に表示された図柄と、中リール１９の中段に表示された図柄と、右リール２０の上段に表示された図柄を直線で結んだラインを「右上がりライン」という。なお、有効ラインは、右下がりラインではなく、上段ライン、中段ライン、下段ライン、右上がりラインを適用してもよいし、右下がりラインに加えて、上段ライン、中段ライン、下段ライン、右上がりラインを適用してもよい。
【００５４】
（第１ＢＥＴランプ２５）
第１ＢＥＴランプ２５は、スタートランプ２４の正面視右側に設けられており、ＢＥＴ枚数が「１」枚であることを報知する。具体的には、後述のメイン制御基板３００は、メダル投入口６に「１」枚以上のメダルが投入された場合や、メダルが「１」枚以上貯留（クレジット）されている状態において、ＢＥＴボタン７、またはＭＡＸＢＥＴボタン８が操作された場合等に、第１ＢＥＴランプ２５を点灯する処理を行う。
【００５５】
（第２ＢＥＴランプ２６）
第２ＢＥＴランプ２６は、第１ＢＥＴランプ２５の上方に設けられており、ＢＥＴ枚数が「２」枚であることを報知する。具体的には、後述のメイン制御基板３００は、メダル投入口６に「２」枚以上のメダルが投入された場合や、メダルが「２」枚以上貯留（クレジット）されている状態において、ＢＥＴボタン７が「２」回操作された場合等に、第２ＢＥＴランプ２６を点灯する処理を行う。
【００５６】
（第３ＢＥＴランプ２７）
第３ＢＥＴランプ２７は、第２ＢＥＴランプ２６の上方に設けられており、ＢＥＴ枚数が「３」枚であることを報知する。具体的には、後述のメイン制御基板３００は、メダル投入口６に「３」枚のメダルが投入された場合や、メダルが「３」枚以上貯留（クレジット）されている状態において、ＭＡＸＢＥＴボタン８が操作された場合、前回の遊技において、後述の「リプレイ」に係る図柄の組み合わせが有効ライン上に表示された場合等に、第３ＢＥＴランプ２７を点灯する処理を行う。
【００５７】
（貯留枚数表示器２８）
貯留枚数表示器２８は、第１ＢＥＴランプ２５、第２ＢＥＴランプ２６、第３ＢＥＴランプ２７の正面視右側に設けられている。また、貯留枚数表示器２８は、遊技機１に貯留（クレジット）されている遊技者のメダルの貯留（クレジット）枚数を表示する。
【００５８】
（払出枚数表示器２９）
払出枚数表示器２９は、貯留枚数表示器２８の正面視右側に設けられている。また、払出枚数表示器２９は、有効ライン上に表示された図柄の組み合わせに応じて払い出されるメダルの払出枚数を表示する。また、払出枚数表示器２９は、遊技機１がエラー状態となった場合に、エラー状態になったことが表示される。
【００５９】
（投入可能表示ランプ３０）
投入可能表示ランプ３０は、払出枚数表示器２９の正面視右側に設けられている。ここで、後述のメイン制御基板３００は、メダル投入口６により、メダルの投入を受け付ける場合には、投入可能表示ランプ３０を点灯させる処理を行う。一方、後述のメイン制御基板３００は、メダル投入口６により、メダルの投入を受け付けない場合には、投入可能表示ランプ３０を消灯させる処理を行う。これにより、遊技者に対して、メダル投入口６により、メダルの投入を受け付けるか否かの報知を行う。
【００６０】
（再遊技表示ランプ３１）
再遊技表示ランプ３１は、投入可能表示ランプ３０の下方に設けられている。ここで、後述のメイン制御基板３００は、有効ライン上に後述の「リプレイ」に係る図柄の組み合わせが表示された場合に、再遊技表示ランプ３１を点灯させる処理を行う。一方、後述のメイン制御基板３００は、有効ライン上に後述の「リプレイ」に係る図柄の組み合わせが表示された次の遊技において、有効ライン上に後述の「リプレイ」に係る図柄の組み合わせが表示されなかった場合には、再遊技表示ランプ３１を消灯させる処理を行う。これにより、有効ライン上に「リプレイ」に係る図柄の組み合わせが表示されたことと、メダルを使用することなく、次の遊技を行うことが可能である旨の報知を行う。
【００６１】
（受皿ユニット３８）
受皿ユニット３８は、腰部パネル３７の下方に設けられている。また、受皿ユニット３８は、後述のメダル払出口３９から排出されたメダルを受け入れて貯留する。
【００６２】
（メダル払出口３９）
メダル払出口３９は、腰部パネル３７の下方に設けられており、メダルの払出が行われる場合において、後述のホッパー２０２により払い出されるメダルを排出する。また、メダル払出口３９は、後述のセレクターセンサ１５ｓにより、メダル投入口６に投入されたメダルが適正なメダルではないと判別された場合に、適正でないメダルを排出する。更に、メダル払出口３９は、メダルの投入を受け付けることが不可能なタイミングに、メダル投入口６にメダルが投入された場合に、当該メダルの投入を受け付けることが不可能なタイミングで投入されたメダルを排出する。
【００６３】
（設定表示部４４）
設定表示部４４は、後述のメイン制御基板３００に設けられており、遊技機１の設定値を表示する。ここで、後述のメイン制御基板３００は、設定変更キー（図示せず）を後述の設定変更用鍵穴４８に挿入した状態で時計回り方向に所定角度回動されている場合（時計回り方向に所定角度回動され続けている場合）に、現在設定されている設定値を設定表示部４４に表示する処理を行う。この表示処理は、あくまで電源基板２００からの電力の供給が行われている状態で、設定変更用鍵穴４８に挿入された設定変更キーを時計回り方向に所定角度回動したときに行われる処理である。
【００６４】
これとは逆に、電源基板２００からの電力供給が行われていない状態で、管理者等（以下、「管理者」と称する）が設定変更キーを設定変更用鍵穴４８に挿入して初期位置から時計回り方向に所定角度回動し、その後、電源基板２００からの電力供給が行われると、メイン制御基板３００では、設定値を変更可能な状態に設定されることを示している。
【００６５】
そして、メイン制御基板３００では、設定値を変更可能な状態で電源基板２００から電力供給が行われると、後述する確定処理を行うことが可能な状態となるほか、メインＲＡＭ３０３等のリセット処理（以下、「初期化処理」とも称する）を行う（メインＲＡＭ３０３の初期化処理タイミング１）。このとき、メイン制御基板３００では、サブ制御基板４００へと「設定変更開始コマンド」を送出する。
【００６６】
このメイン制御基板３００が行うメインＲＡＭ３０３の初期化処理では、設定値を記憶する記憶領域のほか、予め指定された情報（例えば、リールの回転終了位置（現時点における停止位置）に関する情報等）が記憶された記憶領域については初期化処理を行わない。つまり、メインＲＡＭ３０３のすべての記憶領域を初期化処理するのではなく、一部の記憶領域のみを初期化処理することとなる。
【００６７】
サブ制御基板４００は、メイン制御基板３００から設定変更開始コマンドを受信すると、サブＲＡＭ４０３等の記憶装置における記憶領域の初期化処理を行う（設定変更開始コマンドに基づくサブＲＡＭ４０３の初期化処理タイミング（第1初期化処理タイミング））。なお、このほか、サブ制御基板４００は、メイン制御基板３００から設定変更開始コマンドを受信すると、演出制御基板６００に対して設定変更に関する画面を液晶表示装置に表示させる処理を指示する。この「設定変更に関する画面」とは、設定変更中である旨を表示させるほか、他の操作を排他する旨を示す画面である。この演出制御基板６００では、サブ制御基板４００からの指示を受け付けることによって液晶表示装置４６に設定変更に関する画面を表示させる。
【００６８】
（設定変更ボタン４５）
設定変更ボタン４５は、後述の設定スイッチ基板２５０に設けられており、設定値を変更する。ここで、後述のメイン制御基板３００は、設定表示部４４に現在設定されている設定値が表示されている状態において、設定変更ボタン４５の操作が検出された場合に、設定表示部４４に表示されている設定値を、設定可能な範囲（上記に示す例では、「１」〜「６」までの全６種類）で順番に切り替えて表示する処理を行う。詳細については後述する。
【００６９】
そして、後述のメイン制御基板３００は、現在設定されている設定値が設定表示部４４に表示されている状態において、スタートレバー１０の操作が検出された場合に、設定値を確定する処理を行う。この確定処理では、メインＲＡＭ３０３内の一時作業領域に変更後の設定値を記憶する処理を行う。すなわち、この確定処理によってメインＲＡＭ３０３の設定値を書き換える処理が行われるわけではない。
【００７０】
なお、後述のメイン制御基板３００は、遊技機１でエラーが発生した場合に、設定変更ボタン４５の操作が検出されたことに基づいて、エラーを解除する処理を行う。
【００７１】
以上のことから、本実施形態において、設定変更ボタン４５は、（ａ）設定値を切り替える機能と、（ｂ）エラーを解除する機能とを有する。
【００７２】
このようにして、設定変更用鍵穴４８に設定変更キーを挿入した状態で初期位置から時計回り方向に所定角度回動されている状態で、設定変更ボタン４５が管理者によって操作されることによって設定値を変更して上記の確定処理が行われたのち、管理者は、回動していた設定変更キーを元の角度に戻す操作を行うことが可能である。
【００７３】
管理者によって設定変更キーを元の角度に戻す操作が行われて初期位置に戻されると、メイン制御基板３００は、上記に示すような確定処理によって確定してメインＲＡＭ３０３の一時作業領域に記憶されている変更後の設定値で、メインＲＡＭ３０３で記憶している設定値を書き換える処理（設定値変更処理）を行う。すなわち、設定値の変更が行われることを示している。
【００７４】
この設定変更キーを元の角度に戻す操作が管理者により行われると、メイン制御基板３００は、メインＲＡＭ３０３の初期化処理（クリア）を行う（メインＲＡＭ３０３の初期化処理タイミング２）。これとともに、メイン制御基板３００は、サブ制御基板４００に対して設定変更状態を解除することを示すコマンド（以下、「設定変更終了コマンド」と称する）を送出する。なお、メイン制御基板３００が行うメインＲＡＭ３０３の初期化処理では、設定値を記憶する記憶領域のほか、予め指定された情報（例えば、リールの回転終了位置（現時点における停止位置）に関する情報等）が記憶された領域については初期化処理を行わない。つまり、メインＲＡＭ３０３の一部の記憶領域のみを初期化処理することとなる。
【００７５】
なお、メインＲＡＭ３０３の初期化処理は、初期化処理タイミング１および初期化処理タイミング２のいずれのタイミングにおいても同一の処理である。もちろん、記憶している全てのデータを分極する所定の安定状態を初期化処理タイミング１に行う初期化処理と、初期化処理タイミング２に行う初期化処理とで異なるものとしてもよい。例えば、初期化処理タイミング１に行う初期化処理によって、記憶している全てのデータを「１」に設定する処理とし、初期化処理タイミング２に行う初期化処理によって、記憶している全てのデータを「０（ゼロ）」に設定する処理を行うとしてもよい。
【００７６】
このようにして、メイン制御基板３００においてメインＲＡＭ３０３の初期化処理が行われて、設定終了コマンドが送出されると、サブ制御基板４００は、サブＲＡＭ４０３の初期化処理を行う（設定変更終了コマンドに基づくサブＲＡＭの初期化処理タイミング（第２初期化処理タイミング））。
【００７７】
なお、サブＲＡＭ４０３の初期化処理は、サブＲＡＭ４０３の第１初期化処理タイミングおよび第２初期化処理タイミングのいずれのタイミングにおいても同一の処理である。もちろん、記憶している全てのデータを分極する所定の安定状態を第１初期化処理タイミングに行う初期化処理と、第２初期化処理タイミングに行う初期化処理とで異なるものとしてもよい。例えば、第１初期化処理タイミングに行う初期化処理によって、記憶している全てのデータを「１」に設定する処理とし、第２初期化処理タイミングに行う初期化処理によって、記憶している全てのデータを「０（ゼロ）」に設定する処理を行うとしてもよい。
【００７８】
以上に示すように、メイン制御基板３００において設定値が変更される操作が行われることによって、サブ制御基板４００は、サブＲＡＭ４０３を初期化する処理が行われる。このときのサブＲＡＭ４０３の初期化処理の詳細については後述する。
【００７９】
上記に示す例では、設定変更開始コマンドに基づくサブＲＡＭの初期化処理タイミング（第１初期化処理タイミング）と、設定変更終了コマンドに基づくサブＲＡＭの初期化処理タイミング（第２初期化処理タイミング）とに、サブ制御基板４００が、サブＲＡＭ４０３の初期化処理を行っているが、これに限定されることなく、少なくとも一方のタイミングにおいて初期化処理が行われればよい。
【００８０】
なお、本実施形態において、設定値は、設定「１」から設定「６」の「６」段階の設定値が設けられている。このため、設定表示部４４に設定「１」である旨の情報が表示されている状態において、設定変更ボタン４５の操作が検出されると、設定表示部４４に設定「２」である旨の情報が表示され、以降、設定変更ボタン４５を操作する毎に、設定表示部４４に表示される設定値が「１」ずつ加算して表示される。ただし、設定表示部４４に設定「６」である旨の情報が表示されている状態において、設定変更ボタン４５が操作されると、設定表示部４４には設定「１」である旨の情報が表示されることとなる。
【００８１】
なお、本実施形態において、設定値は、設定「１」から設定「６」の「６」段階の設定値が設けられていることとしたが、これに限定されることはない。例えば、設定値は、「２」段階や、「３」段階でもよく、「４」段階や、「５」段階でもよい。
【００８２】
（液晶表示装置４６）
液晶表示装置４６は、左リール１８、中リール１９、右リール２０の上方に設けられ、動画像・静止画像等を表示する。ここで、後述のサブ制御基板４００は、後述のサブ制御基板４００により管理される状態がＡＲＴ状態である場合において、後述の内部抽選処理により「押し順ベルＡ１〜Ａ４」、または「押し順ベルＢ１〜Ｂ４」の何れかが決定された場合等に、演出制御基板６００を介して、左停止ボタン１１、中停止ボタン１２、右停止ボタン１３の操作順序を液晶表示装置４６に表示する処理を行う。
【００８３】
（外部集中端子板４７）
外部集中端子板４７は、後述の設定スイッチ基板２５０の正面視右側下方に設けられ、ホールコンピュータ（図示せず）等の遊技機１の外部に対して、（ａ）遊技に使用したメダルの枚数を特定可能なメダル投入信号、（ｂ）遊技者に対して払い出したメダルの枚数を特定可能なメダル払出信号、（ｃ）後述のサブ制御基板４００により管理される状態がＡＲＴ状態に移行した旨を特定可能なＡＲＴ状態信号、（ｄ）後述のサブ制御基板４００により管理される状態がＢｏｎｕｓ状態に移行したことを特定可能なＢｏｎｕｓ状態信号、（ｅ）後述のサブ制御基板４００により管理される状態がＲＵＳＨ状態に移行したことを特定可能なＲＵＳＨ状態信号、（ｆ）不正行為が行われたことが特定可能なセキュリティ信号を送信する。
【００８４】
ここで、より具体的に説明すると、「ＡＲＴ状態信号」は、メイン制御基板３００により管理される状態が第４ＲＴ遊技状態に移行した場合に出力される信号であり、「Ｂｏｎｕｓ状態信号」は、メイン制御基板３００により管理される状態が第３ＲＴ遊技状態に移行した場合に出力される信号であり、「ＲＵＳＨ状態信号」は、メイン制御基板３００により管理される状態が第５ＲＴ遊技状態に移行した場合に出力される信号である。
【００８５】
（設定変更用鍵穴４８）
設定変更用鍵穴４８は、後述の設定スイッチ基板２５０に設けられ、設定値を変更する。また、設定変更用鍵穴４８には、設定変更キー（図示せず）を設定変更用鍵穴４８に挿入した状態で時計回り方向に所定角度回動されたことを検出する後述の設定変更キースイッチ４９ｓｗが設けられている。
【００８６】
（演出装置５０）
演出装置５０は、液晶表示装置４６の前面側に設けられている。ここで、サブ制御基板４００は、演出装置５０を可動することが決定された場合には、演出制御基板６００を介して、演出装置５０を上下方向に可動する処理を行う。これにより、遊技者に対して視覚に訴える演出を行うことができる。
【００８７】
（ランプ６０）
ランプ６０は、トップＬＥＤ、コーナーＬＥＤ、サイドＬＥＤ、受皿サイドＬＥＤ、受皿ＬＥＤ等のＬＥＤ群によって構成されており、液晶表示装置４６の上方に設けられている。また、このランプ６０は、遊技者の視覚に訴える形状及び色彩、模様、絵柄等を施してデザイン設計されている。ここで、サブ制御基板４００は、演出制御基板６００を介してランプ６０を点灯、点滅する処理を行う。これにより、遊技者に対して視覚に訴える演出を行うことができる。
【００８８】
（ステータス基板１００）
ステータス基板１００は、前面扉３の背面側であって、表示窓２３の下方に設けられている。また、ステータス基板１００には、後述のＢＥＴスイッチ７ｓｗ、後述のＭＡＸＢＥＴスイッチ８ｓｗ、後述の精算スイッチ９ｓｗ、後述のスタートスイッチ１０ｓｗ、後述の左停止スイッチ１１ｓｗ、後述の中停止スイッチ１２ｓｗ、後述の右停止スイッチ１３ｓｗ、後述のセレクターセンサ１５ｓ、エラー解除センサ１６ｓ、ドア開閉センサ１７ｓ、スタートランプ２４、第１ＢＥＴランプ２５、第２ＢＥＴランプ２６、第３ＢＥＴランプ２７、貯留枚数表示器２８、払出枚数表示器２９、投入可能表示ランプ３０、及び再遊技表示ランプ３１が接続されている。
【００８９】
（リール制御基板１５０）
リール制御基板１５０は、左リール１８、中リール１９、右リール２０の上方に設けられており、左リール１８、中リール１９、右リール２０の回転、及び停止を制御する。また、リール制御基板１５０には、後述の左ステッピングモータ１５１、後述の中ステッピングモータ１５２、後述の右ステッピングモータ１５３、後述の左リールセンサ１５４ｓ、後述の中リールセンサ１５５ｓ、後述の右リールセンサ１５６ｓが接続されている。
【００９０】
（左ステッピングモータ１５１）
左ステッピングモータ１５１は、左リール１８の内部に設けられており、左リール１８の制御を行う。また、左ステッピングモータ１５１は、回転軸を指定された角度で停止させることが可能な構成を備えている。これにより、左リール１８は、左ステッピングモータ１５１に対してパルス信号が出力されるごとに、一定の角度で回転する。なお、メイン制御基板３００は、リールインデックスを検出してから左ステッピングモータ１５１に対してパルス信号を出力した回数をカウントすることによって、左リール１８の回転角度を管理する。
【００９１】
（中ステッピングモータ１５２）
中ステッピングモータ１５２は、中リール１９の内部に設けられており、中リール１９の制御を行う。また、中ステッピングモータ１５２は、回転軸を指定された角度で停止させることが可能な構成を備えている。これにより、中リール１９は、中ステッピングモータ１５２に対してパルス信号が出力されるごとに、一定の角度で回転する。なお、メイン制御基板３００は、リールインデックスを検出してから中ステッピングモータ１５２に対してパルス信号を出力した回数をカウントすることによって、中リール１９の回転角度を管理する。
【００９２】
（右ステッピングモータ１５３）
右ステッピングモータ１５３は、右リール２０の内部に設けられており、右リール２０の制御を行う。また、右ステッピングモータ１５３は、回転軸を指定された角度で停止させることが可能な構成を備えている。これにより、右リール２０は、右ステッピングモータ１５３に対してパルス信号が出力されるごとに、一定の角度で回転する。なお、メイン制御基板３００は、リールインデックスを検出してから右ステッピングモータ１５３に対してパルス信号を出力した回数をカウントすることによって、右リール２０の回転角度を管理する。
【００９３】
（左リールセンサ１５４ｓ）
左リールセンサ１５４ｓは、左リール１８の内部に設けられており、発光部と受光部とを有する光センサを備えている。また、左リールセンサ１５４ｓは、左リール１８が「１」回転したことを示すリールインデックスを検出する。
【００９４】
（中リールセンサ１５５ｓ）
中リールセンサ１５５ｓは、中リール１９の内部に設けられており、発光部と受光部とを有する光センサを備えている。また、中リールセンサ１５５ｓは、中リール１９が「１」回転したことを示すリールインデックスを検出する。
【００９５】
（右リールセンサ１５６ｓ）
右リールセンサ１５６ｓは、右リール２０の内部に設けられており、発光部と受光部とを有する光センサを備えている。また、右リールセンサ１５６ｓは、右リール２０が「１」回転したことを示すリールインデックスを検出する。
【００９６】
（電源基板２００）
電源基板２００は、後述のホッパー２０２の正面視左側に設けられており、遊技機１に電力を供給する制御を行う。また、電源基板２００には、後述の電源スイッチ２０１ｓｗ、後述のホッパー２０２、及び後述の補助収納庫センサ２０３ｓが接続されている。
【００９７】
（電源ボタン２０１）
電源ボタン２０１は、後述のホッパー２０２の正面視左側に設けられており、遊技機１に電力を供給する操作を行う。
【００９８】
（ホッパー２０２）
ホッパー２０２は、電源基板２００の正面視右側に設けられており、遊技者に対してメダルを払い出す。ここで、後述のメイン制御基板３００は、有効ライン上にメダルを払い出す図柄の組み合わせが表示された場合に、電源基板２００を介してホッパー２０２を駆動する処理を行い、遊技者に対してメダルを払い出す処理を行う。
【００９９】
（補助収納庫２０３）
補助収納庫２０３は、ホッパー２０２の正面視右側に設けられており、ホッパー２０２に貯留されているメダルが溢れた場合に、溢れたメダルを収納する。
【０１００】
（設定スイッチ基板２５０）
設定スイッチ基板２５０は、後述のメイン制御基板３００の正面視右側に設けられている。また、設定スイッチ基板２５０には、後述の設定変更スイッチ４５ｓｗ、及び後述の設定変更キースイッチ４９ｓｗが通信ケーブルによって接続されている。
【０１０１】
（メイン制御基板３００）
メイン制御基板３００は、キャビネット２の内部であって、設定スイッチ基板２５０の正面視左側に設けられており、遊技機１の制御を行う。また、メイン制御基板３００は、後述のメインＣＰＵ３０１、後述のメインＲＯＭ３０２、後述のメインＲＡＭ３０３、メイン乱数発生器３０４を備えている。更に、メイン制御基板３００には、設定表示部４４、外部集中端子板４７、ステータス基板１００、リール制御基板１５０、電源基板２００、設定スイッチ基板２５０、後述のサブ制御基板４００が通信ケーブルによって接続されている。
【０１０２】
このメイン制御基板３００は、導線が所定の配線パターンで配線された絶縁材料板（非伝導材料（素材））に、メインＣＰＵ３０１、メインＲＯＭ３０２、メインＲＡＭ３０３およびメイン乱数発生器３０４の各集積回路（ＩＣ）を所定の位置に実装したプリント配線基板によって構成される。
【０１０３】
（サブ制御基板４００）
サブ制御基板４００は、メイン制御基板３００の正面視左側に設けられており、主として演出の制御を行う。また、サブ制御基板４００は、後述のサブＣＰＵ４０１、後述のサブＲＯＭ４０２、後述のサブＲＡＭ４０３、後述のサブ乱数発生器４０４を備えている。更に、サブ制御基板４００には、メイン制御基板３００、後述の演出制御基板６００、後述の中継基板７００が通信ケーブルによって接続されている。
【０１０４】
このサブ制御基板４００は、上記のメイン制御基板３００と同様に、導線が所定の配線パターンで配線された絶縁材料板（非伝導材料（素材））に、サブＣＰＵ４０１、サブＲＯＭ４０２、サブＲＡＭ４０３およびサブ乱数発生器４０４の各集積回路（ＩＣ）を所定の位置に実装したプリント配線基板によって構成される。
【０１０５】
（演出制御基板６００）
演出制御基板６００は、主として演出を実行する。また、演出制御基板６００は、後述の液晶制御ＣＰＵ６０１、後述の液晶制御ＲＯＭ６０２、後述の液晶制御ＲＡＭ６０３、後述のＣＧＲＯＭ６０４、後述の音源ＩＣ６０５、後述の音源ＲＯＭ６０６、後述のＶＤＰ６０７を備えている。更に、演出制御基板６００には、液晶表示装置４６、スピーカ４０、演出装置５０およびランプ６０が通信ケーブルによって接続されている。
【０１０６】
この演出制御基板６００は、上記のメイン制御基板３００およびサブ制御基板４００と同様に、導線が所定の配線パターンで配線された絶縁材料板（非伝導材料（素材））に、液晶制御ＣＰＵ６０１、液晶制御ＲＯＭ６０２、液晶制御ＲＡＭ６０３、ＣＧＲＯＭ６０４、音源ＩＣ６０５、音源ＲＯＭ６０６およびＶＤＰ６０７の各集積回路（ＩＣ）を所定の位置に実装したプリント配線基板によって構成される。
【０１０７】
（中継基板７００）
中継基板７００は、サブ制御基板４００と、演出ボタン２１および十字キー２２とを中継する。
【０１０８】
（遊技機全体のブロック図）
次に、図４を用いて、遊技機１全体のブロック図について説明する。
【０１０９】
遊技機１は、遊技機１の主たる動作を制御するメイン制御基板３００に対して、ステータス基板１００、リール制御基板１５０、電源基板２００、設定スイッチ基板２５０、サブ制御基板４００が通信ケーブルによって接続されている。
【０１１０】
（ＢＥＴスイッチ７ｓｗ）
ＢＥＴスイッチ７ｓｗは、ＢＥＴボタン７の操作を検出するためのスイッチである。ここで、ステータス基板１００は、ＢＥＴスイッチ７ｓｗにより、ＢＥＴボタン７の操作が検出された場合に、メイン制御基板３００に対して所定の信号を送信する。そして、メイン制御基板３００は、ステータス基板１００から所定の信号を受信したことに基づいて、貯留（クレジット）されているメダルから「１」枚のメダルを使用する処理を行う。
【０１１１】
（ＭＡＸＢＥＴスイッチ８ｓｗ）
ＭＡＸＢＥＴスイッチ８ｓｗは、ＭＡＸＢＥＴボタン８の操作を検出するためのスイッチである。ここで、ステータス基板１００は、ＭＡＸＢＥＴスイッチ８ｓｗにより、ＭＡＸＢＥＴボタン８の操作が検出された場合に、メイン制御基板３００に対して所定の信号を送信する。そして、メイン制御基板３００は、ステータス基板１００から所定の信号を受信したことに基づいて、貯留（クレジット）されているメダルから「３」枚のメダルを使用する処理を行う。
【０１１２】
（精算スイッチ９ｓｗ）
精算スイッチ９ｓｗは、精算ボタン９の操作を検出するためのスイッチである。ここで、ステータス基板１００は、精算スイッチ９ｓｗにより、精算ボタン９の操作が検出された場合に、メイン制御基板３００に対して所定の信号を送信する。そして、メイン制御基板３００は、ステータス基板１００から所定の信号を受信したことに基づいて、貯留（クレジット）されているメダルを精算する処理を行う。具体的には、メイン制御基板３００は、電源基板２００に対して、貯留（クレジット）されているメダルを返却する旨の信号を送信する。そして、電源基板２００は、ホッパー２０２を駆動することにより、貯留（クレジット）しているメダルを返却する処理を行う。
【０１１３】
（スタートスイッチ１０ｓｗ）
スタートスイッチ１０ｓｗは、スタートレバー１０の操作を検出するためのスイッチである。ここで、ステータス基板１００は、スタートスイッチ１０ｓｗにより、スタートレバー１０の操作が検出された場合に、メイン制御基板３００に対して所定の信号を送信する。そして、メイン制御基板３００は、ステータス基板１００から所定の信号を受信したことに基づいて、左リール１８、中リール１９、右リール２０の回転を開始する処理等を行う。
【０１１４】
（左停止スイッチ１１ｓｗ）
左停止スイッチ１１ｓｗは、左停止ボタン１１の操作を検出するためのスイッチである。ここで、ステータス基板１００は、左停止スイッチ１１ｓｗにより、左停止ボタン１１の操作が検出された場合に、メイン制御基板３００に対して所定の信号を送信する。そして、メイン制御基板３００は、ステータス基板１００から所定の信号を受信したことに基づいて、回転中の左リール１８を停止する処理を行う。
【０１１５】
（中停止スイッチ１２ｓｗ）
中停止スイッチ１２ｓｗは、中停止ボタン１２の操作を検出するためのスイッチである。ここで、ステータス基板１００は、中停止スイッチ１２ｓｗにより、中停止ボタン１２の操作が検出された場合に、メイン制御基板３００に対して所定の信号を送信する。そして、メイン制御基板３００は、ステータス基板１００から所定の信号を受信したことに基づいて、回転中の中リール１９を停止する処理を行う。
【０１１６】
（右停止スイッチ１３ｓｗ）
右停止スイッチ１３ｓｗは、右停止ボタン１３の操作を検出するためのスイッチである。ここで、ステータス基板１００は、右停止スイッチ１３ｓｗにより、右停止ボタン１３の操作が検出された場合に、メイン制御基板３００に対して所定の信号を送信する。そして、メイン制御基板３００は、ステータス基板１００から所定の信号を受信したことに基づいて、回転中の右リール２０を停止する処理を行う。
【０１１７】
（セレクターセンサ１５ｓ）
セレクターセンサ１５ｓは、メダル投入口６に適正なメダルが投入されたことを検出するためのセンサである。ここで、ステータス基板１００は、セレクターセンサ１５ｓにより、正常なメダルの通過が検出された場合に、メイン制御基板３００に対して所定の信号を送信する。そして、メイン制御基板３００は、ステータス基板１００から所定の信号を受信したことに基づいて、（ａ）貯留（クレジット）されるメダルの枚数を「１」加算する処理や、（ｂ）遊技に使用するメダルの枚数に「１」加算する処理を行う。
【０１１８】
（設定変更スイッチ４５ｓｗ）
設定変更スイッチ４５ｓｗは、設定変更ボタン４５の操作を検出するためのスイッチである。ここで、設定スイッチ基板２５０は、設定変更スイッチ４５ｓｗにより、設定変更ボタン４５の操作が検出された場合に、メイン制御基板３００に対して所定の信号を送信する。そして、メイン制御基板３００は、設定スイッチ基板２５０から所定の信号を受信したことに基づいて、設定表示部４４に表示されている設定値を更新して表示する処理を行う。
【０１１９】
（設定変更キースイッチ４９ｓｗ）
設定変更キースイッチ４９ｓｗは、設定変更キー（図示せず）が設定変更用鍵穴４８に挿入された状態で、所定角度回動されたことを検出するためのスイッチである。ここで、設定スイッチ基板２５０は、設定変更キー（図示せず）が設定変更用鍵穴４８に挿入された状態で、所定角度回動されたことが検出された場合に、メイン制御基板３００に対して所定の信号を送信する。そして、メイン制御基板３００は、設定スイッチ基板２５０から所定の信号を受信したことに基づいて、設定表示部４４に現在の設定値を表示する処理を行う。
【０１２０】
（電源スイッチ２０１ｓｗ）
電源スイッチ２０１ｓｗは、電源ボタン２０１の操作を検出するためのスイッチである。ここで、電源基板２００は、電源スイッチ２０１ｓｗにより、電源ボタン２０１の操作が検出された場合に、遊技機１に電力を供給する処理を行う。
【０１２１】
（補助収納庫センサ２０３ｓ）
補助収納庫センサ２０３ｓは、補助収納庫２０３に貯留されたメダルが満杯であることを検出するためのセンサである。ここで、電源基板２００は、補助収納庫センサ２０３ｓにより、補助収納庫２０３に貯留されたメダルが満杯であることが検出された場合に、メイン制御基板３００に対して、所定の信号を送信する。そして、メイン制御基板３００は、電源基板２００から所定の信号を受信したことに基づいて、補助収納庫２０３に貯留されたメダルが満杯である時のエラー処理を行う。
【０１２２】
（メインＣＰＵ３０１）
メインＣＰＵ３０１は、後述のメインＲＯＭ３０２に記憶されているプログラムを読み込み、遊技の進行に合わせて所定の演算処理を行うことにより、ステータス基板１００、リール制御基板１５０、電源基板２００、サブ制御基板４００に対して所定の信号を送信する。
【０１２３】
（メインＲＯＭ３０２）
メインＲＯＭ３０２は、メインＣＰＵ３０１により実行される制御プログラム、データテーブル、サブ制御基板４００に対するコマンドを送信するためのデータ等を記憶する。具体的には、メインＲＯＭ３０２は、後述の配列データテーブル（図６参照）、後述の図柄組み合わせ群が「００」の図柄組み合わせテーブル（図７参照）、後述の図柄組み合わせ群が「０１」の図柄組み合わせテーブル（図８参照）、後述の図柄組み合わせ群が「０２」の図柄組み合わせテーブル（図９参照）、後述の図柄組み合わせ群が「０３」の図柄組み合わせテーブル（図１０参照）、後述の図柄組み合わせ群が「０４」の図柄組み合わせテーブル（図１１参照）、後述の非ＲＴ遊技状態用第１当選役決定テーブル（図１３参照）、後述の第１ＲＴ遊技状態用第１当選役決定テーブル（図１４参照）、後述の第２ＲＴ遊技状態用第１当選役決定テーブル（図１５参照）、後述の第３ＲＴ遊技状態用第１当選役決定テーブル（図１６参照）、後述の第４ＲＴ遊技状態用第１当選役決定テーブル（図１７参照）、後述の第５ＲＴ遊技状態用第１当選役決定テーブル（図１８参照）、後述の第６ＲＴ遊技状態用第１当選役決定テーブル（図１９参照）、後述の第２当選役決定テーブル（図２０参照）等を記憶している。
【０１２４】
（メインＲＡＭ３０３）
メインＲＡＭ３０３は、メインＣＰＵ３０１によるプログラムの実行により決定された各種データを記憶する。具体的には、メインＲＡＭ３０３には、例えば、投入枚数カウンタ等の各種カウンタや、設定変更装置作動異常フラグ格納領域等の各種格納領域が設けられている。
【０１２５】
（メイン乱数発生器３０４）
メイン乱数発生器３０４は、当選役を決定する抽選等で用いられる乱数を生成する。ここで、本実施形態において、メイン乱数発生器３０４は、「０」〜「６５５３５」の範囲で乱数値を生成する。
【０１２６】
（サブＣＰＵ４０１）
サブＣＰＵ４０１（「副制御チップ」という）は、後述のサブＲＯＭ４０２に記憶されているプログラムを読み込み、メイン制御基板３００から受信したコマンドの情報や、演出ボタン２１、十字キー２２から入力された信号に基づいて所定の演算を行い、当該演算の結果を演出制御基板６００等に通知する。
【０１２７】
（サブＲＯＭ４０２）
サブＲＯＭ４０２は、サブＣＰＵ４０１により実行される制御プログラム、データテーブル等を記憶する。具体的には、サブＲＯＭ４０２は、後述の演出決定テーブル（図２４参照）、後述のＢｏｎｕｓ準備状態移行抽選テーブル（図２５参照）、後述のＢｏｎｕｓ状態振分抽選テーブル（図２６参照）、後述の前兆ゲーム数決定テーブル（図２７参照）、後述のチャンス状態移行抽選テーブル（図２８参照）、後述のフェイクゲーム数決定テーブル（図２９参照）、後述の昇格抽選テーブル（図３０参照）、後述のＡＲＴ準備状態移行抽選テーブル（図３１参照）、後述のＡＲＴ状態用ゲーム数上乗せ抽選テーブル（図３２参照）、後述の引戻抽選テーブル（図３３参照）、後述の上乗せ状態移行抽選テーブル（図３４参照）等を記憶している。
【０１２８】
（サブＲＡＭ４０３）
サブＲＡＭ４０３は、サブＣＰＵ４０１によるプログラムの実行により決定された遊技に関する遊技関連情報を記憶可能である。この遊技関連情報は、遊技媒体の払い出しに関する情報のほか、遊技において用いられる演出に関する情報をも含む。具体的には、サブＲＡＭ４０３には、例えば、Ｂｏｎｕｓ前兆状態用ゲーム数カウンタ等の各種カウンタや、各種の状態情報を格納する各種格納領域が設けられている。もちろん、この遊技関連情報は、サブＲＡＭ４０３で記憶する情報の一例に過ぎず、サブＲＡＭ４０３には、サブＣＰＵ４０１において用いられるさまざまな情報を記憶している。
【０１２９】
このサブＲＡＭ４０３は、図８１および図８２に示すような構成からなる不揮発性メモリによって構成されている。このサブＲＡＭ４０３の詳細については後述するが、上記に示す例をとると、Ｂｏｎｕｓ前兆状態用ゲーム数カウンタ等の各種カウンタや、状態格納領域等の各種格納領域が設けられたＩＣチップである。特に、データ（遊技関連情報等）を記憶するＩＣチップであることから「メモリチップ（記憶媒体、記憶装置、副記憶チップ）」とも称する。
【０１３０】
このサブＲＡＭ４０３のメモリチップは、プリント基板に実装するための端子が複数（図８１に示す例では、４４本の端子）、設けられており、特に、その端子としてリセット端子が設けられている。
【０１３１】
これらの端子は、外部からの信号入力のほか、メモリチップに記憶する情報の出力に用いられるインターフェイスであって、各端子と入力される信号の内容に応じた処理が行われるポートである。
【０１３２】
このメモリチップに設けられたリセット端子（「初期化端子」とも称する）は、リセット処理（上記に示す「初期化処理」と同義、以下同様。）を行う信号（初期化信号）を外部から入力される（受け付ける）端子である。
【０１３３】
このリセット端子には、サブ制御基板４００がメイン制御基板３００から設定変更開始コマンド、設定変更終了コマンドを受信することによって、初期化信号が入力される。
【０１３４】
このときのリセット端子に初期化信号が入力されるまでの一連の流れを以下に示す。
【０１３５】
まず、電源基板２００からの電力供給が行われていない状態で、管理者等（以下、「管理者」と称する）が設定変更キーを設定変更用鍵穴４８に挿入して初期位置から時計回り方向に所定角度回動し、その後、電源基板２００から電力供給が行われると、メイン制御基板３００では、設定値を変更可能な状態に設定し、サブ制御基板４００に対して「設定変更開始コマンド」を送信する。
【０１３６】
次に、サブ制御基板４００では、メイン制御基板３００から「設定変更開始コマンド」を受信する。これによって、サブ制御基板４００を構成するサブＣＰＵ４０１等が、サブＲＡＭ４０３のリセット端子に初期化信号を送信する。
【０１３７】
続いて、設定変更キーを設定変更用鍵穴４８に挿入して初期位置から時計回り方向に所定角度回動している状態から、元の角度に戻す操作が行われて初期位置に戻されると、メイン制御基板３００は、メインＲＡＭ３０３の一時作業領域に記憶されている変更後の設定値で、メインＲＡＭ３０３で記憶している設定値を書き換える処理（設定値変更処理）を行うとともに、変更後の設定値を含む「設定変更終了コマンド」をサブ制御基板４００へと送信する。
【０１３８】
このサブ制御基板４００では、メイン制御基板３００から「設定変更終了コマンド」を受信する。これによって、「設定変更開始コマンド」を受信したときと同様に、サブ制御基板４００を構成するサブＣＰＵ４０１等が、サブＲＡＭ４０３のリセット端子に初期化信号を送信する。
【０１３９】
このような流れによって、リセット端子に、リセット信号が入力されることとなる。つまり、リセット信号が入力されるタイミングは、サブ制御基板４００が、「設定変更開始コマンド」を受信したタイミングと、「設定変更終了コマンド」とを受信したタイミングとの２つである。
【０１４０】
（サブ乱数発生器４０４）
サブ乱数発生器４０４は、演出を決定する抽選等で用いられる乱数を生成する。ここで、本実施形態において、サブ乱数発生器４０４は、「０」〜「６５５３５」の範囲で乱数値を生成する。
【０１４１】
（液晶制御ＣＰＵ６０１）
液晶制御ＣＰＵ６０１は、後述の液晶制御ＲＯＭ６０２に記憶されているプログラムを読み込み、サブ制御基板４００から受信した信号に基づいてディスプレイリストを作成する。また、液晶制御ＣＰＵ６０１は、後述のＣＧＲＯＭ６０４に記憶されている画像データを液晶表示装置４６に表示させる制御を行う。
【０１４２】
（液晶制御ＲＯＭ６０２）
液晶制御ＲＯＭ６０２は、液晶制御ＣＰＵ６０１により実行される制御プログラム、データテーブル等を記憶する。具体的には、液晶制御ＲＯＭ６０２は、液晶制御ＣＰＵ６０１の制御処理のプログラム、ディスプレイリストを生成するためのディスプレイリスト生成プログラム、アニメーションを表示する際に参照されるアニメシーンの組み合わせやアニメシーンの表示順序、画像の表示時間を示すウエイトフレーム、スプライトの識別番号や転送元アドレス等の各種対象データ、スプライトの表示位置や転送先アドレス等の各種パラメータ、描画方法等が記憶されている。
【０１４３】
（液晶制御ＲＡＭ６０３）
液晶制御ＲＡＭ６０３は液晶制御ＣＰＵ６０１の演算処理時におけるデータのワークエリアとして機能し、液晶制御ＲＯＭ６０２から読み出されたデータを一時的に記憶する。
【０１４４】
（ＣＧＲＯＭ６０４）
ＣＧＲＯＭ６０４は所定範囲の画素（例えば、「３２」ピクセル×「３２」ピクセル）における画素毎に色番号を指定する色番号情報と、画像の透明度を示すα値とから構成され画素情報の集合からなる画像データを圧縮して記憶する。
【０１４５】
（音源ＩＣ６０５）
音源ＩＣ６０５は後述の音源ＲＯＭ６０６に記憶されている音声に関するプログラムやデータを読み込み、スピーカ４０を駆動する音声信号を生成する。
【０１４６】
（音源ＲＯＭ６０６）
音源ＲＯＭ６０６は演出を実行する際に出力される音声に関するプログラムやデータ等を記憶する。
【０１４７】
（ＶＤＰ６０７）
ＶＤＰ６０７は、いわゆる画像プロセッサであり、液晶制御ＣＰＵ６０１からの指示に基づいて、第１フレームバッファ領域と第２フレームバッファ領域のフレームバッファ領域のうち「表示用フレームバッファ領域」から画像データを読み出す制御を行う。そして、読み出した画像データに基づいて、映像信号（例えば、ＬＶＤＳ信号やＲＧＢ信号）を生成することにより、液晶表示装置４６に画像を表示する制御が行われる。なお、ＶＤＰ６０７は、図示しない制御レジスタ、ＣＧバスインターフェイス、ＣＰＵインターフェイス、クロック生成回路、伸長回路、描画回路、表示回路、メモリコントローラ等を備えており、これらをバスによって接続している。
【０１４８】
（ＭＡＸＢＥＴボタンＬＥＤ７２１）
ＭＡＸＢＥＴボタンＬＥＤ７２１は、ＭＡＸＢＥＴボタン８の操作を受け付けるタイミングである場合には点灯し、ＭＡＸＢＥＴボタン８の操作を受け付けないタイミングである場合には消灯する。これにより、ＭＡＸＢＥＴボタン８の操作を受け付けるタイミングであることと、ＭＡＸＢＥＴボタン８の操作を受け付けないタイミングであることの報知を行う。
【０１４９】
（停止ボタンＬＥＤ７２２）
停止ボタンＬＥＤ７２２は、（ａ）左停止ボタン１１の内部に設けられている左停止ボタンＬＥＤ７２２Ｌと、（ｂ）中停止ボタン１２の内部に設けられている中停止ボタンＬＥＤ７２２Ｃと、（ｃ）右停止ボタン１３の内部に設けられている右停止ボタンＬＥＤ７２２Ｒを備えている。
【０１５０】
（左停止ボタンＬＥＤ７２２Ｌ）
左停止ボタンＬＥＤ７２２Ｌは、左停止ボタン１１の操作を受け付けるタイミングである場合には点灯し、左停止ボタン１１の操作を受け付けないタイミングである場合には消灯する。
【０１５１】
（中停止ボタンＬＥＤ７２２Ｃ）
中停止ボタンＬＥＤ７２２Ｃは、中停止ボタンＬＥＤ７２２Ｃは、中停止ボタン１２の操作を受け付けるタイミングである場合には点灯し、中停止ボタン１２の操作を受け付けないタイミングである場合には消灯する。
【０１５２】
（右停止ボタンＬＥＤ７２２Ｒ）
右停止ボタンＬＥＤ７２２Ｒは、右停止ボタンＬＥＤ７２２Ｒは、右停止ボタン１３の操作を受け付けるタイミングである場合には点灯し、右停止ボタン１３の操作を受け付けないタイミングである場合には消灯する。
【０１５３】
（演出ボタンＬＥＤ７２３）
演出ボタンＬＥＤ７２３は、演出ボタン２１の操作を受け付けるタイミングであることを報知する。
【０１５４】
（腰部パネルＬＥＤ７２４）
腰部パネルＬＥＤ７２４は、腰部パネル３７に描かれた遊技機１の機種名やモチーフ等を遊技者へ認識させ易くする。
【０１５５】
（演出装置５０の可動態様）
次に、図５を用いて、演出装置５０の可動態様について説明する。
【０１５６】
図５に示す通り、演出装置５０は、ベース部５１と、柄部５２と、鞘部５３を備えている。
【０１５７】
（ベース部５１）
ベース部５１は、演出装置５０のベースとなる部材であって、鞘部５３により被覆されている部分にＬＥＤを内蔵している。ここで、サブ制御基板４００は、所定の演出を実行する際に、演出制御基板６００を介して、ベース部５１に内蔵されているランプであるＬＥＤを発光させる処理を行う。
【０１５８】
（柄部５２）
柄部５２は、ベース部５１の正面視左側に取り付けられている。また、柄部５２は、日本刀の柄を模した形状をしている。また、柄部５２は、左右方向に可動する。
【０１５９】
（鞘部５３）
鞘部５３は、ベース部５１の正面視右側に取り付けられている。また、鞘部５３は、日本刀の鞘を模した形状をしている。また、鞘部５３は、左右方向に可動する。
【０１６０】
（配列データテーブル）
次に、図６に基づいて、配列データテーブルの説明を行う。
【０１６１】
配列データテーブルは、メインＲＯＭ３０２に設けられており、左リールセンサ１５４ｓ、中リールセンサ１５５ｓ、右リールセンサ１５６ｓがリールインデックスを検出したときに、表示窓２３の中段に表示されている図柄の図柄位置を「００」と規定している。また、図柄位置「００」を基準として、図柄位置「００」〜「２０」が規定されている。
【０１６２】
（図柄組み合わせ群が「００」の図柄組み合わせテーブル）
次に、図７に基づいて、図柄組み合わせ群が「００」の図柄組み合わせテーブルについて説明を行う。
【０１６３】
図柄組み合わせ群が「００」の図柄組み合わせテーブルは、メインＲＯＭ３０２に記憶されており、図柄の組み合わせ名称と、図柄組み合わせ名称に対応するビットと、当該ビットに対応する図柄ビット名称と、図柄の組み合わせと、遊技者に対して払い出すメダルの払出枚数を規定している。
【０１６４】
また、図柄組み合わせ群が「００」の図柄組み合わせテーブルのビット「０００００００１」には、図柄ビット名称「ＲＥＰ０１」として「準備リプレイ」が規定されており、ビット「００００００１０」には、図柄ビット名称「ＲＥＰ０２」として「第１Ｂｏｎｕｓリプレイ」が規定されており、ビット「０００００１００」には、図柄ビット名称「ＲＥＰ０３」として「第２Ｂｏｎｕｓリプレイ」が規定されており、ビット「００００１０００」には、図柄ビット名称「ＲＥＰ０４」として「第３Ｂｏｎｕｓリプレイ」が規定されており、ビット「０００１００００」には、図柄ビット名称「ＲＥＰ０５」として「ＡＲＴリプレイ」が規定されており、ビット「００１０００００」には、図柄ビット名称「ＲＥＰ０６」として「特別リプレイ」が規定されており、ビット「０１００００００」には、図柄ビット名称「ＲＥＰ０７」として「ＲＵＳＨリプレイ」が規定されており、ビット「１０００００００」には、図柄ビット名称「ＲＥＰ０８」として「中段リプレイ」が規定されている。
【０１６５】
ここで、メインＣＰＵ３０１は、有効ライン上に沿って表示される図柄の組み合わせが、図柄組み合わせテーブルに規定されている図柄の組み合わせと一致する場合に、メダルの払出、再遊技の作動、遊技状態の移行といった特典を付与する制御を行う。例えば、有効ライン上に「再遊技Ａ」、「再遊技Ａ」、「ＢＡＲ」の図柄の組み合わせが有効ライン上に表示されたとき、メインＣＰＵ３０１は、「準備リプレイ」に係る図柄の組み合わせが表示されたと判定し、再遊技の作動とともに、後述の第２ＲＴ遊技状態へ移行する制御を行う。なお、有効ラインに沿って表示された図柄の組み合わせが、図柄組み合わせテーブルに規定されている図柄の組み合わせと一致しない場合は、「ハズレ」となる。
【０１６６】
（図柄組み合わせ群が「０１」の図柄組み合わせテーブル）
次に、図８に基づいて、図柄組み合わせ群が「０１」の図柄組み合わせテーブルについて説明を行う。
【０１６７】
図柄組み合わせ群が「０１」の図柄組み合わせテーブルは、図柄組み合わせ群が「００」の図柄組み合わせテーブルと同様に、メインＲＯＭ３０２に記憶されており、図柄の組み合わせ名称と、図柄組み合わせ名称に対応するビットと、当該ビットに対応する図柄ビット名称と、図柄の組み合わせと、遊技者に対して払い出すメダルの払出枚数を規定している。
【０１６８】
また、図柄組み合わせ群が「０１」の図柄組み合わせテーブルのビット「０００００００１」には、図柄ビット名称「ＲＥＰ０９」として「右上がりリプレイ」が規定されており、ビット「００００００１０」には、図柄ビット名称「ＲＥＰ１０」として「ＢＡＲリプレイ」が規定されており、ビット「０００００１００」には、図柄ビット名称「ＲＥＰ１１」として「上段スイカリプレイ」が規定されており、ビット「００００１０００」には、図柄ビット名称「ＲＥＰ１２」として「下段スイカリプレイ」が規定されており、ビット「０００１００００」には、図柄ビット名称「ＲＥＰ１３」として「上段チェリーリプレイ」が規定されており、ビット「００１０００００」には、図柄ビット名称「ＲＥＰ１４」として「下段チェリーリプレイ」が規定されており、ビット「０１００００００」には、図柄ビット名称「ＲＥＰ１５」として「第１チャンス目リプレイ」が規定されており、ビット「１０００００００」には、図柄ビット名称「ＲＥＰ１６」として「第２チャンス目リプレイ」が規定されている。
【０１６９】
ここで、本実施形態においては、「準備リプレイ」、「第１Ｂｏｎｕｓリプレイ」、「第２Ｂｏｎｕｓリプレイ」、「第３Ｂｏｎｕｓリプレイ」、「ＡＲＴリプレイ」、「特別リプレイ」、「ＲＵＳＨリプレイ」、「中段リプレイ」、「右上がりリプレイ」、「ＢＡＲリプレイ」、「上段スイカリプレイ」、「下段スイカリプレイ」、「上段チェリーリプレイ」、「下段チェリーリプレイ」、「第１チャンス目リプレイ」、「第２チャンス目リプレイ」に係る図柄の組み合わせが有効ライン上に表示された場合に、再遊技の作動が行われる。ここで、再遊技の作動が行われると、メダルを投入することなく、遊技を行うことができる。
【０１７０】
（図柄組み合わせ群が「０２」の図柄組み合わせテーブル）
次に、図９に基づいて、図柄組み合わせ群が「０２」の図柄組み合わせテーブルについて説明を行う。
【０１７１】
図柄組み合わせ群が「０２」の図柄組み合わせテーブルは、図柄組み合わせ群が「００」の図柄組み合わせテーブルや、図柄組み合わせ群が「０１」の図柄組み合わせテーブルと同様に、メインＲＯＭ３０２に記憶されており、図柄の組み合わせ名称と、図柄組み合わせ名称に対応するビットと、当該ビットに対応する図柄ビット名称と、図柄の組み合わせと、遊技者に対して払い出すメダルの払出枚数を規定している。
【０１７２】
また、図柄組み合わせ群が「０２」の図柄組み合わせテーブルのビット「０００００００１」には、図柄ビット名称「ＮＭＬ０１」として「第１押し順ベル」が規定されており、ビット「００００００１０」には、図柄ビット名称「ＮＭＬ０２」として「第２押し順ベル」が規定されており、ビット「０００００１００」には、図柄ビット名称「ＮＭＬ０３」として「第３押し順ベル」が規定されており、ビット「００００１０００」には、図柄ビット名称「ＮＭＬ０４」として「第４押し順ベル」が規定されており、ビット「０００１００００」には、図柄ビット名称「ＮＭＬ０５」として「第５押し順ベル」が規定されており、ビット「００１０００００」には、図柄ビット名称「ＮＭＬ０６」として「第６押し順ベル」が規定されており、ビット「０１００００００」には、図柄ビット名称「ＮＭＬ０７」として「第７押し順ベル」が規定されており、ビット「１０００００００」には、図柄ビット名称「ＮＭＬ０８」として「第８押し順ベル」が規定されている。
【０１７３】
（図柄組み合わせ群が「０３」の図柄組み合わせテーブル）
次に、図１０に基づいて、図柄組み合わせ群が「０３」の図柄組み合わせテーブルについて説明を行う。
【０１７４】
図柄組み合わせ群が「０３」の図柄組み合わせテーブルは、図柄組み合わせ群が「００」の図柄組み合わせテーブルや、図柄組み合わせ群が「０１」の図柄組み合わせテーブル、図柄組み合わせ群が「０２」の図柄組み合わせテーブルと同様に、メインＲＯＭ３０２に記憶されており、図柄の組み合わせ名称と、図柄組み合わせ名称に対応するビットと、当該ビットに対応する図柄ビット名称と、図柄の組み合わせと、遊技者に対して払い出すメダルの払出枚数を規定している。
【０１７５】
また、図柄組み合わせ群が「０３」の図柄組み合わせテーブルのビット「０００００００１」には、図柄ビット名称「ＮＭＬ０９」として「第９押し順ベル」が規定されており、ビット「００００００１０」には、図柄ビット名称「ＮＭＬ１０」として「第１０押し順ベル」が規定されており、ビット「０００００１００」には、図柄ビット名称「ＮＭＬ１１」として「第１１押し順ベル」が規定されており、ビット「００００１０００」には、図柄ビット名称「ＮＭＬ１２」として「第１２押し順ベル」が規定されており、ビット「０００１００００」には、図柄ビット名称「ＮＭＬ１３」として「正解ベル」が規定されており、ビット「００１０００００」には、図柄ビット名称「ＮＭＬ１４」として「右上がりスイカ」が規定されており、ビット「０１００００００」には、図柄ビット名称「ＮＭＬ１５」として「右下がりスイカ」が規定されており、ビット「１０００００００」には、図柄ビット名称「ＮＭＬ１６」として「第１チャンス目」が規定されている。
【０１７６】
（図柄組み合わせ群が「０４」の図柄組み合わせテーブル）
次に、図１１に基づいて、図柄組み合わせ群が「０４」の図柄組み合わせテーブルについて説明を行う。
【０１７７】
図柄組み合わせ群が「０４」の図柄組み合わせテーブルは、図柄組み合わせ群が「００」の図柄組み合わせテーブルや、図柄組み合わせ群が「０１」の図柄組み合わせテーブル、図柄組み合わせ群が「０２」の図柄組み合わせテーブル、図柄組み合わせ群が「０３」の図柄組み合わせテーブルと同様に、メインＲＯＭ３０２に記憶されており、図柄の組み合わせ名称と、図柄組み合わせ名称に対応するビットと、当該ビットに対応する図柄ビット名称と、図柄の組み合わせと、遊技者に対して払い出すメダルの払出枚数を規定している。
【０１７８】
また、図柄組み合わせ群が「０４」の図柄組み合わせテーブルのビット「０００００００１」には、図柄ビット名称「ＮＭＬ１７」として「第２チャンス目」が規定されており、ビット「００００００１０」には、図柄ビット名称「ＮＭＬ１８」として「第１チェリー」が規定されており、ビット「０００００１００」には、図柄ビット名称「ＮＭＬ１９」として「第２チェリー」が規定されており、ビット「００００１０００」には、図柄ビット名称「ＮＭＬ２０」として「中段チェリー」が規定されており、ビット「０００１００００」には、図柄ビット名称「ＢＬＫ０１」として「第１ブランク」が規定されており、ビット「００１０００００」には、図柄ビット名称「ＢＬＫ０２」として「第２ブランク」が規定されており、ビット「０１００００００」には、図柄ビット名称「ＢＬＫ０３」として「第３ブランク」が規定されており、ビット「１０００００００」には、図柄ビット名称「ＢＬＫ０４」として「第４ブランク」が規定されている。
【０１７９】
ここで、本実施形態においては、「第１押し順ベル」に係る図柄の組み合わせ、「第２押し順ベル」に係る図柄の組み合わせ、「第３押し順ベル」に係る図柄の組み合わせ、「第４押し順ベル」に係る図柄の組み合わせ、「第５押し順ベル」に係る図柄の組み合わせ、「第６押し順ベル」に係る図柄の組み合わせ、「第７押し順ベル」に係る図柄の組み合わせ、「第８押し順ベル」に係る図柄の組み合わせ、「第９押し順ベル」に係る図柄の組み合わせ、「第１０押し順ベル」に係る図柄の組み合わせ、「第１１押し順ベル」に係る図柄の組み合わせ、「第１２押し順ベル」に係る図柄の組み合わせ、「正解ベル」に係る図柄の組み合わせ、「右上がりスイカ」に係る図柄の組み合わせ、「右下がりスイカ」に係る図柄の組み合わせ、「第１チャンス目」に係る図柄の組み合わせ」、「第２チャンス目」に係る図柄の組み合わせ、「第１チェリー」に係る図柄の組み合わせ、「第２チェリー」に係る図柄の組み合わせ、「中段チェリー」に係る図柄の組み合わせが有効ライン上に表示された場合に、メダルの払出が行われる。
【０１８０】
なお、「第１押し順ベル」に係る図柄の組み合わせ、「第２押し順ベル」に係る図柄の組み合わせ、「第３押し順ベル」に係る図柄の組み合わせ、「第４押し順ベル」に係る図柄の組み合わせ、「第５押し順ベル」に係る図柄の組み合わせ、「第６押し順ベル」に係る図柄の組み合わせ、「第７押し順ベル」に係る図柄の組み合わせ、「第８押し順ベル」に係る図柄の組み合わせ、「第９押し順ベル」に係る図柄の組み合わせ、「第１０押し順ベル」に係る図柄の組み合わせ、「第１１押し順ベル」に係る図柄の組み合わせ、「第１２押し順ベル」に係る図柄の組み合わせ、「正解ベル」に係る図柄の組み合わせ、「右上がりスイカ」に係る図柄の組み合わせ、「右下がりスイカ」に係る図柄の組み合わせ、「第１チャンス目」に係る図柄の組み合わせ、「第２チャンス目」に係る図柄の組み合わせ、「第１チェリー」に係る図柄の組み合わせ、「第２チェリー」に係る図柄の組み合わせ、「中段チェリー」に係る図柄の組み合わせを総称して、「入賞」に係る図柄の組み合わせという。
【０１８１】
また、「第１押し順ベル」に係る図柄の組み合わせ、「第２押し順ベル」に係る図柄の組み合わせ、「第３押し順ベル」に係る図柄の組み合わせ、「第４押し順ベル」に係る図柄の組み合わせ、「第５押し順ベル」に係る図柄の組み合わせ、「第６押し順ベル」に係る図柄の組み合わせ、「第７押し順ベル」に係る図柄の組み合わせ、「第８押し順ベル」に係る図柄の組み合わせ、「第９押し順ベル」に係る図柄の組み合わせ、「第１０押し順ベル」に係る図柄の組み合わせ、「第１１押し順ベル」に係る図柄の組み合わせ、「第１２押し順ベル」に係る図柄の組み合わせを総称して「押し順ベル」に係る図柄の組み合わせという。
【０１８２】
また、「第１押し順ベル」に係る図柄の組み合わせ、「第２押し順ベル」に係る図柄の組み合わせ、「第３押し順ベル」に係る図柄の組み合わせ、「第４押し順ベル」に係る図柄の組み合わせ、「第５押し順ベル」に係る図柄の組み合わせ、「第６押し順ベル」に係る図柄の組み合わせ、「第７押し順ベル」に係る図柄の組み合わせ、「第８押し順ベル」に係る図柄の組み合わせ、「第９押し順ベル」に係る図柄の組み合わせ、「第１０押し順ベル」に係る図柄の組み合わせ、「第１１押し順ベル」に係る図柄の組み合わせ、「第１２押し順ベル」に係る図柄の組み合わせ、「正解ベル」に係る図柄の組み合わせを総称して「ベル」に係る図柄の組み合わせという。
【０１８３】
また、「右上がりスイカ」に係る図柄の組み合わせ、「右下がりスイカ」に係る図柄の組み合わせを総称して「スイカ」に係る図柄の組み合わせという。
【０１８４】
また、「第１チャンス目」に係る図柄の組み合わせ、「第２チャンス目」に係る図柄の組み合わせを総称して「チャンス目」に係る図柄の組み合わせという。
【０１８５】
また、「第１チェリー」に係る図柄の組み合わせ、「第２チェリー」に係る図柄の組み合わせ、「中段チェリー」に係る図柄の組み合わせを総称して「チェリー」に係る図柄の組み合わせという。
【０１８６】
また、「第１ブランク」に係る図柄の組み合わせ、「第２ブランク」に係る図柄の組み合わせ、「第３ブランク」に係る図柄の組み合わせ、「第４ブランク」に係る図柄の組み合わせを総称して、「ブランク」に係る図柄の組み合わせという。
【０１８７】
一方、「準備リプレイ」に係る図柄の組み合わせ、「第１Ｂｏｎｕｓリプレイ」に係る図柄の組み合わせ、「第２Ｂｏｎｕｓリプレイ」に係る図柄の組み合わせ、「第３Ｂｏｎｕｓリプレイ」に係る図柄の組み合わせ、「ＡＲＴリプレイ」に係る図柄の組み合わせ、「特別リプレイ」に係る図柄の組み合わせ、「ＲＵＳＨリプレイ」に係る図柄の組み合わせ、「中段リプレイ」に係る図柄の組み合わせ、「右上がりリプレイ」に係る図柄の組み合わせ、「ＢＡＲリプレイ」に係る図柄の組み合わせ、「上段スイカリプレイ」に係る図柄の組み合わせ、「下段スイカリプレイ」に係る図柄の組み合わせ、「上段チェリーリプレイ」に係る図柄の組み合わせ、「下段チェリーリプレイ」に係る図柄の組み合わせ、「第１チャンス目リプレイ」に係る図柄の組み合わせ、「第２チャンス目リプレイ」に係る図柄の組み合わせを総称して、「リプレイ」に係る図柄の組み合わせという。
【０１８８】
また、「第１Ｂｏｎｕｓリプレイ」に係る図柄の組み合わせ、「第２Ｂｏｎｕｓリプレイ」に係る図柄の組み合わせ、「第３Ｂｏｎｕｓリプレイ」に係る図柄の組み合わせを総称して「Ｂｏｎｕｓリプレイ」に係る図柄の組み合わせという。
【０１８９】
また、「中段リプレイ」に係る図柄の組み合わせ、「右上がりリプレイ」に係る図柄の組み合わせを総称して「通常リプレイ」に係る図柄の組み合わせという。
【０１９０】
また、「上段スイカリプレイ」に係る図柄の組み合わせ、「下段スイカリプレイ」に係る図柄の組み合わせを総称して「スイカリプレイ」に係る図柄の組み合わせという。
【０１９１】
また、「上段チェリーリプレイ」に係る図柄の組み合わせ、「下段チェリーリプレイ」に係る図柄の組み合わせを総称して「チェリーリプレイ」に係る図柄の組み合わせという。
【０１９２】
また、「第１チャンス目リプレイ」に係る図柄の組み合わせ、「第２チャンス目リプレイ」に係る図柄の組み合わせを総称して「チャンス目リプレイ」に係る図柄の組み合わせという。
【０１９３】
（当選役と、停止ボタンの操作順序と、入賞等の関係）
次に、図１２に基づいて、当選役と、停止ボタンの操作順序と、入賞等の関係について説明を行う。
【０１９４】
図１２では、当選役に対応する当選番号と、当選番号の内容と、当選役に対応する条件装置と、各遊技状態で当選役として決定され得るか否かと、停止操作順序により有効ライン上に表示され得る図柄の組み合わせとの関係を示している。
【０１９５】
また、図１２に示す通り、決定された当選役によって、作動することとなる条件装置が異なる。例えば、後述の内部抽選処理により、当選番号「１３」の当選役が決定された場合、作動することとなる条件装置は「ＲＥＰ０８」、及び「ＲＥＰ０９」である。即ち、当選番号「１３」の当選役が決定された場合、「中段リプレイ」に係る図柄の組み合わせ、または「右上がりリプレイ」に係る図柄の組み合わせのうち、何れかの図柄の組み合わせが有効ライン上に表示されることとなる。
【０１９６】
また、本実施形態において、同じ図柄位置で左停止ボタン１１、中停止ボタン１２、右停止ボタン１３を操作しても、遊技者による左停止ボタン１１、中停止ボタン１２、右停止ボタン１３の操作順序によって、有効ライン上に揃う図柄の組み合わせが異なる当選役が設けられている。例えば、後述の内部抽選処理により、当選番号「１７」の「Ｂｏｎｕｓ中リプレイＢＲ１」が当選役として決定された場合に、作動することとなる条件装置は「ＲＥＰ０８」、「ＲＥＰ０９」、「ＲＥＰ１０」、「ＲＥＰ１２」、及び「ＲＥＰ１５」である。この場合において、左停止ボタン１１を最初に操作した場合には、「中段リプレイ」、「右上がりリプレイ」、「ＢＡＲリプレイ」、または「下段スイカリプレイ」に係る図柄の組み合わせのうち、何れかの図柄の組み合わせが有効ライン上に表示されることとなる。また、中停止ボタン１２を最初に操作した場合には、「中段リプレイ」に係る図柄の組み合わせが有効ライン上に表示されることとなる。また、右停止ボタン１３を最初に操作した場合には、「中段リプレイ」、または「ＢＡＲリプレイ」に係る図柄の組み合わせのうち、何れかの図柄の組み合わせが有効ライン上に表示されることとなる。
【０１９７】
ただし、この場合において、左停止ボタン１１を最初に操作した場合には、「ＢＡＲリプレイ」に係る図柄の組み合わせのうち、有効ライン上に表示することが許容される図柄の組み合わせと、有効ライン上に表示することが許容されない図柄の組み合わせがある。同様に、右停止ボタン１３を最初に操作した場合にも、「ＢＡＲリプレイ」に係る図柄の組み合わせのうち、有効ライン上に表示することが許容される図柄の組み合わせと、有効ライン上に表示することが許容されない図柄の組み合わせがある。
【０１９８】
一方、左停止ボタン１１、中停止ボタン１２、右停止ボタン１３の操作順序がどのような順序であっても、有効ライン上に揃う図柄の組み合わせが異なることのない当選役が設けられている。例えば、後述の内部抽選処理により、当選番号「３１」の「共通ベル」が当選役として決定された場合に、作動することとなる条件装置は「ＮＭＬ０１」、「ＮＭＬ０２」、「ＮＭＬ０３」、「ＮＭＬ０４」、「ＮＭＬ０５」、「ＮＭＬ０６」、「ＮＭＬ０７」、「ＮＭＬ０８」、「ＮＭＬ０９」、「ＮＭＬ１０」、「ＮＭＬ１１」、「ＮＭＬ１２」、及び「ＮＭＬ１３」である。この場合においては、左停止ボタン１１を最初に操作した場合、中停止ボタン１２を最初に操作した場合、右停止ボタン１３を最初に操作した場合の何れの場合であっても、「第１押し順ベル」、「第２押し順ベル」、「第３押し順ベル」、「第４押し順ベル」、または「正解ベル」に係る図柄の組み合わせのうち、何れかの図柄の組み合わせが有効ライン上に表示されることとなる。
【０１９９】
また、左停止ボタン１１、中停止ボタン１２、右停止ボタン１３の操作順序がどのような順序であっても、適切なタイミングで左停止ボタン１１、中停止ボタン１２、右停止ボタン１３の操作がなされなければ、「入賞」に係る図柄の組み合わせが有効ライン上に表示されない場合がある。例えば、後述の内部抽選処理により、当選番号「２５」の「スイカ」が当選役として決定された場合に、作動することとなる条件装置は「ＮＭＬ１４」、及び「ＮＭＬ１５」である。この場合においては、左停止ボタン１１を最初に操作した場合、中停止ボタン１２を最初に操作した場合、右停止ボタン１３を最初に操作した場合の何れの場合であっても、「右上がりスイカ」に係る図柄の組み合わせ、または「右下がりスイカ」に係る図柄の組み合わせのうち、何れかの図柄の組み合わせが有効ライン上に表示され得るが、適切なタイミングで左停止ボタン１１、中停止ボタン１２、右停止ボタン１３の操作がなされなければ、「右上がりスイカ」に係る図柄の組み合わせ、または「右下がりスイカ」に係る図柄の組み合わせのうち、何れかの図柄の組み合わせが有効ライン上に表示されることはない。
【０２００】
（非ＲＴ遊技状態用第１当選役決定テーブル）
次に、図１３に基づいて、非ＲＴ遊技状態用第１当選役決定テーブルについて説明を行う。
【０２０１】
非ＲＴ遊技状態用第１当選役決定テーブルは、メインＲＯＭ３０２に記憶されており、後述の非ＲＴ遊技状態における後述の内部抽選処理により、当選役を決定する際に用いられる。
【０２０２】
また、非ＲＴ遊技状態用第１当選役決定テーブルは、当選番号と、当選番号の内容と、設定値毎の抽選値と、当選番号に対応する当選役の抽選値が全設定共通値であるか否かが規定されている。ここで、本実施形態において、非ＲＴ遊技状態用第１当選役決定テーブルは、設定値が「１」の場合の抽選値と、設定値が「２」の場合の抽選値と、設定値が「３」の場合の抽選値と、設定値が「４」の場合の抽選値と、設定値が「５」の場合の抽選値と、設定値が「６」の場合の抽選値がそれぞれ規定されている。なお、図１３においては、設定値が「２」の場合の抽選値、設定値が「３」の場合の抽選値、設定値が「４」の場合の抽選値、設定値が「５」の場合の抽選値の図示を省略している。
【０２０３】
また、非ＲＴ遊技状態用第１当選役決定テーブルは、当選番号「１３」の「通常リプレイ」のみに抽選値が規定されている。
【０２０４】
即ち、これら以外の抽選値は「０」であり、非ＲＴ遊技状態用第１当選役決定テーブルを用いて抽選を行った場合においては、当選番号「０１」の「準備状態移行リプレイＪＲ１」、当選番号「０２」の「準備状態移行リプレイＪＲ２」、当選番号「０３」の「準備状態移行リプレイＪＲ３」、当選番号「０４」の「準備状態移行リプレイＪＲ４」、当選番号「０５」の「直撃Ｂｏｎｕｓ」、当選番号「０６」の「Ｂｏｎｕｓ突入リプレイＢＩ１」、当選番号「０７」の「Ｂｏｎｕｓ突入リプレイＢＩ２」、当選番号「０８」の「Ｂｏｎｕｓ突入リプレイＢＩ３」、当選番号「０９」の「ＡＲＴ中リプレイＡＲ１」、当選番号「１０」の「ＡＲＴ中リプレイＡＲ２」、当選番号「１１」の「ＡＲＴ中リプレイＡＲ３」、当選番号「１２」の「ＡＲＴ中リプレイＡＲ４」、当選番号「１４」の「ＲＵＳＨリプレイＲ１」、当選番号「１５」の「ＲＵＳＨリプレイＲ２」、当選番号「１６」の「状態移行リプレイ」、当選番号「１７」の「Ｂｏｎｕｓ中リプレイＢＲ１」、当選番号「１８」の「Ｂｏｎｕｓ中リプレイＢＲ２」、当選番号「１９」の「Ｂｏｎｕｓ中リプレイＢＲ３」、当選番号「２０」の「スイカリプレイ」、当選番号「２１」の「弱チェリーリプレイ」、当選番号「２２」の「強チェリーリプレイ」、当選番号「２３」の「チャンス目リプレイＣＲ１」が当選役として決定されることはない。
【０２０５】
（第１ＲＴ遊技状態用第１当選役決定テーブル）
次に、図１４に基づいて、第１ＲＴ遊技状態用第１当選役決定テーブルについて説明を行う。
【０２０６】
第１ＲＴ遊技状態用第１当選役決定テーブルは、メインＲＯＭ３０２に記憶されており、後述の第１ＲＴ遊技状態における後述の内部抽選処理により、当選役を決定する際に用いられる。
【０２０７】
また、第１ＲＴ遊技状態用第１当選役決定テーブルは、当選番号と、当選番号の内容と、設定値毎の抽選値と、当選番号に対応する当選役の抽選値が全設定共通値であるか否かが規定されている。ここで、本実施形態において、第１ＲＴ遊技状態用第１当選役決定テーブルは、設定値が「１」の場合の抽選値と、設定値が「２」の場合の抽選値と、設定値が「３」の場合の抽選値と、設定値が「４」の場合の抽選値と、設定値が「５」の場合の抽選値と、設定値が「６」の場合の抽選値がそれぞれ規定されている。なお、図１４においては、設定値が「２」の場合の抽選値、設定値が「３」の場合の抽選値、設定値が「４」の場合の抽選値、設定値が「５」の場合の抽選値の図示を省略している。
【０２０８】
また、第１ＲＴ遊技状態用第１当選役決定テーブルは、当選番号「０１」の「準備状態移行リプレイＪＲ１」、当選番号「０２」の「準備状態移行リプレイＪＲ２」、当選番号「０３」の「準備状態移行リプレイＪＲ３」、当選番号「０４」の「準備状態移行リプレイＪＲ４」、当選番号「０５」の「直撃Ｂｏｎｕｓ」に抽選値が規定されている。
【０２０９】
即ち、これら以外の抽選値は「０」であり、第１ＲＴ遊技状態用第１当選役決定テーブルを用いて抽選を行った場合においては、当選番号「０６」の「Ｂｏｎｕｓ突入リプレイＢＩ１」、当選番号「０７」の「Ｂｏｎｕｓ突入リプレイＢＩ２」、当選番号「０８」の「Ｂｏｎｕｓ突入リプレイＢＩ３」、当選番号「０９」の「ＡＲＴ中リプレイＡＲ１」、当選番号「１０」の「ＡＲＴ中リプレイＡＲ２」、当選番号「１１」の「ＡＲＴ中リプレイＡＲ３」、当選番号「１２」の「ＡＲＴ中リプレイＡＲ４」、当選番号「１３」の「通常リプレイ」、当選番号「１４」の「ＲＵＳＨリプレイＲ１」、当選番号「１５」の「ＲＵＳＨリプレイＲ２」、当選番号「１６」の「状態移行リプレイ」、当選番号「１７」の「Ｂｏｎｕｓ中リプレイＢＲ１」、当選番号「１８」の「Ｂｏｎｕｓ中リプレイＢＲ２」、当選番号「１９」の「Ｂｏｎｕｓ中リプレイＢＲ３」、当選番号「２０」の「スイカリプレイ」、当選番号「２１」の「弱チェリーリプレイ」、当選番号「２２」の「強チェリーリプレイ」、当選番号「２３」の「チャンス目リプレイＣＲ１」が当選役として決定されることはない。
【０２１０】
（第２ＲＴ遊技状態用第１当選役決定テーブル）
次に、図１５に基づいて、第２ＲＴ遊技状態用第１当選役決定テーブルについて説明を行う。
【０２１１】
第２ＲＴ遊技状態用第１当選役決定テーブルは、メインＲＯＭ３０２に記憶されており、後述の第２ＲＴ遊技状態における後述の内部抽選処理により、当選役を決定する際に用いられる。
【０２１２】
また、第２ＲＴ遊技状態用第１当選役決定テーブルは、当選番号と、当選番号の内容と、設定値毎の抽選値と、当選番号に対応する当選役の抽選値が全設定共通値であるか否かが規定されている。ここで、本実施形態において、第２ＲＴ遊技状態用第１当選役決定テーブルは、設定値が「１」の場合の抽選値と、設定値が「２」の場合の抽選値と、設定値が「３」の場合の抽選値と、設定値が「４」の場合の抽選値と、設定値が「５」の場合の抽選値と、設定値が「６」の場合の抽選値がそれぞれ規定されている。なお、図１５においては、設定値が「２」の場合の抽選値、設定値が「３」の場合の抽選値、設定値が「４」の場合の抽選値、設定値が「５」の場合の抽選値の図示を省略している。
【０２１３】
また、第２ＲＴ遊技状態用第１当選役決定テーブルは、当選番号「０６」の「Ｂｏｎｕｓ突入リプレイＢＩ１」、当選番号「０７」の「Ｂｏｎｕｓ突入リプレイＢＩ２」、当選番号「０８」の「Ｂｏｎｕｓ突入リプレイＢＩ３」に抽選値が規定されている。
【０２１４】
即ち、これら以外の抽選値は「０」であり、第２ＲＴ遊技状態用第１当選役決定テーブルを用いて抽選を行った場合においては、当選番号「０１」の「準備状態移行リプレイＪＲ１」、当選番号「０２」の「準備状態移行リプレイＪＲ２」、当選番号「０３」の「準備状態移行リプレイＪＲ３」、当選番号「０４」の「準備状態移行リプレイＪＲ４」、当選番号「０５」の「直撃Ｂｏｎｕｓ」、当選番号「０９」の「ＡＲＴ中リプレイＡＲ１」、当選番号「１０」の「ＡＲＴ中リプレイＡＲ２」、当選番号「１１」の「ＡＲＴ中リプレイＡＲ３」、当選番号「１２」の「ＡＲＴ中リプレイＡＲ４」、当選番号「１３」の「通常リプレイ」、当選番号「１４」の「ＲＵＳＨリプレイＲ１」、当選番号「１５」の「ＲＵＳＨリプレイＲ２」、当選番号「１６」の「状態移行リプレイ」、当選番号「１７」の「Ｂｏｎｕｓ中リプレイＢＲ１」、当選番号「１８」の「Ｂｏｎｕｓ中リプレイＢＲ２」、当選番号「１９」の「Ｂｏｎｕｓ中リプレイＢＲ３」、当選番号「２０」の「スイカリプレイ」、当選番号「２１」の「弱チェリーリプレイ」、当選番号「２２」の「強チェリーリプレイ」、当選番号「２３」の「チャンス目リプレイＣＲ１」が当選役として決定されることはない。
【０２１５】
（第３ＲＴ遊技状態用第１当選役決定テーブル）
次に、図１６に基づいて、第３ＲＴ遊技状態用第１当選役決定テーブルについて説明を行う。
【０２１６】
第３ＲＴ遊技状態用第１当選役決定テーブルは、メインＲＯＭ３０２に記憶されており、後述の第３ＲＴ遊技状態における後述の内部抽選処理により、当選役を決定する際に用いられる。
【０２１７】
また、第３ＲＴ遊技状態用第１当選役決定テーブルは、当選番号と、当選番号の内容と、設定値毎の抽選値と、当選番号に対応する当選役の抽選値が全設定共通値であるか否かが規定されている。ここで、本実施形態において、第３ＲＴ遊技状態用第１当選役決定テーブルは、設定値が「１」の場合の抽選値と、設定値が「２」の場合の抽選値と、設定値が「３」の場合の抽選値と、設定値が「４」の場合の抽選値と、設定値が「５」の場合の抽選値と、設定値が「６」の場合の抽選値がそれぞれ規定されている。なお、図１６においては、設定値が「２」の場合の抽選値、設定値が「３」の場合の抽選値、設定値が「４」の場合の抽選値、設定値が「５」の場合の抽選値の図示を省略している。
【０２１８】
また、第３ＲＴ遊技状態用第１当選役決定テーブルは、当選番号「１３」の「通常リプレイ」、当選番号「１６」の「状態移行リプレイ」、当選番号「１７」の「Ｂｏｎｕｓ中リプレイＢＲ１」、当選番号「１８」の「Ｂｏｎｕｓ中リプレイＢＲ２」、当選番号「１９」の「Ｂｏｎｕｓ中リプレイＢＲ３」、当選番号「２０」の「スイカリプレイ」、当選番号「２１」の「弱チェリーリプレイ」、当選番号「２２」の「強チェリーリプレイ」、当選番号「２３」の「チャンス目リプレイＣＲ１」に抽選値が規定されている。
【０２１９】
即ち、これら以外の抽選値は「０」であり、第３ＲＴ遊技状態用第１当選役決定テーブルを用いて抽選を行った場合においては、当選番号「０１」の「準備状態移行リプレイＪＲ１」、当選番号「０２」の「準備状態移行リプレイＪＲ２」、当選番号「０３」の「準備状態移行リプレイＪＲ３」、当選番号「０４」の「準備状態移行リプレイＪＲ４」、当選番号「０５」の「直撃Ｂｏｎｕｓ」、当選番号「０６」の「Ｂｏｎｕｓ突入リプレイＢＩ１」、当選番号「０７」の「Ｂｏｎｕｓ突入リプレイＢＩ２」、当選番号「０８」の「Ｂｏｎｕｓ突入リプレイＢＩ３」、当選番号「０９」の「ＡＲＴ中リプレイＡＲ１」、当選番号「１０」の「ＡＲＴ中リプレイＡＲ２」、当選番号「１１」の「ＡＲＴ中リプレイＡＲ３」、当選番号「１２」の「ＡＲＴ中リプレイＡＲ４」、当選番号「１４」の「ＲＵＳＨリプレイＲ１」、当選番号「１５」の「ＲＵＳＨリプレイＲ２」、が当選役として決定されることはない。
【０２２０】
（第４ＲＴ遊技状態用第１当選役決定テーブル）
次に、図１７に基づいて、第４ＲＴ遊技状態用第１当選役決定テーブルについて説明を行う。
【０２２１】
第４ＲＴ遊技状態用第１当選役決定テーブルは、メインＲＯＭ３０２に記憶されており、後述の第４ＲＴ遊技状態における後述の内部抽選処理により、当選役を決定する際に用いられる。
【０２２２】
また、第４ＲＴ遊技状態用第１当選役決定テーブルは、当選番号と、当選番号の内容と、設定値毎の抽選値と、当選番号に対応する当選役の抽選値が全設定共通値であるか否かが規定されている。ここで、本実施形態において、第４ＲＴ遊技状態用第１当選役決定テーブルは、設定値が「１」の場合の抽選値と、設定値が「２」の場合の抽選値と、設定値が「３」の場合の抽選値と、設定値が「４」の場合の抽選値と、設定値が「５」の場合の抽選値と、設定値が「６」の場合の抽選値がそれぞれ規定されている。なお、図１７においては、設定値が「２」の場合の抽選値、設定値が「３」の場合の抽選値、設定値が「４」の場合の抽選値、設定値が「５」の場合の抽選値の図示を省略している。
【０２２３】
また、第４ＲＴ遊技状態用第１当選役決定テーブルは、当選番号「０９」の「ＡＲＴ中リプレイＡＲ１」、当選番号「１０」の「ＡＲＴ中リプレイＡＲ２」、当選番号「１１」の「ＡＲＴ中リプレイＡＲ３」、当選番号「１２」の「ＡＲＴ中リプレイＡＲ４」、当選番号「１３」の「通常リプレイ」、当選番号「２０」の「スイカリプレイ」、当選番号「２１」の「弱チェリーリプレイ」、当選番号「２２」の「強チェリーリプレイ」、当選番号「２３」の「チャンス目リプレイＣＲ１」に抽選値が規定されている。
【０２２４】
即ち、これら以外の抽選値は「０」であり、第４ＲＴ遊技状態用第１当選役決定テーブルを用いて抽選を行った場合においては、当選番号「０１」の「準備状態移行リプレイＪＲ１」、当選番号「０２」の「準備状態移行リプレイＪＲ２」、当選番号「０３」の「準備状態移行リプレイＪＲ３」、当選番号「０４」の「準備状態移行リプレイＪＲ４」、当選番号「０５」の「直撃Ｂｏｎｕｓ」、当選番号「０６」の「Ｂｏｎｕｓ突入リプレイＢＩ１」、当選番号「０７」の「Ｂｏｎｕｓ突入リプレイＢＩ２」、当選番号「０８」の「Ｂｏｎｕｓ突入リプレイＢＩ３」、当選番号「１４」の「ＲＵＳＨリプレイＲ１」、当選番号「１５」の「ＲＵＳＨリプレイＲ２」、当選番号「１６」の「状態移行リプレイ」、当選番号「１７」の「Ｂｏｎｕｓ中リプレイＢＲ１」、当選番号「１８」の「Ｂｏｎｕｓ中リプレイＢＲ２」、当選番号「１９」の「Ｂｏｎｕｓ中リプレイＢＲ３」が当選役として決定されることはない。
【０２２５】
（第５ＲＴ遊技状態用第１当選役決定テーブル）
次に、図１８に基づいて、第５ＲＴ遊技状態用第１当選役決定テーブルについて説明を行う。
【０２２６】
第５ＲＴ遊技状態用第１当選役決定テーブルは、メインＲＯＭ３０２に記憶されており、後述の第５ＲＴ遊技状態における後述の内部抽選処理により、当選役を決定する際に用いられる。
【０２２７】
また、第５ＲＴ遊技状態用第１当選役決定テーブルは、当選番号と、当選番号の内容と、設定値毎の抽選値と、当選番号に対応する当選役の抽選値が全設定共通値であるか否かが規定されている。ここで、本実施形態において、第５ＲＴ遊技状態用第１当選役決定テーブルは、設定値が「１」の場合の抽選値と、設定値が「２」の場合の抽選値と、設定値が「３」の場合の抽選値と、設定値が「４」の場合の抽選値と、設定値が「５」の場合の抽選値と、設定値が「６」の場合の抽選値がそれぞれ規定されている。なお、図１８においては、設定値が「２」の場合の抽選値、設定値が「３」の場合の抽選値、設定値が「４」の場合の抽選値、設定値が「５」の場合の抽選値の図示を省略している。
【０２２８】
また、第５ＲＴ遊技状態用第１当選役決定テーブルは、当選番号「１４」の「ＲＵＳＨリプレイＲ１」、当選番号「１５」の「ＲＵＳＨリプレイＲ２」、当選番号「２０」の「スイカリプレイ」、当選番号「２１」の「弱チェリーリプレイ」、当選番号「２２」の「強チェリーリプレイ」、当選番号「２３」の「チャンス目リプレイＣＲ１」に抽選値が規定されている。
【０２２９】
即ち、これら以外の抽選値は「０」であり、第５ＲＴ遊技状態用第１当選役決定テーブルを用いて抽選を行った場合においては、当選番号「０１」の「準備状態移行リプレイＪＲ１」、当選番号「０２」の「準備状態移行リプレイＪＲ２」、当選番号「０３」の「準備状態移行リプレイＪＲ３」、当選番号「０４」の「準備状態移行リプレイＪＲ４」、当選番号「０５」の「直撃Ｂｏｎｕｓ」、当選番号「０６」の「Ｂｏｎｕｓ突入リプレイＢＩ１」、当選番号「０７」の「Ｂｏｎｕｓ突入リプレイＢＩ２」、当選番号「０８」の「Ｂｏｎｕｓ突入リプレイＢＩ３」、当選番号「０９」の「ＡＲＴ中リプレイＡＲ１」、当選番号「１０」の「ＡＲＴ中リプレイＡＲ２」、当選番号「１１」の「ＡＲＴ中リプレイＡＲ３」、当選番号「１２」の「ＡＲＴ中リプレイＡＲ４」、当選番号「１３」の「通常リプレイ」、当選番号「１６」の「状態移行リプレイ」、当選番号「１７」の「Ｂｏｎｕｓ中リプレイＢＲ１」、当選番号「１８」の「Ｂｏｎｕｓ中リプレイＢＲ２」、当選番号「１９」の「Ｂｏｎｕｓ中リプレイＢＲ３」が当選役として決定されることはない。
【０２３０】
（第６ＲＴ遊技状態用第１当選役決定テーブル）
次に、図１９に基づいて、第６ＲＴ遊技状態用第１当選役決定テーブルについて説明を行う。
【０２３１】
第６ＲＴ遊技状態用第１当選役決定テーブルは、メインＲＯＭ３０２に記憶されており、後述の第６ＲＴ遊技状態における後述の内部抽選処理により、当選役を決定する際に用いられる。
【０２３２】
また、第６ＲＴ遊技状態用第１当選役決定テーブルは、当選番号と、当選番号の内容と、設定値毎の抽選値と、当選番号に対応する当選役の抽選値が全設定共通値であるか否かが規定されている。ここで、本実施形態において、第６ＲＴ遊技状態用第１当選役決定テーブルは、設定値が「１」の場合の抽選値と、設定値が「２」の場合の抽選値と、設定値が「３」の場合の抽選値と、設定値が「４」の場合の抽選値と、設定値が「５」の場合の抽選値と、設定値が「６」の場合の抽選値がそれぞれ規定されている。なお、図１９においては、設定値が「２」の場合の抽選値、設定値が「３」の場合の抽選値、設定値が「４」の場合の抽選値、設定値が「５」の場合の抽選値の図示を省略している。
【０２３３】
また、第６ＲＴ遊技状態用第１当選役決定テーブルは、当選番号「０９」の「ＡＲＴ中リプレイＡＲ１」、当選番号「１０」の「ＡＲＴ中リプレイＡＲ２」、当選番号「１１」の「ＡＲＴ中リプレイＡＲ３」、当選番号「１２」の「ＡＲＴ中リプレイＡＲ４」に抽選値が規定されている。
【０２３４】
即ち、これら以外の抽選値は「０」であり、第５ＲＴ遊技状態用第１当選役決定テーブルを用いて抽選を行った場合においては、当選番号「０１」の「準備状態移行リプレイＪＲ１」、当選番号「０２」の「準備状態移行リプレイＪＲ２」、当選番号「０３」の「準備状態移行リプレイＪＲ３」、当選番号「０４」の「準備状態移行リプレイＪＲ４」、当選番号「０５」の「直撃Ｂｏｎｕｓ」、当選番号「０６」の「Ｂｏｎｕｓ突入リプレイＢＩ１」、当選番号「０７」の「Ｂｏｎｕｓ突入リプレイＢＩ２」、当選番号「０８」の「Ｂｏｎｕｓ突入リプレイＢＩ３」、当選番号「１３」の「通常リプレイ」、当選番号「１４」の「ＲＵＳＨリプレイＲ１」、当選番号「１５」の「ＲＵＳＨリプレイＲ２」、当選番号「１６」の「状態移行リプレイ」、当選番号「１７」の「Ｂｏｎｕｓ中リプレイＢＲ１」、当選番号「１８」の「Ｂｏｎｕｓ中リプレイＢＲ２」、当選番号「１９」の「Ｂｏｎｕｓ中リプレイＢＲ３」、当選番号「２０」の「スイカリプレイ」、当選番号「２１」の「弱チェリーリプレイ」、当選番号「２２」の「強チェリーリプレイ」、当選番号「２３」の「チャンス目リプレイＣＲ１」が当選役として決定されることはない。
【０２３５】
なお、非ＲＴ遊技状態用第１当選役決定テーブル、第１ＲＴ遊技状態用第１当選役決定テーブル、第２ＲＴ遊技状態用第１当選役決定テーブル、第３ＲＴ遊技状態用第１当選役決定テーブル、第４ＲＴ遊技状態用第１当選役決定テーブル、第５ＲＴ遊技状態用第１当選役決定テーブル、第６ＲＴ遊技状態用第１当選役決定テーブルを総称して、「第１当選役決定テーブル」という。
【０２３６】
なお、当選番号「０１」の「準備状態移行リプレイＪＲ１」と、当選番号「０２」の「準備状態移行リプレイＪＲ２」と、当選番号「０３」の「準備状態移行リプレイＪＲ３」と、当選番号「０４」の「準備状態移行リプレイＪＲ４」を総称して「準備状態移行リプレイ」という。
【０２３７】
また、当選番号「０６」の「Ｂｏｎｕｓ突入リプレイＢＩ１」と、当選番号「０７」の「Ｂｏｎｕｓ突入リプレイＢＩ２」と、当選番号「０８」の「Ｂｏｎｕｓ突入リプレイＢＩ３」を総称して「Ｂｏｎｕｓ突入リプレイ」という。
【０２３８】
また、当選番号「０９」の「ＡＲＴ中リプレイＡＲ１」と、当選番号「１０」の「ＡＲＴ中リプレイＡＲ２」と、当選番号「１１」の「ＡＲＴ中リプレイＡＲ３」と、当選番号「１２」の「ＡＲＴ中リプレイＡＲ４」を総称して「ＡＲＴ中リプレイ」という。
【０２３９】
また、当選番号「１４」の「ＲＵＳＨリプレイＲ１」と、当選番号「１５」の「ＲＵＳＨリプレイＲ２」を総称して「ＲＵＳＨリプレイ」という。
【０２４０】
また、当選番号「１７」の「Ｂｏｎｕｓ中リプレイＢＲ１」と、当選番号「１８」の「Ｂｏｎｕｓ中リプレイＢＲ２」と、当選番号「１９」の「Ｂｏｎｕｓ中リプレイＢＲ３」を総称して「Ｂｏｎｕｓ中リプレイ」という。
【０２４１】
また、当選番号「２１」の「弱チェリーリプレイ」と、当選番号「２２」の「強チェリーリプレイ」を総称して「チェリーリプレイ」という。
【０２４２】
（第２当選役決定テーブル）
次に、図２０に基づいて、第２当選役決定テーブルについて説明を行う。
【０２４３】
第２当選役決定テーブルは、メインＲＯＭ３０２に記憶されており、後述の非ＲＴ遊技状態、第１ＲＴ遊技状態、第２ＲＴ遊技状態、第３ＲＴ遊技状態、第４ＲＴ遊技状態、第５ＲＴ遊技状態、第６ＲＴ遊技状態における後述の内部抽選処理により、当選役を決定する際に用いられる。
【０２４４】
また、第２当選役決定テーブルは、第１当選役決定テーブルと同様に、当選番号と、当選番号の内容と、設定値毎の抽選値と、当選番号に対応する当選役の抽選値が全設定共通値であるか否かが規定されている。ここで、本実施形態において、第２当選役決定テーブルは、設定値が「１」の場合の抽選値と、設定値が「２」の場合の抽選値と、設定値が「３」の場合の抽選値と、設定値が「４」の場合の抽選値と、設定値が「５」の場合の抽選値と、設定値が「６」の場合の抽選値がそれぞれ規定されている。なお、図２０においては、設定値が「２」の場合の抽選値、設定値が「３」の場合の抽選値、設定値が「４」の場合の抽選値、設定値が「５」の場合の抽選値の図示を省略している。
【０２４５】
また、第２当選役決定テーブルは、当選番号「２４」の「チャンス目リプレイＣＲ２」、当選番号「２５」の「スイカ」、当選番号「２６」の「弱チェリー」、当選番号「２７」の「強チェリー」、当選番号「２８」の「中段チェリー」、当選番号「２９」の「チャンス目ＣＮ１」、当選番号「３０」の「チャンス目ＣＮ２」、当選番号「３１」の「共通ベル」、当選番号「３２」の「押し順ベルＡ１」、当選番号「３３」の「押し順ベルＢ１」、当選番号「３４」の「押し順ベルＡ２」、当選番号「３５」の「押し順ベルＢ２」、当選番号「３６」の「押し順ベルＡ３」、当選番号「３７」の「押し順ベルＢ３」、当選番号「３８」の「押し順ベルＡ４」、当選番号「３９」の「押し順ベルＢ４」に抽選値が規定されている。
【０２４６】
ここで、第１当選役決定テーブルと、第２当選役決定テーブルの関係について説明すると、第１当選役決定テーブルを用いて抽選を行う場合には、現在の遊技状態によって当選役として決定される当選役と、当選役として決定されない当選役について規定されている。一方、第２当選役決定テーブルを用いて抽選を行う場合には、全ての遊技状態で当選役として決定され得る当選役について規定されている。
【０２４７】
なお、当選番号「２３」の「チャンス目リプレイＣＲ１」と、当選番号「２４」の「チャンス目リプレイＣＲ２」を総称して「チャンス目リプレイ」という。
【０２４８】
また、当選番号「２６」の「弱チェリー」と、当選番号「２７」の「強チェリー」と、当選番号「２８」の「中段チェリー」を総称して「チェリー」という。
【０２４９】
また、当選番号「２９」の「チャンス目ＣＮ１」と、当選番号「３０」の「チャンス目ＣＮ２」を総称して「チャンス目」という。
【０２５０】
また、当選番号「３１」の「共通ベル」と、当選番号「３２」の「押し順ベルＡ１」と、当選番号「３３」の「押し順ベルＢ１」と、当選番号「３４」の「押し順ベルＡ２」と、当選番号「３５」の「押し順ベルＢ２」と、当選番号「３６」の「押し順ベルＡ３」と、当選番号「３７」の「押し順ベルＢ３」と、当選番号「３８」の「押し順ベルＡ４」と、当選番号「３９」の「押し順ベルＢ４」を総称して「ベル」という。
【０２５１】
また、当選番号「３２」の「押し順ベルＡ１」と、当選番号「３３」の「押し順ベルＢ１」と、当選番号「３４」の「押し順ベルＡ２」と、当選番号「３５」の「押し順ベルＢ２」と、当選番号「３６」の「押し順ベルＡ３」と、当選番号「３７」の「押し順ベルＢ３」と、当選番号「３８」の「押し順ベルＡ４」と、当選番号「３９」の「押し順ベルＢ４」を総称して「押し順ベル」という。
【０２５２】
（遊技状態移行図）
次に、図２１に基づいて、遊技状態移行図について説明を行う。
【０２５３】
遊技状態移行図は、現在の遊技状態と、遊技状態を移行する条件となる移行条件と、移行先の遊技状態を規定している。
【０２５４】
ここで、現在の遊技状態が非ＲＴ遊技状態である場合において、有効ライン上に「ブランク」に係る図柄の組み合わせのうち、いずれかの図柄の組み合わせが表示された場合に、非ＲＴ遊技状態から第１ＲＴ遊技状態に移行される。
【０２５５】
また、現在の遊技状態が第１ＲＴ遊技状態である場合において、有効ライン上に「準備リプレイ」に係る図柄の組み合わせのうち、いずれかの図柄の組み合わせが表示された場合に、第１ＲＴ遊技状態から第２ＲＴ遊技状態に移行される。
【０２５６】
一方、現在の遊技状態が第１ＲＴ遊技状態である場合において、有効ライン上に「Ｂｏｎｕｓリプレイ」に係る図柄の組み合わせのうち、いずれかの図柄の組み合わせが表示された場合に、第１ＲＴ遊技状態から第３ＲＴ遊技状態に移行される。
【０２５７】
また、現在の遊技状態が第２ＲＴ遊技状態である場合において、有効ライン上に「ブランク」に係る図柄の組み合わせのうち、いずれかの図柄の組み合わせが表示された場合に、第２ＲＴ遊技状態から第１ＲＴ遊技状態に移行される。
【０２５８】
一方、現在の遊技状態が第２ＲＴ遊技状態である場合において、有効ライン上に「Ｂｏｎｕｓリプレイ」に係る図柄の組み合わせのうち、いずれかの図柄の組み合わせが表示された場合に、第２ＲＴ遊技状態から第３ＲＴ遊技状態に移行される。
【０２５９】
一方、現在の遊技状態が第２ＲＴ遊技状態である場合において、有効ライン上に「ＡＲＴリプレイ」に係る図柄の組み合わせのうち、いずれかの図柄の組み合わせが表示された場合に、第２ＲＴ遊技状態から第４ＲＴ遊技状態に移行される。
【０２６０】
一方、現在の遊技状態が第２ＲＴ遊技状態である場合において、有効ライン上に「ＲＵＳＨリプレイ」に係る図柄の組み合わせのうち、いずれかの図柄の組み合わせが表示された場合に、第２ＲＴ遊技状態から第５ＲＴ遊技状態に移行される。
【０２６１】
また、現在の遊技状態が第３ＲＴ遊技状態である場合において、有効ライン上に「ブランク」に係る図柄の組み合わせのうち、いずれかの図柄の組み合わせが表示された場合に、第３ＲＴ遊技状態から第１ＲＴ遊技状態に移行される。
【０２６２】
一方、現在の遊技状態が第３ＲＴ遊技状態である場合において、有効ライン上に「ＡＲＴリプレイ」に係る図柄の組み合わせのうち、いずれかの図柄の組み合わせが表示された場合に、第３ＲＴ遊技状態から第４ＲＴ遊技状態に移行される。
【０２６３】
一方、現在の遊技状態が第３ＲＴ遊技状態である場合において、有効ライン上に「ＲＵＳＨリプレイ」に係る図柄の組み合わせのうち、いずれかの図柄の組み合わせが表示された場合に、第３ＲＴ遊技状態から第５ＲＴ遊技状態に移行される。
【０２６４】
また、現在の遊技状態が第４ＲＴ遊技状態である場合において、有効ライン上に「ブランク」に係る図柄の組み合わせのうち、いずれかの図柄の組み合わせが表示された場合に、第４ＲＴ遊技状態から第１ＲＴ遊技状態に移行される。
【０２６５】
一方、現在の遊技状態が第４ＲＴ遊技状態である場合において、有効ライン上に「準備リプレイ」に係る図柄の組み合わせのうち、いずれかの図柄の組み合わせが表示された場合に、第４ＲＴ遊技状態から第２ＲＴ遊技状態に移行される。
【０２６６】
一方、現在の遊技状態が第４ＲＴ遊技状態である場合において、有効ライン上に「ＲＵＳＨリプレイ」に係る図柄の組み合わせのうち、いずれかの図柄の組み合わせが表示された場合に、第４ＲＴ遊技状態から第５ＲＴ遊技状態に移行される。
【０２６７】
一方、現在の遊技状態が第４ＲＴ遊技状態である場合において、有効ライン上に「特別リプレイ」に係る図柄の組み合わせのうち、いずれかの図柄の組み合わせが表示された場合に、第４ＲＴ遊技状態から第６ＲＴ遊技状態に移行される。
【０２６８】
また、現在の遊技状態が第５ＲＴ遊技状態である場合において、有効ライン上に「ブランク」に係る図柄の組み合わせのうち、いずれかの図柄の組み合わせが表示された場合に、第５ＲＴ遊技状態から第１ＲＴ遊技状態に移行される。
【０２６９】
一方、現在の遊技状態が第５ＲＴ遊技状態である場合において、有効ライン上に「Ｂｏｎｕｓリプレイ」に係る図柄の組み合わせのうち、いずれかの図柄の組み合わせが表示された場合に、第５ＲＴ遊技状態から第３ＲＴ遊技状態に移行される。
【０２７０】
一方、現在の遊技状態が第５ＲＴ遊技状態である場合において、有効ライン上に「ＡＲＴリプレイ」に係る図柄の組み合わせのうち、いずれかの図柄の組み合わせが表示された場合に、第５ＲＴ遊技状態から第４ＲＴ遊技状態に移行される。
【０２７１】
また、現在の遊技状態が第６ＲＴ遊技状態である場合において、有効ライン上に「ブランク」に係る図柄の組み合わせのうち、いずれかの図柄の組み合わせが表示された場合に、第６ＲＴ遊技状態から第１ＲＴ遊技状態に移行される。
【０２７２】
一方、現在の遊技状態が第６ＲＴ遊技状態である場合において、有効ライン上に「ＡＲＴリプレイ」に係る図柄の組み合わせのうち、いずれかの図柄の組み合わせが表示された場合に、第６ＲＴ遊技状態から第４ＲＴ遊技状態に移行される。
【０２７３】
（サブ制御基板により管理される状態の一覧）
次に、図２２に基づいて、サブ制御基板により管理される状態の一覧について説明を行う。
【０２７４】
サブ制御基板により管理される状態の一覧は、状態名と、各状態名に対応する番号について規定されている。ここで、本実施形態におけるサブ制御基板により管理される状態は、状態番号が「０１」の「通常状態」、状態番号が「０２」の「チャンス前兆状態」、状態番号が「０３」の「Ｂｏｎｕｓ前兆状態」、状態番号が「０４」の「チャンス状態」、状態番号が「０５」の「Ｂｏｎｕｓ準備状態」、状態番号が「０６」の「第１Ｂｏｎｕｓ状態」、状態番号が「０７」の「第２Ｂｏｎｕｓ状態」、状態番号が「０８」の「第３Ｂｏｎｕｓ状態」、状態番号が「０９」の「第１転落待機状態」、状態番号が「１０」の「ＡＲＴ準備状態」、状態番号が「１１」の「ＡＲＴ状態」、状態番号が「１２」の「第１上乗せ前兆状態」、状態番号が「１３」の「第１上乗せ準備状態」、状態番号が「１４」の「第１上乗せ状態」、状態番号が「１５」の「第２転落待機状態」、状態番号が「１６」の「第２上乗せ前兆状態」、状態番号が「１７」の「第２上乗せ準備状態」、状態番号が「１８」の「第２上乗せ状態」、状態番号が「１９」の「第３転落待機状態」、状態番号が「２０」の「第４転落待機状態」が規定されている。
【０２７５】
（サブ制御基板により管理される状態の遷移図）
次に、図２３に基づいて、サブ制御基板により管理される状態の遷移図についての説明を行う。
【０２７６】
本実施形態においては、メイン制御基板３００により制御される遊技状態とは別に、サブ制御基板４００により管理される状態が複数設けられている。以下、各状態についての説明と、各状態への移行条件等の説明を行う。
【０２７７】
（通常状態）
通常状態は、遊技者にとって不利な状態である。ここで、本実施形態において、通常状態は、Ｂｏｎｕｓ準備状態に移行する抽選を行う他に、通常状態と比較してＢｏｎｕｓ状態に移行し易いチャンス状態への移行抽選を行うことにより、通常状態における遊技に対する興趣を向上させている。
【０２７８】
ここで、通常状態において、チャンス状態の移行抽選に当選した場合には、この通常状態よりも遊技者にとって有利な状態の一例である「チャンス前兆状態」に移行する制御が行われる。また、Ｂｏｎｕｓ準備状態の移行抽選に当選した場合や、後述の天井ゲーム数カウンタの値が「０」となった場合には、通常状態よりも遊技者にとって有利な状態の一例である「Ｂｏｎｕｓ前兆状態」に移行する制御が行われる。さらに、後述の内部抽選処理により、「直撃Ｂｏｎｕｓ」が決定された場合には、通常状態よりも遊技者にとって有利な状態の一例である「第３Ｂｏｎｕｓ状態」に移行する制御が行われる。このように、通常状態とは異なり、後述する「チャンス前兆状態」、「Ｂｏｎｕｓ前兆状態」、「チャンス状態」、「Ｂｏｎｕｓ準備状態」、「Ｂｏｎｕｓ状態」、「ＡＲＴ準備状態」、「ＡＲＴ状態」等は、その通常状態よりも遊技者にとって有利な特別遊技状態（特別状態）である。このときの遊技者にとって有利な状態とは、通常状態よりも遊技媒体（メダル等）の払い出しを多く受けることができる状態を示している。
【０２７９】
（チャンス前兆状態）
チャンス前兆状態は、通常状態からチャンス状態に移行する前に移行する状態である。ここで、チャンス前兆状態は、後述のチャンス前兆状態用ゲーム数カウンタの値が「０」となるまでの間、チャンス状態に移行することを示唆する演出が行われる。これにより、遊技者に対して、チャンス状態に移行することを期待させることができる。
【０２８０】
ここで、チャンス前兆状態において、後述のチャンス前兆状態用ゲーム数カウンタの値が「０」となった場合には、チャンス状態に移行する制御が行われる。また、チャンス前兆状態において、Ｂｏｎｕｓ準備状態の移行抽選に当選した場合や、後述の天井ゲーム数カウンタの値が「０」となった場合には、Ｂｏｎｕｓ前兆状態に移行する制御が行われる。さらに、後述の内部抽選処理により、「直撃Ｂｏｎｕｓ」が決定された場合には、第３Ｂｏｎｕｓ状態に移行する制御が行われる。
【０２８１】
（Ｂｏｎｕｓ前兆状態）
Ｂｏｎｕｓ前兆状態は、通常状態からＢｏｎｕｓ状態に移行する前に移行する状態である。ここで、Ｂｏｎｕｓ前兆状態は、Ｂｏｎｕｓ前兆状態用ゲーム数カウンタの値が「０」となるまでの間、Ｂｏｎｕｓ状態に移行することを示唆する演出が行われる。これにより、遊技者に対して、Ｂｏｎｕｓ状態に移行することを期待させることができる。
【０２８２】
ここで、Ｂｏｎｕｓ前兆状態において、後述のＢｏｎｕｓ前兆状態用ゲーム数カウンタの値が「０」となった場合や、後述の天井ゲーム数カウンタの値が「０」となった場合には、Ｂｏｎｕｓ準備状態に移行する制御が行われる。さらに、後述の内部抽選処理により、「直撃Ｂｏｎｕｓ」が決定された場合には、第３Ｂｏｎｕｓ状態に移行する制御が行われる。
【０２８３】
（チャンス状態）
チャンス状態は、通常状態と比較してＢｏｎｕｓ準備状態に移行し易い状態である。これにより、遊技者は、チャンス状態に移行した場合に、Ｂｏｎｕｓ準備状態に移行することを期待することとなる。
【０２８４】
ここで、チャンス状態において、後述のチャンス状態用ゲーム数カウンタの値が「０」となった場合には、通常状態に移行する制御が行われる。また、チャンス状態において、Ｂｏｎｕｓ準備状態の移行抽選に当選した場合や、後述の天井ゲーム数カウンタの値が「０」となった場合には、Ｂｏｎｕｓ準備状態に移行する制御が行われる。さらに、後述の内部抽選処理により、「直撃Ｂｏｎｕｓ」が決定された場合には、第３Ｂｏｎｕｓ状態に移行する制御が行われる。
【０２８５】
（Ｂｏｎｕｓ準備状態）
Ｂｏｎｕｓ準備状態は、第１Ｂｏｎｕｓ状態、第２Ｂｏｎｕｓ状態、第３Ｂｏｎｕｓ状態に移行する前に移行する状態である。ここで、Ｂｏｎｕｓ準備状態において、「Ｂｏｎｕｓリプレイ」に係る図柄の組み合わせが有効ライン上に表示された場合には、第１Ｂｏｎｕｓ状態、第２Ｂｏｎｕｓ状態、第３Ｂｏｎｕｓ状態の何れかに移行する制御が行われる。また、後述の内部抽選処理により、「直撃Ｂｏｎｕｓ」が決定された場合には、第３Ｂｏｎｕｓ状態に移行する制御が行われる。
【０２８６】
ここで、Ｂｏｎｕｓ準備状態において、後述の内部抽選処理により、当選役として「準備状態移行リプレイＪＲ１」、「準備状態移行リプレイＪＲ２」、「準備状態移行リプレイＪＲ３」、または「準備状態移行リプレイＪＲ４」が決定された場合には、「準備リプレイ」に係る図柄の組み合わせを有効ライン上に表示するための情報が、停止ボタン操作表示部３５や、液晶表示装置４６により報知される。
【０２８７】
また、Ｂｏｎｕｓ準備状態において、後述の内部抽選処理により、当選役として「Ｂｏｎｕｓ突入リプレイＢＩ１」、「Ｂｏｎｕｓ突入リプレイＢＩ２」、または「Ｂｏｎｕｓ突入リプレイＢＩ３」が決定された場合には、後述のＢｏｎｕｓ待機情報格納領域に格納されている値に基づいて、「第１Ｂｏｎｕｓリプレイ」に係る図柄の組み合わせ、「第２Ｂｏｎｕｓリプレイ」に係る図柄の組み合わせ、「第３Ｂｏｎｕｓリプレイ」に係る図柄の組み合わせを有効ライン上に表示するための情報が、停止ボタン操作表示部３５や、液晶表示装置４６により報知される。
【０２８８】
（第１Ｂｏｎｕｓ状態）
第１Ｂｏｎｕｓ状態は、通常状態と比較して遊技者にとって有利な状態である。ここで、第１Ｂｏｎｕｓ状態においては、ＡＲＴ準備状態に移行するか否かの抽選が行われる。これにより、遊技者は、ＡＲＴ準備状態に移行することを期待しながら遊技を行うこととなるので、第１Ｂｏｎｕｓ状態における遊技に対する興趣が向上する。
【０２８９】
ここで、第１Ｂｏｎｕｓ状態において、ＡＲＴ準備状態に移行することが決定された場合には、第１Ｂｏｎｕｓ状態の終了後に、ＡＲＴ準備状態に移行する制御が行われる。また、第１Ｂｏｎｕｓ状態において、ＡＲＴ準備状態に移行することが決定されなかった場合には、第１Ｂｏｎｕｓ状態の終了後に、第１転落待機状態に移行する制御が行われる。
【０２９０】
（第２Ｂｏｎｕｓ状態）
第２Ｂｏｎｕｓ状態は、通常状態と比較して遊技者にとって有利な状態である。ここで、第２Ｂｏｎｕｓ状態においては、第１Ｂｏｎｕｓ状態と同様にＡＲＴ準備状態に移行するか否かの抽選が行われる。また、本実施形態において、第２Ｂｏｎｕｓ状態におけるＡＲＴ準備状態に移行するか否かの抽選は、第１Ｂｏｎｕｓ状態におけるＡＲＴ準備状態に移行するか否かの抽選と比較して、ＡＲＴ準備状態に移行することが決定される確率が高くなっている。これにより、遊技者は、ＡＲＴ準備状態に移行することを期待しながら遊技を行うこととなるので、第２Ｂｏｎｕｓ状態における遊技に対する興趣が向上する。
【０２９１】
ここで、第２Ｂｏｎｕｓ状態において、ＡＲＴ準備状態に移行することが決定された場合には、第２Ｂｏｎｕｓ状態の終了後に、ＡＲＴ準備状態に移行する制御が行われる。また、第２Ｂｏｎｕｓ状態において、ＡＲＴ準備状態に移行することが決定されなかった場合には、第２Ｂｏｎｕｓ状態の終了後に、第１転落待機状態に移行する制御が行われる。
【０２９２】
（第３Ｂｏｎｕｓ状態）
第３Ｂｏｎｕｓ状態は、通常状態と比較して遊技者にとって有利な状態である。ここで、第３Ｂｏｎｕｓ状態は、第１Ｂｏｎｕｓ状態や、第２Ｂｏｎｕｓ状態とは異なり、第３Ｂｏｎｕｓ終了後、必ずＡＲＴ準備状態に移行する制御が行われる。これにより、遊技者は、第３Ｂｏｎｕｓ状態に移行することを期待しながら遊技を行うこととなるので、遊技に対する興趣が向上する。
【０２９３】
（第１転落待機状態）
第１転落待機状態は、第１Ｂｏｎｕｓ状態、または第２Ｂｏｎｕｓ状態において、ＡＲＴ準備状態に移行することが決定されなかった場合に移行する状態である。また、第１転落待機状態においては、ＡＲＴ準備状態に移行するか否かの抽選が行われる。ここで、第１転落待機状態において、「ブランク」に係る図柄の組み合わせが有効ライン上に表示されたことに基づいて、通常状態に移行する制御が行われる。また、第１転落待機状態においては、ＡＲＴ準備状態に移行するか否かの抽選を行った結果、ＡＲＴ準備状態に移行することが決定された場合には、ＡＲＴ準備状態に移行する制御が行われる。
【０２９４】
ここで、第１転落待機状態において、後述の内部抽選処理により、当選役として「押し順ベルＡ１」、「押し順ベルＡ２」、「押し順ベルＡ３」、「押し順ベルＡ４」、「押し順ベルＢ１」、「押し順ベルＢ２」、「押し順ベルＢ３」、または「押し順ベルＢ４」が決定された場合には、「ベル」に係る図柄の組み合わせを有効ライン上に表示するための情報が報知されることはない。また、後述の内部抽選処理により、当選役として「状態移行リプレイ」が決定された場合には、「通常リプレイ」に係る図柄の組み合わせを有効ライン上に表示するための情報が報知される。従って、当選役として「押し順ベルＡ１」、「押し順ベルＡ２」、「押し順ベルＡ３」、「押し順ベルＡ４」、「押し順ベルＢ１」、「押し順ベルＢ２」、「押し順ベルＢ３」、または「押し順ベルＢ４」が決定され、「ベル」に係る図柄の組み合わせを有効ライン上に表示することができなかった場合には、「ブランク」に係る図柄の組み合わせが有効ライン上に表示され、通常状態に移行することとなる。
【０２９５】
（ＡＲＴ準備状態）
ＡＲＴ準備状態は、第１Ｂｏｎｕｓ状態、または第２Ｂｏｎｕｓ状態において、ＡＲＴ準備状態に移行することが決定された後、第１Ｂｏｎｕｓ状態、または第２Ｂｏｎｕｓ状態が終了した場合、または第３Ｂｏｎｕｓ状態ＡＲＴ状態が終了した場合に移行する状態である。ここで、ＡＲＴ準備状態において、「ＡＲＴリプレイ」に係る図柄の組み合わせが有効ライン上に表示されたことに基づいて、ＡＲＴ状態に移行する制御が行われる。
【０２９６】
ここで、ＡＲＴ準備状態において、後述の内部抽選処理により、当選役として「状態移行リプレイ」が決定された場合には、「ＡＲＴリプレイ」に係る図柄の組み合わせを有効ライン上に表示するための情報が、停止ボタン操作表示部３５や、液晶表示装置４６により報知される。
【０２９７】
（ＡＲＴ状態）
ＡＲＴ状態は、遊技者にとって有利な状態である。具体的には、ＡＲＴ状態において、後述の内部抽選処理により、「押し順ベル」が当選役として決定された場合に、「ベル」に係る図柄の組み合わせを有効ライン上に表示するための情報を停止ボタン操作表示部３５や、液晶表示装置４６により報知する制御が行われる。
【０２９８】
ここで、ＡＲＴ状態において、第１上乗せ状態に移行することが決定された場合には、第１上乗せ前兆状態に移行する制御が行われ、第２上乗せ状態に移行することが決定された場合には、第２上乗せ前兆状態に移行する制御が行われる。また、後述のＡＲＴ状態用ゲーム数カウンタの値が「０」となった場合には、第４転落待機状態に移行する制御が行われる。
【０２９９】
（第１上乗せ前兆状態）
第１上乗せ前兆状態は、ＡＲＴ状態から第１上乗せ準備状態に移行する前に移行する状態である。ここで、第１上乗せ前兆状態は、後述の第１上乗せ前兆状態用ゲーム数カウンタの値が「０」となるまでの間、第１上乗せ状態に移行することを示唆する演出が行われる。これにより、遊技者に対して、第１上乗せ状態に移行することを期待させることができる。ここで、第１上乗せ前兆状態において、後述の第１上乗せ前兆状態用ゲーム数カウンタの値が「０」となった場合には、第１上乗せ準備状態に移行する制御が行われる。
【０３００】
（第１上乗せ準備状態）
第１上乗せ準備状態は、第１上乗せ前兆状態から第１上乗せ状態に移行する前に移行する状態である。ここで、第１上乗せ準備状態において、「ＲＵＳＨリプレイ」に係る図柄の組み合わせが有効ライン上に表示されたことに基づいて、第１上乗せ状態に移行する制御が行われる。
【０３０１】
ここで、第１上乗せ準備状態において、後述の内部抽選処理により、当選役として「ＡＲＴ中リプレイＡＲ２」、または「ＡＲＴ中リプレイＡＲ４」が決定された場合には、「ＲＵＳＨリプレイ」に係る図柄の組み合わせを有効ライン上に表示するための情報が、停止ボタン操作表示部３５や、液晶表示装置４６により報知される。
【０３０２】
（第１上乗せ状態）
第１上乗せ状態は、遊技者にとって有利な状態であって、ＡＲＴ状態で遊技可能なゲーム数が上乗せされる状態である。具体的には、後述の内部抽選処理により決定された当選役に基づいて、ＡＲＴ状態で遊技可能なゲーム数が上乗せされる。ここで、第１上乗せ状態において、後述の第１上乗せ状態用ゲーム数カウンタの値が「０」となったことに基づいて、第２転落待機状態に移行する制御が行われる。
【０３０３】
（第２転落待機状態）
第２転落待機状態は、第１上乗せ状態が終了した後、ＡＲＴ状態に移行する前の状態である。また、第２転落待機状態において、「ＡＲＴリプレイ」に係る図柄の組み合わせが有効ライン上に表示されたことに基づいて、ＡＲＴ状態に移行する制御が行われる。
【０３０４】
ここで、第２転落待機状態において、後述の内部抽選処理により、当選役として「ＲＵＳＨリプレイＲ１」、または「ＲＵＳＨリプレイＲ２」が決定された場合には、「ＡＲＴリプレイ」に係る図柄の組み合わせを有効ライン上に表示するための情報が、停止ボタン操作表示部３５や、液晶表示装置４６により報知される。
【０３０５】
（第２上乗せ前兆状態）
第２上乗せ前兆状態は、ＡＲＴ状態から第２上乗せ準備状態に移行する前に移行する状態である。ここで、第２上乗せ前兆状態は、後述の第２上乗せ前兆状態用ゲーム数カウンタの値が「０」となるまでの間、第２上乗せ状態に移行することを示唆する演出が行われる。これにより、遊技者に対して、第２上乗せ状態に移行することを期待させることができる。ここで、第２上乗せ前兆状態において、後述の第２上乗せ前兆状態用ゲーム数カウンタの値が「０」となった場合には、第２上乗せ準備状態に移行する制御が行われる。
【０３０６】
（第２上乗せ準備状態）
第２上乗せ準備状態は、第２上乗せ前兆状態から第２上乗せ状態に移行する前に移行する状態である。ここで、第２上乗せ準備状態において、「特別リプレイ」に係る図柄の組み合わせが有効ライン上に表示されたことに基づいて、第２上乗せ状態に移行する制御が行われる。
【０３０７】
ここで、第２上乗せ準備状態において、後述の内部抽選処理により、当選役として「状態移行リプレイ」が決定された場合には、「特別リプレイ」に係る図柄の組み合わせを有効ライン上に表示するための情報が、停止ボタン操作表示部３５や、液晶表示装置４６により報知される。
【０３０８】
（第２上乗せ状態）
第２上乗せ状態は、遊技者にとって有利な状態であって、ＡＲＴ状態で遊技可能なゲーム数が上乗せされる状態である。具体的には、後述の内部抽選処理により決定された当選役に基づいて、ＡＲＴ状態で遊技可能なゲーム数が上乗せされる。ここで、第２上乗せ状態において、後述の第２上乗せ状態用ゲーム数カウンタの値が「０」となったことに基づいて、第３転落待機状態に移行する制御が行われる。
【０３０９】
（第３転落待機状態）
第３転落待機状態は、第２上乗せ状態が終了した後、ＡＲＴ状態に移行する前の状態である。また、第２転落待機状態において、「ＡＲＴリプレイ」に係る図柄の組み合わせが有効ライン上に表示されたことに基づいて、ＡＲＴ状態に移行する制御が行われる。
【０３１０】
ここで、第３転落待機状態において、後述の内部抽選処理により、当選役として「ＡＲＴ中リプレイＡＲ１」、「ＡＲＴ中リプレイＡＲ２」または「ＡＲＴ中リプレイＡＲ３」が決定された場合には、「ＡＲＴリプレイ」に係る図柄の組み合わせを有効ライン上に表示するための情報が、停止ボタン操作表示部３５や、液晶表示装置４６により報知される。
【０３１１】
（第４転落待機状態）
第４転落待機状態は、ＡＲＴ状態が終了した後に移行する状態である。また、第４転落待機状態においては、ＡＲＴ状態に移行するか否かの抽選が行われる。ここで、第４転落待機状態において、「ブランク」に係る図柄の組み合わせが有効ライン上に表示されたことに基づいて、通常状態に移行する制御が行われる。また、第４転落待機状態においては、ＡＲＴ状態に移行するか否かの抽選を行った結果、ＡＲＴ状態に移行することが決定された場合には、ＡＲＴ状態に移行する制御が行われる。
【０３１２】
ここで、第４転落待機状態において、後述の内部抽選処理により、当選役として「押し順ベルＡ１」、「押し順ベルＡ２」、「押し順ベルＡ３」、「押し順ベルＡ４」、「押し順ベルＢ１」、「押し順ベルＢ２」、「押し順ベルＢ３」、または「押し順ベルＢ４」が決定された場合には、「ベル」に係る図柄の組み合わせを有効ライン上に表示するための情報が報知されることはない。また、後述の内部抽選処理により、当選役として「状態移行リプレイ」が決定された場合には、「通常リプレイ」に係る図柄の組み合わせを有効ライン上に表示するための情報が報知される。従って、当選役として「押し順ベルＡ１」、「押し順ベルＡ２」、「押し順ベルＡ３」、「押し順ベルＡ４」、「押し順ベルＢ１」、「押し順ベルＢ２」、「押し順ベルＢ３」、または「押し順ベルＢ４」が決定され、「ベル」に係る図柄の組み合わせを有効ライン上に表示することができなかった場合には、「ブランク」に係る図柄の組み合わせが有効ライン上に表示され、通常状態に移行することとなる。
【０３１３】
（演出決定テーブル）
次に、図２４に基づいて、演出決定テーブルについて説明を行う。
【０３１４】
演出決定テーブルは、サブＲＯＭ４０２に設けられており、サブ制御基板４００により管理される各状態において行われる演出を決定する。具体的には、「演出Ｎｏ．」と、「演出Ｎｏ．」に対応する演出内容が規定されている。また、演出決定テーブルは、サブ制御基板４００により管理される状態等の演出を実行するための条件が規定されている。
【０３１５】
ここで、本実施形態において、演出決定テーブルは、（ａ）サブ制御基板４００により管理される状態が通常状態の場合に用いられる通常状態用演出決定テーブル（図２４（Ａ）参照）と、（ｂ）サブ制御基板４００により管理される状態がチャンス前兆状態の場合に用いられるチャンス前兆状態用演出決定テーブル（図２４（Ｂ）参照）と、（ｃ）サブ制御基板４００により管理される状態がＢｏｎｕｓ前兆状態の場合に用いられるＢｏｎｕｓ前兆状態用演出決定テーブル（図２４（Ｃ）参照）と、（ｄ）サブ制御基板４００により管理される状態がチャンス状態の場合に用いられるチャンス状態用演出決定テーブル（図２４（Ｄ）参照）と、（ｅ）サブ制御基板４００により管理される状態がＢｏｎｕｓ準備状態の場合に用いられるＢｏｎｕｓ準備状態用演出決定テーブル（図２４（Ｅ）参照）と、（ｆ）サブ制御基板４００により管理される状態が第１Ｂｏｎｕｓ状態の場合に用いられる第１Ｂｏｎｕｓ状態用演出決定テーブル（図２４（Ｆ）参照）と、（ｇ）サブ制御基板４００により管理される状態が第２Ｂｏｎｕｓ状態の場合に用いられる第２Ｂｏｎｕｓ状態用演出決定テーブル（図示せず）と、（ｈ）サブ制御基板４００により管理される状態が第３Ｂｏｎｕｓ状態の場合に用いられる第３Ｂｏｎｕｓ状態用演出決定テーブル（図示せず）と、（ｉ）サブ制御基板４００により管理される状態が第１転落待機状態の場合に用いられる第１転落待機状態用演出決定テーブル（図示せず）と、（ｊ）サブ制御基板４００により管理される状態がＡＲＴ準備状態の場合に用いられるＡＲＴ準備状態用演出決定テーブル（図示せず）と、（ｋ）サブ制御基板４００により管理される状態がＡＲＴ状態の場合に用いられるＡＲＴ状態用演出決定テーブル（図示せず）と、（ｌ）サブ制御基板４００により管理される状態が第１上乗せ前兆状態の場合に用いられる第１上乗せ前兆状態用演出決定テーブル（図示せず）と、（ｍ）サブ制御基板４００により管理される状態が第１上乗せ準備状態の場合に用いられる第１上乗せ準備状態用演出決定テーブル（図示せず）と、（ｎ）サブ制御基板４００により管理される状態が第１上乗せ状態の場合に用いられる第１上乗せ状態用演出決定テーブル（図示せず）と、（ｏ）サブ制御基板４００により管理される状態が第２転落待機状態の場合に用いられる第２転落待機状態用演出決定テーブル（図示せず）と、（ｐ）サブ制御基板４００により管理される状態が第２上乗せ前兆状態の場合に用いられる第２上乗せ前兆状態用演出決定テーブル（図示せず）と、（ｑ）サブ制御基板４００により管理される状態が第２上乗せ準備状態の場合に用いられる第２上乗せ準備状態用演出決定テーブル（図示せず）と、（ｒ）サブ制御基板４００により管理される状態が第２上乗せ状態の場合に用いられる第２上乗せ状態用演出決定テーブル（図示せず）と、（ｓ）サブ制御基板４００により管理される状態が第３転落待機状態の場合に用いられる第３転落待機状態用演出決定テーブル（図示せず）と、（ｔ）サブ制御基板４００により管理される状態が第４転落待機状態の場合に用いられる第４転落待機状態用演出決定テーブル（図示せず）が設けられている。
【０３１６】
（Ｂｏｎｕｓ準備状態移行抽選テーブル）
次に、図２５に基づいて、Ｂｏｎｕｓ準備状態移行抽選テーブルについて説明を行う。
【０３１７】
Ｂｏｎｕｓ準備状態移行抽選テーブルは、（ａ）通常状態において、Ｂｏｎｕｓ準備状態に移行するか否かを抽選するためのＢｏｎｕｓ準備状態移行抽選テーブル（通常状態）（図２５（Ａ）参照）と、（ｂ）チャンス前兆状態において、Ｂｏｎｕｓ準備状態に移行するか否かを抽選するためのＢｏｎｕｓ準備状態移行抽選テーブル（チャンス前兆状態）（図２５（Ｂ）参照）と、（ｃ）チャンス状態において、Ｂｏｎｕｓ準備状態に移行するか否かを抽選するためのＢｏｎｕｓ準備状態移行抽選テーブル（チャンス状態）（図２５（Ｃ）参照）を備えている。
【０３１８】
（Ｂｏｎｕｓ準備状態移行抽選テーブル（通常状態））
Ｂｏｎｕｓ準備状態移行抽選テーブル（通常状態）は、サブＲＯＭ４０２に設けられており、通常状態において、Ｂｏｎｕｓ準備状態に移行するか否かを抽選する。ここで、Ｂｏｎｕｓ準備状態移行抽選テーブル（通常状態）は、当選役と、当選役に応じた抽選値が規定されている。例えば、当選役として「スイカ」が決定された場合には、「３２７６／６５５３６」の確率でＢｏｎｕｓ準備状態に移行することが決定される。
【０３１９】
（Ｂｏｎｕｓ準備状態移行抽選テーブル（チャンス前兆状態））
Ｂｏｎｕｓ準備状態移行抽選テーブル（チャンス前兆状態）は、サブＲＯＭ４０２に設けられており、チャンス前兆状態において、Ｂｏｎｕｓ準備状態に移行するか否かを抽選する。ここで、Ｂｏｎｕｓ準備状態移行抽選テーブル（チャンス前兆状態）は、当選役と、当選役に応じた抽選値が規定されている。例えば、当選役として「スイカ」が決定された場合には、「３２７６／６５５３６」の確率でＢｏｎｕｓ準備状態に移行することが決定される。
【０３２０】
ここで、本実施形態においては、Ｂｏｎｕｓ準備状態移行抽選テーブル（通常状態）と、Ｂｏｎｕｓ準備状態移行抽選テーブル（チャンス前兆状態）は、各当選役に応じて規定されている抽選値として同じ値が規定されているが、これに限定されることはなく、Ｂｏｎｕｓ準備状態移行抽選テーブル（通常状態）に規定されている抽選値と、Ｂｏｎｕｓ準備状態移行抽選テーブル（チャンス前兆状態）に規定されている抽選値は、適宜設定可能である。
【０３２１】
（Ｂｏｎｕｓ準備状態移行抽選テーブル（チャンス状態））
Ｂｏｎｕｓ準備状態移行抽選テーブル（チャンス状態）は、サブＲＯＭ４０２に設けられており、チャンス状態において、Ｂｏｎｕｓ準備状態に移行するか否かを抽選する。ここで、Ｂｏｎｕｓ準備状態移行抽選テーブル（チャンス状態）は、当選役と、当選役に応じた抽選値が規定されている。例えば、当選役として「スイカ」が決定された場合には、「６５５４／６５５３６」の確率でＢｏｎｕｓ準備状態に移行することが決定される。
【０３２２】
ここで、チャンス状態において、所定の当選役が決定された場合と、通常状態において、所定の当選役が決定された場合を比較すると、チャンス状態において、所定の当選役が決定された場合の方が、Ｂｏｎｕｓ準備状態に移行する確率が高く規定されている。また、チャンス状態においては、後述の内部抽選処理により、「押し順ベル」が当選役として決定された場合にも、Ｂｏｎｕｓ準備状態に移行するか否かの抽選を行う一方、通常状態や、チャンス前兆状態において、後述の内部抽選処理により、「押し順ベル」が当選役として決定された場合には、Ｂｏｎｕｓ準備状態に移行するか否かの抽選を行わない。従って、チャンス状態は、通常状態や、チャンス前兆状態と比較してＢｏｎｕｓ準備状態に移行する確率が高いといえる。
【０３２３】
（Ｂｏｎｕｓ状態振分抽選テーブル）
次に、図２６に基づいて、Ｂｏｎｕｓ状態振分抽選テーブルについて説明を行う。
【０３２４】
Ｂｏｎｕｓ状態振分抽選テーブルは、（ａ）通常状態において、Ｂｏｎｕｓ準備状態に移行することが決定された場合に参照されるＢｏｎｕｓ状態振分抽選テーブル（通常状態）（図２６（Ａ）参照）と、（ｂ）チャンス前兆状態において、Ｂｏｎｕｓ準備状態に移行することが決定された場合に参照されるＢｏｎｕｓ状態振分抽選テーブル（チャンス前兆状態）（図２６（Ｂ）参照）と、（ｃ）チャンス状態において、Ｂｏｎｕｓ準備状態に移行することが決定された場合に参照されるＢｏｎｕｓ状態振分抽選テーブル（チャンス状態）（図２６（Ｃ）参照）を備えている。
【０３２５】
（Ｂｏｎｕｓ状態振分抽選テーブル（通常状態））
Ｂｏｎｕｓ状態振分抽選テーブル（通常状態）は、サブＲＯＭ４０２に設けられており、通常状態において、Ｂｏｎｕｓ準備状態に移行することが決定された場合に、第１Ｂｏｎｕｓ待機中、第２Ｂｏｎｕｓ待機中、第３Ｂｏｎｕｓ待機中のうちの何れかを決定する。ここで、Ｂｏｎｕｓ状態振分抽選テーブル（通常状態）は、第１Ｂｏｎｕｓ待機中が決定される抽選値、第２Ｂｏｎｕｓ待機中が決定される抽選値、第３Ｂｏｎｕｓ待機中が決定される抽選値が、Ｂｏｎｕｓ準備状態に移行する契機となった当選役毎に規定されている。例えば、通常状態において、後述の内部抽選処理により「スイカ」が決定され、Ｂｏｎｕｓ準備状態に移行することが決定された場合には、「２４８５２／６５５３６」の確率で第１Ｂｏｎｕｓ待機中が決定され、「３９８５８／６５５３６」の確率で第２Ｂｏｎｕｓ待機中が決定され、「８２６／６５５３６」の確率で第３Ｂｏｎｕｓ待機中が決定される。
【０３２６】
なお、以下において、第１Ｂｏｎｕｓ待機中、第２Ｂｏｎｕｓ待機中、第３Ｂｏｎｕｓ待機中を総称して、「Ｂｏｎｕｓ待機中」という。
【０３２７】
（Ｂｏｎｕｓ状態振分抽選テーブル（チャンス前兆状態））
Ｂｏｎｕｓ状態振分抽選テーブル（チャンス前兆状態）は、サブＲＯＭ４０２に設けられており、チャンス前兆状態において、Ｂｏｎｕｓ準備状態に移行することが決定された場合に、第１Ｂｏｎｕｓ待機中、第２Ｂｏｎｕｓ待機中、第３Ｂｏｎｕｓ待機中のうちの何れかを決定する。ここで、Ｂｏｎｕｓ状態振分抽選テーブル（チャンス前兆状態）は、第１Ｂｏｎｕｓ待機中が決定される抽選値、第２Ｂｏｎｕｓ待機中が決定される抽選値、第３Ｂｏｎｕｓ待機中が決定される抽選値が、Ｂｏｎｕｓ準備状態に移行する契機となった当選役毎に規定されている。例えば、チャンス前兆状態において、後述の内部抽選処理により「スイカ」が決定され、Ｂｏｎｕｓ準備状態に移行することが決定された場合には、「２４８５２／６５５３６」の確率で第１Ｂｏｎｕｓ待機中が決定され、「３９８５８／６５５３６」の確率で第２Ｂｏｎｕｓ待機中が決定され、「８２６／６５５３６」の確率で第３Ｂｏｎｕｓ待機中が決定される。
【０３２８】
ここで、本実施形態においては、Ｂｏｎｕｓ状態振分抽選テーブル（通常状態）と、Ｂｏｎｕｓ状態振分抽選テーブル（チャンス前兆状態）は、各当選役に応じて規定されている抽選値として同じ値が規定されているが、これに限定されることはなく、Ｂｏｎｕｓ状態振分抽選テーブル（通常状態）に規定されている抽選値と、Ｂｏｎｕｓ状態振分抽選テーブル（チャンス前兆状態）に規定されている抽選値は、適宜設定可能である。
【０３２９】
（Ｂｏｎｕｓ状態振分抽選テーブル（チャンス状態））
Ｂｏｎｕｓ状態振分抽選テーブル（チャンス状態）は、サブＲＯＭ４０２に設けられており、チャンス状態において、Ｂｏｎｕｓ準備状態に移行することが決定された場合に、第１Ｂｏｎｕｓ待機中、第２Ｂｏｎｕｓ待機中、第３Ｂｏｎｕｓ待機中のうちの何れかを決定する。ここで、Ｂｏｎｕｓ状態振分抽選テーブル（チャンス状態）は、第１Ｂｏｎｕｓ待機中が決定される抽選値、第２Ｂｏｎｕｓ待機中が決定される抽選値、第３Ｂｏｎｕｓ待機中が決定される抽選値が、Ｂｏｎｕｓ準備状態に移行する契機となった当選役毎に規定されている。例えば、チャンス状態において、後述の内部抽選処理により「押し順ベル」が決定され、Ｂｏｎｕｓ準備状態に移行することが決定された場合には、「３５７６８／６５５３６」の確率で第１Ｂｏｎｕｓ待機中が決定され、「２９７４９／６５５３６」の確率で第２Ｂｏｎｕｓ待機中が決定され、「１９／６５５３６」の確率で第３Ｂｏｎｕｓ待機中が決定される。
【０３３０】
（前兆ゲーム数決定テーブル）
次に、図２７に基づいて、前兆ゲーム数決定テーブルについて説明を行う。
【０３３１】
前兆ゲーム数決定テーブルは、（ａ）Ｂｏｎｕｓ準備状態に移行することが決定された場合に、Ｂｏｎｕｓ前兆状態で遊技することとなるゲーム数を決定するためのＢｏｎｕｓ前兆ゲーム数決定テーブル（図２７（Ａ）参照）と、（ｂ）通常状態において、チャンス状態に移行することが決定された場合に、チャンス前兆状態で遊技することとなるゲーム数を決定するためのチャンス前兆ゲーム数決定テーブル（図２７（Ｂ）参照）と、（ｃ）ＡＲＴ状態において、第１上乗せ状態に移行することが決定された場合に、第１上乗せ前兆状態で遊技することとなるゲーム数を決定するための第１上乗せ前兆ゲーム数決定テーブル（図２７（Ｃ）参照）と、（ｄ）ＡＲＴ状態において、第２上乗せ状態に移行することが決定された場合に、第２上乗せ前兆状態で遊技することとなるゲーム数を決定するための第２上乗せ前兆ゲーム数決定テーブル（図２７（Ｄ）参照）を備えている。
【０３３２】
（Ｂｏｎｕｓ前兆ゲーム数決定テーブル）
Ｂｏｎｕｓ前兆ゲーム数決定テーブルは、サブＲＯＭ４０２に設けられており、（ａ）通常状態において、Ｂｏｎｕｓ準備状態移行抽選テーブル（通常状態）（図２５（Ａ）参照）を用いて抽選を行った結果、Ｂｏｎｕｓ準備状態に移行することが決定された場合、（ｂ）チャンス前兆状態において、Ｂｏｎｕｓ準備状態移行抽選テーブル（チャンス前兆状態）（図２５（Ｂ）参照）を用いて抽選を行った結果、Ｂｏｎｕｓ準備状態に移行することが決定された場合に、Ｂｏｎｕｓ準備状態に移行するまでのゲーム数を決定する。ここで、Ｂｏｎｕｓ前兆ゲーム数決定テーブルは、Ｂｏｎｕｓ準備状態に移行することが決定された当選役毎にＢｏｎｕｓ前兆ゲーム数の抽選値が規定されている。例えば、後述の内部抽選処理により「スイカ」が決定され、Ｂｏｎｕｓ準備状態に移行することが決定された場合には、「４９１５２／６５５３６」の確率でＢｏｎｕｓ前兆ゲーム数として「５」ゲームが決定され、「８１９２／６５５３６」の確率でＢｏｎｕｓ前兆ゲーム数として「１０」ゲームが決定され、「８１９２／６５５３６」の確率でＢｏｎｕｓ前兆ゲーム数として「１５」ゲームが決定される。なお、決定されたＢｏｎｕｓ前兆ゲーム数は、サブＲＡＭ４０３に設けられている後述のＢｏｎｕｓ前兆状態用ゲーム数カウンタの値にセットされることとなる。
【０３３３】
（チャンス前兆ゲーム数決定テーブル）
チャンス前兆ゲーム数決定テーブルは、サブＲＯＭ４０２に設けられており、通常状態において、後述のチャンス状態移行抽選テーブル（図２８参照）を用いて抽選を行った結果、チャンス状態に移行することが決定された場合に、チャンス状態に移行するまでのゲーム数を決定する。ここで、チャンス前兆ゲーム数決定テーブルは、チャンス状態に移行することが決定された当選役毎にチャンス前兆ゲーム数の抽選値が規定されている。例えば、後述の内部抽選処理により「スイカ」が決定され、チャンス状態に移行することが決定された場合には、「４９１５２／６５５３６」の確率でチャンス前兆ゲーム数として「３」ゲームが決定され、「８１９２／６５５３６」の確率でチャンス前兆ゲーム数として「６」ゲームが決定され、「８１９２／６５５３６」の確率でチャンス前兆ゲーム数として「９」ゲームが決定される。なお、決定されたチャンス前兆ゲーム数は、サブＲＡＭ４０３に設けられている後述のチャンス前兆状態用ゲーム数カウンタの値にセットされることとなる。
【０３３４】
（第１上乗せ前兆ゲーム数決定テーブル）
第１上乗せ前兆ゲーム数決定テーブルは、サブＲＯＭ４０２に設けられており、ＡＲＴ状態において、後述の第１上乗せ状態移行抽選テーブル（図３４（Ａ）参照）を用いて抽選を行った結果、第１上乗せ状態に移行することが決定された場合に、第１上乗せ状態に移行するまでのゲーム数を決定する。ここで、第１上乗せ前兆ゲーム数決定テーブルは、第１上乗せ状態に移行することが決定された当選役毎に第１上乗せ前兆ゲーム数の抽選値が規定されている。例えば、後述の内部抽選処理により「スイカ」が決定され、第１上乗せ状態に移行することが決定された場合には、「３２７６８／６５５３６」の確率で第１上乗せ前兆ゲーム数として「２」ゲームが決定され、「３２７６８／６５５３６」の確率で第１上乗せ前兆ゲーム数として「４」ゲームが決定される。なお、決定された第１上乗せ前兆ゲーム数は、サブＲＡＭ４０３に設けられている後述の第１上乗せ前兆状態用ゲーム数カウンタの値にセットされることとなる。
【０３３５】
（第２上乗せ前兆ゲーム数決定テーブル）
第２上乗せ前兆ゲーム数決定テーブルは、サブＲＯＭ４０２に設けられており、ＡＲＴ状態において、後述の第２上乗せ状態移行抽選テーブル（図３４（Ｂ）参照）を用いて抽選を行った結果、第２上乗せ状態に移行することが決定された場合に、第２上乗せ状態に移行するまでのゲーム数を決定する。ここで、第２上乗せ前兆ゲーム数決定テーブルは、第２上乗せ状態に移行することが決定された当選役毎に第２上乗せ前兆ゲーム数の抽選値が規定されている。例えば、後述の内部抽選処理により「中段チェリー」が決定され、第２上乗せ状態に移行することが決定された場合には、「１６３８４／６５５３６」の確率で第２上乗せ前兆ゲーム数として「２」ゲームが決定され、「１６３８４／６５５３６」の確率で第２上乗せ前兆ゲーム数として「４」ゲームが決定され、「１６３８４／６５５３６」の確率で第２上乗せ前兆ゲーム数として「６」ゲームが決定され、「１６３８４／６５５３６」の確率で第２上乗せ前兆ゲーム数として「８」ゲームが決定される。なお、決定された第２上乗せ前兆ゲーム数は、サブＲＡＭ４０３に設けられている後述の第２上乗せ前兆状態用ゲーム数カウンタの値にセットされることとなる。
【０３３６】
（チャンス状態移行抽選テーブル）
次に、図２８に基づいて、チャンス状態移行抽選テーブルについて説明を行う。
【０３３７】
チャンス状態移行抽選テーブルは、サブＲＯＭ４０２に設けられており、通常状態において、チャンス状態に移行するか否かの抽選を行う。具体的には、チャンス状態移行抽選テーブルは、当選役毎にチャンス状態に移行することとなる抽選値が規定されている。例えば、後述の内部抽選処理により「スイカ」が決定された場合には、「３２７６／６５５３６」の確率でチャンス状態に移行することが決定される。
【０３３８】
（フェイクゲーム数決定テーブル）
次に、図２９に基づいて、フェイクゲーム数決定テーブルについて説明を行う。
【０３３９】
フェイクゲーム数決定テーブルは、（ａ）通常状態において、Ｂｏｎｕｓ準備状態に移行することを期待させる演出が行われるゲーム数を決定するための通常状態用フェイクゲーム数決定テーブル（図２９（Ａ）参照）と、（ｂ）ＡＲＴ状態において、第１上乗せ状態、または第２上乗せ状態に移行することを期待させる演出が行われるゲーム数を決定するためのＡＲＴ状態用フェイクゲーム数決定テーブル（図２９（Ｂ）参照）を備えている。
【０３４０】
（通常状態用フェイクゲーム数決定テーブル）
通常状態用フェイクゲーム数決定テーブルは、サブＲＯＭ４０２に設けられており、通常状態において、Ｂｏｎｕｓ準備状態移行抽選テーブル（通常状態）（図２５（Ａ）参照）を用いて抽選を行った結果、Ｂｏｎｕｓ準備状態に移行することが決定されなかった場合に、Ｂｏｎｕｓ準備状態に移行することを期待させる演出が行われるゲーム数を決定する。ここで、通常状態用フェイクゲーム数決定テーブルは、当選役毎にフェイク前兆ゲーム数の抽選値が規定されている。例えば、後述の内部抽選処理により「スイカ」が決定され、Ｂｏｎｕｓ準備状態に移行することが決定されなかった場合には、「４９１５２／６５５３６」の確率でフェイク前兆ゲーム数として「５」ゲームが決定され、「８１９２／６５５３６」の確率でフェイク前兆ゲーム数として「１０」ゲームが決定され、「８１９２／６５５３６」の確率でフェイク前兆ゲーム数として「１５」ゲームが決定される。なお、決定されたフェイク前兆ゲーム数は、サブＲＡＭ４０３に設けられている後述のフェイクゲーム数カウンタの値にセットされることとなる。
【０３４１】
（ＡＲＴ状態用フェイクゲーム数決定テーブル）
ＡＲＴ状態用フェイクゲーム数決定テーブルは、サブＲＯＭ４０２に設けられており、ＡＲＴ状態において、後述の第１上乗せ状態移行抽選テーブル（図３４（Ａ）参照）、後述の第２上乗せ状態移行抽選テーブル（図３４（Ｂ）参照）を用いて抽選を行った結果、第１上乗せ状態、及び第２上乗せ状態に移行することが決定されなかった場合に、第１上乗せ状態や、第２上乗せ状態に移行することを期待させる演出が行われるゲーム数を決定する。ここで、ＡＲＴ状態用フェイクゲーム数決定テーブルは、当選役毎にＡＲＴ状態用フェイクゲーム数の抽選値が規定されている。例えば、後述の内部抽選処理により「スイカ」が決定され、第１上乗せ状態、及び第２上乗せ状態に移行することが決定されなかった場合には、「４９１５２／６５５３６」の確率でＡＲＴ状態用フェイクゲーム数として「１」ゲームが決定され、「８１９２／６５５３６」の確率でＡＲＴ状態用フェイク前兆ゲーム数として「３」ゲームが決定され、「８１９２／６５５３６」の確率でＡＲＴ状態用フェイク前兆ゲーム数として「５」ゲームが決定される。なお、決定されたＡＲＴ状態用フェイク前兆ゲーム数は、サブＲＡＭ４０３に設けられている後述のＡＲＴ状態用フェイクゲーム数カウンタの値にセットされることとなる。
【０３４２】
（昇格抽選テーブル）
次に、図３０に基づいて、昇格抽選テーブルについて説明を行う。
【０３４３】
昇格抽選テーブルは、（ａ）第１Ｂｏｎｕｓ待機中において、第２Ｂｏｎｕｓ待機中、または第３Ｂｏｎｕｓ待機中に昇格させるか否かを抽選する際に用いられる昇格抽選テーブル（第１Ｂｏｎｕｓ待機中）（図３０（Ａ）参照）と、（ｂ）第２Ｂｏｎｕｓ待機中において、第３Ｂｏｎｕｓ待機中に昇格させるか否かを抽選する際に用いられる昇格抽選テーブル（第２Ｂｏｎｕｓ待機中）（図３０（Ｂ）参照）を備えている。
【０３４４】
（昇格抽選テーブル（第１Ｂｏｎｕｓ待機中））
昇格抽選テーブル（第１Ｂｏｎｕｓ待機中）は、サブＲＯＭ４０２に設けられており、Ｂｏｎｕｓ前兆状態、またはＢｏｎｕｓ準備状態において、第１Ｂｏｎｕｓ待機中である場合に、第２Ｂｏｎｕｓ待機中、または第３Ｂｏｎｕｓ待機中に昇格させるか否かを抽選する。具体的には、昇格抽選テーブル（第１Ｂｏｎｕｓ待機中）には、当選役毎に、第２Ｂｏｎｕｓ待機中に昇格する抽選値と、第３Ｂｏｎｕｓ待機中に昇格する抽選値が規定されている。例えば、後述の内部抽選処理により、当選役として「弱チェリー」が決定された場合には、「１２７８５／６５５３６」の確率で第２Ｂｏｎｕｓ待機中に昇格し、「２４／６５５３６」の確率で第３Ｂｏｎｕｓ待機中に昇格することとなる。
【０３４５】
（昇格抽選テーブル（第２Ｂｏｎｕｓ待機中））
昇格抽選テーブル（第２Ｂｏｎｕｓ待機中）は、サブＲＯＭ４０２に設けられており、Ｂｏｎｕｓ前兆状態、またはＢｏｎｕｓ準備状態において、第２Ｂｏｎｕｓ待機中である場合に、第３Ｂｏｎｕｓ待機中に昇格させるか否かを抽選する。具体的には、昇格抽選テーブル（第２Ｂｏｎｕｓ待機中）には、当選役毎に、第３Ｂｏｎｕｓ待機中に昇格する抽選値が規定されている。例えば、後述の内部抽選処理により、当選役として「弱チェリー」が決定された場合には、「２４／６５５３６」の確率で第３Ｂｏｎｕｓ待機中に昇格することとなる。
【０３４６】
なお、第１Ｂｏｎｕｓ待機中において、有効ライン上に「Ｂｏｎｕｓリプレイ」に係る図柄の組み合わせのうち、いずれかの図柄の組み合わせが表示されると、第１Ｂｏｎｕｓ状態に移行することとなる。また、第２Ｂｏｎｕｓ待機中において、有効ライン上に「Ｂｏｎｕｓリプレイ」に係る図柄の組み合わせのうち、いずれかの図柄の組み合わせが表示されると、第２Ｂｏｎｕｓ状態に移行することとなる。そして、第３Ｂｏｎｕｓ待機中において、有効ライン上に「Ｂｏｎｕｓリプレイ」に係る図柄の組み合わせのうち、いずれかの図柄の組み合わせが表示されると、第３Ｂｏｎｕｓ状態に移行することとなる。このため、第３Ｂｏｎｕｓ待機中は、第１Ｂｏｎｕｓ待機中や、第２Ｂｏｎｕｓ待機中と比較して遊技者にとって最も有利となる。従って、第３Ｂｏｎｕｓ待機中においては、昇格抽選が行われることはない。
【０３４７】
（ＡＲＴ準備状態移行抽選テーブル）
次に、図３１に基づいて、ＡＲＴ準備状態移行抽選テーブルについて説明を行う。
【０３４８】
ＡＲＴ準備状態移行抽選テーブルは、（ａ）第１Ｂｏｎｕｓ状態において、ＡＲＴ準備状態に移行するか否かの抽選を行う際に用いられる第１Ｂｏｎｕｓ状態用ＡＲＴ準備状態移行抽選テーブル（図３１（Ａ）参照）と、（ｂ）第２Ｂｏｎｕｓ状態において、ＡＲＴ準備状態に移行するか否かの抽選を行う際に用いられる第２Ｂｏｎｕｓ状態用ＡＲＴ準備状態移行抽選テーブル（図３１（Ｂ）参照）を備えている。
【０３４９】
（第１Ｂｏｎｕｓ状態用ＡＲＴ準備状態移行抽選テーブル）
第１Ｂｏｎｕｓ状態用ＡＲＴ準備状態移行抽選テーブルは、サブＲＯＭ４０２に設けられており、第１Ｂｏｎｕｓ状態において、ＡＲＴ準備状態に移行するか否かの抽選を行う。具体的には、第１Ｂｏｎｕｓ状態用ＡＲＴ準備状態移行抽選テーブルは、当選役毎にＡＲＴ準備状態に移行することとなる抽選値が規定されている。例えば、当選役として「スイカ」が決定された場合には、「４０９６／６５５３６」の確率でＡＲＴ準備状態に移行することが決定される。
【０３５０】
（第２Ｂｏｎｕｓ状態用ＡＲＴ準備状態移行抽選テーブル）
第２Ｂｏｎｕｓ状態用ＡＲＴ準備状態移行抽選テーブルは、サブＲＯＭ４０２に設けられており、第２Ｂｏｎｕｓ状態において、ＡＲＴ準備状態に移行するか否かの抽選を行う。具体的には、第２Ｂｏｎｕｓ状態用ＡＲＴ準備状態移行抽選テーブルは、当選役毎にＡＲＴ準備状態に移行することとなる抽選値が規定されている。例えば、当選役として「スイカ」が決定された場合には、「８１９２／６５５３６」の確率でＡＲＴ準備状態に移行することが決定される。
【０３５１】
（ＡＲＴ状態用ゲーム数上乗せ抽選テーブル）
次に、図３２に基づいて、ＡＲＴ状態用ゲーム数上乗せ抽選テーブルについて説明を行う。
【０３５２】
ＡＲＴ状態用ゲーム数上乗せ抽選テーブルは、（ａ）第３Ｂｏｎｕｓ状態において、ＡＲＴ状態で遊技可能なゲーム数を上乗せするか否かの抽選を行う際に用いられるＡＲＴ状態用ゲーム数上乗せ抽選テーブル（第３Ｂｏｎｕｓ状態）（図３２（Ａ）参照）と、（ｂ）ＡＲＴ準備状態や、ＡＲＴ状態において、ＡＲＴ状態で遊技可能なゲーム数を上乗せするか否かの抽選を行う際に用いられるＡＲＴ状態用ゲーム数上乗せ抽選テーブル（ＡＲＴ準備状態・ＡＲＴ状態）（図３２（Ｂ）参照）と、（ｃ）第１上乗せ前兆状態や、第２上乗せ前兆状態において、ＡＲＴ状態で遊技可能なゲーム数を上乗せするか否かの抽選を行う際に用いられるＡＲＴ状態用ゲーム数上乗せ抽選テーブル（上乗せ前兆状態）（図３２（Ｃ）参照）と、（ｄ）第１上乗せ準備状態や、第２上乗せ準備状態において、ＡＲＴ状態で遊技可能なゲーム数を上乗せするか否かの抽選を行う際に用いられるＡＲＴ状態用ゲーム数上乗せ抽選テーブル（上乗せ準備状態）（図３２（Ｄ）参照）と、（ｅ）第１上乗せ状態において、ＡＲＴ状態で遊技可能なゲーム数を上乗せするか否かの抽選を行う際に用いられるＡＲＴ状態用ゲーム数上乗せ抽選テーブル（第１上乗せ状態）（図３２（Ｅ）参照）と、（ｆ）第２上乗せ状態において、ＡＲＴ状態で遊技可能なゲーム数を上乗せするか否かの抽選を行う際に用いられるＡＲＴ状態用ゲーム数上乗せ抽選テーブル（第２上乗せ状態）（図３２（Ｆ）参照）と、（ｇ）第２転落待機状態において、ＡＲＴ状態で遊技可能なゲーム数を上乗せするか否かの抽選を行う際に用いられるＡＲＴ状態用ゲーム数上乗せ抽選テーブル（第２転落待機状態）（図３２（Ｇ）参照）と、（ｈ）第３転落待機状態において、ＡＲＴ状態で遊技可能なゲーム数を上乗せするか否かの抽選を行う際に用いられるＡＲＴ状態用ゲーム数上乗せ抽選テーブル（第３転落待機状態）（図３２（Ｈ）参照）を備えている。
【０３５３】
（ＡＲＴ状態用ゲーム数上乗せ抽選テーブル（第３Ｂｏｎｕｓ状態））
ＡＲＴ状態用ゲーム数上乗せ抽選テーブル（第３Ｂｏｎｕｓ状態）は、サブＲＯＭ４０２に設けられており、第３Ｂｏｎｕｓ状態の終了後、ＡＲＴ準備状態を介して移行するＡＲＴ状態において遊技可能なゲーム数を上乗せするか否かの抽選を行う。具体的には、ＡＲＴ状態用ゲーム数上乗せ抽選テーブル（第３Ｂｏｎｕｓ状態）は、当選役毎に上乗せゲーム数の抽選値が規定されている。例えば、後述の内部抽選処理により、当選役として「中段チェリー」が決定された場合には、「３２７６８／６５５３６」の確率で上乗せゲーム数として「５０」ゲームが決定され、「１６３８４／６５５３６」の確率で上乗せゲーム数として「１００」ゲームが決定され、「８１９２／６５５３６」の確率で上乗せゲーム数として「２００」ゲームが決定され、「８１９２／６５５３６」の確率で上乗せゲーム数として「３００」ゲームが決定されることとなる。
【０３５４】
（ＡＲＴ状態用ゲーム数上乗せ抽選テーブル（ＡＲＴ準備状態・ＡＲＴ状態））
ＡＲＴ状態用ゲーム数上乗せ抽選テーブル（ＡＲＴ準備状態・ＡＲＴ状態）は、サブＲＯＭ４０２に設けられており、ＡＲＴ準備状態や、ＡＲＴ状態において、後述の内部抽選処理により決定された当選役に基づいて、ＡＲＴ状態において遊技可能なゲーム数を上乗せするか否かの抽選を行う。具体的には、ＡＲＴ状態用ゲーム数上乗せ抽選テーブル（ＡＲＴ準備状態・ＡＲＴ状態）は、当選役毎に上乗せゲーム数の抽選値が規定されている。例えば、後述の内部抽選処理により、当選役として「中段チェリー」が決定された場合には、「３２７６８／６５５３６」の確率で上乗せゲーム数として「５０」ゲームが決定され、「１６３８４／６５５３６」の確率で上乗せゲーム数として「１００」ゲームが決定され、「８１９２／６５５３６」の確率で上乗せゲーム数として「２００」ゲームが決定され、「８１９２／６５５３６」の確率で上乗せゲーム数として「３００」ゲームが決定されることとなる。
【０３５５】
（ＡＲＴ状態用ゲーム数上乗せ抽選テーブル（上乗せ前兆状態））
ＡＲＴ状態用ゲーム数上乗せ抽選テーブル（上乗せ前兆状態）は、サブＲＯＭ４０２に設けられており、第１上乗せ前兆状態や、第２上乗せ前兆状態において、後述の内部抽選処理により決定された当選役に基づいて、ＡＲＴ状態において遊技可能なゲーム数を上乗せするか否かの抽選を行う。具体的には、ＡＲＴ状態用ゲーム数上乗せ抽選テーブル（上乗せ前兆状態）は、当選役毎に上乗せゲーム数の抽選値が規定されている。例えば、後述の内部抽選処理により、当選役として「中段チェリー」が決定された場合には、「３２７６８／６５５３６」の確率で上乗せゲーム数として「５０」ゲームが決定され、「１６３８４／６５５３６」の確率で上乗せゲーム数として「１００」ゲームが決定され、「８１９２／６５５３６」の確率で上乗せゲーム数として「２００」ゲームが決定され、「８１９２／６５５３６」の確率で上乗せゲーム数として「３００」ゲームが決定されることとなる。
【０３５６】
（ＡＲＴ状態用ゲーム数上乗せ抽選テーブル（上乗せ準備状態））
ＡＲＴ状態用ゲーム数上乗せ抽選テーブル（上乗せ準備状態）は、サブＲＯＭ４０２に設けられており、第１上乗せ準備状態や、第２上乗せ準備状態において、後述の内部抽選処理により決定された当選役に基づいて、ＡＲＴ状態において遊技可能なゲーム数を上乗せするか否かの抽選を行う。具体的には、ＡＲＴ状態用ゲーム数上乗せ抽選テーブル（上乗せ準備状態）は、当選役毎に上乗せゲーム数の抽選値が規定されている。例えば、後述の内部抽選処理により、当選役として「中段チェリー」が決定された場合には、「３２７６８／６５５３６」の確率で上乗せゲーム数として「５０」ゲームが決定され、「１６３８４／６５５３６」の確率で上乗せゲーム数として「１００」ゲームが決定され、「８１９２／６５５３６」の確率で上乗せゲーム数として「２００」ゲームが決定され、「８１９２／６５５３６」の確率で上乗せゲーム数として「３００」ゲームが決定されることとなる。
【０３５７】
（ＡＲＴ状態用ゲーム数上乗せ抽選テーブル（第１上乗せ状態））
ＡＲＴ状態用ゲーム数上乗せ抽選テーブル（第１上乗せ状態）は、サブＲＯＭ４０２に設けられており、第１上乗せ状態において、後述の内部抽選処理により決定された当選役に基づいて、ＡＲＴ状態において遊技可能なゲーム数を上乗せするか否かの抽選を行う。具体的には、ＡＲＴ状態用ゲーム数上乗せ抽選テーブル（第１上乗せ状態）は、当選役毎に上乗せゲーム数の抽選値が規定されている。例えば、後述の内部抽選処理により、当選役として「中段チェリー」が決定された場合には、「３２７６８／６５５３６」の確率で上乗せゲーム数として「１００」ゲームが決定され、「１６３８４／６５５３６」の確率で上乗せゲーム数として「２００」ゲームが決定され、「１６３８４／６５５３６」の確率で上乗せゲーム数として「３００」ゲームが決定されることとなる。
【０３５８】
（ＡＲＴ状態用ゲーム数上乗せ抽選テーブル（第２上乗せ状態））
ＡＲＴ状態用ゲーム数上乗せ抽選テーブル（第２上乗せ状態）は、サブＲＯＭ４０２に設けられており、第２上乗せ状態において、後述の内部抽選処理により決定された当選役に基づいて、ＡＲＴ状態において遊技可能なゲーム数を上乗せするか否かの抽選を行う。具体的には、ＡＲＴ状態用ゲーム数上乗せ抽選テーブル（第２上乗せ状態）は、当選役毎に上乗せゲーム数の抽選値が規定されている。例えば、後述の内部抽選処理により、当選役として「中段チェリー」が決定された場合には、「１６３８４／６５５３６」の確率で上乗せゲーム数として「１００」ゲームが決定され、「１６３８４／６５５３６」の確率で上乗せゲーム数として「２００」ゲームが決定され、「３２７６８／６５５３６」の確率で上乗せゲーム数として「３００」ゲームが決定されることとなる。
【０３５９】
（ＡＲＴ状態用ゲーム数上乗せ抽選テーブル（第２転落待機状態））
ＡＲＴ状態用ゲーム数上乗せ抽選テーブル（第２転落待機状態）は、サブＲＯＭ４０２に設けられており、第２転落待機状態において、後述の内部抽選処理により決定された当選役に基づいて、ＡＲＴ状態において遊技可能なゲーム数を上乗せするか否かの抽選を行う。具体的には、ＡＲＴ状態用ゲーム数上乗せ抽選テーブル（第２転落待機状態）は、当選役毎に上乗せゲーム数の抽選値が規定されている。例えば、後述の内部抽選処理により、当選役として「中段チェリー」が決定された場合には、「３２７６８／６５５３６」の確率で上乗せゲーム数として「５０」ゲームが決定され、「１６３８４／６５５３６」の確率で上乗せゲーム数として「１００」ゲームが決定され、「８１９２／６５５３６」の確率で上乗せゲーム数として「２００」ゲームが決定され、「８１９２／６５５３６」の確率で上乗せゲーム数として「３００」ゲームが決定されることとなる。
【０３６０】
（ＡＲＴ状態用ゲーム数上乗せ抽選テーブル（第３転落待機状態））
ＡＲＴ状態用ゲーム数上乗せ抽選テーブル（第３転落待機状態）は、サブＲＯＭ４０２に設けられており、第３転落待機状態において、後述の内部抽選処理により決定された当選役に基づいて、ＡＲＴ状態において遊技可能なゲーム数を上乗せするか否かの抽選を行う。具体的には、ＡＲＴ状態用ゲーム数上乗せ抽選テーブル（第３転落待機状態）は、当選役毎に上乗せゲーム数の抽選値が規定されている。例えば、後述の内部抽選処理により、当選役として「中段チェリー」が決定された場合には、「３２７６８／６５５３６」の確率で上乗せゲーム数として「５０」ゲームが決定され、「１６３８４／６５５３６」の確率で上乗せゲーム数として「１００」ゲームが決定され、「８１９２／６５５３６」の確率で上乗せゲーム数として「２００」ゲームが決定され、「８１９２／６５５３６」の確率で上乗せゲーム数として「３００」ゲームが決定されることとなる。
【０３６１】
（引戻抽選テーブル）
次に、図３３に基づいて、引戻抽選テーブルについて説明を行う。
【０３６２】
引戻抽選テーブルは、（ａ）第１転落待機状態において、ＡＲＴ準備状態に移行させるか否かの抽選を行う際に用いられる第１転落待機状態用引戻抽選テーブル（図３３（Ａ）参照）と、（ｂ）
第４転落待機状態において、ＡＲＴ状態に移行させるか否かの抽選を行う際に用いられる第４転落待機状態用引戻抽選テーブル（図３３（Ｂ）参照）を備えている。
【０３６３】
（第１転落待機状態用引戻抽選テーブル）
第１転落待機状態用引戻抽選テーブルは、サブＲＯＭ４０２に設けられており、第１転落待機状態において、ＡＲＴ準備状態に移行させるか否かの抽選を行う。具体的には、第１転落待機状態用引戻抽選テーブルは、当選役毎に、ＡＲＴ準備状態に移行することとなる抽選値が規定されている。例えば、後述の内部抽選処理により、当選役として「スイカリプレイ」が決定された場合には、「４０９６／６５５３６」の確率で、ＡＲＴ準備状態に移行することが決定される。
【０３６４】
（第４転落待機状態用引戻抽選テーブル）
第４転落待機状態用引戻抽選テーブルは、サブＲＯＭ４０２に設けられており、第４転落待機状態において、ＡＲＴ状態に移行させるか否かの抽選を行う。具体的には、第４転落待機状態用引戻抽選テーブルは、当選役毎に、ＡＲＴ状態に移行することとなる抽選値が規定されている。例えば、後述の内部抽選処理により、当選役として「スイカリプレイ」が決定された場合には、「８１９２／６５５３６」の確率で、ＡＲＴ状態に移行することが決定される。
【０３６５】
（上乗せ状態移行抽選テーブル）
次に、図３４に基づいて、上乗せ状態移行抽選テーブルについて説明を行う。
【０３６６】
上乗せ状態移行抽選テーブルは、（ａ）第１上乗せ状態に移行するか否かの抽選を行う際に用いられる第１上乗せ状態移行抽選テーブル（図３４（Ａ）参照）と、（ｂ）第２上乗せ状態に移行するか否かの抽選を行う際に用いられる第２上乗せ状態移行抽選テーブル（図３４（Ｂ）参照）を備えている。
【０３６７】
（第１上乗せ状態移行抽選テーブル）
第１上乗せ状態移行抽選テーブルは、サブＲＯＭ４０２に設けられており、ＡＲＴ状態において、第１上乗せ状態に移行するか否かの抽選を行う。具体的には、第１上乗せ状態移行抽選テーブルは、当選役毎に、第１上乗せ状態に移行することとなる抽選値が規定されている。例えば、後述の内部抽選処理により、当選役として「強チェリー」が決定された場合には、「８１９２／６５５３６」の確率で、第１上乗せ状態に移行することが決定される。
【０３６８】
（第２上乗せ状態移行抽選テーブル）
第１上乗せ状態移行抽選テーブルは、サブＲＯＭ４０２に設けられており、ＡＲＴ状態において、第１上乗せ状態に移行するか否かの抽選を行う。具体的には、第２上乗せ状態移行抽選テーブルは、当選役毎に、第２上乗せ状態に移行することとなる抽選値が規定されている。例えば、後述の内部抽選処理により、当選役として「中段チェリー」が決定された場合には、「３２７６８／６５５３６」の確率で、第２上乗せ状態に移行することが決定される。
【０３６９】
（メイン制御基板３００によるプログラム開始処理）
次に、図３５に基づいて、メイン制御基板３００により行われるプログラム開始処理についての説明を行う。なお、プログラム開始処理は、電源スイッチ２０１ｓｗがＯＮとなったことに基づいて行われる処理である。
【０３７０】
（ステップＳ１）
ステップＳ１において、メインＣＰＵ３０１は、電断中であるか否かを判定する処理を行う。具体的には、メインＣＰＵ３０１は、遊技機１に電力が供給されている場合には、遊技機１が電断中であるか否かを判定し、遊技機１に電力が供給されていない場合には、バックアップ電源により遊技機１が電断中であるか否かを判定する処理を行う。そして、電断中であると判定された場合には（ステップＳ１＝Ｙｅｓ）、ステップＳ１の処理を繰り返し実行する。一方、電断中ではないと判定された場合には（ステップＳ１＝Ｎｏ）、ステップＳ２に処理を移行する。
【０３７１】
（ステップＳ２）
ステップＳ２において、メインＣＰＵ３０１は、初期設定処理を行う。具体的には、メインＣＰＵ３０１は、遊技機１の内部レジスタを設定するためのテーブルの番地を設定し、当該テーブルに基づいて、レジスタの番地をセットする処理等を行う。そして、ステップＳ２の処理が終了すると、ステップＳ３に処理を移行する。
【０３７２】
（ステップＳ３）
ステップＳ３において、メインＣＰＵ３０１は、ＲＡＭチェックサム算出処理を行う。具体的には、メインＣＰＵ３０１は、メインＲＡＭ３０３のチェックサムを算出し、当該算出が終了した場合には、メインＲＡＭ３０３のチェックサムをセットする処理を行う。そして、ステップＳ３の処理が終了すると、ステップＳ４に処理を移行する。
【０３７３】
（ステップＳ４）
ステップＳ４において、メインＣＰＵ３０１は、設定変更キースイッチがＯＮであるか否かを判定する処理を行う。本実施形態においては、設定変更キー（図示せず）が設定変更用鍵穴４８に挿入された状態で、所定角度回動されることにより、設定変更キースイッチ４９ｓｗがＯＮとなる。このため、ステップＳ４において、メインＣＰＵ３０１は、設定変更キー（図示せず）が設定変更用鍵穴４８に挿入された状態で、所定角度回動されているか否かを判定する処理を行う。そして、設定変更キースイッチがＯＮであると判定された場合には（ステップＳ４＝Ｙｅｓ）、ステップＳ５に処理を移行し、設定変更キースイッチがＯＦＦであると判定された場合には（ステップＳ４＝Ｎｏ）、電断前に退避されたレジスタの値や、保存されたスタックポインタの値を復帰させる電断復帰処理に処理を移行する。
【０３７４】
なお、電断復帰処理が終了すると、遊技機１の電源がＯＦＦとなったときの状態に復帰することとなる。
【０３７５】
（ステップＳ５）
ステップＳ５において、メインＣＰＵ３０１は、ドア開閉センサがＯＮであるか否かを判定する処理を行う。本実施形態においては、鍵穴５にドアキー（図示せず）が挿入されて時計回り方向に所定角度回動され、かつ、前面扉３が所定角度以上開放されることにより、ドア開閉センサ１７ｓがＯＮとなる。このため、ステップＳ５において、メインＣＰＵ３０１は、鍵穴５にドアキー（図示せず）が挿入されて時計回り方向に所定角度回動され、かつ、前面扉３が所定角度以上開放されているか否かを判定する処理を行う。そして、ドア開閉センサがＯＮであると判定された場合には（ステップＳ５＝Ｙｅｓ）、ステップＳ７に処理を移行し、ドア開閉センサがＯＦＦであると判定された場合には（ステップＳ５＝Ｎｏ）、ステップＳ６に処理を移行する。
【０３７６】
（ステップＳ６）
ステップＳ６において、メインＣＰＵ３０１は、設定変更装置作動異常フラグをセットする処理を行う。具体的には、設定変更キースイッチがＯＮであって（ステップＳ６＝Ｙｅｓ）、ドア開閉センサ１７ｓがＯＦＦである場合（ステップＳ５＝Ｎｏ）、前面扉３が所定角度以上開放していないにもかかわらず、設定変更用の鍵が挿入された状態で所定角度回動されていることとなる。このため、メインＣＰＵ３０１は、メインＲＡＭ３０３に設けられている設定変更装置作動異常フラグ格納領域に設定変更装置作動異常フラグをセットする処理を行う。そして、ステップＳ６の処理が終了すると、前述した電断復帰処理に処理を移行する。
【０３７７】
（ステップＳ７）
ステップＳ７において、メインＣＰＵ３０１は、設定変更開始コマンドをセットする処理を行う。具体的には、メインＣＰＵ３０１は、設定変更開始コマンドをサブ制御基板４００に対して送信するために、当該設定変更開始コマンドを、メインＲＡＭ３０３に設けられている演出用伝送データ格納領域にセットする処理を行う。ここで、「設定変更開始コマンド」とは、遊技機１の電源が投入され、設定値の変更を開始する旨の情報等を有するコマンドである。そして、ステップＳ７の処理が終了すると、ステップＳ８に処理を移行する。
【０３７８】
（ステップＳ８）
ステップＳ８において、メインＣＰＵ３０１は、設定値変更処理を行う。具体的には、メインＣＰＵ３０１は、現在の設定値を取得し、設定値の範囲が正常であるか否かを判定し、当該判定結果が正常である場合には、貯留枚数表示器２８や、設定表示部４４に現在の設定値を表示する処理を行う。一方、上述の判定結果が正常ではない場合には、設定値の初期設定値をメインＲＡＭ３０３に設けられている設定値格納領域にセットする処理を行う。そして、メインＣＰＵ３０１は、設定変更スイッチ４５ｓｗにより設定変更ボタン４５の操作が検出されたことに基づいて、設定値の切替処理を行うとともに、スタートスイッチ１０ｓｗによりスタートレバー１０の操作が検出されたことに基づいて、設定値の確定処理を行い、所定角度回動されている設定変更用の鍵が抜差可能な角度まで回動されたことが検出されたことに基づいて、設定値をメインＲＡＭ３０３に設けられている設定値格納領域に格納する処理を行う。そして、ステップＳ８の処理が終了すると、ステップＳ９に処理を移行する。
【０３７９】
（ステップＳ９）
ステップＳ９において、メインＣＰＵ３０１は、設定変更終了コマンドをセットする処理を行う。具体的には、メインＣＰＵ３０１は、設定変更終了コマンドをサブ制御基板４００に対して送信するために、当該設定変更終了コマンドを、メインＲＡＭ３０３に設けられている演出用伝送データ格納領域にセットする処理を行う。ここで、「設定変更終了コマンド」とは、設定値の変更が終了した旨の情報や、変更後の設定値に係る情報を有するコマンドである。そして、ステップＳ９の処理が終了すると、ステップＳ１０に処理を移行する。
【０３８０】
（ステップＳ１０）
ステップＳ１０において、メインＣＰＵ３０１は、ドア開閉センサがＯＦＦであるか否かを判定する処理を行う。具体的には、メインＣＰＵ３０１は、ドア開閉センサ１７ｓがＯＦＦであるか否かを判定する処理を行う。そして、ドア開閉センサがＯＦＦであると判定された場合には（ステップＳ１０＝Ｙｅｓ）、ステップＳ１１に処理を移行し、ドア開閉センサがＯＦＦではないと判定された場合には（ステップＳ１０＝Ｎｏ）、ステップＳ１２に処理を移行する。
【０３８１】
（ステップＳ１１）
ステップＳ１１において、メインＣＰＵ３０１は、ドアクローズコマンドをセットする処理を行う。具体的には、メインＣＰＵ３０１は、ドアクローズコマンドをサブ制御基板４００に対して送信するために、当該ドアクローズコマンドを、メインＲＡＭ３０３に設けられている演出用伝送データ格納領域にセットする処理を行う。ここで、「ドアクローズコマンド」とは、前面扉３が閉じられた旨の情報を有するコマンドである。そして、ステップＳ１１の処理が終了すると、メインループ処理（図３６参照）に処理を移行する。
【０３８２】
（ステップＳ１２）
ステップＳ１２において、メインＣＰＵ３０１は、ドアオープンコマンドをセットする処理を行う。具体的には、メインＣＰＵ３０１は、ドアオープンコマンドをサブ制御基板４００に対して送信するために、当該ドアオープンコマンドを、メインＲＡＭ３０３に設けられている演出用伝送データ格納領域にセットする処理を行う。ここで、「ドアオープンコマンド」とは、前面扉３が開放している旨の情報を有するコマンドである。そして、ステップＳ１２の処理が終了すると、メインループ処理（図３６参照）に処理を移行する。
【０３８３】
（メイン制御基板３００によるメインループ処理）
次に、図３６に基づいて、メイン制御基板３００により行われるメインループ処理についての説明を行う。
【０３８４】
（ステップＳ１０１）
ステップＳ１０１において、メインＣＰＵ３０１は、初期化処理を行う。具体的には、メインＣＰＵ３０１は、スタックポインタをセットする処理や、メインＲＡＭ３０３の初期化開始番地と、初期化終了番地をセットしてから、メインＲＡＭ３０３の初期化開始番地から初期化終了番地領域までの領域を初期化する処理等を行う。そして、ステップＳ１０１の処理が終了すると、ステップＳ１０２に処理を移行する。
【０３８５】
（ステップＳ１０２）
ステップＳ１０２において、メインＣＰＵ３０１は、遊技開始管理処理を行う。具体的には、メインＣＰＵ３０１は、メインＲＡＭ３０３に設けられている投入枚数カウンタの値、メインＲＡＭ３０３に設けられている停止制御番号格納領域の値、メインＲＡＭ３０３に設けられている押圧基準位置格納領域の値をクリアする処理等を行う。また、メインＣＰＵ３０１は、メインＲＡＭ３０３に設けられている操作可能状態フラグ格納領域のＢＥＴボタン７や、ＭＡＸＢＥＴボタン８に対応する操作可能状態フラグをＯＮにする処理を行う。そして、ステップＳ１０２の処理が終了すると、ステップＳ１０３に処理を移行する。
【０３８６】
（ステップＳ１０３）
ステップＳ１０３において、メインＣＰＵ３０１は、メダル受付開始処理を行う。当該処理において、メインＣＰＵ３０１は、後述の再遊技作動中フラグがＯＮの場合に、メダルを自動投入する処理等を行う。そして、ステップＳ１０３の処理が終了すると、ステップＳ１０４に処理を移行する。
【０３８７】
（ステップＳ１０４）
ステップＳ１０４において、メインＣＰＵ３０１は、設定値確認処理を行う。具体的には、メインＣＰＵ３０１は、メダルが投入済みでない場合であって、設定変更キースイッチ４９ｓｗがＯＮである場合に、メインＲＡＭ３０３に設けられている設定値格納領域に格納されている設定値の値を設定表示部４４に表示する処理を行う。そして、ステップＳ１０４の処理が終了すると、ステップＳ１０５に処理を移行する。
【０３８８】
（ステップＳ１０５）
ステップＳ１０５において、メインＣＰＵ３０１は、メダル管理処理を行う。当該処理において、メインＣＰＵ３０１は、後述の再遊技作動中フラグがＯＮではない場合に、メダル投入口６にメダルが投入されたか否かを判定し、メダル投入口６にメダルが投入された場合に、メインＲＡＭ３０３に設けられている投入枚数カウンタの値を加算する処理や、ＢＥＴボタン７や、ＭＡＸＢＥＴボタン８の操作が検出されたか否かを判定し、ＢＥＴボタン７や、ＭＡＸＢＥＴボタン８の操作が検出された場合に、メインＲＡＭ３０３に設けられている投入枚数カウンタの値を加算する処理、精算ボタン９の操作が検出されたか否かを判定し、精算ボタン９の操作が検出された場合に、貯留されているメダルを遊技者に返却する処理等を行う。そして、ステップＳ１０５の処理が終了すると、ステップＳ１０６に処理を移行する。
【０３８９】
（ステップＳ１０６）
ステップＳ１０６において、メインＣＰＵ３０１は、投入枚数カウンタの値が「３」であるか否かを判定する処理を行う。具体的には、メインＣＰＵ３０１は、ステップＳ１０３のメダル受付開始処理や、ステップＳ１０５のメダル管理処理により、メインＲＡＭ３０３に設けられている投入枚数カウンタの値が「３」となったか否かを判定する処理を行う。そして、投入枚数カウンタの値が「３」であると判定された場合には（ステップＳ１０６＝Ｙｅｓ）、ステップＳ１０７に処理を移行し、投入枚数カウンタの値が「３」ではないと判定された場合には（ステップＳ１０６＝Ｎｏ）、ステップＳ１０４に処理を移行する。
【０３９０】
（ステップＳ１０７）
ステップＳ１０７において、メインＣＰＵ３０１は、後で図３７を用いて詳述するスタートレバーチェック処理を行う。当該処理において、メインＣＰＵ３０１は、スタートスイッチ１０ｓｗがＯＮであるか否かを判定する処理等を行う。そして、ステップＳ１０７の処理が終了すると、ステップＳ１０８に処理を移行する。
【０３９１】
（ステップＳ１０８）
ステップＳ１０８において、メインＣＰＵ３０１は、スタートスイッチがＯＮであるか否かを判定する処理を行う。具体的には、メインＣＰＵ３０１は、スタートスイッチ１０ｓｗがＯＮであるか否かを判定する処理を行う。そして、スタートスイッチがＯＮであると判定された場合には（ステップＳ１０８＝Ｙｅｓ）、ステップＳ１０９に処理を移行し、スタートスイッチがＯＮではないと判定された場合には（ステップＳ１０８＝Ｎｏ）、ステップＳ１０４に処理を移行する。
【０３９２】
（ステップＳ１０９）
ステップＳ１０９において、メインＣＰＵ３０１は、後で図３８を用いて詳述する内部抽選処理を行う。当該処理において、メインＣＰＵ３０１は、抽選により当選役を決定する処理等を行う。そして、ステップＳ１０９の処理が終了すると、ステップＳ１１０に処理を移行する。
【０３９３】
（ステップＳ１１０）
ステップＳ１１０において、メインＣＰＵ３０１は、後で図３９を用いて詳述する図柄コード設定処理を行う。当該処理において、メインＣＰＵ３０１は、ステップＳ１０９の処理により決定された当選役に基づいて、停止制御番号を取得し、メインＲＡＭ３０３に設けられている停止制御番号格納領域に格納する処理等を行う。そして、ステップＳ１１０の処理が終了すると、ステップＳ１１１に処理を移行する。
【０３９４】
（ステップＳ１１１）
ステップＳ１１１において、メインＣＰＵ３０１は、後で図４０を用いて詳述するリール回転開始準備処理を行う。当該処理において、メインＣＰＵ３０１は、最小遊技時間をセットする処理等を行う。そして、ステップＳ１１１の処理が終了すると、ステップＳ１１２に処理を移行する。
【０３９５】
（ステップＳ１１２）
ステップＳ１１２において、メインＣＰＵ３０１は、後で図４１を用いて詳述するリール停止前処理を行う。当該処理において、メインＣＰＵ３０１は、回転中のリール１７に対する引込予想処理等を行う。そして、ステップＳ１１２の処理が終了すると、ステップＳ１１３に処理を移行する。
【０３９６】
（ステップＳ１１３）
ステップＳ１１３において、メインＣＰＵ３０１は、リール回転中フラグ設定処理を行う。具体的には、メインＣＰＵ３０１は、左リール１８、中リール１９、右リール２０が回転中である旨の情報をメインＲＡＭ３０３に設けられているリール情報格納領域に格納する処理を行う。そして、ステップＳ１１３の処理が終了すると、ステップＳ１１４に処理を移行する。
【０３９７】
（ステップＳ１１４）
ステップＳ１１４において、メインＣＰＵ３０１は、操作可能状態フラグをクリアする処理を行う。具体的には、メインＣＰＵ３０１は、メインＲＡＭ３０３に設けられている操作可能状態フラグ格納領域のＢＥＴボタン７や、ＭＡＸＢＥＴボタン８に対応する操作可能状態フラグをＯＦＦにする処理を行う。そして、ステップＳ１１４の処理が終了すると、ステップＳ１１５に処理を移行する。
【０３９８】
（ステップＳ１１５）
ステップＳ１１５において、メインＣＰＵ３０１は、リール回転開始処理を行う。具体的には、メインＣＰＵ３０１は、リール制御基板１５０を介して、左ステッピングモータ１５１、中ステッピングモータ１５２、右ステッピングモータ１５３を駆動することにより、左リール１８、中リール１９、右リール２０を定速回転させるための処理を行う。そして、ステップＳ１１５の処理が終了すると、ステップＳ１１６に処理を移行する。
【０３９９】
（ステップＳ１１６）
ステップＳ１１６において、メインＣＰＵ３０１は、操作可能状態フラグをセットする処理を行う。具体的には、メインＣＰＵ３０１は、メインＲＡＭ３０３に設けられている操作可能状態フラグ格納領域の左停止ボタン１１、中停止ボタン１２、右停止ボタン１３に対応する操作可能状態フラグをＯＮにする処理を行う。そして、ステップＳ１１６の処理が終了すると、ステップＳ１１７に処理を移行する。
【０４００】
（ステップＳ１１７）
ステップＳ１１７において、メインＣＰＵ３０１は、後で図４２を用いて詳述するリール回転中処理を行う。当該処理において、メインＣＰＵ３０１は、左停止スイッチ１１ｓｗ、中停止スイッチ１２ｓｗ、右停止スイッチ１３ｓｗが遊技者による左停止ボタン１１、中停止ボタン１２、右停止ボタン１３に対する停止操作を検出したことに基づいて、左リール１８、中リール１９、右リール２０の回転を停止させる処理等を行う。そして、ステップＳ１１７の処理が終了すると、ステップＳ１１８に処理を移行する。
【０４０１】
（ステップＳ１１８）
ステップＳ１１８において、メインＣＰＵ３０１は、全リールが停止したか否かを判定する。具体的には、メインＣＰＵ３０１は、メインＲＡＭ３０３に設けられている操作可能状態フラグ格納領域の値に基づいて、左リール１８、中リール１９、右リール２０が全て停止したか否かを判定する処理を行う。そして、全リールが停止したと判定された場合には（ステップＳ１１８＝Ｙｅｓ）、ステップＳ１１９に処理を移行し、全リールが停止していないと判定された場合には（ステップＳ１１８＝Ｎｏ）、ステップＳ１１７に処理を移行し、全リールが停止するまで、同様の処理を繰り返し実行する。
【０４０２】
（ステップＳ１１９）
ステップＳ１１９において、メインＣＰＵ３０１は、後で図４３を用いて詳述する表示判定処理を行う。当該処理において、メインＣＰＵ３０１は、入賞した図柄の組み合わせに応じて払出枚数を算定する処理等を行う。そして、ステップＳ１１９の処理が終了すると、ステップＳ１２０に処理を移行する。
【０４０３】
（ステップＳ１２０）
ステップＳ１２０において、メインＣＰＵ３０１は、払出処理を行う。具体的には、メインＣＰＵ３０１は、「入賞」に係る図柄の組み合わせが有効ライン上に表示されたことに基づいて、電源基板２００を介してホッパー２０２を駆動することにより、メダルを払い出す処理を行う。そして、ステップＳ１２０の処理が終了すると、ステップＳ１２１に処理を移行する。
【０４０４】
（ステップＳ１２１）
ステップＳ１２１において、メインＣＰＵ３０１は、後で図４４を用いて詳述する遊技状態移行処理を行う。当該処理において、メインＣＰＵ３０１は、有効ライン上に表示された図柄の組み合わせに基づいて、ＲＴ遊技状態を移行させる処理等を行う。そして、ステップＳ１２１の処理が終了すると、ステップＳ１０１に処理を移行し、繰り返しメインループ処理を実行する。
【０４０５】
（スタートレバーチェック処理）
次に、図３７に基づいて、図３６のステップＳ１０７の処理により行われるスタートレバーチェック処理についての説明を行う。なお、図３７はスタートレバーチェック処理のサブルーチンを示す図である。
【０４０６】
（ステップＳ１０７−１）
ステップＳ１０７−１において、メインＣＰＵ３０１は、スタートスイッチがＯＮであるか否かを判定する処理を行う。具体的には、メインＣＰＵ３０１は、スタートスイッチ１０ｓｗが遊技者によるスタートレバー１０の操作を検出したか否かを判定する処理を行う。そして、スタートスイッチがＯＮであると判定された場合には（ステップＳ１０７−１＝Ｙｅｓ）、ステップＳ１０７−２に処理を移行し、スタートスイッチがＯＮではないと判定された場合には（ステップＳ１０７−１＝Ｎｏ）、スタートレバーチェック処理のサブルーチンを終了し、メインループ処理のステップＳ１０８に処理を移行する。
【０４０７】
（ステップＳ１０７−２）
ステップＳ１０７−２において、メインＣＰＵ３０１は、再遊技作動中フラグをＯＦＦにする処理を行う。具体的には、メインＣＰＵ３０１は、メインＲＡＭ３０３に設けられている再遊技作動中フラグ格納領域の値をＯＦＦにする処理を行う。そして、ステップＳ１０７−２の処理が終了すると、スタートレバーチェック処理のサブルーチンを終了し、メインループ処理のステップＳ１０８に処理を移行する。
【０４０８】
（内部抽選処理）
次に、図３８に基づいて、図３６のステップＳ１０９の処理により行われる内部抽選処理についての説明を行う。なお、図３８は内部抽選処理のサブルーチンを示す図である。
【０４０９】
（ステップＳ１０９−１）
ステップＳ１０９−１において、メインＣＰＵ３０１は、抽選前エラーチェック処理を行う。具体的には、メインＣＰＵ３０１は、内部抽選処理により当選役を決定する前にエラーを検出する処理を行う。そして、ステップＳ１０９−１の処理が終了すると、ステップＳ１０９−２に処理を移行する。
【０４１０】
なお、メインＣＰＵ３０１は、ステップＳ１０９−１の抽選前エラーチェック処理により、エラーが検出された場合に、復帰不可能エラー時処理を行う。
【０４１１】
（ステップＳ１０９−２）
ステップＳ１０９−２において、メインＣＰＵ３０１は、ハード乱数取得処理を行う。具体的には、メインＣＰＵ３０１は、メイン乱数発生器３０４により生成した乱数値を抽出する処理を行うとともに、抽出した乱数値をレジスタに記憶する処理を行う。そして、ステップＳ１０９−２の処理が終了すると、ステップＳ１０９−３に処理を移行する。
【０４１２】
（ステップＳ１０９−３）
ステップＳ１０９−３において、メインＣＰＵ３０１は、当選番号初期値取得処理を行う。具体的には、メインＣＰＵ３０１は、当選役を決定するに際して当選番号の初期値を取得する処理を行う。ここで、本実施形態において、メインＣＰＵ３０１は、当選番号の初期値として「３９」を取得し、レジスタに記憶する処理を行う。そして、ステップＳ１０９−３の処理が終了すると、ステップＳ１０９−４に処理を移行する。
【０４１３】
（ステップＳ１０９−４）
ステップＳ１０９−４において、メインＣＰＵ３０１は、第２当選役決定テーブルをセットする処理を行う。具体的には、メインＣＰＵ３０１は、メインＲＯＭ３０２に記憶されている第２当選役決定テーブル（図２０参照）をセットする処理を行う。そして、ステップＳ１０９−４の処理が終了すると、ステップＳ１０９−５に処理を移行する。
【０４１４】
（ステップＳ１０９−５）
ステップＳ１０９−５において、メインＣＰＵ３０１は、当選番号取得処理を行う。具体的には、メインＣＰＵ３０１は、レジスタに記憶されている当選番号を取得する処理を行う。そして、ステップＳ１０９−５の処理が終了すると、ステップＳ１０９−６に処理を移行する。
【０４１５】
（ステップＳ１０９−６）
ステップＳ１０９−６において、メインＣＰＵ３０１は、当選番号が「２４」以上であるか否かを判定する処理を行う。具体的には、メインＣＰＵ３０１は、ステップＳ１０９−５の当選番号取得処理により取得した当選番号が「２４」以上であるか否かを判定する処理を行う。そして、当選番号が「２４」以上であると判定された場合には（ステップＳ１０９−６＝Ｙｅｓ）、ステップＳ１０９−１１に処理を移行し、当選番号が「２４」以上ではないと判定された場合には（ステップＳ１０９−６＝Ｎｏ）、ステップＳ１０９−７に処理を移行する。
【０４１６】
（ステップＳ１０９−７）
ステップＳ１０９−７において、メインＣＰＵ３０１は、遊技状態取得処理を行う。具体的には、メインＣＰＵ３０１は、メインＲＡＭ３０３に設けられている遊技状態格納領域の値に基づいて、遊技状態を取得する処理を行う。そして、ステップＳ１０９−７の処理が終了すると、ステップＳ１０９−８に処理を移行する。
【０４１７】
（ステップＳ１０９−８）
ステップＳ１０９−８において、メインＣＰＵ３０１は、第１当選役決定テーブルをセットする処理を行う。具体的には、メインＣＰＵ３０１は、ステップＳ１０９−７の遊技状態取得処理により取得された遊技状態に応じて、第１当選役決定テーブルをセットする処理を行う。例えば、ステップＳ１０９−７の遊技状態取得処理により取得された遊技状態が第１ＲＴ遊技状態である場合には、第１ＲＴ遊技状態用第１当選役決定テーブル（図１４参照）をセットする処理を行う。そして、ステップＳ１０９−８の処理が終了すると、ステップＳ１０９−９に処理を移行する。
【０４１８】
（ステップＳ１０９−９）
ステップＳ１０９−９において、メインＣＰＵ３０１は、抽選データ取得処理を行う。具体的には、メインＣＰＵ３０１は、ステップＳ１０９−８の処理によりセットされた第１当選役決定テーブルと、レジスタに記憶されている当選番号に基づいて、当選番号に対応する当選役に係るデータを取得する処理を行う。そして、ステップＳ１０９−９の処理が終了すると、ステップＳ１０９−１０に処理を移行する。
【０４１９】
（ステップＳ１０９−１０）
ステップＳ１０９−１０において、メインＣＰＵ３０１は、抽選なしか否かを判定する処理を行う。具体的には、メインＣＰＵ３０１は、ステップＳ１０９−９の抽選データ取得処理により取得した当選役に係るデータに基づいて、抽選を行わないか否かを判定する処理を行う。ここで、本実施形態において、メインＣＰＵ３０１は、当選番号に対応する抽選値が「０」の場合に、抽選を行わないと判定する。そして、抽選なしであると判定された場合には（ステップＳ１０９−１０＝Ｙｅｓ）、ステップＳ１０９−１６に処理を移行し、抽選なしではないと判定された場合には（ステップＳ１０９−１０＝Ｎｏ）、ステップＳ１０９−１１に処理を移行する。
【０４２０】
（ステップＳ１０９−１１）
ステップＳ１０９−１１において、メインＣＰＵ３０１は、全設定共通値であるか否かを判定する処理を行う。具体的には、メインＣＰＵ３０１は、ステップＳ１０９−９の抽選データ取得処理により取得した当選番号が設定値を問わずに同一の抽選値であるか否かを判定する処理を行う。そして、全設定共通値であると判定された場合には（ステップＳ１０９−１１＝Ｙｅｓ）、ステップＳ１０９−１３に処理を移行し、全設定共通値ではないと判定された場合には（ステップＳ１０９−１１＝Ｎｏ）、ステップＳ１０９−１２に処理を移行する。
【０４２１】
（ステップＳ１０９−１２）
ステップＳ１０９−１２において、メインＣＰＵ３０１は、設定値別抽選値取得処理を行う。具体的には、メインＣＰＵ３０１は、メインＲＡＭ３０３に設けられている設定値格納領域に格納されている値と、レジスタに記憶されている当選番号に基づいて、現在セットされている第１当選役決定テーブル、または第２当選役決定テーブルの抽選値を取得し、レジスタに記憶する処理を行う。そして、ステップＳ１０９−１２の処理が終了すると、ステップＳ１０９−１４に処理を移行する。
【０４２２】
（ステップＳ１０９−１３）
ステップＳ１０９−１３において、メインＣＰＵ３０１は、全設定共通抽選値取得処理を行う。具体的には、メインＣＰＵ３０１は、レジスタに記憶されている当選番号に基づいて、現在セットされている第１当選役決定テーブル、または第２当選役決定テーブルの抽選値を取得し、レジスタに記憶する処理を行う。そして、ステップＳ１０９−１３の処理が終了すると、ステップＳ１０９−１４に処理を移行する。
【０４２３】
（ステップＳ１０９−１４）
ステップＳ１０９−１４において、メインＣＰＵ３０１は、抽選確認処理を行う。具体的には、メインＣＰＵ３０１は、レジスタに記憶されている乱数値から、ステップＳ１０９−１２の設定値別抽選値取得処理により取得した抽選値、またはステップＳ１０９−１３の全設定共通抽選値取得処理により取得した抽選値を減算し、乱数値が記憶されていたレジスタに記憶した値を、減算した後の値に更新して記憶する処理を行う。そして、ステップＳ１０９−１４の処理が終了すると、ステップＳ１０９−１５に処理を移行する。
【０４２４】
（ステップＳ１０９−１５）
ステップＳ１０９−１５において、メインＣＰＵ３０１は、当選したか否かを判定する処理を行う。具体的には、メインＣＰＵ３０１は、ステップＳ１０９−１４の抽選確認処理によりレジスタに記憶された乱数値から、ステップＳ１０９−１２の設定値別抽選値取得処理により取得した抽選値、またはステップＳ１０９−１３の全設定共通抽選値取得処理により取得した抽選値を減算する処理を行った結果、負の値となったか否かを判定する処理を行う。そして、当選したと判定された場合には（ステップＳ１０９−１５＝Ｙｅｓ）、内部抽選処理のサブルーチンを終了し、メインループ処理のステップＳ１１０に処理を移行する。一方、当選していないと判定された場合には（ステップＳ１０９−１５＝Ｎｏ）、ステップＳ１０９−１６に処理を移行する。
【０４２５】
なお、当選したと判定された場合には（ステップＳ１０９−１５＝Ｙｅｓ）、レジスタに記憶されている当選番号に対応する当選役が決定される。
【０４２６】
（ステップＳ１０９−１６）
ステップＳ１０９−１６において、メインＣＰＵ３０１は、当選番号の値から「１」減算する処理を行う。具体的には、メインＣＰＵ３０１は、レジスタに記憶している当選番号から「１」減算する処理を行う。そして、ステップＳ１０９−１６の処理が終了すると、ステップＳ１０９−１７に処理を移行する。
【０４２７】
（ステップＳ１０９−１７）
ステップＳ１０９−１７において、メインＣＰＵ３０１は、当選番号の値が「０」であるか否かを判定する処理を行う。具体的には、メインＣＰＵ３０１は、ステップＳ１０９−１６の処理により、レジスタに記憶されている当選番号の値から「１」減算した結果、当選番号の値が「０」となったか否かを判定する処理を行う。そして、当選番号の値が「０」であると判定された場合には（ステップＳ１０９−１７＝Ｙｅｓ）、内部抽選処理のサブルーチンを終了し、メインループ処理のステップＳ１１０に処理を移行する。一方、当選番号の値が「０」ではないと判定された場合には（ステップＳ１０９−１７＝Ｎｏ）、ステップＳ１０９−４に処理を移行する。
【０４２８】
なお、本実施形態において、当選番号の値が「０」となった場合には（ステップＳ１０９−１７＝ＹＥＳ）、当選役として「ハズレ」が決定されることとなる。
【０４２９】
（図柄コード設定処理）
次に、図３９に基づいて、図３６のステップＳ１１０の処理により行われる図柄コード設定処理についての説明を行う。なお、図３９は図柄コード設定処理のサブルーチンを示す図である。
【０４３０】
（ステップＳ１１０−１）
ステップＳ１１０−１において、メインＣＰＵ３０１は、停止制御番号取得処理を行う。具体的には、メインＣＰＵ３０１は、ステップＳ１０９の内部抽選処理により決定した当選役の当選番号を停止制御番号として、メインＲＡＭ３０３に設けられている停止制御番号格納領域に格納するとともに、レジスタにセットする処理を行う。そして、ステップＳ１１０−１の処理が終了すると、ステップＳ１１０−２に処理を移行する。
【０４３１】
（ステップＳ１１０−２）
ステップＳ１１０−２において、メインＣＰＵ３０１は、表示許可図柄ビット設定処理を行う。具体的には、メインＣＰＵ３０１は、ステップＳ１１０−１の停止制御番号取得処理により取得した停止制御番号に基づいて、有効ライン上に表示することが許容される図柄の組み合わせに係る情報である表示許可図柄ビットを設定する処理を行う。そして、ステップＳ１１０−２の処理が終了すると、ステップＳ１１０−３に処理を移行する。
【０４３２】
（ステップＳ１１０−３）
ステップＳ１１０−３において、メインＣＰＵ３０１は、リール回転開始受付コマンドをセットする処理を行う。具体的には、メインＣＰＵ３０１は、リール回転開始受付コマンドをサブ制御基板４００に対して送信するために、当該リール回転開始受付コマンドを、メインＲＡＭ３０３に設けられている演出用伝送データ格納領域にセットする処理を行う。ここで、「リール回転開始受付コマンド」とは、スタートレバー１０の操作が受け付けられた旨の情報等を有するコマンドである。そして、ステップＳ１１０−３の処理が終了すると、ステップＳ１１０−４に処理を移行する。
【０４３３】
（ステップＳ１１０−４）
ステップＳ１１０−４において、メインＣＰＵ３０１は、回胴演出抽選処理を行う。当該処理において、メインＣＰＵ３０１は、左リール１８、中リール１９、右リール２０を回転させる回胴演出を行うか否かを抽選する処理を行い、当該抽選に当選した場合には、メインＲＡＭ３０３に設けられている回胴演出情報格納領域に、当選した回胴演出に係る情報を格納する処理を行う。そして、ステップＳ１１０−４の処理が終了すると、ステップＳ１１０−５に処理を移行する。
【０４３４】
（ステップＳ１１０−５）
ステップＳ１１０−５において、メインＣＰＵ３０１は、条件装置コマンドをセットする処理を行う。具体的には、メインＣＰＵ３０１は、条件装置コマンドをサブ制御基板４００に対して送信するために、当該条件装置コマンドを、メインＲＡＭ３０３に設けられている演出用伝送データ格納領域にセットする処理を行う。ここで、「条件装置コマンド」とは、当選役に係る情報や、実行することとなる回胴演出に係る情報等を有するコマンドである。そして、ステップＳ１１０−５の処理が終了すると、図柄コード設定処理のサブルーチンを終了し、メインループ処理のステップＳ１１１に処理を移行する。
【０４３５】
（リール回転開始準備処理）
次に、図４０に基づいて、図３６のステップＳ１１１の処理により行われるリール回転開始準備処理についての説明を行う。なお、図４０はリール回転開始準備処理のサブルーチンを示す図である。
【０４３６】
（ステップＳ１１１−１）
ステップＳ１１１−１において、メインＣＰＵ３０１は、回胴演出設定処理を行う。具体的には、メインＣＰＵ３０１は、メインＲＡＭ３０３に設けられている回胴演出情報格納領域に格納されている情報に基づいて、回胴演出を実行するための情報をセットする処理を行うとともに、回胴演出を実行する処理を行う。そして、ステップＳ１１１−１の処理が終了すると、ステップＳ１１１−２に処理を移行する。
【０４３７】
（ステップＳ１１１−２）
ステップＳ１１１−２において、メインＣＰＵ３０１は、最小遊技時間が経過したか否かを判定する処理を行う。具体的には、メインＣＰＵ３０１は、前回の遊技において、後述のステップＳ１１１−３の処理により設定されたタイマカウンタの値が「０」になったか否かを判定する処理を行う。そして、最小遊技時間が経過したと判定された場合には（ステップＳ１１１−２＝Ｙｅｓ）、ステップＳ１１１−３に処理を移行し、最小遊技時間が経過していないと判定された場合には（ステップＳ１１１−２＝Ｎｏ）、最小遊技時間が経過するまで、ステップＳ１１１−２の処理を繰り返し実行する。
【０４３８】
（ステップＳ１１１−３）
ステップＳ１１１−３において、メインＣＰＵ３０１は、最小遊技時間をセットする処理を行う。具体的には、メインＣＰＵ３０１は、遊技に対する射幸性を抑えるために、前回の遊技におけるステップＳ１１１−３の処理から今回の遊技におけるステップＳ１１１−２の処理までの時間が最小遊技時間未満とならないように、最小遊技時間をタイマカウンタにセットする処理を行う。ここで、本実施形態において、最小遊技時間は、約「４．１」秒である。そして、ステップＳ１１１−３の処理が終了すると、ステップＳ１１１−４に処理を移行する。
【０４３９】
（ステップＳ１１１−４）
ステップＳ１１１−４において、メインＣＰＵ３０１は、リール回転開始コマンドをセットする処理を行う。具体的には、メインＣＰＵ３０１がサブ制御基板４００に対して、リール回転開始コマンドを送信するために、当該リール回転開始コマンドをメインＲＡＭ３０３の演出用伝送データ格納領域にセットする処理を行う。ここで、リール回転開始コマンドとは、左リール１８、中リール１９、右リール２０の回転が開始される旨の情報を有するコマンドである。そして、ステップＳ１１１−４の処理が終了すると、リール回転開始準備処理のサブルーチンを終了し、メインループ処理のステップＳ１１２に処理を移行する。
【０４４０】
（リール停止前処理）
次に、図４１に基づいて、図３６のステップＳ１１２の処理により行われるリール停止前処理についての説明を行う。なお、図４１はリール停止前処理のサブルーチンを示す図である。
【０４４１】
（ステップＳ１１２−１）
ステップＳ１１２−１において、メインＣＰＵ３０１は、引込予想リール検索初期値をセットする処理を行う。具体的には、メインＣＰＵ３０１は、引込予想リール検索初期値として、右リール２０に対応するデータ「１００Ｂ」を、レジスタにセットする処理を行う。そして、ステップＳ１１２−１の処理が終了すると、ステップＳ１１２−２に処理を移行する。
【０４４２】
（ステップＳ１１２−２）
ステップＳ１１２−２において、メインＣＰＵ３０１は、リールが回転中であるか否かを判定する処理を行う。具体的には、メインＣＰＵ３０１は、ステップＳ１１２−１の処理でセットした引込予想リール検索初期値、または後述のステップＳ１１２−４により更新された検索対象リールの値に基づいて、検索対象である左リール１８、中リール１９、右リール２０が回転中であるか否かを判定する処理を行う。そして、リールが回転中であると判定された場合には（ステップＳ１１２−２＝Ｙｅｓ）、ステップＳ１１２−３に処理を移行し、リールが回転中でないと判定された場合には（ステップＳ１１２−２＝Ｎｏ）、ステップＳ１１２−４に処理を移行する。
【０４４３】
（ステップＳ１１２−３）
ステップＳ１１２−３において、メインＣＰＵ３０１は、引込予想処理を行う。具体的には、メインＣＰＵ３０１は、まず、仮想停止位置の初期値をセットし、仮想停止位置に応じた引込優先順位を取得し、メインＲＡＭ３０３に設けられている引込優先順位格納領域に格納する処理を行う。そして、ステップＳ１１２−３の処理が終了すると、ステップＳ１１２−４に処理を移行する。
【０４４４】
なお、メインＣＰＵ３０１は、ステップＳ１１２−３の引込予想処理により、メインＲＡＭ３０３に設けられている引込優先順位格納領域に格納されたデータを所定のタイミングでクリアする処理を行う。
【０４４５】
（ステップＳ１１２−４）
ステップＳ１１２−４において、メインＣＰＵ３０１は、次の検索対象リールを取得する処理を行う。具体的には、メインＣＰＵ３０１は、検索対象リールが停止していると判定された場合（ステップＳ１１２−２＝Ｎｏ）、またはステップＳ１１２−３の引込予想処理において、検索対象リールの引込予想処理が終了した場合に、次の検索対象リールを取得するために、レジスタにセットされている値を右シフトする処理を行う。そして、ステップＳ１１２−４の処理が終了すると、ステップＳ１１２−５に処理を移行する。
【０４４６】
（ステップＳ１１２−５）
ステップＳ１１２−５において、メインＣＰＵ３０１は、全リールの処理が終了したか否かを判定する処理を行う。具体的には、メインＣＰＵ３０１は、左リール１８、中リール１９、右リール２０の全てのリールの引込予想処理が終了したか否かを判定する処理を行う。そして、全リールの処理が終了したと判定された場合には（ステップＳ１１２−５＝Ｙｅｓ）、リール停止前処理のサブルーチンを終了し、メインループ処理のステップＳ１１３に処理を移行する。一方、全リールの処理が終了していないと判定された場合には（ステップＳ１１２−５＝Ｎｏ）、ステップＳ１１２−２に処理を移行し、左リール１８、中リール１９、右リール２０の全てのリールに対する引込予想処理が終了するまで、同様の処理を繰り返し実行する。
【０４４７】
（リール回転中処理）
次に、図４２に基づいて、図３６のステップＳ１１７の処理により行われるリール回転中処理についての説明を行う。なお、図４２はリール回転中処理のサブルーチンを示す図である。
【０４４８】
（ステップＳ１１７−１）
ステップＳ１１７−１において、メインＣＰＵ３０１は、停止ボタン押圧時であるか否かを判定する処理を行う。具体的には、メインＣＰＵ３０１は、左停止スイッチ１１ｓｗ、中停止スイッチ１２ｓｗ、右停止スイッチ１３ｓｗが遊技者による左停止ボタン１１、中停止ボタン１２、右停止ボタン１３の操作を検出したか否かを判定する処理を行う。そして、停止ボタンが押圧されたと判定された場合には（ステップＳ１１７−１＝Ｙｅｓ）、ステップＳ１１７−２に処理を移行し、停止ボタンが押圧されていないと判定された場合には（ステップＳ１１７−１＝Ｎｏ）、リール回転中処理のサブルーチンを終了し、メインループ処理のステップＳ１１８に処理を移行する。
【０４４９】
（ステップＳ１１７−２）
ステップＳ１１７−２において、メインＣＰＵ３０１は、操作可能状態フラグをＯＦＦにする処理を行う。具体的には、メインＣＰＵ３０１は、操作された左停止ボタン１１、中停止ボタン１２、右停止ボタン１３に基づいて、メインＲＡＭ３０３に設けられている操作可能状態フラグ格納領域の左停止ボタン１１、中停止ボタン１２、右停止ボタン１３に対応する操作可能状態フラグをＯＦＦにする処理を行う。そして、ステップＳ１１７−２の処理が終了すると、ステップＳ１１７−３に処理を移行する。
【０４５０】
（ステップＳ１１７−３）
ステップＳ１１７−３において、メインＣＰＵ３０１は、押圧情報保存処理を行う。具体的には、メインＣＰＵ３０１は、左停止ボタン１１、中停止ボタン１２、右停止ボタン１３のうち、操作された停止ボタンに対応する左リール１８、中リール１９、右リール２０と、左ステッピングモータ１５１、中ステッピングモータ１５２、右ステッピングモータ１５３に供給しているパルスカウンタの値に基づいて、押圧基準位置を取得し、メインＲＡＭ３０３に設けられている押圧基準位置格納領域に格納する処理を行う。そして、ステップＳ１１７−３の処理が終了すると、ステップＳ１１７−４に処理を移行する。
【０４５１】
（ステップＳ１１７−４）
ステップＳ１１７−４において、メインＣＰＵ３０１は、滑りコマ数取得処理を行う。具体的には、メインＣＰＵ３０１は、メインＲＯＭ３０２に設けられている滑りコマ数決定テーブル（図示せず）と、内部抽選処理により決定された当選役と、左停止ボタン１１、中停止ボタン１２、右停止ボタン１３の操作順序等に基づいて、滑りコマ数を取得する処理を行う。ここで、本実施の形態において、メインＣＰＵ３０１は、滑りコマ数として、「０」コマから「４」コマの範囲内で滑りコマ数を決定する処理を行う。そして、ステップＳ１１７−４の処理が終了すると、ステップＳ１１７−５に処理を移行する。
【０４５２】
（ステップＳ１１７−５）
ステップＳ１１７−５において、メインＣＰＵ３０１は、リール停止処理を行う。具体的には、メインＣＰＵ３０１は、ステップＳ１１７−３の押圧情報保存処理により保存された押圧基準位置と、ステップＳ１１７−４の滑りコマ数取得処理により取得した滑りコマ数とに基づいて、リールを停止させる処理を行う。そして、ステップＳ１１７−５の処理が終了すると、ステップＳ１１７−６に処理を移行する。
【０４５３】
（ステップＳ１１７−６）
ステップＳ１１７−６において、メインＣＰＵ３０１は、リール停止コマンドをセットする処理を行う。具体的には、メインＣＰＵ３０１は、リール停止コマンドをサブ制御基板４００に対して送信するために、当該リール停止コマンドを、メインＲＡＭ３０３に設けられている演出用伝送データ格納領域にセットする処理を行う。ここで、「リール停止コマンド」とは、押圧基準位置や、滑りコマ数の情報等を有するコマンドである。そして、ステップＳ１１７−６の処理が終了すると、リール回転中処理のサブルーチンを終了し、メインループ処理のステップＳ１１８に処理を移行する。
【０４５４】
（表示判定処理）
次に、図４３に基づいて、図３６のステップＳ１１９の処理により行われる表示判定処理についての説明を行う。なお、図４３は表示判定処理のサブルーチンを示す図である。
【０４５５】
（ステップＳ１１９−１）
ステップＳ１１９−１において、メインＣＰＵ３０１は、表示判定コマンドをセットする処理を行う。具体的には、メインＣＰＵ３０１は、表示判定コマンドをサブ制御基板４００に対して送信するために、当該表示判定コマンドを、メインＲＡＭ３０３に設けられている演出用伝送データ格納領域にセットする処理を行う。ここで、「表示判定コマンド」とは、有効ライン上に表示された図柄の組み合わせに関する情報等を有するコマンドである。そして、ステップＳ１１９−１の処理が終了すると、ステップＳ１１９−２に処理を移行する。
【０４５６】
（ステップＳ１１９−２）
ステップＳ１１９−２において、メインＣＰＵ３０１は、ブランクが表示されたか否かを判定する処理を行う。具体的には、メインＣＰＵ３０１は、「ブランク」に係る図柄の組み合わせが有効ライン上に表示されたか否かを判定する処理を行う。そして、ブランクが表示されたと判定された場合には（ステップＳ１１９−２＝Ｙｅｓ）、表示判定処理のサブルーチンを終了し、メインループ処理のステップＳ１２０に処理を移行する。一方、ブランクが表示されていないと判定された場合には（ステップＳ１１９−２＝Ｎｏ）、ステップＳ１１９−３に処理を移行する。
【０４５７】
（ステップＳ１１９−３）
ステップＳ１１９−３において、メインＣＰＵ３０１は、入賞が成立したか否かを判定する処理を行う。具体的には、メインＣＰＵ３０１は、「入賞」に係る図柄の組み合わせが有効ライン上に表示されたか否かを判定する処理を行う。そして、入賞が成立したと判定された場合には（ステップＳ１１９−３＝Ｙｅｓ）、ステップＳ１１９−４に処理を移行し、入賞が成立していないと判定された場合には（ステップＳ１１９−３＝Ｎｏ）、ステップＳ１１９−５に処理を移行する。
【０４５８】
（ステップＳ１１９−４）
ステップＳ１１９−４において、メインＣＰＵ３０１は、払出枚数算定処理を行う。具体的には、メインＣＰＵ３０１は、有効ライン上に表示された「入賞」に係る図柄の組み合わせに基づいて、払出枚数を算定する処理を行う。そして、ステップＳ１１９−４の処理が終了すると、表示判定処理のサブルーチンを終了し、メインループ処理のステップＳ１２０に処理を移行する。
【０４５９】
（ステップＳ１１９−５）
ステップＳ１１９−５において、メインＣＰＵ３０１は、リプレイが成立したか否かを判定する処理を行う。具体的には、メインＣＰＵ３０１は、「リプレイ」に係る図柄の組み合わせが有効ライン上に表示されたか否かを判定する処理を行う。そして、リプレイが成立したと判定された場合には（ステップＳ１１９−５＝Ｙｅｓ）、ステップＳ１１９−６に処理を移行し、リプレイが成立していないと判定された場合には（ステップＳ１１９−５＝Ｎｏ）、表示判定処理のサブルーチンを終了し、メインループ処理のステップＳ１２０に処理を移行する。
【０４６０】
（ステップＳ１１９−６）
ステップＳ１１９−６において、メインＣＰＵ３０１は、再遊技作動中フラグをＯＮにする処理を行う。具体的には、メインＣＰＵ３０１は、メインＲＡＭ３０３に設けられている再遊技作動中フラグ格納領域の値をＯＮにする処理を行う。そして、ステップＳ１１９−６の処理が終了すると、表示判定処理のサブルーチンを終了し、メインループ処理のステップＳ１２０に処理を移行する。
【０４６１】
（遊技状態移行処理）
次に、図４４に基づいて、図３６のステップＳ１２１の処理により行われる遊技状態移行処理についての説明を行う。なお、図４４は遊技状態移行処理のサブルーチンを示す図である。
【０４６２】
（ステップＳ１２１−１）
ステップＳ１２１−１において、メインＣＰＵ３０１は、後で図４５を用いて詳述するＲＴ遊技状態移行処理を行う。当該処理において、メインＣＰＵ３０１は、現在の遊技状態と、有効ライン上に表示された図柄の組み合わせとに基づいて、ＲＴ遊技状態を移行する処理等を行う。そして、ステップＳ１２１−１の処理が終了すると、ステップＳ１２１−２に処理を移行する。
【０４６３】
（ステップＳ１２１−２）
ステップＳ１２１−２において、メインＣＰＵ３０１は、遊技終了コマンドをセットする処理を行う。具体的には、メインＣＰＵ３０１は、遊技終了コマンドをサブ制御基板４００に対して送信するために、当該遊技終了コマンドを、メインＲＡＭ３０３に設けられている演出用伝送データ格納領域にセットする処理を行う。ここで、「遊技終了コマンド」とは、遊技が終了した旨の情報や、遊技状態に係る情報等を有するコマンドである。そして、ステップＳ１２１−２の処理が終了すると、遊技状態移行処理のサブルーチンを終了し、メインループ処理のステップＳ１０１に処理を移行する。
【０４６４】
（ＲＴ遊技状態移行処理）
次に、図４５に基づいて、図４４のステップＳ１２１−１の処理により行われるＲＴ遊技状態移行処理についての説明を行う。なお、図４５はＲＴ遊技状態移行処理のサブルーチンを示す図である。
【０４６５】
（ステップＳ１２１−１−１）
ステップＳ１２１−１−１において、メインＣＰＵ３０１は、遊技状態移行図柄が表示されたか否かを判定する処理を行う。具体的には、メインＣＰＵ３０１は、「ブランク」に係る図柄の組み合わせ、「準備リプレイ」に係る図柄の組み合わせ、「Ｂｏｎｕｓリプレイ」に係る図柄の組み合わせ、「ＡＲＴリプレイ」に係る図柄の組み合わせ、「特別リプレイ」に係る図柄の組み合わせ、または「ＲＵＳＨリプレイ」に係る図柄の組み合わせのうち、何れかの図柄の組み合わせが有効ライン上に表示されたか否かを判定する処理を行う。そして、遊技状態移行図柄が表示された場合には（ステップＳ１２１−１−１＝Ｙｅｓ）、ステップＳ１２１−１−２に処理を移行し、遊技状態移行図柄が表示されていないと判定された場合には（ステップＳ１２１−１−１＝Ｎｏ）、ＲＴ遊技状態移行処理のサブルーチンを終了し、遊技状態移行処理のステップＳ１２１−２に処理を移行する。
【０４６６】
（ステップＳ１２１−１−２）
ステップＳ１２１−１−２において、メインＣＰＵ３０１は、遊技状態取得処理を行う。具体的には、メインＣＰＵ３０１は、メインＲＡＭ３０３に設けられている遊技状態格納領域の値に基づいて、遊技状態を取得する処理を行う。そして、ステップＳ１２１−１−２の処理が終了すると、ステップＳ１２１−１−３に処理を移行する。
【０４６７】
（ステップＳ１２１−１−３）
ステップＳ１２１−１−３において、メインＣＰＵ３０１は、遊技状態移行時であるか否かを判定する処理を行う。具体的には、メインＣＰＵ３０１は、遊技状態移行図（図２１参照）に示す通り、例えば、非ＲＴ遊技状態において、「ブランク」に係る図柄の組み合わせが表示された場合等、ステップＳ１２１−１−２の遊技状態取得処理により取得した遊技状態と、有効ライン上に表示された図柄の組み合わせに基づいて、遊技状態移行時であるか否かを判定する処理を行う。そして、遊技状態移行時であると判定された場合には（ステップＳ１２１−１−３＝Ｙｅｓ）、ステップＳ１２１−１−４に処理を移行し、遊技状態移行時ではないと判定された場合には（ステップＳ１２１−１−３＝Ｎｏ）、ＲＴ遊技状態移行処理のサブルーチンを終了し、遊技状態移行処理のステップＳ１２１−２に処理を移行する。
【０４６８】
（ステップＳ１２１−１−４）
ステップＳ１２１−１−４において、メインＣＰＵ３０１は、遊技状態設定処理を行う。具体的には、メインＣＰＵ３０１は、ステップＳ１２１−１−２の遊技状態取得処理により取得した遊技状態と、有効ライン上に表示された図柄の組み合わせに基づいて、メインＲＡＭ３０３に設けられている遊技状態格納領域の値を更新する処理を行う。そして、ステップＳ１２１−１−４の処理が終了すると、ＲＴ遊技状態移行処理のサブルーチンを終了し、遊技状態移行処理のステップＳ１２１−２に処理を移行する。
【０４６９】
（割込処理）
次に、図４６に基づいて、割込処理についての説明を行う。ここで、割込処理は、メインループ処理に対して、「１．４９ｍｓ」毎に割り込んで行われる処理である。
【０４７０】
（ステップＳ２０１）
ステップＳ２０１において、メインＣＰＵ３０１は、レジスタを退避する処理を行う。具体的には、メインＣＰＵ３０１は、ステップＳ２０１の時点で使用しているレジスタの値を退避する処理を行う。そして、ステップＳ２０１の処理が終了すると、ステップＳ２０２に処理を移行する。
【０４７１】
（ステップＳ２０２）
ステップＳ２０２において、メインＣＰＵ３０１は、入力ポート読込処理を行う。具体的には、メインＣＰＵ３０１は、ステータス基板１００、リール制御基板１５０、電源基板２００、設定スイッチ基板２５０から所定の信号を受信する処理を行う。そして、ステップＳ２０２の処理が終了すると、ステップＳ２０３に処理を移行する。
【０４７２】
（ステップＳ２０３）
ステップＳ２０３において、メインＣＰＵ３０１は、外部信号出力データセット処理を行う。具体的には、メインＣＰＵ３０１は、エラーに係る外部信号の出力要求がある場合に、外部集中端子板４７の出力ポートデータをセットする処理等を行う。そして、ステップＳ２０３の処理が終了すると、ステップＳ２０４に処理を移行する。
【０４７３】
（ステップＳ２０４）
ステップＳ２０４において、メインＣＰＵ３０１は、タイマ計測処理を行う。具体的には、メインＣＰＵ３０１は、回胴演出時の演出用タイマや、最小遊技時間等を計測するためのタイマカウンタの値から「１」減算する処理を行う。そして、ステップＳ２０４の処理が終了すると、ステップＳ２０５に処理を移行する。
【０４７４】
（ステップＳ２０５）
ステップＳ２０５において、メインＣＰＵ３０１は、リール番号として「３」をセットする処理を行う。具体的には、メインＣＰＵ３０１は、後述するステップＳ２０６のリール駆動制御処理において、駆動制御するリールの対象を設定するために、リール番号として「３」をセットする処理を行う。そして、ステップＳ２０５の処理が終了すると、ステップＳ２０６に処理を移行する。
【０４７５】
（ステップＳ２０６）
ステップＳ２０６において、メインＣＰＵ３０１は、リール駆動制御処理を行う。具体的には、メインＣＰＵ３０１は、リール制御基板１５０を介して、ステップＳ２０５の処理によりセットされたリール番号に対応する左リール１８、中リール１９、右リール２０の左ステッピングモータ１５１、中ステッピングモータ１５２、右ステッピングモータ１５３を駆動することにより、左リール１８、中リール１９、右リール２０の回転の加速、定速、減速制御等を行う。そして、ステップＳ２０６の処理が終了すると、ステップＳ２０７に処理を移行する。
【０４７６】
なお、本実施形態において、メインＣＰＵ３０１は、リール番号が「３」の場合には、右リール２０の駆動制御を行い、リール番号が「２」の場合には、中リール１９の駆動制御を行い、リール番号が「１」の場合には、左リール１８の駆動制御を行う。
【０４７７】
（ステップＳ２０７）
ステップＳ２０７において、メインＣＰＵ３０１は、リール番号から「１」減算する処理を行う。具体的には、メインＣＰＵ３０１は、現在レジスタにセットされているリール番号から「１」減算する処理を行う。そして、ステップＳ２０７の処理が終了すると、ステップＳ２０８に処理を移行する。
【０４７８】
（ステップＳ２０８）
ステップＳ２０８において、メインＣＰＵ３０１は、リール番号が「０」であるか否かを判定する処理を行う。具体的には、メインＣＰＵ３０１は、左リール１８、中リール１９、右リール２０の全てのリールに対して、ステップＳ２０６のリール駆動制御処理を行ったか否かを判定する処理を行う。そして、リール番号が「０」であると判定された場合には（ステップＳ２０８＝Ｙｅｓ）、ステップＳ２０９に処理を移行し、リール番号が「０」ではないと判定された場合には（ステップＳ２０８＝Ｎｏ）、ステップＳ２０６に処理を移行する。
【０４７９】
（ステップＳ２０９）
ステップＳ２０９において、メインＣＰＵ３０１は、外部信号出力処理を行う。当該処理において、メインＣＰＵ３０１は、外部集中端子板４７の出力ポートデータを設定する処理等を行う。そして、ステップＳ２０９の処理が終了すると、ステップＳ２１０に処理を移行する。
【０４８０】
（ステップＳ２１０）
ステップＳ２１０において、メインＣＰＵ３０１は、ＬＥＤ出力データ作成処理を行う。具体的には、メインＣＰＵ３０１は、スタートランプ２４、第１ＢＥＴランプ２５、第２ＢＥＴランプ２６、第３ＢＥＴランプ２７、貯留枚数表示器２８、払出枚数表示器２９、投入可能表示ランプ３０、及び再遊技表示ランプ３１の表示データを作成する処理を行う。そして、ステップＳ２１０の処理が終了すると、ステップＳ２１１に処理を移行する。
【０４８１】
なお、メインＣＰＵ３０１は、ステップＳ２１０のＬＥＤ出力データ作成処理において、再遊技表示ランプ３１を点灯させる表示データを作成する場合に、メインＲＡＭ３０３に設けられている再遊技表示ランプ点灯フラグをＯＮとする制御を行い、再遊技表示ランプ３１を消灯させる表示データを作成する場合に、メインＲＡＭ３０３に設けられている再遊技表示ランプ点灯フラグをＯＦＦとする制御を行う。
【０４８２】
（ステップＳ２１１）
ステップＳ２１１において、メインＣＰＵ３０１は、ＬＥＤ表示処理を行う。具体的には、メインＣＰＵ３０１は、スタートランプ２４、第１ＢＥＴランプ２５、第２ＢＥＴランプ２６、第３ＢＥＴランプ２７、貯留枚数表示器２８、払出枚数表示器２９、投入可能表示ランプ３０、及び再遊技表示ランプ３１の制御を行う。そして、ステップＳ２１１の処理が終了すると、ステップＳ２１２に処理を移行する。
【０４８３】
（ステップＳ２１２）
ステップＳ２１２において、メインＣＰＵ３０１は、制御コマンド送信処理を行う。具体的には、メインＣＰＵ３０１は、メインＲＡＭ３０３に設けられている演出用伝送データ格納領域にセットされた各種コマンドをサブ制御基板４００に対して送信する処理を行う。そして、ステップＳ２１２の処理が終了すると、ステップＳ２１３に処理を移行する。
【０４８４】
（ステップＳ２１３）
ステップＳ２１３において、メインＣＰＵ３０１は、ポート出力処理を行う。具体的には、メインＣＰＵ３０１は、ステータス基板１００、リール制御基板１５０、電源基板２００、サブ制御基板４００に対して、所定の信号を送信する処理を行う。そして、ステップＳ２１３の処理が終了すると、ステップＳ２１４に処理を移行する。
【０４８５】
（ステップＳ２１４）
ステップＳ２１４において、メインＣＰＵ３０１は、レジスタの復帰処理を行う。具体的には、メインＣＰＵ３０１は、ステップＳ２０１の処理において、退避したレジスタの値を復帰させる処理を行う。そして、ステップＳ２１４の処理が終了すると、割込処理を終了し、メインループ処理に復帰する。
【０４８６】
（サブ制御基板におけるメイン処理）
次に、図４７に基づいて、サブ制御基板におけるメイン処理についての説明を行う。
【０４８７】
（ステップＳ３０１）
ステップＳ３０１において、サブＣＰＵ４０１は、初期化処理を行う。具体的には、サブＣＰＵ４０１は、サブＲＡＭ４０３のエラーチェック等の処理を行う。そして、ステップＳ３０１の処理が終了すると、ステップＳ３０２に処理を移行する。このとき、メイン制御基板３００から設定変更開始コマンドを受信する場合、サブＣＰＵ４０１は、サブＲＡＭ４０３におけるＲＥＳＥＴ端子にリセット信号を送出する。また、設定変更終了コマンドを受信する場合も同様に、サブＣＰＵ４０１は、サブＲＡＭ４０３におけるＲＥＳＥＴ端子にリセット信号を送出する。これによって、後述するような、サブＲＡＭ４０３のリセット処理が行われることとなる。
【０４８８】
（ステップＳ３０２）
ステップＳ３０２において、サブＣＰＵ４０１は、後で図４８を用いて詳述する主基板通信処理を行う。当該処理において、サブＣＰＵ４０１は、メイン制御基板３００から送信されたコマンドを解析する処理等を行う。そして、ステップＳ３０２の処理が終了すると、ステップＳ３０３に処理を移行する。
【０４８９】
（ステップＳ３０３）
ステップＳ３０３において、サブＣＰＵ４０１は、サウンド制御処理を行う。具体的には、サブＣＰＵ４０１は、後述のサブ演出決定処理により決定された演出内容に基づいて、左上部スピーカ、左下部スピーカ、右上部スピーカ、右下部スピーカ（以下、総称して「スピーカ４０」と称する）から音声を出力する処理等を行う。そして、ステップＳ３０３の処理が終了すると、ステップＳ３０４に処理を移行する。
【０４９０】
（ステップＳ３０４）
ステップＳ３０４において、サブＣＰＵ４０１は、ランプ制御処理を行う。具体的には、サブＣＰＵ４０１は、後述のサブ演出決定処理により決定された演出内容に基づいて、中継基板７００を介して演出ボタン２１、十字キー２２の制御を行う。このほか、Ｂｏｎｕｓを表示する表示部、ＡＲＴを表示する表示部、ＲＵＳＨを表示する表示部、停止ボタン操作を表示する表示部、スタートレバーの操作を指示するＬＥＤ、ＭＡＸＢＥＴボタンの操作を指示するＬＥＤ、停止ボタンの操作を指示するＬＥＤ等が設けられている場合にはこれらを制御する。また、サブＣＰＵ４０１は、後述のサブ演出決定処理により決定された演出内容に基づいて、演出制御基板６００を介して、演出装置５０を制御する。そして、ステップＳ３０４の処理が終了すると、ステップＳ３０５に処理を移行する。
【０４９１】
（ステップＳ３０５）
ステップＳ３０５において、サブＣＰＵ４０１は、画像制御処理を行う。具体的には、サブＣＰＵ４０１は、後述のサブ演出決定処理により決定された演出内容に基づいて、演出制御基板６００を介して液晶表示装置４６の制御を行う。そして、ステップＳ３０５の処理が終了すると、ステップＳ３０６に処理を移行する。
【０４９２】
（ステップＳ３０６）
ステップＳ３０６において、サブＣＰＵ４０１は、各種スイッチ検出時処理を行う。具体的には、サブＣＰＵ４０１は、演出ボタン２１が操作された場合や、十字キー２２が操作された場合に所定の処理を実行する処理を行う。そして、ステップＳ３０６の処理が終了すると、ステップＳ３０２に処理を移行する。
【０４９３】
（主基板通信処理）
次に、図４８に基づいて、図４７のステップＳ３０２の処理により行われる主基板通信処理についての説明を行う。なお、図４８は主基板通信処理のサブルーチンを示す図である。
【０４９４】
（ステップＳ３０２−１）
ステップＳ３０２−１において、サブＣＰＵ４０１は、異なるコマンドを受信したか否かを判定する処理を行う。具体的には、サブＣＰＵ４０１は、メイン制御基板３００から送信されたコマンドが前回送信されたコマンドと異なるコマンドであるか否かを判定する処理を行う。そして、異なるコマンドを受信したと判定された場合には（ステップＳ３０２−１＝Ｙｅｓ）、ステップＳ３０２−２に処理を移行し、異なるコマンドを受信していないと判定された場合には（ステップＳ３０２−１＝Ｎｏ）、主基板通信処理のサブルーチンを終了し、サブ制御基板におけるメイン処理のステップＳ３０３に処理を移行する。
【０４９５】
（ステップＳ３０２−２）
ステップＳ３０２−２において、サブＣＰＵ４０１は、遊技情報格納処理を行う。具体的には、サブＣＰＵ４０１は、前回送信されたコマンドと異なるコマンドに基づいて、遊技情報を作成し、サブＲＡＭ４０３の所定の格納領域に格納する処理を行う。そして、ステップＳ３０２−２の処理が終了すると、ステップＳ３０２−３に処理を移行する。
【０４９６】
（ステップＳ３０２−３）
ステップＳ３０２−３において、サブＣＰＵ４０１は、後で図４９を用いて詳述するコマンド解析処理を行う。当該処理において、サブＣＰＵ４０１は、ステップＳ３０２−２の処理により格納した遊技情報に基づいた処理を実行する。そして、ステップＳ３０２−３の処理が終了すると、主基板通信処理のサブルーチンを終了し、サブ制御基板におけるメイン処理のステップＳ３０３に処理を移行する。
【０４９７】
（コマンド解析処理）
次に、図４９に基づいて、図４８のステップＳ３０２−３の処理により行われるコマンド解析処理についての説明を行う。なお、図４９はコマンド解析処理のサブルーチンを示す図である。
【０４９８】
（ステップＳ３０２−３−１）
ステップＳ３０２−３−１において、サブＣＰＵ４０１は、後で図５０を用いて詳述するコマンド別処理を行う。当該処理において、サブＣＰＵ４０１は、メイン制御基板３００から受信したコマンドに応じた処理を行う。そして、ステップＳ３０２−３−１の処理が終了すると、ステップＳ３０２−３−２に処理を移行する。
【０４９９】
（ステップＳ３０２−３−２）
ステップＳ３０２−３−２において、サブＣＰＵ４０１は、ランプデータ決定処理を行う。具体的には、サブＣＰＵ４０１は、ステップＳ３０２−３−１のコマンド別処理により決定された演出内容に対応するランプデータを決定する処理を行う。そして、ステップＳ３０２−３−２の処理が終了すると、ステップＳ３０２−３−３に処理を移行する。
【０５００】
（ステップＳ３０２−３−３）
ステップＳ３０２−３−３において、サブＣＰＵ４０１は、サウンドデータ決定処理を行う。具体的には、サブＣＰＵ４０１は、ステップＳ３０２−３−１のコマンド別処理により決定された演出内容に対応するサウンドデータを決定する処理を行う。そして、ステップＳ３０２−３−３の処理が終了すると、ステップＳ３０２−３−４に処理を移行する。
【０５０１】
（ステップＳ３０２−３−４）
ステップＳ３０２−３−４において、サブＣＰＵ４０１は、画像データ決定処理を行う。具体的には、サブＣＰＵ４０１は、ステップＳ３０２−３−１のコマンド別処理により決定された演出内容に対応する画像データを決定する処理を行う。そして、ステップＳ３０２−３−４の処理が終了すると、コマンド解析処理のサブルーチンを終了し、サブ制御基板におけるメイン処理のステップＳ３０３に処理を移行する。
【０５０２】
（コマンド別処理）
次に、図５０に基づいて、図４９のステップＳ３０２−３−１の処理により行われるコマンド別処理についての説明を行う。なお、図５０はコマンド別処理のサブルーチンを示す図である。
【０５０３】
（ステップＳ３０２−３−１−１）
ステップＳ３０２−３−１−１において、サブＣＰＵ４０１は、条件装置コマンドを受信したか否かを判定する処理を行う。具体的には、サブＣＰＵ４０１は、メイン制御基板３００から受信したコマンドが条件装置コマンドであるか否かを判定する処理を行う。そして、受信したコマンドが条件装置コマンドであると判定された場合には（ステップＳ３０２−３−１−１＝Ｙｅｓ）、ステップＳ３０２−３−１−２に処理を移行し、受信したコマンドが条件装置コマンドではないと判定された場合には（ステップＳ３０２−３−１−１＝Ｎｏ）、ステップＳ３０２−３−１−３に処理を移行する。
【０５０４】
（ステップＳ３０２−３−１−２）
ステップＳ３０２−３−１−２において、サブＣＰＵ４０１は、後で図５１を用いて詳述する条件装置コマンド受信時処理を行う。当該処理において、サブＣＰＵ４０１は、メイン制御基板３００から受信した条件装置コマンドと、サブ制御基板４００により管理される状態に応じた処理等を行う。そして、ステップＳ３０２−３−１−２の処理が終了すると、ステップＳ３０２−３−１−６に処理を移行する。
【０５０５】
（ステップＳ３０２−３−１−３）
ステップＳ３０２−３−１−３において、サブＣＰＵ４０１は、表示判定コマンドを受信したか否かを判定する処理を行う。具体的には、サブＣＰＵ４０１は、メイン制御基板３００から受信したコマンドが表示判定コマンドであるか否かを判定する処理を行う。そして、受信したコマンドが表示判定コマンドであると判定された場合には（ステップＳ３０２−３−１−３＝Ｙｅｓ）、ステップＳ３０２−３−１−４に処理を移行し、受信したコマンドが表示判定コマンドではないと判定された場合には（ステップＳ３０２−３−１−３＝Ｎｏ）、ステップＳ３０２−３−１−５に処理を移行する。
【０５０６】
（ステップＳ３０２−３−１−４）
ステップＳ３０２−３−１−４において、サブＣＰＵ４０１は、後で図７２を用いて詳述する表示判定コマンド受信時処理を行う。当該処理において、サブＣＰＵ４０１は、メイン制御基板３００から受信した表示判定コマンドと、サブ制御基板４００により管理される状態に応じた処理等を行う。そして、ステップＳ３０２−３−１−４の処理が終了すると、ステップＳ３０２−３−１−６に処理を移行する。
【０５０７】
（ステップＳ３０２−３−１−５）
ステップＳ３０２−３−１−５において、サブＣＰＵ４０１は、受信したコマンドに応じた処理を行う。具体的には、サブＣＰＵ４０１は、メイン制御基板３００から受信したコマンドに応じた処理を行う。そして、ステップＳ３０２−３−１−５の処理が終了すると、ステップＳ３０２−３−１−６に処理を移行する。
【０５０８】
（ステップＳ３０２−３−１−６）
ステップＳ３０２−３−１−６において、サブＣＰＵ４０１は、サブ演出決定処理を行う。具体的には、サブＣＰＵ４０１は、ステップＳ３０２−３−１−２の条件装置コマンド受信時処理や、ステップＳ３０２−３−１−４の表示判定コマンド受信時処理、受信したコマンドに応じた処理を実行した結果と、演出決定テーブル（図２４参照）に基づいて、液晶表示装置４６等により実行される演出を決定する処理を行う。そして、ステップＳ３０２−３−１−６の処理が終了すると、コマンド別処理のサブルーチンを終了し、コマンド解析処理のステップＳ３０２−３−２に処理を移行する。
【０５０９】
（条件装置コマンド受信時処理）
次に、図５１に基づいて、図５０のステップＳ３０２−３−１−２の処理により行われる条件装置コマンド受信時処理についての説明を行う。なお、図５１は条件装置コマンド受信時処理のサブルーチンを示す図である。
【０５１０】
（ステップＳ３０２−３−１−２−１）
ステップＳ３０２−３−１−２−１において、サブＣＰＵ４０１は、状態別移行処理を行う。具体的には、サブＣＰＵ４０１は、サブＲＡＭ４０３に設けられている状態格納領域の値に基づいて、サブ制御基板４００により管理される状態に応じた処理を行う。ここで、ステップＳ３０２−３−１−２−１の状態別移行処理では、サブＲＡＭ４０３に設けられている状態格納領域の値に応じたサブルーチンが設けられている（図５２〜図７１参照）。そして、ステップＳ３０２−３−１−２−１の処理が終了すると、ステップＳ３０２−３−１−２−２に処理を移行する。
【０５１１】
（ステップＳ３０２−３−１−２−２）
ステップＳ３０２−３−１−２−２において、サブＣＰＵ４０１は、チャンス状態当選フラグがＯＮであるか否かを判定する処理を行う。具体的には、サブＣＰＵ４０１は、サブＲＡＭ４０３に設けられているチャンス状態当選フラグ格納領域の値に基づいて、チャンス状態当選フラグがＯＮであるか否かを判定する処理を行う。そして、チャンス状態当選フラグがＯＮであると判定された場合には（ステップＳ３０２−３−１−２−２＝Ｙｅｓ）、ステップＳ３０２−３−１−２−３に処理を移行し、チャンス状態当選フラグがＯＮではないと判定された場合には（ステップＳ３０２−３−１−２−２＝Ｎｏ）、条件装置コマンド受信時処理のサブルーチンを終了し、コマンド別処理のステップＳ３０２−３−１−６に処理を移行する。
【０５１２】
（ステップＳ３０２−３−１−２−３）
ステップＳ３０２−３−１−２−３において、サブＣＰＵ４０１は、フェイクゲーム数カウンタに「０」をセットする処理を行う。具体的には、サブＣＰＵ４０１は、サブＲＡＭ４０３に設けられているフェイクゲーム数カウンタの値に「０」をセットする処理を行う。そして、ステップＳ３０２−３−１−２−３の処理が終了すると、条件装置コマンド受信時処理のサブルーチンを終了し、コマンド別処理のステップＳ３０２−３−１−６に処理を移行する。
【０５１３】
（通常状態用処理）
次に、図５２に基づいて、図５１のステップＳ３０２−３−１−２−１の状態別移行処理において、サブ制御基板４００により管理される状態が通常状態の場合に行われる通常状態用処理についての説明を行う。なお、図５２は通常状態用処理のサブルーチンを示す図である。
【０５１４】
（ステップＳ３０２−３−１−２−１−１−１）
ステップＳ３０２−３−１−２−１−１−１において、サブＣＰＵ４０１は、天井ゲーム数カウンタの値から「１」減算する処理を行う。具体的には、サブＣＰＵ４０１は、サブＲＡＭ４０３に設けられている天井ゲーム数カウンタの値から「１」減算する処理を行う。そして、ステップＳ３０２−３−１−２−１−１−１の処理が終了すると、ステップＳ３０２−３−１−２−１−１−２に処理を移行する。
【０５１５】
（ステップＳ３０２−３−１−２−１−１−２）
ステップＳ３０２−３−１−２−１−１−２において、サブＣＰＵ４０１は、フェイクゲーム数カウンタの値が「１」以上であるか否かを判定する処理を行う。具体的には、サブＣＰＵ４０１は、サブＲＡＭ４０３に設けられているフェイクゲーム数カウンタの値が「１」以上であるか否かを判定する処理を行う。そして、フェイクゲーム数カウンタの値が「１」以上であると判定された場合には（ステップＳ３０２−３−１−２−１−１−２＝Ｙｅｓ）、ステップＳ３０２−３−１−２−１−１−３に処理を移行し、フェイクゲーム数カウンタの値が「１」以上ではないと判定された場合には（ステップＳ３０２−３−１−２−１−１−２＝Ｎｏ）、ステップＳ３０２−３−１−２−１−１−４に処理を移行する。
【０５１６】
（ステップＳ３０２−３−１−２−１−１−３）
ステップＳ３０２−３−１−２−１−１−３において、サブＣＰＵ４０１は、フェイクゲーム数カウンタの値から「１」減算する処理を行う。具体的には、サブＣＰＵ４０１は、サブＲＡＭ４０３に設けられているフェイクゲーム数カウンタの値から「１」減算する処理を行う。そして、ステップＳ３０２−３−１−２−１−１−３の処理が終了すると、ステップＳ３０２−３−１−２−１−１−４に処理を移行する。
【０５１７】
（ステップＳ３０２−３−１−２−１−１−４）
ステップＳ３０２−３−１−２−１−１−４において、サブＣＰＵ４０１は、当選番号が「０５」であるか否かを判定する処理を行う。具体的には、サブＣＰＵ４０１は、メイン制御基板３００から受信した条件装置コマンドに含まれている当選役に係る情報が、当選番号「０５」であるか否かを判定する処理を行う。そして、当選番号が「０５」であると判定された場合には（ステップＳ３０２−３−１−２−１−１−４＝Ｙｅｓ）、ステップＳ３０２−３−１−２−１−１−５に処理を移行し、当選番号が「０５」ではないと判定された場合には（ステップＳ３０２−３−１−２−１−１−４＝Ｎｏ）、ステップＳ３０２−３−１−２−１−１−７に処理を移行する。
【０５１８】
（ステップＳ３０２−３−１−２−１−１−５）
ステップＳ３０２−３−１−２−１−１−５において、サブＣＰＵ４０１は、第３Ｂｏｎｕｓ状態用ゲーム数カウンタの値に「５０」をセットする処理を行う。具体的には、サブＣＰＵ４０１は、サブＲＡＭ４０３に設けられている第３Ｂｏｎｕｓ状態用ゲーム数カウンタの値に「５０」をセットする処理を行う。そして、ステップＳ３０２−３−１−２−１−１−５の処理が終了すると、ステップＳ３０２−３−１−２−１−１−６に処理を移行する。
【０５１９】
（ステップＳ３０２−３−１−２−１−１−６）
ステップＳ３０２−３−１−２−１−１−６において、サブＣＰＵ４０１は、サブ制御基板４００により管理される状態を第３Ｂｏｎｕｓ状態とする処理を行う。具体的には、サブＣＰＵ４０１は、サブ制御基板４００により管理される状態が第３Ｂｏｎｕｓ状態となるように、サブＲＡＭ４０３に設けられている状態格納領域に第３Ｂｏｎｕｓ状態をセットする処理を行う。そして、ステップＳ３０２−３−１−２−１−１−６の処理が終了すると、通常状態用処理のサブルーチンを終了し、条件装置コマンド受信時処理のステップＳ３０２−３−１−２−２に処理を移行する。
【０５２０】
（ステップＳ３０２−３−１−２−１−１−７）
ステップＳ３０２−３−１−２−１−１−７において、サブＣＰＵ４０１は、天井ゲーム数カウンタの値が「０」であるか否かを判定する処理を行う。具体的には、サブＣＰＵ４０１は、ステップＳ３０２−３−１−２−１−１−１の処理により、サブＲＡＭ４０３に設けられている天井ゲーム数カウンタの値を「１」減算した結果、サブＲＡＭ４０３に設けられている天井ゲーム数カウンタの値が「０」となったか否かを判定する処理を行う。そして、天井ゲーム数カウンタの値が「０」であると判定された場合には（ステップＳ３０２−３−１−２−１−１−７＝Ｙｅｓ）、ステップＳ３０２−３−１−２−１−１−８に処理を移行し、天井ゲーム数カウンタの値が「０」ではないと判定された場合には（ステップＳ３０２−３−１−２−１−１−７＝Ｎｏ）、ステップＳ３０２−３−１−２−１−１−１０に処理を移行する。
【０５２１】
（ステップＳ３０２−３−１−２−１−１−８）
ステップＳ３０２−３−１−２−１−１−８において、サブＣＰＵ４０１は、Ｂｏｎｕｓ待機振分処理を行う。具体的には、サブＣＰＵ４０１は、サブＲＯＭ４０２に設けられているＢｏｎｕｓ状態振分抽選テーブル（通常状態）（図２６（Ａ）参照）に基づいて、第１Ｂｏｎｕｓ待機中、第２Ｂｏｎｕｓ待機中、第３Ｂｏｎｕｓ待機中の何れかを決定する処理を行う。また、サブＣＰＵ４０１は、第１Ｂｏｎｕｓ待機中、第２Ｂｏｎｕｓ待機中、第３Ｂｏｎｕｓ待機中の何れかが決定された場合に、サブＲＡＭ４０３に設けられているＢｏｎｕｓ待機情報格納領域に格納する処理を行う。そして、ステップＳ３０２−３−１−２−１−１−８の処理が終了すると、ステップＳ３０２−３−１−２−１−１−９に処理を移行する。
【０５２２】
（ステップＳ３０２−３−１−２−１−１−９）
ステップＳ３０２−３−１−２−１−１−９において、サブＣＰＵ４０１は、サブ制御基板４００により管理される状態をＢｏｎｕｓ準備状態とする処理を行う。具体的には、サブＣＰＵ４０１は、サブ制御基板４００により管理される状態がＢｏｎｕｓ準備状態となるように、サブＲＡＭ４０３に設けられている状態格納領域にＢｏｎｕｓ準備状態をセットする処理を行う。そして、ステップＳ３０２−３−１−２−１−１−９の処理が終了すると、通常状態用処理のサブルーチンを終了し、条件装置コマンド受信時処理のステップＳ３０２−３−１−２−２に処理を移行する。
【０５２３】
（ステップＳ３０２−３−１−２−１−１−１０）
ステップＳ３０２−３−１−２−１−１−１０において、サブＣＰＵ４０１は、Ｂｏｎｕｓ準備状態移行抽選処理を行う。具体的には、サブＣＰＵ４０１は、条件装置コマンドに含まれている当選役に係る情報と、サブＲＯＭ４０２に設けられているＢｏｎｕｓ準備状態移行抽選テーブル（通常状態）（図２５（Ａ）参照）に基づいて、Ｂｏｎｕｓ準備状態に移行するか否かを抽選する処理を行う。そして、ステップＳ３０２−３−１−２−１−１−１０の処理が終了すると、ステップＳ３０２−３−１−２−１−１−１１に処理を移行する。
【０５２４】
（ステップＳ３０２−３−１−２−１−１−１１）
ステップＳ３０２−３−１−２−１−１−１１において、サブＣＰＵ４０１は、当選したか否かを判定する処理を行う。具体的には、サブＣＰＵ４０１は、ステップＳ３０２−３−１−２−１−１−１０のＢｏｎｕｓ準備状態移行抽選処理による抽選の結果、Ｂｏｎｕｓ準備状態に移行することが決定されたか否かを判定する処理を行う。そして、当選したと判定された場合には（ステップＳ３０２−３−１−２−１−１−１１＝Ｙｅｓ）、ステップＳ３０２−３−１−２−１−１−１２に処理を移行し、当選していないと判定された場合には（ステップＳ３０２−３−１−２−１−１−１１＝Ｎｏ）、ステップＳ３０２−３−１−２−１−１−１５に処理を移行する。
【０５２５】
（ステップＳ３０２−３−１−２−１−１−１２）
ステップＳ３０２−３−１−２−１−１−１２において、サブＣＰＵ４０１は、Ｂｏｎｕｓ待機振分処理を行う。具体的には、サブＣＰＵ４０１は、サブＲＯＭ４０２に設けられているＢｏｎｕｓ状態振分抽選テーブル（通常状態）（図２６（Ａ）参照）に基づいて、第１Ｂｏｎｕｓ待機中、第２Ｂｏｎｕｓ待機中、第３Ｂｏｎｕｓ待機中の何れかを決定する処理を行う。また、サブＣＰＵ４０１は、第１Ｂｏｎｕｓ待機中、第２Ｂｏｎｕｓ待機中、第３Ｂｏｎｕｓ待機中の何れかが決定された場合に、サブＲＡＭ４０３に設けられているＢｏｎｕｓ待機情報格納領域に格納する処理を行う。そして、ステップＳ３０２−３−１−２−１−１−１２の処理が終了すると、ステップＳ３０２−３−１−２−１−１−１３に処理を移行する。
【０５２６】
（ステップＳ３０２−３−１−２−１−１−１３）
ステップＳ３０２−３−１−２−１−１−１３において、サブＣＰＵ４０１は、Ｂｏｎｕｓ前兆ゲーム数抽選処理を行う。具体的には、サブＣＰＵ４０１は、条件装置コマンドに含まれている当選役に係る情報と、サブＲＯＭ４０２に設けられているＢｏｎｕｓ前兆ゲーム数決定テーブル（図２７（Ａ）参照）に基づいて、Ｂｏｎｕｓ準備状態に移行するまでの前兆ゲーム数を決定し、サブＲＡＭ４０３に設けられているＢｏｎｕｓ前兆状態用ゲーム数カウンタの値をセットする処理を行う。そして、ステップＳ３０２−３−１−２−１−１−１３の処理が終了すると、ステップＳ３０２−３−１−２−１−１−１４に処理を移行する。
【０５２７】
（ステップＳ３０２−３−１−２−１−１−１４）
ステップＳ３０２−３−１−２−１−１−１４において、サブＣＰＵ４０１は、サブ制御基板４００により管理される状態をＢｏｎｕｓ前兆状態とする処理を行う。具体的には、サブＣＰＵ４０１は、サブ制御基板４００により管理される状態がＢｏｎｕｓ前兆状態となるように、サブＲＡＭ４０３に設けられている状態格納領域にＢｏｎｕｓ前兆状態をセットする処理を行う。そして、ステップＳ３０２−３−１−２−１−１−１４の処理が終了すると、通常状態用処理のサブルーチンを終了し、条件装置コマンド受信時処理のステップＳ３０２−３−１−２−２に処理を移行する。
【０５２８】
（ステップＳ３０２−３−１−２−１−１−１５）
ステップＳ３０２−３−１−２−１−１−１５において、サブＣＰＵ４０１は、チャンス状態抽選処理を行う。具体的には、サブＣＰＵ４０１は、条件装置コマンドに含まれている当選役に係る情報と、サブＲＯＭ４０２に設けられているチャンス状態移行抽選テーブル（図２８参照）に基づいて、チャンス状態に移行するか否かを抽選する処理を行う。そして、ステップＳ３０２−３−１−２−１−１−１５の処理が終了すると、ステップＳ３０２−３−１−２−１−１−１６に処理を移行する。
【０５２９】
（ステップＳ３０２−３−１−２−１−１−１６）
ステップＳ３０２−３−１−２−１−１−１６において、サブＣＰＵ４０１は、当選したか否かを判定する処理を行う。具体的には、サブＣＰＵ４０１は、ステップＳ３０２−３−１−２−１−１−１５のチャンス状態移行抽選処理による抽選の結果、チャンス状態に移行することが決定されたか否かを判定する処理を行う。そして、当選したと判定された場合には（ステップＳ３０２−３−１−２−１−１−１６＝Ｙｅｓ）、ステップＳ３０２−３−１−２−１−１−１７に処理を移行し、当選していないと判定された場合には（ステップＳ３０２−３−１−２−１−１−１６＝Ｎｏ）、ステップＳ３０２−３−１−２−１−１−２０に処理を移行する。
【０５３０】
（ステップＳ３０２−３−１−２−１−１−１７）
ステップＳ３０２−３−１−２−１−１−１７において、サブＣＰＵ４０１は、サブ制御基板４００により管理される状態をチャンス前兆状態とする処理を行う。具体的には、サブＣＰＵ４０１は、サブ制御基板４００により管理される状態がチャンス前兆状態となるように、サブＲＡＭ４０３に設けられている状態格納領域にチャンス前兆状態をセットする処理を行う。そして、ステップＳ３０２−３−１−２−１−１−１７の処理が終了すると、ステップＳ３０２−３−１−２−１−１−１８に処理を移行する。
【０５３１】
（ステップＳ３０２−３−１−２−１−１−１８）
ステップＳ３０２−３−１−２−１−１−１８において、サブＣＰＵ４０１は、チャンス状態当選フラグをＯＮにする処理を行う。具体的には、サブＣＰＵ４０１は、サブＲＡＭ４０３に設けられているチャンス状態当選フラグ格納領域のチャンス状態当選フラグをＯＮにする処理を行う。そして、ステップＳ３０２−３−１−２−１−１−１８の処理が終了すると、ステップＳ３０２−３−１−２−１−１−１９に処理を移行する。
【０５３２】
（ステップＳ３０２−３−１−２−１−１−１９）
ステップＳ３０２−３−１−２−１−１−１９において、サブＣＰＵ４０１は、チャンス前兆ゲーム数抽選処理を行う。具体的には、サブＣＰＵ４０１は、条件装置コマンドに含まれている当選役に係る情報と、サブＲＯＭ４０２に設けられているチャンス前兆ゲーム数決定テーブル（図２７（Ｂ）参照）に基づいて、チャンス状態に移行するまでの前兆ゲーム数を決定し、サブＲＡＭ４０３に設けられているチャンス前兆状態用ゲーム数カウンタの値をセットする処理を行う。そして、ステップＳ３０２−３−１−２−１−１−１９の処理が終了すると、ステップＳ３０２−３−１−２−１−１−２０に処理を移行する。
【０５３３】
（ステップＳ３０２−３−１−２−１−１−２０）
ステップＳ３０２−３−１−２−１−１−２０において、サブＣＰＵ４０１は、チャンス状態当選フラグがＯＦＦであるか否かを判定する処理を行う。具体的には、サブＣＰＵ４０１は、サブＲＡＭ４０３に設けられているチャンス状態当選フラグ格納領域の値に基づいて、チャンス状態当選フラグがＯＦＦであるか否かを判定する処理を行う。そして、チャンス状態当選フラグがＯＦＦであると判定された場合には（ステップＳ３０２−３−１−２−１−１−２０＝Ｙｅｓ）、ステップＳ３０２−３−１−２−１−１−２１に処理を移行し、チャンス状態当選フラグがＯＦＦではないと判定された場合には（ステップＳ３０２−３−１−２−１−１−２０＝Ｎｏ）、通常状態用処理のサブルーチンを終了し、条件装置コマンド受信時処理のステップＳ３０２−３−１−２−２に処理を移行する。
【０５３４】
（ステップＳ３０２−３−１−２−１−１−２１）
ステップＳ３０２−３−１−２−１−１−２１において、サブＣＰＵ４０１は、フェイクゲーム数抽選処理を行う。具体的には、サブＣＰＵ４０１は、条件装置コマンドに含まれている当選役に係る情報と、サブＲＯＭ４０２に設けられている通常状態用フェイクゲーム数決定テーブル（図２９（Ａ）参照）に基づいて、フェイクゲーム数を決定し、サブＲＡＭ４０３に設けられているフェイクゲーム数カウンタの値をセットする処理を行う。そして、ステップＳ３０２−３−１−２−１−１−２１の処理が終了すると、通常状態用処理のサブルーチンを終了し、条件装置コマンド受信時処理のステップＳ３０２−３−１−２−２に処理を移行する。
【０５３５】
（チャンス前兆状態用処理）
次に、図５３に基づいて、図５１のステップＳ３０２−３−１−２−１の状態別移行処理において、サブ制御基板４００により管理される状態がチャンス前兆状態の場合に行われるチャンス前兆状態用処理についての説明を行う。なお、図５３はチャンス前兆状態用処理のサブルーチンを示す図である。
【０５３６】
（ステップＳ３０２−３−１−２−１−２−１）
ステップＳ３０２−３−１−２−１−２−１において、サブＣＰＵ４０１は、天井ゲーム数カウンタの値から「１」減算する処理を行う。具体的には、サブＣＰＵ４０１は、サブＲＡＭ４０３に設けられている天井ゲーム数カウンタの値から「１」減算する処理を行う。そして、ステップＳ３０２−３−１−２−１−２−１の処理が終了すると、ステップＳ３０２−３−１−２−１−２−２に処理を移行する。
【０５３７】
（ステップＳ３０２−３−１−２−１−２−２）
ステップＳ３０２−３−１−２−１−２−２において、サブＣＰＵ４０１は、当選番号が「０５」であるか否かを判定する処理を行う。具体的には、サブＣＰＵ４０１は、メイン制御基板３００から受信した条件装置コマンドに含まれている当選役に係る情報が、当選番号「０５」であるか否かを判定する処理を行う。そして、当選番号が「０５」であると判定された場合には（ステップＳ３０２−３−１−２−１−２−２＝Ｙｅｓ）、ステップＳ３０２−３−１−２−１−２−３に処理を移行し、当選番号が「０５」ではないと判定された場合には（ステップＳ３０２−３−１−２−１−２−２＝Ｎｏ）、ステップＳ３０２−３−１−２−１−２−５に処理を移行する。
【０５３８】
（ステップＳ３０２−３−１−２−１−２−３）
ステップＳ３０２−３−１−２−１−２−３において、サブＣＰＵ４０１は、第３Ｂｏｎｕｓ状態用ゲーム数カウンタの値に「５０」をセットする処理を行う。具体的には、サブＣＰＵ４０１は、サブＲＡＭ４０３に設けられている第３Ｂｏｎｕｓ状態用ゲーム数カウンタの値に「５０」をセットする処理を行う。そして、ステップＳ３０２−３−１−２−１−２−３の処理が終了すると、ステップＳ３０２−３−１−２−１−２−４に処理を移行する。
【０５３９】
（ステップＳ３０２−３−１−２−１−２−４）
ステップＳ３０２−３−１−２−１−２−４において、サブＣＰＵ４０１は、サブ制御基板４００により管理される状態を第３Ｂｏｎｕｓ状態とする処理を行う。具体的には、サブＣＰＵ４０１は、サブ制御基板４００により管理される状態が第３Ｂｏｎｕｓ状態となるように、サブＲＡＭ４０３に設けられている状態格納領域に第３Ｂｏｎｕｓ状態をセットする処理を行う。そして、ステップＳ３０２−３−１−２−１−２−４の処理が終了すると、チャンス前兆状態用処理のサブルーチンを終了し、条件装置コマンド受信時処理のステップＳ３０２−３−１−２−２に処理を移行する。
【０５４０】
（ステップＳ３０２−３−１−２−１−２−５）
ステップＳ３０２−３−１−２−１−２−５において、サブＣＰＵ４０１は、チャンス前兆状態用ゲーム数カウンタの値から「１」減算する処理を行う。具体的には、サブＣＰＵ４０１は、サブＲＡＭ４０３に設けられているチャンス前兆状態用ゲーム数カウンタの値から「１」減算する処理を行う。そして、ステップＳ３０２−３−１−２−１−２−５の処理が終了すると、ステップＳ３０２−３−１−２−１−２−６に処理を移行する。
【０５４１】
（ステップＳ３０２−３−１−２−１−２−６）
ステップＳ３０２−３−１−２−１−２−６において、サブＣＰＵ４０１は、天井ゲーム数カウンタの値が「０」であるか否かを判定する処理を行う。具体的には、サブＣＰＵ４０１は、ステップＳ３０２−３−１−２−１−２−１の処理により、サブＲＡＭ４０３に設けられている天井ゲーム数カウンタの値を「１」減算した結果、サブＲＡＭ４０３に設けられている天井ゲーム数カウンタの値が「０」となったか否かを判定する処理を行う。そして、天井ゲーム数カウンタの値が「０」であると判定された場合には（ステップＳ３０２−３−１−２−１−２−６＝Ｙｅｓ）、ステップＳ３０２−３−１−２−１−２−７に処理を移行し、天井ゲーム数カウンタの値が「０」ではないと判定された場合には（ステップＳ３０２−３−１−２−１−２−６＝Ｎｏ）、ステップＳ３０２−３−１−２−１−２−９に処理を移行する。
【０５４２】
（ステップＳ３０２−３−１−２−１−２−７）
ステップＳ３０２−３−１−２−１−２−７において、サブＣＰＵ４０１は、Ｂｏｎｕｓ待機振分処理を行う。具体的には、サブＣＰＵ４０１は、サブＲＯＭ４０２に設けられているＢｏｎｕｓ状態振分抽選テーブル（チャンス前兆状態）（図２６（Ｂ）参照）に基づいて、第１Ｂｏｎｕｓ待機中、第２Ｂｏｎｕｓ待機中、第３Ｂｏｎｕｓ待機中の何れかを決定する処理を行う。また、サブＣＰＵ４０１は、第１Ｂｏｎｕｓ待機中、第２Ｂｏｎｕｓ待機中、第３Ｂｏｎｕｓ待機中の何れかが決定された場合に、サブＲＡＭ４０３に設けられているＢｏｎｕｓ待機情報格納領域に格納する処理を行う。そして、ステップＳ３０２−３−１−２−１−２−７の処理が終了すると、ステップＳ３０２−３−１−２−１−２−８に処理を移行する。
【０５４３】
（ステップＳ３０２−３−１−２−１−２−８）
ステップＳ３０２−３−１−２−１−２−８において、サブＣＰＵ４０１は、サブ制御基板４００により管理される状態をＢｏｎｕｓ準備状態とする処理を行う。具体的には、サブＣＰＵ４０１は、サブ制御基板４００により管理される状態がＢｏｎｕｓ準備状態となるように、サブＲＡＭ４０３に設けられている状態格納領域にＢｏｎｕｓ準備状態をセットする処理を行う。そして、ステップＳ３０２−３−１−２−１−２−８の処理が終了すると、チャンス前兆状態用処理のサブルーチンを終了し、条件装置コマンド受信時処理のステップＳ３０２−３−１−２−２に処理を移行する。
【０５４４】
（ステップＳ３０２−３−１−２−１−２−９）
ステップＳ３０２−３−１−２−１−２−９において、サブＣＰＵ４０１は、Ｂｏｎｕｓ準備状態移行抽選処理を行う。具体的には、サブＣＰＵ４０１は、条件装置コマンドに含まれている当選役に係る情報と、サブＲＯＭ４０２に設けられているＢｏｎｕｓ準備状態移行抽選テーブル（チャンス前兆状態）（図２５（Ｂ）参照）に基づいて、Ｂｏｎｕｓ準備状態に移行するか否かを抽選する処理を行う。そして、ステップＳ３０２−３−１−２−１−２−９の処理が終了すると、ステップＳ３０２−３−１−２−１−２−１０に処理を移行する。
【０５４５】
（ステップＳ３０２−３−１−２−１−２−１０）
ステップＳ３０２−３−１−２−１−２−１０において、サブＣＰＵ４０１は、当選したか否かを判定する処理を行う。具体的には、サブＣＰＵ４０１は、ステップＳ３０２−３−１−２−１−２−９のＢｏｎｕｓ準備状態移行抽選処理による抽選の結果、Ｂｏｎｕｓ準備状態に移行することが決定されたか否かを判定する処理を行う。そして、当選したと判定された場合には（ステップＳ３０２−３−１−２−１−２−１０＝Ｙｅｓ）、ステップＳ３０２−３−１−２−１−２−１１に処理を移行し、当選していないと判定された場合には（ステップＳ３０２−３−１−２−１−２−１０＝Ｎｏ）、ステップＳ３０２−３−１−２−１−２−１４に処理を移行する。
【０５４６】
（ステップＳ３０２−３−１−２−１−２−１１）
ステップＳ３０２−３−１−２−１−２−１１において、サブＣＰＵ４０１は、Ｂｏｎｕｓ待機振分処理を行う。具体的には、サブＣＰＵ４０１は、サブＲＯＭ４０２に設けられているＢｏｎｕｓ状態振分抽選テーブル（チャンス前兆状態）（図２６（Ｂ）参照）に基づいて、第１Ｂｏｎｕｓ待機中、第２Ｂｏｎｕｓ待機中、第３Ｂｏｎｕｓ待機中の何れかを決定する処理を行う。また、サブＣＰＵ４０１は、第１Ｂｏｎｕｓ待機中、第２Ｂｏｎｕｓ待機中、第３Ｂｏｎｕｓ待機中の何れかが決定された場合に、サブＲＡＭ４０３に設けられているＢｏｎｕｓ待機情報格納領域に格納する処理を行う。そして、ステップＳ３０２−３−１−２−１−２−１１の処理が終了すると、ステップＳ３０２−３−１−２−１−２−１２に処理を移行する。
【０５４７】
（ステップＳ３０２−３−１−２−１−２−１２）
ステップＳ３０２−３−１−２−１−２−１２において、サブＣＰＵ４０１は、Ｂｏｎｕｓ前兆ゲーム数抽選処理を行う。具体的には、サブＣＰＵ４０１は、条件装置コマンドに含まれている当選役に係る情報と、サブＲＯＭ４０２に設けられているＢｏｎｕｓ前兆ゲーム数決定テーブル（図２７（Ａ）参照）に基づいて、Ｂｏｎｕｓ準備状態に移行するまでの前兆ゲーム数を決定し、サブＲＡＭ４０３に設けられているＢｏｎｕｓ前兆状態用ゲーム数カウンタの値をセットする処理を行う。そして、ステップＳ３０２−３−１−２−１−２−１２の処理が終了すると、ステップＳ３０２−３−１−２−１−２−１３に処理を移行する。
【０５４８】
（ステップＳ３０２−３−１−２−１−２−１３）
ステップＳ３０２−３−１−２−１−２−１３において、サブＣＰＵ４０１は、サブ制御基板４００により管理される状態をＢｏｎｕｓ前兆状態とする処理を行う。具体的には、サブＣＰＵ４０１は、サブ制御基板４００により管理される状態がＢｏｎｕｓ前兆状態となるように、サブＲＡＭ４０３に設けられている状態格納領域にＢｏｎｕｓ前兆状態をセットする処理を行う。そして、ステップＳ３０２−３−１−２−１−２−１３の処理が終了すると、チャンス前兆状態用処理のサブルーチンを終了し、条件装置コマンド受信時処理のステップＳ３０２−３−１−２−２に処理を移行する。
【０５４９】
（ステップＳ３０２−３−１−２−１−２−１４）
ステップＳ３０２−３−１−２−１−２−１４において、サブＣＰＵ４０１は、チャンス前兆状態用ゲーム数カウンタの値が「０」であるか否かを判定する処理を行う。具体的には、サブＣＰＵ４０１は、ステップＳ３０２−３−１−２−１−２−５の処理により、サブＲＡＭ４０３に設けられているチャンス前兆状態用ゲーム数カウンタの値から「１」減算した結果、サブＲＡＭ４０３に設けられているチャンス前兆状態用ゲーム数カウンタの値が「０」となったか否かを判定する処理を行う。そして、チャンス前兆状態用ゲーム数カウンタの値が「０」であると判定された場合には（ステップＳ３０２−３−１−２−１−２−１４＝Ｙｅｓ）、ステップＳ３０２−３−１−２−１−２−１５に処理を移行し、チャンス前兆状態用ゲーム数カウンタの値が「０」ではないと判定された場合には（ステップＳ３０２−３−１−２−１−２−１４＝Ｎｏ）、チャンス前兆状態用処理のサブルーチンを終了し、条件装置コマンド受信時処理のステップＳ３０２−３−１−２−２に処理を移行する。
【０５５０】
（ステップＳ３０２−３−１−２−１−２−１５）
ステップＳ３０２−３−１−２−１−２−１５において、サブＣＰＵ４０１は、サブ制御基板４００により管理される状態をチャンス状態とする処理を行う。具体的には、サブＣＰＵ４０１は、サブ制御基板４００により管理される状態がチャンス状態となるように、サブＲＡＭ４０３に設けられている状態格納領域にチャンス状態をセットする処理を行う。そして、ステップＳ３０２−３−１−２−１−２−１５の処理が終了すると、ステップＳ３０２−３−１−２−１−２−１６に処理を移行する。
【０５５１】
（ステップＳ３０２−３−１−２−１−２−１６）
ステップＳ３０２−３−１−２−１−２−１６において、サブＣＰＵ４０１は、チャンス状態当選フラグをＯＦＦにする処理を行う。具体的には、サブＣＰＵ４０１は、サブＲＡＭ４０３に設けられているチャンス状態当選フラグ格納領域のチャンス状態当選フラグをＯＦＦにする処理を行う。そして、ステップＳ３０２−３−１−２−１−２−１６の処理が終了すると、ステップＳ３０２−３−１−２−１−２−１７に処理を移行する。
【０５５２】
（ステップＳ３０２−３−１−２−１−２−１７）
ステップＳ３０２−３−１−２−１−２−１７において、サブＣＰＵ４０１は、チャンス状態用ゲーム数カウンタの値に「１０」をセットする処理を行う。具体的には、サブＣＰＵ４０１は、サブＲＡＭ４０３に設けられているチャンス状態用ゲーム数カウンタの値に「１０」をセットする処理を行う。そして、ステップＳ３０２−３−１−２−１−２−１７の処理が終了すると、チャンス前兆状態用処理のサブルーチンを終了し、条件装置コマンド受信時処理のステップＳ３０２−３−１−２−２に処理を移行する。
【０５５３】
（Ｂｏｎｕｓ前兆状態用処理）
次に、図５４に基づいて、図５１のステップＳ３０２−３−１−２−１の状態別移行処理において、サブ制御基板４００により管理される状態がＢｏｎｕｓ前兆状態の場合に行われるＢｏｎｕｓ前兆状態用処理についての説明を行う。なお、図５４はＢｏｎｕｓ前兆状態用処理のサブルーチンを示す図である。
【０５５４】
（ステップＳ３０２−３−１−２−１−３−１）
ステップＳ３０２−３−１−２−１−３−１において、サブＣＰＵ４０１は、天井ゲーム数カウンタの値から「１」減算する処理を行う。具体的には、サブＣＰＵ４０１は、サブＲＡＭ４０３に設けられている天井ゲーム数カウンタの値から「１」減算する処理を行う。そして、ステップＳ３０２−３−１−２−１−３−１の処理が終了すると、ステップＳ３０２−３−１−２−１−３−２に処理を移行する。
【０５５５】
（ステップＳ３０２−３−１−２−１−３−２）
ステップＳ３０２−３−１−２−１−３−２において、サブＣＰＵ４０１は、フェイクゲーム数カウンタの値が「１」以上であるか否かを判定する処理を行う。具体的には、サブＣＰＵ４０１は、サブＲＡＭ４０３に設けられているフェイクゲーム数カウンタの値が「１」以上であるか否かを判定する処理を行う。そして、フェイクゲーム数カウンタの値が「１」以上であると判定された場合には（ステップＳ３０２−３−１−２−１−３−２＝Ｙｅｓ）、ステップＳ３０２−３−１−２−１−３−３に処理を移行し、フェイクゲーム数カウンタの値が「１」以上ではないと判定された場合には（ステップＳ３０２−３−１−２−１−３−２＝Ｎｏ）、ステップＳ３０２−３−１−２−１−３−４に処理を移行する。
【０５５６】
（ステップＳ３０２−３−１−２−１−３−３）
ステップＳ３０２−３−１−２−１−３−３において、サブＣＰＵ４０１は、フェイクゲーム数カウンタに「０」をセットする処理を行う。具体的には、サブＣＰＵ４０１は、サブＲＡＭ４０３に設けられているフェイクゲーム数カウンタの値に「０」をセットする処理を行う。そして、ステップＳ３０２−３−１−２−１−３−３の処理が終了すると、ステップＳ３０２−３−１−２−１−３−４に処理を移行する。
【０５５７】
（ステップＳ３０２−３−１−２−１−３−４）
ステップＳ３０２−３−１−２−１−３−４において、サブＣＰＵ４０１は、当選番号が「０５」であるか否かを判定する処理を行う。具体的には、サブＣＰＵ４０１は、メイン制御基板３００から受信した条件装置コマンドに含まれている当選役に係る情報が、当選番号「０５」であるか否かを判定する処理を行う。そして、当選番号が「０５」であると判定された場合には（ステップＳ３０２−３−１−２−１−３−４＝Ｙｅｓ）、ステップＳ３０２−３−１−２−１−３−５に処理を移行し、当選番号が「０５」ではないと判定された場合には（ステップＳ３０２−３−１−２−１−３−４＝Ｎｏ）、ステップＳ３０２−３−１−２−１−３−７に処理を移行する。
【０５５８】
（ステップＳ３０２−３−１−２−１−３−５）
ステップＳ３０２−３−１−２−１−３−５において、サブＣＰＵ４０１は、第３Ｂｏｎｕｓ状態用ゲーム数カウンタの値に「５０」をセットする処理を行う。具体的には、サブＣＰＵ４０１は、サブＲＡＭ４０３に設けられている第３Ｂｏｎｕｓ状態用ゲーム数カウンタの値に「５０」をセットする処理を行う。そして、ステップＳ３０２−３−１−２−１−３−５の処理が終了すると、ステップＳ３０２−３−１−２−１−３−６に処理を移行する。
【０５５９】
（ステップＳ３０２−３−１−２−１−３−６）
ステップＳ３０２−３−１−２−１−３−６において、サブＣＰＵ４０１は、サブ制御基板４００により管理される状態を第３Ｂｏｎｕｓ状態とする処理を行う。具体的には、サブＣＰＵ４０１は、サブ制御基板４００により管理される状態が第３Ｂｏｎｕｓ状態となるように、サブＲＡＭ４０３に設けられている状態格納領域に第３Ｂｏｎｕｓ状態をセットする処理を行う。そして、ステップＳ３０２−３−１−２−１−３−６の処理が終了すると、Ｂｏｎｕｓ前兆状態用処理のサブルーチンを終了し、条件装置コマンド受信時処理のステップＳ３０２−３−１−２−２に処理を移行する。
【０５６０】
（ステップＳ３０２−３−１−２−１−３−７）
ステップＳ３０２−３−１−２−１−３−７において、サブＣＰＵ４０１は、天井ゲーム数カウンタの値が「０」であるか否かを判定する処理を行う。具体的には、サブＣＰＵ４０１は、ステップＳ３０２−３−１−２−１−３−１の処理により、サブＲＡＭ４０３に設けられている天井ゲーム数カウンタの値を「１」減算した結果、サブＲＡＭ４０３に設けられている天井ゲーム数カウンタの値が「０」となったか否かを判定する処理を行う。そして、天井ゲーム数カウンタの値が「０」であると判定された場合には（ステップＳ３０２−３−１−２−１−３−７＝Ｙｅｓ）、ステップＳ３０２−３−１−２−１−３−８に処理を移行し、天井ゲーム数カウンタの値が「０」ではないと判定された場合には（ステップＳ３０２−３−１−２−１−３−７＝Ｎｏ）、ステップＳ３０２−３−１−２−１−３−９に処理を移行する。
【０５６１】
（ステップＳ３０２−３−１−２−１−３−８）
ステップＳ３０２−３−１−２−１−３−８において、サブＣＰＵ４０１は、サブ制御基板４００により管理される状態をＢｏｎｕｓ準備状態とする処理を行う。具体的には、サブＣＰＵ４０１は、サブ制御基板４００により管理される状態がＢｏｎｕｓ準備状態となるように、サブＲＡＭ４０３に設けられている状態格納領域にＢｏｎｕｓ準備状態をセットする処理を行う。そして、ステップＳ３０２−３−１−２−１−３−８の処理が終了すると、Ｂｏｎｕｓ前兆状態用処理のサブルーチンを終了し、条件装置コマンド受信時処理のステップＳ３０２−３−１−２−２に処理を移行する。
【０５６２】
（ステップＳ３０２−３−１−２−１−３−９）
ステップＳ３０２−３−１−２−１−３−９において、サブＣＰＵ４０１は、第１Ｂｏｎｕｓ待機中、または第２Ｂｏｎｕｓ待機中であるか否かを判定する処理を行う。具体的には、サブＣＰＵ４０１は、サブＲＡＭ４０３に設けられているＢｏｎｕｓ待機情報格納領域の値に基づいて、第１Ｂｏｎｕｓ待機中、または第２Ｂｏｎｕｓ待機中であるか否かを判定する処理を行う。そして、第１Ｂｏｎｕｓ待機中、または第２Ｂｏｎｕｓ待機中であると判定された場合には（ステップＳ３０２−３−１−２−１−３−９＝Ｙｅｓ）、ステップＳ３０２−３−１−２−１−３−１０に処理を移行し、第１Ｂｏｎｕｓ待機中、または第２Ｂｏｎｕｓ待機中ではないと判定された場合には（ステップＳ３０２−３−１−２−１−３−９＝Ｎｏ）、ステップＳ３０２−３−１−２−１−３−１１に処理を移行する。
【０５６３】
（ステップＳ３０２−３−１−２−１−３−１０）
ステップＳ３０２−３−１−２−１−３−１０において、サブＣＰＵ４０１は、昇格抽選処理を行う。具体的には、サブＣＰＵ４０１は、サブＲＡＭ４０３に設けられているＢｏｎｕｓ待機情報格納領域の値に基づいて、サブＲＯＭ４０２に設けられている昇格抽選テーブル（第１Ｂｏｎｕｓ待機中）（図３０（Ａ）参照）、または昇格抽選テーブル（第２Ｂｏｎｕｓ待機中）（図３０（Ｂ）参照）の何れかを選択し、当該選択された昇格抽選テーブルと、条件装置コマンドに含まれている当選役に係る情報に基づいて、第１Ｂｏｎｕｓ待機中においては、第２Ｂｏｎｕｓ待機中、または第３Ｂｏｎｕｓ待機中とするか否かの抽選、第２Ｂｏｎｕｓ待機中においては、第３Ｂｏｎｕｓ待機中とするか否かの抽選を行い、当該抽選の結果を、サブＲＡＭ４０３に設けられているＢｏｎｕｓ待機情報格納領域に格納する処理を行う。そして、ステップＳ３０２−３−１−２−１−３−１０の処理が終了すると、ステップＳ３０２−３−１−２−１−３−１１に処理を移行する。
【０５６４】
（ステップＳ３０２−３−１−２−１−３−１１）
ステップＳ３０２−３−１−２−１−３−１１において、サブＣＰＵ４０１は、Ｂｏｎｕｓ前兆状態用ゲーム数カウンタの値から「１」減算する処理を行う。具体的には、サブＣＰＵ４０１は、サブＲＡＭ４０３に設けられているＢｏｎｕｓ前兆状態用ゲーム数カウンタの値から「１」減算する処理を行う。そして、ステップＳ３０２−３−１−２−１−３−１１の処理が終了すると、ステップＳ３０２−３−１−２−１−３−１２に処理を移行する。
【０５６５】
（ステップＳ３０２−３−１−２−１−３−１２）
ステップＳ３０２−３−１−２−１−３−１２において、サブＣＰＵ４０１は、Ｂｏｎｕｓ前兆状態用ゲーム数カウンタの値が「０」であるか否かを判定する処理を行う。具体的には、サブＣＰＵ４０１は、サブＲＡＭ４０３に設けられているＢｏｎｕｓ前兆状態用ゲーム数カウンタの値が「０」であるか否かを判定する処理を行う。そして、Ｂｏｎｕｓ前兆状態用ゲーム数カウンタの値が「０」であると判定された場合には（ステップＳ３０２−３−１−２−１−３−１２＝Ｙｅｓ）、ステップＳ３０２−３−１−２−１−３−１３に処理を移行し、Ｂｏｎｕｓ前兆状態用ゲーム数カウンタの値が「０」ではないと判定された場合には（ステップＳ３０２−３−１−２−１−３−１２＝Ｎｏ）、Ｂｏｎｕｓ前兆状態用処理のサブルーチンを終了し、条件装置コマンド受信時処理のステップＳ３０２−３−１−２−２に処理を移行する。
【０５６６】
（ステップＳ３０２−３−１−２−１−３−１３）
ステップＳ３０２−３−１−２−１−３−１３において、サブＣＰＵ４０１は、サブ制御基板４００により管理される状態をＢｏｎｕｓ準備状態とする処理を行う。具体的には、サブＣＰＵ４０１は、サブ制御基板４００により管理される状態がＢｏｎｕｓ準備状態となるように、サブＲＡＭ４０３に設けられている状態格納領域にＢｏｎｕｓ準備状態をセットする処理を行う。そして、ステップＳ３０２−３−１−２−１−３−１３の処理が終了すると、Ｂｏｎｕｓ前兆状態用処理のサブルーチンを終了し、条件装置コマンド受信時処理のステップＳ３０２−３−１−２−２に処理を移行する。
【０５６７】
（チャンス状態用処理）
次に、図５５に基づいて、図５１のステップＳ３０２−３−１−２−１の状態別移行処理において、サブ制御基板４００により管理される状態がチャンス状態の場合に行われるチャンス状態用処理についての説明を行う。なお、図５５はチャンス状態用処理のサブルーチンを示す図である。
【０５６８】
（ステップＳ３０２−３−１−２−１−４−１）
ステップＳ３０２−３−１−２−１−４−１において、サブＣＰＵ４０１は、天井ゲーム数カウンタの値から「１」減算する処理を行う。具体的には、サブＣＰＵ４０１は、サブＲＡＭ４０３に設けられている天井ゲーム数カウンタの値から「１」減算する処理を行う。そして、ステップＳ３０２−３−１−２−１−４−１の処理が終了すると、ステップＳ３０２−３−１−２−１−４−２に処理を移行する。
【０５６９】
（ステップＳ３０２−３−１−２−１−４−２）
ステップＳ３０２−３−１−２−１−４−２において、サブＣＰＵ４０１は、当選番号が「０５」であるか否かを判定する処理を行う。具体的には、サブＣＰＵ４０１は、メイン制御基板３００から受信した条件装置コマンドに含まれている当選役に係る情報が、当選番号「０５」であるか否かを判定する処理を行う。そして、当選番号が「０５」であると判定された場合には（ステップＳ３０２−３−１−２−１−４−２＝Ｙｅｓ）、ステップＳ３０２−３−１−２−１−４−３に処理を移行し、当選番号が「０５」ではないと判定された場合には（ステップＳ３０２−３−１−２−１−４−２＝Ｎｏ）、ステップＳ３０２−３−１−２−１−４−６に処理を移行する。
【０５７０】
（ステップＳ３０２−３−１−２−１−４−３）
ステップＳ３０２−３−１−２−１−４−３において、サブＣＰＵ４０１は、第３Ｂｏｎｕｓ状態用ゲーム数カウンタの値に「５０」をセットする処理を行う。具体的には、サブＣＰＵ４０１は、サブＲＡＭ４０３に設けられている第３Ｂｏｎｕｓ状態用ゲーム数カウンタの値に「５０」をセットする処理を行う。そして、ステップＳ３０２−３−１−２−１−４−３の処理が終了すると、ステップＳ３０２−３−１−２−１−４−４に処理を移行する。
【０５７１】
（ステップＳ３０２−３−１−２−１−４−４）
ステップＳ３０２−３−１−２−１−４−４において、サブＣＰＵ４０１は、サブ制御基板４００により管理される状態を第３Ｂｏｎｕｓ状態とする処理を行う。具体的には、サブＣＰＵ４０１は、サブ制御基板４００により管理される状態が第３Ｂｏｎｕｓ状態となるように、サブＲＡＭ４０３に設けられている状態格納領域に第３Ｂｏｎｕｓ状態をセットする処理を行う。そして、ステップＳ３０２−３−１−２−１−４−４の処理が終了すると、ステップＳ３０２−３−１−２−１−４−５に処理を移行する。
【０５７２】
（ステップＳ３０２−３−１−２−１−４−５）
ステップＳ３０２−３−１−２−１−４−５において、サブＣＰＵ４０１は、チャンス状態用ゲーム数カウンタの値に「０」をセットする処理を行う。具体的には、サブＣＰＵ４０１は、サブＲＡＭ４０３に設けられているチャンス状態用ゲーム数カウンタの値に「０」をセットする処理を行う。そして、ステップＳ３０２−３−１−２−１−４−５の処理が終了すると、チャンス状態用処理のサブルーチンを終了し、条件装置コマンド受信時処理のステップＳ３０２−３−１−２−２に処理を移行する。
【０５７３】
（ステップＳ３０２−３−１−２−１−４−６）
ステップＳ３０２−３−１−２−１−４−６において、サブＣＰＵ４０１は、天井ゲーム数カウンタの値が「０」であるか否かを判定する処理を行う。具体的には、サブＣＰＵ４０１は、ステップＳ３０２−３−１−２−１−４−１の処理により、サブＲＡＭ４０３に設けられている天井ゲーム数カウンタの値を「１」減算した結果、サブＲＡＭ４０３に設けられている天井ゲーム数カウンタの値が「０」となったか否かを判定する処理を行う。そして、天井ゲーム数カウンタの値が「０」であると判定された場合には（ステップＳ３０２−３−１−２−１−４−６＝Ｙｅｓ）、ステップＳ３０２−３−１−２−１−４−７に処理を移行し、天井ゲーム数カウンタの値が「０」ではないと判定された場合には（ステップＳ３０２−３−１−２−１−４−６＝Ｎｏ）、ステップＳ３０２−３−１−２−１−４−９に処理を移行する。
【０５７４】
（ステップＳ３０２−３−１−２−１−４−７）
ステップＳ３０２−３−１−２−１−４−７において、サブＣＰＵ４０１は、Ｂｏｎｕｓ待機振分処理を行う。具体的には、サブＣＰＵ４０１は、サブＲＯＭ４０２に設けられているＢｏｎｕｓ状態振分抽選テーブル（チャンス状態）（図２６（Ｃ）参照）に基づいて、第１Ｂｏｎｕｓ待機中、第２Ｂｏｎｕｓ待機中、第３Ｂｏｎｕｓ待機中の何れかを決定する処理を行う。また、サブＣＰＵ４０１は、第１Ｂｏｎｕｓ待機中、第２Ｂｏｎｕｓ待機中、第３Ｂｏｎｕｓ待機中の何れかが決定された場合に、サブＲＡＭ４０３に設けられているＢｏｎｕｓ待機情報格納領域に格納する処理を行う。そして、ステップＳ３０２−３−１−２−１−４−７の処理が終了すると、ステップＳ３０２−３−１−２−１−４−８に処理を移行する。
【０５７５】
（ステップＳ３０２−３−１−２−１−４−８）
ステップＳ３０２−３−１−２−１−４−８において、サブＣＰＵ４０１は、サブ制御基板４００により管理される状態をＢｏｎｕｓ準備状態とする処理を行う。具体的には、サブＣＰＵ４０１は、サブ制御基板４００により管理される状態がＢｏｎｕｓ準備状態となるように、サブＲＡＭ４０３に設けられている状態格納領域にＢｏｎｕｓ準備状態をセットする処理を行う。そして、ステップＳ３０２−３−１−２−１−４−８の処理が終了すると、チャンス状態用処理のサブルーチンを終了し、条件装置コマンド受信時処理のステップＳ３０２−３−１−２−２に処理を移行する。
【０５７６】
（ステップＳ３０２−３−１−２−１−４−９）
ステップＳ３０２−３−１−２−１−４−９において、サブＣＰＵ４０１は、チャンス状態用ゲーム数カウンタの値から「１」減算する処理を行う。具体的には、サブＣＰＵ４０１は、サブＲＡＭ４０３に設けられているチャンス状態用ゲーム数カウンタの値から「１」減算する処理を行う。そして、ステップＳ３０２−３−１−２−１−４−９の処理が終了すると、ステップＳ３０２−３−１−２−１−４−１０に処理を移行する。
【０５７７】
（ステップＳ３０２−３−１−２−１−４−１０）
ステップＳ３０２−３−１−２−１−４−１０において、サブＣＰＵ４０１は、チャンス状態用Ｂｏｎｕｓ準備状態移行抽選処理を行う。具体的には、サブＣＰＵ４０１は、条件装置コマンドに含まれている当選役に係る情報と、サブＲＯＭ４０２に設けられているＢｏｎｕｓ準備状態移行抽選テーブル（チャンス状態）（図２５（Ｃ）参照）に基づいて、Ｂｏｎｕｓ準備状態に移行するか否かを抽選する処理を行う。そして、ステップＳ３０２−３−１−２−１−４−１０の処理が終了すると、ステップＳ３０２−３−１−２−１−４−１１に処理を移行する。
【０５７８】
（ステップＳ３０２−３−１−２−１−４−１１）
ステップＳ３０２−３−１−２−１−４−１１において、サブＣＰＵ４０１は、当選したか否かを判定する処理を行う。具体的には、サブＣＰＵ４０１は、ステップＳ３０２−３−１−２−１−４−１０のチャンス状態用Ｂｏｎｕｓ準備状態移行抽選処理による抽選の結果、Ｂｏｎｕｓ準備状態に移行することが決定されたか否かを判定する処理を行う。そして、当選したと判定された場合には（ステップＳ３０２−３−１−２−１−４−１１＝Ｙｅｓ）、ステップＳ３０２−３−１−２−１−４−１２に処理を移行し、当選していないと判定された場合には（ステップＳ３０２−３−１−２−１−４−１１＝Ｎｏ）、ステップＳ３０２−３−１−２−１−４−１４に処理を移行する。
【０５７９】
（ステップＳ３０２−３−１−２−１−４−１２）
ステップＳ３０２−３−１−２−１−４−１２において、サブＣＰＵ４０１は、Ｂｏｎｕｓ待機振分処理を行う。具体的には、サブＣＰＵ４０１は、サブＲＯＭ４０２に設けられているＢｏｎｕｓ状態振分抽選テーブル（チャンス状態）（図２６（Ｃ）参照）に基づいて、第１Ｂｏｎｕｓ待機中、第２Ｂｏｎｕｓ待機中、第３Ｂｏｎｕｓ待機中の何れかを決定する処理を行う。また、サブＣＰＵ４０１は、第１Ｂｏｎｕｓ待機中、第２Ｂｏｎｕｓ待機中、第３Ｂｏｎｕｓ待機中の何れかが決定された場合に、サブＲＡＭ４０３に設けられているＢｏｎｕｓ待機情報格納領域に格納する処理を行う。そして、ステップＳ３０２−３−１−２−１−４−１２の処理が終了すると、ステップＳ３０２−３−１−２−１−４−１３に処理を移行する。
【０５８０】
（ステップＳ３０２−３−１−２−１−４−１３）
ステップＳ３０２−３−１−２−１−４−１３において、サブＣＰＵ４０１は、サブ制御基板４００により管理される状態をＢｏｎｕｓ準備状態とする処理を行う。具体的には、サブＣＰＵ４０１は、サブ制御基板４００により管理される状態がＢｏｎｕｓ準備状態となるように、サブＲＡＭ４０３に設けられている状態格納領域にＢｏｎｕｓ準備状態をセットする処理を行う。そして、ステップＳ３０２−３−１−２−１−４−１３の処理が終了すると、チャンス状態用処理のサブルーチンを終了し、条件装置コマンド受信時処理のステップＳ３０２−３−１−２−２に処理を移行する。
【０５８１】
（ステップＳ３０２−３−１−２−１−４−１４）
ステップＳ３０２−３−１−２−１−４−１４において、サブＣＰＵ４０１は、チャンス状態用ゲーム数カウンタの値が「０」であるか否かを判定する処理を行う。具体的には、サブＣＰＵ４０１は、ステップＳ３０２−３−１−２−１−４−９の処理により、サブＲＡＭ４０３に設けられているチャンス状態用ゲーム数カウンタの値を「１」減算した結果、サブＲＡＭ４０３に設けられているチャンス状態用ゲーム数カウンタの値が「０」となったか否かを判定する処理を行う。そして、チャンス状態用ゲーム数カウンタの値が「０」であると判定された場合には（ステップＳ３０２−３−１−２−１−４−１４＝Ｙｅｓ）、ステップＳ３０２−３−１−２−１−４−１５に処理を移行し、チャンス状態用ゲーム数カウンタの値が「０」ではないと判定された場合には（ステップＳ３０２−３−１−２−１−４−１４＝Ｎｏ）、チャンス状態用処理のサブルーチンを終了し、条件装置コマンド受信時処理のステップＳ３０２−３−１−２−２に処理を移行する。
【０５８２】
（ステップＳ３０２−３−１−２−１−４−１５）
ステップＳ３０２−３−１−２−１−４−１５において、サブＣＰＵ４０１は、サブ制御基板４００により管理される状態を通常状態とする処理を行う。具体的には、サブＣＰＵ４０１は、サブ制御基板４００により管理される状態が通常状態となるように、サブＲＡＭ４０３に設けられている状態格納領域に通常状態をセットする処理を行う。そして、ステップＳ３０２−３−１−２−１−４−１５の処理が終了すると、チャンス状態用処理のサブルーチンを終了し、条件装置コマンド受信時処理のステップＳ３０２−３−１−２−２に処理を移行する。
【０５８３】
（Ｂｏｎｕｓ準備状態用処理）
次に、図５６に基づいて、図５１のステップＳ３０２−３−１−２−１の状態別移行処理において、サブ制御基板４００により管理される状態がＢｏｎｕｓ準備状態の場合に行われるＢｏｎｕｓ準備状態用処理についての説明を行う。なお、図５６はＢｏｎｕｓ準備状態用処理のサブルーチンを示す図である。
【０５８４】
（ステップＳ３０２−３−１−２−１−５−１）
ステップＳ３０２−３−１−２−１−５−１において、サブＣＰＵ４０１は、当選番号が「０５」であるか否かを判定する処理を行う。具体的には、サブＣＰＵ４０１は、メイン制御基板３００から受信した条件装置コマンドに含まれている当選役に係る情報が、当選番号「０５」であるか否かを判定する処理を行う。そして、当選番号が「０５」であると判定された場合には（ステップＳ３０２−３−１−２−１−５−１＝Ｙｅｓ）、ステップＳ３０２−３−１−２−１−５−２に処理を移行し、当選番号が「０５」ではないと判定された場合には（ステップＳ３０２−３−１−２−１−５−１＝Ｎｏ）、ステップＳ３０２−３−１−２−１−５−４に処理を移行する。
【０５８５】
（ステップＳ３０２−３−１−２−１−５−２）
ステップＳ３０２−３−１−２−１−５−２において、サブＣＰＵ４０１は、第３Ｂｏｎｕｓ状態用ゲーム数カウンタの値に「５０」をセットする処理を行う。具体的には、サブＣＰＵ４０１は、サブＲＡＭ４０３に設けられている第３Ｂｏｎｕｓ状態用ゲーム数カウンタの値に「５０」をセットする処理を行う。そして、ステップＳ３０２−３−１−２−１−５−２の処理が終了すると、ステップＳ３０２−３−１−２−１−５−３に処理を移行する。
【０５８６】
（ステップＳ３０２−３−１−２−１−５−３）
ステップＳ３０２−３−１−２−１−５−３において、サブＣＰＵ４０１は、サブ制御基板４００により管理される状態を第３Ｂｏｎｕｓ状態とする処理を行う。具体的には、サブＣＰＵ４０１は、サブ制御基板４００により管理される状態が第３Ｂｏｎｕｓ状態となるように、サブＲＡＭ４０３に設けられている状態格納領域に第３Ｂｏｎｕｓ状態をセットする処理を行う。そして、ステップＳ３０２−３−１−２−１−５−３の処理が終了すると、Ｂｏｎｕｓ準備状態用処理のサブルーチンを終了し、条件装置コマンド受信時処理のステップＳ３０２−３−１−２−２に処理を移行する。
【０５８７】
（ステップＳ３０２−３−１−２−１−５−４）
ステップＳ３０２−３−１−２−１−５−４において、サブＣＰＵ４０１は、第１Ｂｏｎｕｓ待機中、または第２Ｂｏｎｕｓ待機中であるか否かを判定する処理を行う。具体的には、サブＣＰＵ４０１は、サブＲＡＭ４０３に設けられているＢｏｎｕｓ待機情報格納領域の値に基づいて、第１Ｂｏｎｕｓ待機中、または第２Ｂｏｎｕｓ待機中であるか否かを判定する処理を行う。そして、第１Ｂｏｎｕｓ待機中、または第２Ｂｏｎｕｓ待機中であると判定された場合には（ステップＳ３０２−３−１−２−１−５−４＝Ｙｅｓ）、ステップＳ３０２−３−１−２−１−５−５に処理を移行し、第１Ｂｏｎｕｓ待機中、または第２Ｂｏｎｕｓ待機中ではないと判定された場合には（ステップＳ３０２−３−１−２−１−５−４＝Ｎｏ）、Ｂｏｎｕｓ準備状態用処理のサブルーチンを終了し、条件装置コマンド受信時処理のステップＳ３０２−３−１−２−２に処理を移行する。
【０５８８】
（ステップＳ３０２−３−１−２−１−５−５）
ステップＳ３０２−３−１−２−１−５−５において、サブＣＰＵ４０１は、昇格抽選処理を行う。具体的には、サブＣＰＵ４０１は、サブＲＡＭ４０３に設けられているＢｏｎｕｓ待機情報格納領域の値に基づいて、サブＲＯＭ４０２に設けられている昇格抽選テーブル（第１Ｂｏｎｕｓ待機中）（図３０（Ａ）参照）、または昇格抽選テーブル（第２Ｂｏｎｕｓ待機中）（図３０（Ｂ）参照）の何れかを選択し、当該選択された昇格抽選テーブルと、条件装置コマンドに含まれている当選役に係る情報に基づいて、第１Ｂｏｎｕｓ待機中においては、第２Ｂｏｎｕｓ待機中、または第３Ｂｏｎｕｓ待機中とするか否かの抽選、第２Ｂｏｎｕｓ待機中においては、第３Ｂｏｎｕｓ待機中とするか否かの抽選を行い、当該抽選の結果を、サブＲＡＭ４０３に設けられているＢｏｎｕｓ待機情報格納領域に格納する処理を行う。そして、ステップＳ３０２−３−１−２−１−５−５の処理が終了すると、Ｂｏｎｕｓ準備状態用処理のサブルーチンを終了し、条件装置コマンド受信時処理のステップＳ３０２−３−１−２−２に処理を移行する。
【０５８９】
（第１Ｂｏｎｕｓ状態用処理）
次に、図５７に基づいて、図５１のステップＳ３０２−３−１−２−１の状態別移行処理において、サブ制御基板４００により管理される状態が第１Ｂｏｎｕｓ状態の場合に行われる第１Ｂｏｎｕｓ状態用処理についての説明を行う。なお、図５７は第１Ｂｏｎｕｓ状態用処理のサブルーチンを示す図である。
【０５９０】
（ステップＳ３０２−３−１−２−１−６−１）
ステップＳ３０２−３−１−２−１−６−１において、サブＣＰＵ４０１は、第１Ｂｏｎｕｓ状態用ゲーム数カウンタの値から「１」減算する処理を行う。具体的には、サブＣＰＵ４０１は、サブＲＡＭ４０３に設けられている第１Ｂｏｎｕｓ状態用ゲーム数カウンタの値から「１」減算する処理を行う。そして、ステップＳ３０２−３−１−２−１−６−１の処理が終了すると、ステップＳ３０２−３−１−２−１−６−２に処理を移行する。
【０５９１】
（ステップＳ３０２−３−１−２−１−６−２）
ステップＳ３０２−３−１−２−１−６−２において、サブＣＰＵ４０１は、ＡＲＴ準備状態移行抽選処理を行う。具体的には、サブＣＰＵ４０１は、サブＲＡＭ４０３に設けられているＡＲＴ当選フラグ格納領域に格納されているＡＲＴ当選フラグの値がＯＦＦであることを条件として、条件装置コマンドに含まれている当選役に係る情報と、サブＲＯＭ４０２に設けられている第１Ｂｏｎｕｓ状態用ＡＲＴ準備状態移行抽選テーブル（図３１（Ａ）参照）に基づいて、ＡＲＴ準備状態に移行するか否かを抽選する処理を行う。そして、ステップＳ３０２−３−１−２−１−６−２の処理が終了すると、ステップＳ３０２−３−１−２−１−６−３に処理を移行する。
【０５９２】
（ステップＳ３０２−３−１−２−１−６−３）
ステップＳ３０２−３−１−２−１−６−３において、サブＣＰＵ４０１は、当選したか否かを判定する処理を行う。具体的には、サブＣＰＵ４０１は、ステップＳ３０２−３−１−２−１−６−２のＡＲＴ準備状態移行抽選処理による抽選の結果、ＡＲＴ準備状態に移行することが決定されたか否かを判定する処理を行う。そして、当選したと判定された場合には（ステップＳ３０２−３−１−２−１−６−３＝Ｙｅｓ）、ステップＳ３０２−３−１−２−１−６−４に処理を移行し、当選していないと判定された場合には（ステップＳ３０２−３−１−２−１−６−３＝Ｎｏ）、ステップＳ３０２−３−１−２−１−６−５に処理を移行する。
【０５９３】
（ステップＳ３０２−３−１−２−１−６−４）
ステップＳ３０２−３−１−２−１−６−４において、サブＣＰＵ４０１は、ＡＲＴ当選フラグをＯＮにする処理を行う。具体的には、サブＣＰＵ４０１は、サブＲＡＭ４０３に設けられているＡＲＴ当選フラグ格納領域のＡＲＴ当選フラグをＯＮにする処理を行う。そして、ステップＳ３０２−３−１−２−１−６−４の処理が終了すると、ステップＳ３０２−３−１−２−１−６−５に処理を移行する。
【０５９４】
（ステップＳ３０２−３−１−２−１−６−５）
ステップＳ３０２−３−１−２−１−６−５において、サブＣＰＵ４０１は、第１Ｂｏｎｕｓ状態用ゲーム数カウンタの値が「０」であるか否かを判定する処理を行う。具体的には、サブＣＰＵ４０１は、ステップＳ３０２−３−１−２−１−６−１の処理により、サブＲＡＭ４０３に設けられている第１Ｂｏｎｕｓ状態用ゲーム数カウンタの値を「１」減算した結果、サブＲＡＭ４０３に設けられている第１Ｂｏｎｕｓ状態用ゲーム数カウンタの値が「０」となったか否かを判定する処理を行う。そして、第１Ｂｏｎｕｓ状態用ゲーム数カウンタの値が「０」であると判定された場合には（ステップＳ３０２−３−１−２−１−６−５＝Ｙｅｓ）、ステップＳ３０２−３−１−２−１−６−６に処理を移行し、第１Ｂｏｎｕｓ状態用ゲーム数カウンタの値が「０」ではないと判定された場合には（ステップＳ３０２−３−１−２−１−６−５＝Ｎｏ）、第１Ｂｏｎｕｓ状態用処理のサブルーチンを終了し、条件装置コマンド受信時処理のステップＳ３０２−３−１−２−２に処理を移行する。
【０５９５】
（ステップＳ３０２−３−１−２−１−６−６）
ステップＳ３０２−３−１−２−１−６−６において、サブＣＰＵ４０１は、ＡＲＴ当選フラグがＯＮであるか否かを判定する処理を行う。具体的には、サブＣＰＵ４０１は、サブＲＡＭ４０３に設けられているＡＲＴ当選フラグ格納領域に格納されている値に基づいて、ＡＲＴ当選フラグがＯＮであるか否かを判定する処理を行う。そして、ＡＲＴ当選フラグがＯＮであると判定された場合には（ステップＳ３０２−３−１−２−１−６−６＝Ｙｅｓ）、ステップＳ３０２−３−１−２−１−６−７に処理を移行し、ＡＲＴ当選フラグがＯＮではないと判定された場合には（ステップＳ３０２−３−１−２−１−６−６＝Ｎｏ）、ステップＳ３０２−３−１−２−１−６−９に処理を移行する。
【０５９６】
（ステップＳ３０２−３−１−２−１−６−７）
ステップＳ３０２−３−１−２−１−６−７において、サブＣＰＵ４０１は、サブ制御基板４００により管理される状態をＡＲＴ準備状態とする処理を行う。具体的には、サブＣＰＵ４０１は、サブ制御基板４００により管理される状態がＡＲＴ準備状態となるように、サブＲＡＭ４０３に設けられている状態格納領域にＡＲＴ準備状態をセットする処理を行う。そして、ステップＳ３０２−３−１−２−１−６−７の処理が終了すると、ステップＳ３０２−３−１−２−１−６−８に処理を移行する。
【０５９７】
（ステップＳ３０２−３−１−２−１−６−８）
ステップＳ３０２−３−１−２−１−６−８において、サブＣＰＵ４０１は、ＡＲＴ当選フラグをＯＦＦにする処理を行う。具体的には、サブＣＰＵ４０１は、サブＲＡＭ４０３に設けられているＡＲＴ当選フラグ格納領域のＡＲＴ当選フラグをＯＦＦにする処理を行う。そして、ステップＳ３０２−３−１−２−１−６−８の処理が終了すると、第１Ｂｏｎｕｓ状態用処理のサブルーチンを終了し、条件装置コマンド受信時処理のステップＳ３０２−３−１−２−２に処理を移行する。
【０５９８】
（ステップＳ３０２−３−１−２−１−６−９）
ステップＳ３０２−３−１−２−１−６−９において、サブＣＰＵ４０１は、サブ制御基板４００により管理される状態を第１転落待機状態とする処理を行う。具体的には、サブＣＰＵ４０１は、サブ制御基板４００により管理される状態が第１転落待機状態となるように、サブＲＡＭ４０３に設けられている状態格納領域に第１転落待機状態をセットする処理を行う。そして、ステップＳ３０２−３−１−２−１−６−９の処理が終了すると、第１Ｂｏｎｕｓ状態用処理のサブルーチンを終了し、条件装置コマンド受信時処理のステップＳ３０２−３−１−２−２に処理を移行する。
【０５９９】
（第２Ｂｏｎｕｓ状態用処理）
次に、図５８に基づいて、図５１のステップＳ３０２−３−１−２−１の状態別移行処理において、サブ制御基板４００により管理される状態が第２Ｂｏｎｕｓ状態の場合に行われる第２Ｂｏｎｕｓ状態用処理についての説明を行う。なお、図５８は第２Ｂｏｎｕｓ状態用処理のサブルーチンを示す図である。
【０６００】
（ステップＳ３０２−３−１−２−１−７−１）
ステップＳ３０２−３−１−２−１−７−１において、サブＣＰＵ４０１は、第２Ｂｏｎｕｓ状態用ゲーム数カウンタの値から「１」減算する処理を行う。具体的には、サブＣＰＵ４０１は、サブＲＡＭ４０３に設けられている第２Ｂｏｎｕｓ状態用ゲーム数カウンタの値から「１」減算する処理を行う。そして、ステップＳ３０２−３−１−２−１−７−１の処理が終了すると、ステップＳ３０２−３−１−２−１−７−２に処理を移行する。
【０６０１】
（ステップＳ３０２−３−１−２−１−７−２）
ステップＳ３０２−３−１−２−１−７−２において、サブＣＰＵ４０１は、ＡＲＴ準備状態移行抽選処理を行う。具体的には、サブＣＰＵ４０１は、サブＲＡＭ４０３に設けられているＡＲＴ当選フラグ格納領域に格納されているＡＲＴ当選フラグの値がＯＦＦであることを条件として、条件装置コマンドに含まれている当選役に係る情報と、サブＲＯＭ４０２に設けられている第２Ｂｏｎｕｓ状態用ＡＲＴ準備状態移行抽選テーブル（図３１（Ｂ）参照）に基づいて、ＡＲＴ準備状態に移行するか否かを抽選する処理を行う。そして、ステップＳ３０２−３−１−２−１−７−２の処理が終了すると、ステップＳ３０２−３−１−２−１−７−３に処理を移行する。
【０６０２】
（ステップＳ３０２−３−１−２−１−７−３）
ステップＳ３０２−３−１−２−１−７−３において、サブＣＰＵ４０１は、当選したか否かを判定する処理を行う。具体的には、サブＣＰＵ４０１は、ステップＳ３０２−３−１−２−１−７−２のＡＲＴ準備状態移行抽選処理による抽選の結果、ＡＲＴ準備状態に移行することが決定されたか否かを判定する処理を行う。そして、当選したと判定された場合には（ステップＳ３０２−３−１−２−１−７−３＝Ｙｅｓ）、ステップＳ３０２−３−１−２−１−７−４に処理を移行し、当選していないと判定された場合には（ステップＳ３０２−３−１−２−１−７−３＝Ｎｏ）、ステップＳ３０２−３−１−２−１−７−５に処理を移行する。
【０６０３】
（ステップＳ３０２−３−１−２−１−７−４）
ステップＳ３０２−３−１−２−１−７−４において、サブＣＰＵ４０１は、ＡＲＴ当選フラグをＯＮにする処理を行う。具体的には、サブＣＰＵ４０１は、サブＲＡＭ４０３に設けられているＡＲＴ当選フラグ格納領域のＡＲＴ当選フラグをＯＮにする処理を行う。そして、ステップＳ３０２−３−１−２−１−７−４の処理が終了すると、ステップＳ３０２−３−１−２−１−７−５に処理を移行する。
【０６０４】
（ステップＳ３０２−３−１−２−１−７−５）
ステップＳ３０２−３−１−２−１−７−５において、サブＣＰＵ４０１は、第２Ｂｏｎｕｓ状態用ゲーム数カウンタの値が「０」であるか否かを判定する処理を行う。具体的には、サブＣＰＵ４０１は、ステップＳ３０２−３−１−２−１−７−１の処理により、サブＲＡＭ４０３に設けられている第２Ｂｏｎｕｓ状態用ゲーム数カウンタの値を「１」減算した結果、サブＲＡＭ４０３に設けられている第２Ｂｏｎｕｓ状態用ゲーム数カウンタの値が「０」となったか否かを判定する処理を行う。そして、第２Ｂｏｎｕｓ状態用ゲーム数カウンタの値が「０」であると判定された場合には（ステップＳ３０２−３−１−２−１−７−５＝Ｙｅｓ）、ステップＳ３０２−３−１−２−１−７−６に処理を移行し、第２Ｂｏｎｕｓ状態用ゲーム数カウンタの値が「０」ではないと判定された場合には（ステップＳ３０２−３−１−２−１−７−５＝Ｎｏ）、第２Ｂｏｎｕｓ状態用処理のサブルーチンを終了し、条件装置コマンド受信時処理のステップＳ３０２−３−１−２−２に処理を移行する。
【０６０５】
（ステップＳ３０２−３−１−２−１−７−６）
ステップＳ３０２−３−１−２−１−７−６において、サブＣＰＵ４０１は、ＡＲＴ当選フラグがＯＮであるか否かを判定する処理を行う。具体的には、サブＣＰＵ４０１は、サブＲＡＭ４０３に設けられているＡＲＴ当選フラグ格納領域に格納されている値に基づいて、ＡＲＴ当選フラグがＯＮであるか否かを判定する処理を行う。そして、ＡＲＴ当選フラグがＯＮであると判定された場合には（ステップＳ３０２−３−１−２−１−７−６＝Ｙｅｓ）、ステップＳ３０２−３−１−２−１−７−７に処理を移行し、ＡＲＴ当選フラグがＯＮではないと判定された場合には（ステップＳ３０２−３−１−２−１−７−６＝Ｎｏ）、ステップＳ３０２−３−１−２−１−７−９に処理を移行する。
【０６０６】
（ステップＳ３０２−３−１−２−１−７−７）
ステップＳ３０２−３−１−２−１−７−７において、サブＣＰＵ４０１は、サブ制御基板４００により管理される状態をＡＲＴ準備状態とする処理を行う。具体的には、サブＣＰＵ４０１は、サブ制御基板４００により管理される状態がＡＲＴ準備状態となるように、サブＲＡＭ４０３に設けられている状態格納領域にＡＲＴ準備状態をセットする処理を行う。そして、ステップＳ３０２−３−１−２−１−７−７の処理が終了すると、ステップＳ３０２−３−１−２−１−７−８に処理を移行する。
【０６０７】
（ステップＳ３０２−３−１−２−１−７−８）
ステップＳ３０２−３−１−２−１−７−８において、サブＣＰＵ４０１は、ＡＲＴ当選フラグをＯＦＦにする処理を行う。具体的には、サブＣＰＵ４０１は、サブＲＡＭ４０３に設けられているＡＲＴ当選フラグ格納領域のＡＲＴ当選フラグをＯＦＦにする処理を行う。そして、ステップＳ３０２−３−１−２−１−７−８の処理が終了すると、第２Ｂｏｎｕｓ状態用処理のサブルーチンを終了し、条件装置コマンド受信時処理のステップＳ３０２−３−１−２−２に処理を移行する。
【０６０８】
（ステップＳ３０２−３−１−２−１−７−９）
ステップＳ３０２−３−１−２−１−７−９において、サブＣＰＵ４０１は、サブ制御基板４００により管理される状態を第１転落待機状態とする処理を行う。具体的には、サブＣＰＵ４０１は、サブ制御基板４００により管理される状態が第１転落待機状態となるように、サブＲＡＭ４０３に設けられている状態格納領域に第１転落待機状態をセットする処理を行う。そして、ステップＳ３０２−３−１−２−１−７−９の処理が終了すると、第２Ｂｏｎｕｓ状態用処理のサブルーチンを終了し、条件装置コマンド受信時処理のステップＳ３０２−３−１−２−２に処理を移行する。
【０６０９】
（第３Ｂｏｎｕｓ状態用処理）
次に、図５９に基づいて、図５１のステップＳ３０２−３−１−２−１の状態別移行処理において、サブ制御基板４００により管理される状態が第３Ｂｏｎｕｓ状態の場合に行われる第３Ｂｏｎｕｓ状態用処理についての説明を行う。なお、図５９は第３Ｂｏｎｕｓ状態用処理のサブルーチンを示す図である。
【０６１０】
（ステップＳ３０２−３−１−２−１−８−１）
ステップＳ３０２−３−１−２−１−８−１において、サブＣＰＵ４０１は、第３Ｂｏｎｕｓ状態用ゲーム数カウンタの値から「１」減算する処理を行う。具体的には、サブＣＰＵ４０１は、サブＲＡＭ４０３に設けられている第３Ｂｏｎｕｓ状態用ゲーム数カウンタの値から「１」減算する処理を行う。そして、ステップＳ３０２−３−１−２−１−８−１の処理が終了すると、ステップＳ３０２−３−１−２−１−８−２に処理を移行する。
【０６１１】
（ステップＳ３０２−３−１−２−１−８−２）
ステップＳ３０２−３−１−２−１−８−２において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（第３Ｂｏｎｕｓ状態）（図３２（Ａ）参照）に基づいて、ＡＲＴ状態において遊技可能なゲーム数を上乗せするか否かを抽選する処理を行う。そして、ステップＳ３０２−３−１−２−１−８−２の処理が終了すると、ステップＳ３０２−３−１−２−１−８−３に処理を移行する。
【０６１２】
（ステップＳ３０２−３−１−２−１−８−３）
ステップＳ３０２−３−１−２−１−８−３において、サブＣＰＵ４０１は、当選したか否かを判定する処理を行う。具体的には、サブＣＰＵ４０１は、ステップＳ３０２−３−１−２−１−８−２のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−８−３＝Ｙｅｓ）、ステップＳ３０２−３−１−２−１−８−４に処理を移行し、当選していないと判定された場合には（ステップＳ３０２−３−１−２−１−８−３＝Ｎｏ）、ステップＳ３０２−３−１−２−１−８−５に処理を移行する。
【０６１３】
（ステップＳ３０２−３−１−２−１−８−４）
ステップＳ３０２−３−１−２−１−８−４において、サブＣＰＵ４０１は、ＡＲＴ状態用ゲーム数カウンタ加算処理を行う。具体的には、サブＣＰＵ４０１は、ステップＳ３０２−３−１−２−１−８−２のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−８−４の処理が終了すると、ステップＳ３０２−３−１−２−１−８−５に処理を移行する。
【０６１４】
（ステップＳ３０２−３−１−２−１−８−５）
ステップＳ３０２−３−１−２−１−８−５において、サブＣＰＵ４０１は、第３Ｂｏｎｕｓ状態用ゲーム数カウンタの値が「０」であるか否かを判定する処理を行う。具体的には、サブＣＰＵ４０１は、ステップＳ３０２−３−１−２−１−８−１の処理により、サブＲＡＭ４０３に設けられている第３Ｂｏｎｕｓ状態用ゲーム数カウンタの値を「１」減算した結果、サブＲＡＭ４０３に設けられている第３Ｂｏｎｕｓ状態用ゲーム数カウンタの値が「０」となったか否かを判定する処理を行う。そして、第３Ｂｏｎｕｓ状態用ゲーム数カウンタの値が「０」であると判定された場合には（ステップＳ３０２−３−１−２−１−８−５＝Ｙｅｓ）、ステップＳ３０２−３−１−２−１−８−６に処理を移行し、第３Ｂｏｎｕｓ状態用ゲーム数カウンタの値が「０」ではないと判定された場合には（ステップＳ３０２−３−１−２−１−８−５＝Ｎｏ）、第３Ｂｏｎｕｓ状態用処理のサブルーチンを終了し、条件装置コマンド受信時処理のステップＳ３０２−３−１−２−２に処理を移行する。
【０６１５】
（ステップＳ３０２−３−１−２−１−８−６）
ステップＳ３０２−３−１−２−１−８−６において、サブＣＰＵ４０１は、サブ制御基板４００により管理される状態をＡＲＴ準備状態とする処理を行う。具体的には、サブＣＰＵ４０１は、サブ制御基板４００により管理される状態がＡＲＴ準備状態となるように、サブＲＡＭ４０３に設けられている状態格納領域にＡＲＴ準備状態をセットする処理を行う。そして、ステップＳ３０２−３−１−２−１−８−６の処理が終了すると、第３Ｂｏｎｕｓ状態用処理のサブルーチンを終了し、条件装置コマンド受信時処理のステップＳ３０２−３−１−２−２に処理を移行する。
【０６１６】
（第１転落待機状態用処理）
次に、図６０に基づいて、図５１のステップＳ３０２−３−１−２−１の状態別移行処理において、サブ制御基板４００により管理される状態が第１転落待機状態の場合に行われる第１転落待機状態用処理についての説明を行う。なお、図６０は第１転落待機状態用処理のサブルーチンを示す図である。
【０６１７】
（ステップＳ３０２−３−１−２−１−９−１）
ステップＳ３０２−３−１−２−１−９−１において、サブＣＰＵ４０１は、第１転落待機状態用引戻抽選処理を行う。具体的には、サブＣＰＵ４０１は、条件装置コマンドに含まれている当選役に係る情報と、サブＲＯＭ４０２に設けられている第１転落待機状態用引戻抽選テーブル（図３３（Ａ）参照）に基づいて、Ｂｏｎｕｓ状態が終了した後、ＡＲＴ準備状態に移行するか否かを抽選する処理を行う。そして、ステップＳ３０２−３−１−２−１−９−１の処理が終了すると、ステップＳ３０２−３−１−２−１−９−２に処理を移行する。
【０６１８】
（ステップＳ３０２−３−１−２−１−９−２）
ステップＳ３０２−３−１−２−１−９−２において、サブＣＰＵ４０１は、当選したか否かを判定する処理を行う。具体的には、サブＣＰＵ４０１は、ステップＳ３０２−３−１−２−１−９−１の第１転落待機状態用引戻抽選処理による抽選の結果、ＡＲＴ準備状態に移行することが決定されたか否かを判定する処理を行う。そして、当選したと判定された場合には（ステップＳ３０２−３−１−２−１−９−２＝Ｙｅｓ）、ステップＳ３０２−３−１−２−１−９−３に処理を移行し、当選していないと判定された場合には（ステップＳ３０２−３−１−２−１−９−２＝Ｎｏ）第１転落待機状態用処理のサブルーチンを終了し、条件装置コマンド受信時処理のステップＳ３０２−３−１−２−２に処理を移行する。
【０６１９】
（ステップＳ３０２−３−１−２−１−９−３）
ステップＳ３０２−３−１−２−１−９−３において、サブＣＰＵ４０１は、サブ制御基板４００により管理される状態をＡＲＴ準備状態とする処理を行う。具体的には、サブＣＰＵ４０１は、サブ制御基板４００により管理される状態がＡＲＴ準備状態となるように、サブＲＡＭ４０３に設けられている状態格納領域にＡＲＴ準備状態をセットする処理を行う。そして、ステップＳ３０２−３−１−２−１−９−３の処理が終了すると、第１転落待機状態用処理のサブルーチンを終了し、条件装置コマンド受信時処理のステップＳ３０２−３−１−２−２に処理を移行する。
【０６２０】
（ＡＲＴ準備状態用処理）
次に、図６１に基づいて、図５１のステップＳ３０２−３−１−２−１の状態別移行処理において、サブ制御基板４００により管理される状態がＡＲＴ準備状態の場合に行われるＡＲＴ準備状態用処理についての説明を行う。なお、図６１はＡＲＴ準備状態用処理のサブルーチンを示す図である。
【０６２１】
（ステップＳ３０２−３−１−２−１−１０−１）
ステップＳ３０２−３−１−２−１−１０−１において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（ＡＲＴ準備状態・ＡＲＴ状態）（図３２（Ｂ）参照）に基づいて、ＡＲＴ状態において遊技可能なゲーム数を上乗せするか否かを抽選する処理を行う。そして、ステップＳ３０２−３−１−２−１−１０−１の処理が終了すると、ステップＳ３０２−３−１−２−１−１０−２に処理を移行する。
【０６２２】
（ステップＳ３０２−３−１−２−１−１０−２）
ステップＳ３０２−３−１−２−１−１０−２において、サブＣＰＵ４０１は、当選したか否かを判定する処理を行う。具体的には、サブＣＰＵ４０１は、ステップＳ３０２−３−１−２−１−１０−１のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−１０−２＝Ｙｅｓ）、ステップＳ３０２−３−１−２−１−１０−３に処理を移行し、当選していないと判定された場合には（ステップＳ３０２−３−１−２−１−１０−２＝Ｎｏ）、ＡＲＴ準備状態用処理のサブルーチンを終了し、条件装置コマンド受信時処理のステップＳ３０２−３−１−２−２に処理を移行する。
【０６２３】
（ステップＳ３０２−３−１−２−１−１０−３）
ステップＳ３０２−３−１−２−１−１０−３において、サブＣＰＵ４０１は、ＡＲＴ状態用ゲーム数カウンタ加算処理を行う。具体的には、サブＣＰＵ４０１は、ステップＳ３０２−３−１−２−１−１０−１のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−１０−３の処理が終了すると、ＡＲＴ準備状態用処理のサブルーチンを終了し、条件装置コマンド受信時処理のステップＳ３０２−３−１−２−２に処理を移行する。
【０６２４】
（ＡＲＴ状態用処理）
次に、図６２に基づいて、図５１のステップＳ３０２−３−１−２−１の状態別移行処理において、サブ制御基板４００により管理される状態がＡＲＴ状態の場合に行われるＡＲＴ状態用処理についての説明を行う。なお、図６２はＡＲＴ状態用処理のサブルーチンを示す図である。
【０６２５】
（ステップＳ３０２−３−１−２−１−１１−１）
ステップＳ３０２−３−１−２−１−１１−１において、サブＣＰＵ４０１は、ＡＲＴ状態用ゲーム数カウンタの値から「１」減算する処理を行う。具体的には、サブＣＰＵ４０１は、サブＲＡＭ４０３に設けられているＡＲＴ状態用ゲーム数カウンタの値から「１」減算する処理を行う。そして、ステップＳ３０２−３−１−２−１−１１−１の処理が終了すると、ステップＳ３０２−３−１−２−１−１１−２に処理を移行する。
【０６２６】
（ステップＳ３０２−３−１−２−１−１１−２）
ステップＳ３０２−３−１−２−１−１１−２において、サブＣＰＵ４０１は、ＡＲＴ状態用フェイクゲーム数カウンタの値が「１」以上であるか否かを判定する処理を行う。具体的には、サブＣＰＵ４０１は、サブＲＡＭ４０３に設けられているＡＲＴ状態用フェイクゲーム数カウンタの値が「１」以上であるか否かを判定する処理を行う。そして、ＡＲＴ状態用フェイクゲーム数カウンタの値が「１」以上であると判定された場合には（ステップＳ３０２−３−１−２−１−１１−２＝Ｙｅｓ）、ステップＳ３０２−３−１−２−１−１１−３に処理を移行し、ＡＲＴ状態用フェイクゲーム数カウンタの値が「１」以上ではないと判定された場合には（ステップＳ３０２−３−１−２−１−１１−２＝Ｎｏ）、ステップＳ３０２−３−１−２−１−１１−４に処理を移行する。
【０６２７】
（ステップＳ３０２−３−１−２−１−１１−３）
ステップＳ３０２−３−１−２−１−１１−３において、サブＣＰＵ４０１は、ＡＲＴ状態用フェイクゲーム数カウンタの値から「１」減算する処理を行う。具体的には、サブＣＰＵ４０１は、サブＲＡＭ４０３に設けられているＡＲＴ状態用フェイクゲーム数カウンタの値から「１」減算する処理を行う。そして、ステップＳ３０２−３−１−２−１−１１−３の処理が終了すると、ステップＳ３０２−３−１−２−１−１１−４に処理を移行する。
【０６２８】
（ステップＳ３０２−３−１−２−１−１１−４）
ステップＳ３０２−３−１−２−１−１１−４において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（ＡＲＴ準備状態・ＡＲＴ状態）（図３２（Ｂ）参照）に基づいて、ＡＲＴ状態において遊技可能なゲーム数を上乗せするか否かを抽選する処理を行う。そして、ステップＳ３０２−３−１−２−１−１１−４の処理が終了すると、ステップＳ３０２−３−１−２−１−１１−５に処理を移行する。
【０６２９】
（ステップＳ３０２−３−１−２−１−１１−５）
ステップＳ３０２−３−１−２−１−１１−５において、サブＣＰＵ４０１は、当選したか否かを判定する処理を行う。具体的には、サブＣＰＵ４０１は、ステップＳ３０２−３−１−２−１−１１−４のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−１１−５＝Ｙｅｓ）、ステップＳ３０２−３−１−２−１−１１−６に処理を移行し、当選していないと判定された場合には（ステップＳ３０２−３−１−２−１−１１−５＝Ｎｏ）、ステップＳ３０２−３−１−２−１−１１−７に処理を移行する。
【０６３０】
（ステップＳ３０２−３−１−２−１−１１−６）
ステップＳ３０２−３−１−２−１−１１−６において、サブＣＰＵ４０１は、ＡＲＴ状態用ゲーム数カウンタ加算処理を行う。具体的には、サブＣＰＵ４０１は、ステップＳ３０２−３−１−２−１−１１−４のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−１１−６の処理が終了すると、ステップＳ３０２−３−１−２−１−１１−７に処理を移行する。
【０６３１】
（ステップＳ３０２−３−１−２−１−１１−７）
ステップＳ３０２−３−１−２−１−１１−７において、サブＣＰＵ４０１は、第１上乗せ状態移行抽選処理を行う。具体的には、サブＣＰＵ４０１は、条件装置コマンドに含まれている当選役に係る情報と、サブＲＯＭ４０２に設けられている第１上乗せ状態移行抽選テーブル（図３４（Ａ）参照）に基づいて、第１上乗せ状態に移行するか否かを抽選する処理を行う。そして、ステップＳ３０２−３−１−２−１−１１−７の処理が終了すると、ステップＳ３０２−３−１−２−１−１１−８に処理を移行する。
【０６３２】
（ステップＳ３０２−３−１−２−１−１１−８）
ステップＳ３０２−３−１−２−１−１１−８において、サブＣＰＵ４０１は、当選したか否かを判定する処理を行う。具体的には、サブＣＰＵ４０１は、ステップＳ３０２−３−１−２−１−１１−７の第１上乗せ状態移行抽選処理による抽選の結果、第１上乗せ状態に移行することが決定されたか否かを判定する処理を行う。そして、当選したと判定された場合には（ステップＳ３０２−３−１−２−１−１１−８＝Ｙｅｓ）、ステップＳ３０２−３−１−２−１−１１−９に処理を移行し、当選していないと判定された場合には（ステップＳ３０２−３−１−２−１−１１−８＝Ｎｏ）、ステップＳ３０２−３−１−２−１−１１−１１に処理を移行する。
【０６３３】
（ステップＳ３０２−３−１−２−１−１１−９）
ステップＳ３０２−３−１−２−１−１１−９において、サブＣＰＵ４０１は、第１上乗せ前兆ゲーム数抽選処理を行う。具体的には、サブＣＰＵ４０１は、条件装置コマンドに含まれている当選役に係る情報と、サブＲＯＭ４０２に設けられている第１上乗せ前兆ゲーム数決定テーブル（図２７（Ｃ）参照）に基づいて、第１上乗せ準備状態に移行するまでの前兆ゲーム数を決定し、サブＲＡＭ４０３に設けられている第１上乗せ前兆状態用ゲーム数カウンタの値をセットする処理を行う。そして、ステップＳ３０２−３−１−２−１−１１−９の処理が終了すると、ステップＳ３０２−３−１−２−１−１１−１０に処理を移行する。
【０６３４】
（ステップＳ３０２−３−１−２−１−１１−１０）
ステップＳ３０２−３−１−２−１−１１−１０において、サブＣＰＵ４０１は、サブ制御基板４００により管理される状態を第１上乗せ前兆状態とする処理を行う。具体的には、サブＣＰＵ４０１は、サブ制御基板４００により管理される状態が第１上乗せ前兆状態となるように、サブＲＡＭ４０３に設けられている状態格納領域に第１上乗せ前兆状態をセットする処理を行う。そして、ステップＳ３０２−３−１−２−１−１１−１０の処理が終了すると、ステップＳ３０２−３−１−２−１−１１−１５に処理を移行する。
【０６３５】
（ステップＳ３０２−３−１−２−１−１１−１１）
ステップＳ３０２−３−１−２−１−１１−１１において、サブＣＰＵ４０１は、第２上乗せ状態移行抽選処理を行う。具体的には、サブＣＰＵ４０１は、条件装置コマンドに含まれている当選役に係る情報と、サブＲＯＭ４０２に設けられている第２上乗せ状態移行抽選テーブル（図３４（Ｂ）参照）に基づいて、第２上乗せ状態に移行するか否かを抽選する処理を行う。そして、ステップＳ３０２−３−１−２−１−１１−１１の処理が終了すると、ステップＳ３０２−３−１−２−１−１１−１２に処理を移行する。
【０６３６】
（ステップＳ３０２−３−１−２−１−１１−１２）
ステップＳ３０２−３−１−２−１−１１−１２において、サブＣＰＵ４０１は、当選したか否かを判定する処理を行う。具体的には、サブＣＰＵ４０１は、ステップＳ３０２−３−１−２−１−１１−１１の第２上乗せ状態移行抽選処理による抽選の結果、第２上乗せ状態に移行することが決定されたか否かを判定する処理を行う。そして、当選したと判定された場合には（ステップＳ３０２−３−１−２−１−１１−１２＝Ｙｅｓ）、ステップＳ３０２−３−１−２−１−１１−１３に処理を移行し、当選していないと判定された場合には（ステップＳ３０２−３−１−２−１−１１−１２＝Ｎｏ）、ステップＳ３０２−３−１−２−１−１１−１６に処理を移行する。
【０６３７】
（ステップＳ３０２−３−１−２−１−１１−１３）
ステップＳ３０２−３−１−２−１−１１−１３において、サブＣＰＵ４０１は、第２上乗せ前兆ゲーム数抽選処理を行う。具体的には、サブＣＰＵ４０１は、条件装置コマンドに含まれている当選役に係る情報と、サブＲＯＭ４０２に設けられている第２上乗せ前兆ゲーム数決定テーブル（図２７（Ｄ）参照）に基づいて、第２上乗せ準備状態に移行するまでの前兆ゲーム数を決定し、サブＲＡＭ４０３に設けられている第２上乗せ前兆状態用ゲーム数カウンタの値をセットする処理を行う。そして、ステップＳ３０２−３−１−２−１−１１−１３の処理が終了すると、ステップＳ３０２−３−１−２−１−１１−１４に処理を移行する。
【０６３８】
（ステップＳ３０２−３−１−２−１−１１−１４）
ステップＳ３０２−３−１−２−１−１１−１４において、サブＣＰＵ４０１は、サブ制御基板４００により管理される状態を第２上乗せ前兆状態とする処理を行う。具体的には、サブＣＰＵ４０１は、サブ制御基板４００により管理される状態が第２上乗せ前兆状態となるように、サブＲＡＭ４０３に設けられている状態格納領域に第２上乗せ前兆状態をセットする処理を行う。そして、ステップＳ３０２−３−１−２−１−１１−１４の処理が終了すると、ステップＳ３０２−３−１−２−１−１１−１５に処理を移行する。
【０６３９】
（ステップＳ３０２−３−１−２−１−１１−１５）
ステップＳ３０２−３−１−２−１−１１−１５において、サブＣＰＵ４０１は、ＡＲＴ状態用フェイクゲーム数カウンタの値に「０」をセットする処理を行う。具体的には、サブＣＰＵ４０１は、サブＲＡＭ４０３に設けられているＡＲＴ状態用フェイクゲーム数カウンタの値に「０」をセットする処理を行う。そして、ステップＳ３０２−３−１−２−１−１１−１５の処理が終了すると、ＡＲＴ状態用処理のサブルーチンを終了し、条件装置コマンド受信時処理のステップＳ３０２−３−１−２−２に処理を移行する。
【０６４０】
（ステップＳ３０２−３−１−２−１−１１−１６）
ステップＳ３０２−３−１−２−１−１１−１６において、サブＣＰＵ４０１は、ＡＲＴ状態用ゲーム数カウンタの値が「１」以上であるか否かを判定する処理を行う。具体的には、サブＣＰＵ４０１は、ステップＳ３０２−３−１−２−１−１１−１の処理により、サブＲＡＭ４０３に設けられているＡＲＴ状態用ゲーム数カウンタの値を「１」減算した結果、サブＲＡＭ４０３に設けられているＡＲＴ状態用ゲーム数カウンタの値が「１」以上であるか否かを判定する処理を行う。そして、ＡＲＴ状態用ゲーム数カウンタの値が「１」以上であると判定された場合には（ステップＳ３０２−３−１−２−１−１１−１６＝Ｙｅｓ）、ステップＳ３０２−３−１−２−１−１１−１７に処理を移行し、ＡＲＴ状態用ゲーム数カウンタの値が「１」以上ではないと判定された場合には（ステップＳ３０２−３−１−２−１−１１−１６＝Ｎｏ）、ステップＳ３０２−３−１−２−１−１１−１９に処理を移行する。
【０６４１】
（ステップＳ３０２−３−１−２−１−１１−１７）
ステップＳ３０２−３−１−２−１−１１−１７において、サブＣＰＵ４０１は、ＡＲＴ状態用フェイクゲーム数カウンタの値が「０」であるか否かを判定する処理を行う。具体的には、サブＣＰＵ４０１は、サブＲＡＭ４０３に設けられているＡＲＴ状態用フェイクゲーム数カウンタの値が「０」となったか否かを判定する処理を行う。そして、ＡＲＴ状態用フェイクゲーム数カウンタの値が「０」であると判定された場合には（ステップＳ３０２−３−１−２−１−１１−１７＝Ｙｅｓ）、ステップＳ３０２−３−１−２−１−１１−１８に処理を移行し、ＡＲＴ状態用フェイクゲーム数カウンタの値が「０」ではないと判定された場合には（ステップＳ３０２−３−１−２−１−１１−１７＝Ｎｏ）、ＡＲＴ状態用処理のサブルーチンを終了し、条件装置コマンド受信時処理のステップＳ３０２−３−１−２−２に処理を移行する。
【０６４２】
（ステップＳ３０２−３−１−２−１−１１−１８）
ステップＳ３０２−３−１−２−１−１１−１８において、サブＣＰＵ４０１は、ＡＲＴ状態用フェイクゲーム数抽選処理を行う。具体的には、サブＣＰＵ４０１は、条件装置コマンドに含まれている当選役に係る情報と、サブＲＯＭ４０２に設けられているＡＲＴ状態用フェイクゲーム数決定テーブル（図２９（Ｂ）参照）に基づいて、ＡＲＴ状態用フェイクゲーム数を決定し、サブＲＡＭ４０３に設けられているＡＲＴ状態用フェイクゲーム数カウンタの値をセットする処理を行う。そして、ステップＳ３０２−３−１−２−１−１１−１８の処理が終了すると、ＡＲＴ状態用処理のサブルーチンを終了し、条件装置コマンド受信時処理のステップＳ３０２−３−１−２−２に処理を移行する。
【０６４３】
（ステップＳ３０２−３−１−２−１−１１−１９）
ステップＳ３０２−３−１−２−１−１１−１９において、サブＣＰＵ４０１は、サブ制御基板４００により管理される状態を第４転落待機状態とする処理を行う。具体的には、サブＣＰＵ４０１は、サブ制御基板４００により管理される状態が第４転落待機状態となるように、サブＲＡＭ４０３に設けられている状態格納領域に第４転落待機状態をセットする処理を行う。そして、ステップＳ３０２−３−１−２−１−１１−１９の処理が終了すると、ＡＲＴ状態用処理のサブルーチンを終了し、条件装置コマンド受信時処理のステップＳ３０２−３−１−２−２に処理を移行する。
【０６４４】
（第１上乗せ前兆状態用処理）
次に、図６３に基づいて、図５１のステップＳ３０２−３−１−２−１の状態別移行処理において、サブ制御基板４００により管理される状態が第１上乗せ前兆状態の場合に行われる第１上乗せ前兆状態用処理についての説明を行う。なお、図６３は第１上乗せ前兆状態用処理のサブルーチンを示す図である。
【０６４５】
（ステップＳ３０２−３−１−２−１−１２−１）
ステップＳ３０２−３−１−２−１−１２−１において、サブＣＰＵ４０１は、ＡＲＴ状態用ゲーム数カウンタの値から「１」減算する処理を行う。具体的には、サブＣＰＵ４０１は、サブＲＡＭ４０３に設けられているＡＲＴ状態用ゲーム数カウンタの値から「１」減算する処理を行う。そして、ステップＳ３０２−３−１−２−１−１２−１の処理が終了すると、ステップＳ３０２−３−１−２−１−１２−２に処理を移行する。
【０６４６】
（ステップＳ３０２−３−１−２−１−１２−２）
ステップＳ３０２−３−１−２−１−１２−２において、サブＣＰＵ４０１は、第１上乗せ前兆状態用ゲーム数カウンタの値から「１」減算する処理を行う。具体的には、サブＣＰＵ４０１は、サブＲＡＭ４０３に設けられている第１上乗せ前兆状態用ゲーム数カウンタの値から「１」減算する処理を行う。そして、ステップＳ３０２−３−１−２−１−１２−２の処理が終了すると、ステップＳ３０２−３−１−２−１−１２−３に処理を移行する。
【０６４７】
（ステップＳ３０２−３−１−２−１−１２−３）
ステップＳ３０２−３−１−２−１−１２−３において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（上乗せ前兆状態）（図３２（Ｃ）参照）に基づいて、ＡＲＴ状態において遊技可能なゲーム数を上乗せするか否かを抽選する処理を行う。そして、ステップＳ３０２−３−１−２−１−１２−３の処理が終了すると、ステップＳ３０２−３−１−２−１−１２−４に処理を移行する。
【０６４８】
（ステップＳ３０２−３−１−２−１−１２−４）
ステップＳ３０２−３−１−２−１−１２−４において、サブＣＰＵ４０１は、当選したか否かを判定する処理を行う。具体的には、サブＣＰＵ４０１は、ステップＳ３０２−３−１−２−１−１２−３のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−１２−４＝Ｙｅｓ）、ステップＳ３０２−３−１−２−１−１２−５に処理を移行し、当選していないと判定された場合には（ステップＳ３０２−３−１−２−１−１２−４＝Ｎｏ）、ステップＳ３０２−３−１−２−１−１２−６に処理を移行する。
【０６４９】
（ステップＳ３０２−３−１−２−１−１２−５）
ステップＳ３０２−３−１−２−１−１２−５において、サブＣＰＵ４０１は、ＡＲＴ状態用ゲーム数カウンタ加算処理を行う。具体的には、サブＣＰＵ４０１は、ステップＳ３０２−３−１−２−１−１２−３のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−１２−５の処理が終了すると、ステップＳ３０２−３−１−２−１−１２−６に処理を移行する。
【０６５０】
（ステップＳ３０２−３−１−２−１−１２−６）
ステップＳ３０２−３−１−２−１−１２−６において、サブＣＰＵ４０１は、第１上乗せ前兆状態用ゲーム数カウンタの値が「０」であるか否かを判定する処理を行う。具体的には、サブＣＰＵ４０１は、ステップＳ３０２−３−１−２−１−１２−２の処理により、サブＲＡＭ４０３に設けられている第１上乗せ前兆状態用ゲーム数カウンタの値を「１」減算した結果、サブＲＡＭ４０３に設けられている第１上乗せ前兆状態用ゲーム数カウンタの値が「０」となったか否かを判定する処理を行う。そして、第１上乗せ前兆状態用ゲーム数カウンタの値が「０」であると判定された場合には（ステップＳ３０２−３−１−２−１−１２−６＝Ｙｅｓ）、ステップＳ３０２−３−１−２−１−１２−７に処理を移行し、第１上乗せ前兆状態用ゲーム数カウンタの値が「０」ではないと判定された場合には（ステップＳ３０２−３−１−２−１−１２−６＝Ｎｏ）、ステップＳ３０２−３−１−２−１−１２−８に処理を移行する。
【０６５１】
（ステップＳ３０２−３−１−２−１−１２−７）
ステップＳ３０２−３−１−２−１−１２−７において、サブＣＰＵ４０１は、サブ制御基板４００により管理される状態を第１上乗せ準備状態とする処理を行う。具体的には、サブＣＰＵ４０１は、サブ制御基板４００により管理される状態が第１上乗せ準備状態となるように、サブＲＡＭ４０３に設けられている状態格納領域に第１上乗せ準備状態をセットする処理を行う。そして、ステップＳ３０２−３−１−２−１−１２−７の処理が終了すると、第１上乗せ前兆状態用処理のサブルーチンを終了し、条件装置コマンド受信時処理のステップＳ３０２−３−１−２−２に処理を移行する。
【０６５２】
（ステップＳ３０２−３−１−２−１−１２−８）
ステップＳ３０２−３−１−２−１−１２−８において、サブＣＰＵ４０１は、ＡＲＴ状態用ゲーム数カウンタの値が「０」であるか否かを判定する処理を行う。具体的には、サブＣＰＵ４０１は、ステップＳ３０２−３−１−２−１−１２−１の処理により、サブＲＡＭ４０３に設けられているＡＲＴ状態用ゲーム数カウンタの値を「１」減算した結果、サブＲＡＭ４０３に設けられているＡＲＴ状態用ゲーム数カウンタの値が「０」となったか否かを判定する処理を行う。そして、ＡＲＴ状態用ゲーム数カウンタの値が「０」であると判定された場合には（ステップＳ３０２−３−１−２−１−１２−８＝Ｙｅｓ）、ステップＳ３０２−３−１−２−１−１２−９に処理を移行し、ＡＲＴ状態用ゲーム数カウンタの値が「０」ではないと判定された場合には（ステップＳ３０２−３−１−２−１−１２−８＝Ｎｏ）、第１上乗せ前兆状態用処理のサブルーチンを終了し、条件装置コマンド受信時処理のステップＳ３０２−３−１−２−２に処理を移行する。
【０６５３】
（ステップＳ３０２−３−１−２−１−１２−９）
ステップＳ３０２−３−１−２−１−１２−９において、サブＣＰＵ４０１は、ＡＲＴ状態用ゲーム数カウンタ保障処理を行う。具体的には、サブＣＰＵ４０１は、第１上乗せ状態に移行することが決定されているにもかかわらず、ＡＲＴ状態用ゲーム数カウンタの値が「０」となり、ＡＲＴ状態が終了することを防止するために、サブＲＡＭ４０３に設けられている第１上乗せ前兆状態用ゲーム数カウンタの値を、サブＲＡＭ４０３に設けられているＡＲＴ状態用ゲーム数カウンタの値に複写する処理を行う。そして、ステップＳ３０２−３−１−２−１−１２−９の処理が終了すると、第１上乗せ前兆状態用処理のサブルーチンを終了し、条件装置コマンド受信時処理のステップＳ３０２−３−１−２−２に処理を移行する。
【０６５４】
（第１上乗せ準備状態用処理）
次に、図６４に基づいて、図５１のステップＳ３０２−３−１−２−１の状態別移行処理において、サブ制御基板４００により管理される状態が第１上乗せ準備状態の場合に行われる第１上乗せ準備状態用処理についての説明を行う。なお、図６４は第１上乗せ準備状態用処理のサブルーチンを示す図である。
【０６５５】
（ステップＳ３０２−３−１−２−１−１３−１）
ステップＳ３０２−３−１−２−１−１３−１において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（上乗せ準備状態）（図３２（Ｄ）参照）に基づいて、ＡＲＴ状態において遊技可能なゲーム数を上乗せするか否かを抽選する処理を行う。そして、ステップＳ３０２−３−１−２−１−１３−１の処理が終了すると、ステップＳ３０２−３−１−２−１−１３−２に処理を移行する。
【０６５６】
（ステップＳ３０２−３−１−２−１−１３−２）
ステップＳ３０２−３−１−２−１−１３−２において、サブＣＰＵ４０１は、当選したか否かを判定する処理を行う。具体的には、サブＣＰＵ４０１は、ステップＳ３０２−３−１−２−１−１３−１のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−１３−２＝Ｙｅｓ）、ステップＳ３０２−３−１−２−１−１３−３に処理を移行し、当選していないと判定された場合には（ステップＳ３０２−３−１−２−１−１３−２＝Ｎｏ）、第１上乗せ準備状態用処理のサブルーチンを終了し、条件装置コマンド受信時処理のステップＳ３０２−３−１−２−２に処理を移行する。
【０６５７】
（ステップＳ３０２−３−１−２−１−１３−３）
ステップＳ３０２−３−１−２−１−１３−３において、サブＣＰＵ４０１は、ＡＲＴ状態用ゲーム数カウンタ加算処理を行う。具体的には、サブＣＰＵ４０１は、ステップＳ３０２−３−１−２−１−１３−１のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−１３−３の処理が終了すると、第１上乗せ準備状態用処理のサブルーチンを終了し、条件装置コマンド受信時処理のステップＳ３０２−３−１−２−２に処理を移行する。
【０６５８】
（第１上乗せ状態用処理）
次に、図６５に基づいて、図５１のステップＳ３０２−３−１−２−１の状態別移行処理において、サブ制御基板４００により管理される状態が第１上乗せ状態の場合に行われる第１上乗せ状態用処理についての説明を行う。なお、図６５は第１上乗せ状態用処理のサブルーチンを示す図である。
【０６５９】
（ステップＳ３０２−３−１−２−１−１４−１）
ステップＳ３０２−３−１−２−１−１４−１において、サブＣＰＵ４０１は、第１上乗せ状態用ゲーム数カウンタの値から「１」減算する処理を行う。具体的には、サブＣＰＵ４０１は、サブＲＡＭ４０３に設けられている第１上乗せ状態用ゲーム数カウンタの値から「１」減算する処理を行う。そして、ステップＳ３０２−３−１−２−１−１４−１の処理が終了すると、ステップＳ３０２−３−１−２−１−１４−２に処理を移行する。
【０６６０】
（ステップＳ３０２−３−１−２−１−１４−２）
ステップＳ３０２−３−１−２−１−１４−２において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（第１上乗せ状態）（図３２（Ｅ）参照）に基づいて、ＡＲＴ状態において遊技可能なゲーム数を上乗せするか否かを抽選する処理を行う。そして、ステップＳ３０２−３−１−２−１−１４−２の処理が終了すると、ステップＳ３０２−３−１−２−１−１４−３に処理を移行する。
【０６６１】
（ステップＳ３０２−３−１−２−１−１４−３）
ステップＳ３０２−３−１−２−１−１４−３において、サブＣＰＵ４０１は、当選したか否かを判定する処理を行う。具体的には、サブＣＰＵ４０１は、ステップＳ３０２−３−１−２−１−１４−２のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−１４−３＝Ｙｅｓ）、ステップＳ３０２−３−１−２−１−１４−４に処理を移行し、当選していないと判定された場合には（ステップＳ３０２−３−１−２−１−１４−３＝Ｎｏ）、ステップＳ３０２−３−１−２−１−１４−５に処理を移行する。
【０６６２】
（ステップＳ３０２−３−１−２−１−１４−４）
ステップＳ３０２−３−１−２−１−１４−４において、サブＣＰＵ４０１は、ＡＲＴ状態用ゲーム数カウンタ加算処理を行う。具体的には、サブＣＰＵ４０１は、ステップＳ３０２−３−１−２−１−１４−２のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−１４−４の処理が終了すると、ステップＳ３０２−３−１−２−１−１４−５に処理を移行する。
【０６６３】
（ステップＳ３０２−３−１−２−１−１４−５）
ステップＳ３０２−３−１−２−１−１４−５において、サブＣＰＵ４０１は、第１上乗せ状態用ゲーム数カウンタの値が「０」であるか否かを判定する処理を行う。具体的には、サブＣＰＵ４０１は、ステップＳ３０２−３−１−２−１−１４−１の処理により、サブＲＡＭ４０３に設けられている第１上乗せ状態用ゲーム数カウンタの値を「１」減算した結果、サブＲＡＭ４０３に設けられている第１上乗せ状態用ゲーム数カウンタの値が「０」となったか否かを判定する処理を行う。そして、第１上乗せ状態用ゲーム数カウンタの値が「０」であると判定された場合には（ステップＳ３０２−３−１−２−１−１４−５＝Ｙｅｓ）、ステップＳ３０２−３−１−２−１−１４−６に処理を移行し、第１上乗せ状態用ゲーム数カウンタの値が「０」ではないと判定された場合には（ステップＳ３０２−３−１−２−１−１４−５＝Ｎｏ）、第１上乗せ状態用処理のサブルーチンを終了し、条件装置コマンド受信時処理のステップＳ３０２−３−１−２−２に処理を移行する。
【０６６４】
（ステップＳ３０２−３−１−２−１−１４−６）
ステップＳ３０２−３−１−２−１−１４−６において、サブＣＰＵ４０１は、サブ制御基板４００により管理される状態を第２転落待機状態とする処理を行う。具体的には、サブＣＰＵ４０１は、サブ制御基板４００により管理される状態が第２転落待機状態となるように、サブＲＡＭ４０３に設けられている状態格納領域に第２転落待機状態をセットする処理を行う。そして、ステップＳ３０２−３−１−２−１−１４−６の処理が終了すると、第１上乗せ状態用処理のサブルーチンを終了し、条件装置コマンド受信時処理のステップＳ３０２−３−１−２−２に処理を移行する。
【０６６５】
（第２転落待機状態用処理）
次に、図６６に基づいて、図５１のステップＳ３０２−３−１−２−１の状態別移行処理において、サブ制御基板４００により管理される状態が第２転落待機状態の場合に行われる第２転落待機状態用処理についての説明を行う。なお、図６６は第２転落待機状態用処理のサブルーチンを示す図である。
【０６６６】
（ステップＳ３０２−３−１−２−１−１５−１）
ステップＳ３０２−３−１−２−１−１５−１において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（第２転落待機状態）（図３２（Ｇ）参照）に基づいて、ＡＲＴ状態において遊技可能なゲーム数を上乗せするか否かを抽選する処理を行う。そして、ステップＳ３０２−３−１−２−１−１５−１の処理が終了すると、ステップＳ３０２−３−１−２−１−１５−２に処理を移行する。
【０６６７】
（ステップＳ３０２−３−１−２−１−１５−２）
ステップＳ３０２−３−１−２−１−１５−２において、サブＣＰＵ４０１は、当選したか否かを判定する処理を行う。具体的には、サブＣＰＵ４０１は、ステップＳ３０２−３−１−２−１−１５−１のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−１５−２＝Ｙｅｓ）、ステップＳ３０２−３−１−２−１−１５−３に処理を移行し、当選していないと判定された場合には（ステップＳ３０２−３−１−２−１−１５−２＝Ｎｏ）、第２転落待機状態用処理のサブルーチンを終了し、条件装置コマンド受信時処理のステップＳ３０２−３−１−２−２に処理を移行する。
【０６６８】
（ステップＳ３０２−３−１−２−１−１５−３）
ステップＳ３０２−３−１−２−１−１５−３において、サブＣＰＵ４０１は、ＡＲＴ状態用ゲーム数カウンタ加算処理を行う。具体的には、サブＣＰＵ４０１は、ステップＳ３０２−３−１−２−１−１５−１のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−１５−３の処理が終了すると、第２転落待機状態用処理のサブルーチンを終了し、条件装置コマンド受信時処理のステップＳ３０２−３−１−２−２に処理を移行する。
【０６６９】
（第２上乗せ前兆状態用処理）
次に、図６７に基づいて、図５１のステップＳ３０２−３−１−２−１の状態別移行処理において、サブ制御基板４００により管理される状態が第２上乗せ前兆状態の場合に行われる第２上乗せ前兆状態用処理についての説明を行う。なお、図６７は第２上乗せ前兆状態用処理のサブルーチンを示す図である。
【０６７０】
（ステップＳ３０２−３−１−２−１−１６−１）
ステップＳ３０２−３−１−２−１−１６−１において、サブＣＰＵ４０１は、ＡＲＴ状態用ゲーム数カウンタの値から「１」減算する処理を行う。具体的には、サブＣＰＵ４０１は、サブＲＡＭ４０３に設けられているＡＲＴ状態用ゲーム数カウンタの値から「１」減算する処理を行う。そして、ステップＳ３０２−３−１−２−１−１６−１の処理が終了すると、ステップＳ３０２−３−１−２−１−１６−２に処理を移行する。
【０６７１】
（ステップＳ３０２−３−１−２−１−１６−２）
ステップＳ３０２−３−１−２−１−１６−２において、サブＣＰＵ４０１は、第２上乗せ前兆状態用ゲーム数カウンタの値から「１」減算する処理を行う。具体的には、サブＣＰＵ４０１は、サブＲＡＭ４０３に設けられている第２上乗せ前兆状態用ゲーム数カウンタの値から「１」減算する処理を行う。そして、ステップＳ３０２−３−１−２−１−１６−２の処理が終了すると、ステップＳ３０２−３−１−２−１−１６−３に処理を移行する。
【０６７２】
（ステップＳ３０２−３−１−２−１−１６−３）
ステップＳ３０２−３−１−２−１−１６−３において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（上乗せ前兆状態）（図３２（Ｃ）参照）に基づいて、ＡＲＴ状態において遊技可能なゲーム数を上乗せするか否かを抽選する処理を行う。そして、ステップＳ３０２−３−１−２−１−１６−３の処理が終了すると、ステップＳ３０２−３−１−２−１−１６−４に処理を移行する。
【０６７３】
（ステップＳ３０２−３−１−２−１−１６−４）
ステップＳ３０２−３−１−２−１−１６−４において、サブＣＰＵ４０１は、当選したか否かを判定する処理を行う。具体的には、サブＣＰＵ４０１は、ステップＳ３０２−３−１−２−１−１６−３のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−１６−４＝Ｙｅｓ）、ステップＳ３０２−３−１−２−１−１６−５に処理を移行し、当選していないと判定された場合には（ステップＳ３０２−３−１−２−１−１６−４＝Ｎｏ）、ステップＳ３０２−３−１−２−１−１６−６に処理を移行する。
【０６７４】
（ステップＳ３０２−３−１−２−１−１６−５）
ステップＳ３０２−３−１−２−１−１６−５において、サブＣＰＵ４０１は、ＡＲＴ状態用ゲーム数カウンタ加算処理を行う。具体的には、サブＣＰＵ４０１は、ステップＳ３０２−３−１−２−１−１６−３のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−１６−５の処理が終了すると、ステップＳ３０２−３−１−２−１−１６−６に処理を移行する。
【０６７５】
（ステップＳ３０２−３−１−２−１−１６−６）
ステップＳ３０２−３−１−２−１−１６−６において、サブＣＰＵ４０１は、第２上乗せ前兆状態用ゲーム数カウンタの値が「０」であるか否かを判定する処理を行う。具体的には、サブＣＰＵ４０１は、ステップＳ３０２−３−１−２−１−１６−２の処理により、サブＲＡＭ４０３に設けられている第２上乗せ前兆状態用ゲーム数カウンタの値を「１」減算した結果、サブＲＡＭ４０３に設けられている第２上乗せ前兆状態用ゲーム数カウンタの値が「０」となったか否かを判定する処理を行う。そして、第２上乗せ前兆状態用ゲーム数カウンタの値が「０」であると判定された場合には（ステップＳ３０２−３−１−２−１−１６−６＝Ｙｅｓ）、ステップＳ３０２−３−１−２−１−１６−７に処理を移行し、第２上乗せ前兆状態用ゲーム数カウンタの値が「０」ではないと判定された場合には（ステップＳ３０２−３−１−２−１−１６−６＝Ｎｏ）、ステップＳ３０２−３−１−２−１−１６−８に処理を移行する。
【０６７６】
（ステップＳ３０２−３−１−２−１−１６−７）
ステップＳ３０２−３−１−２−１−１６−７において、サブＣＰＵ４０１は、サブ制御基板４００により管理される状態を第２上乗せ準備状態とする処理を行う。具体的には、サブＣＰＵ４０１は、サブ制御基板４００により管理される状態が第２上乗せ準備状態となるように、サブＲＡＭ４０３に設けられている状態格納領域に第２上乗せ準備状態をセットする処理を行う。そして、ステップＳ３０２−３−１−２−１−１６−７の処理が終了すると、第２上乗せ前兆状態用処理のサブルーチンを終了し、条件装置コマンド受信時処理のステップＳ３０２−３−１−２−２に処理を移行する。
【０６７７】
（ステップＳ３０２−３−１−２−１−１６−８）
ステップＳ３０２−３−１−２−１−１６−８において、サブＣＰＵ４０１は、ＡＲＴ状態用ゲーム数カウンタの値が「０」であるか否かを判定する処理を行う。具体的には、サブＣＰＵ４０１は、ステップＳ３０２−３−１−２−１−１６−１の処理により、サブＲＡＭ４０３に設けられているＡＲＴ状態用ゲーム数カウンタの値を「１」減算した結果、サブＲＡＭ４０３に設けられているＡＲＴ状態用ゲーム数カウンタの値が「０」となったか否かを判定する処理を行う。そして、ＡＲＴ状態用ゲーム数カウンタの値が「０」であると判定された場合には（ステップＳ３０２−３−１−２−１−１６−８＝Ｙｅｓ）、ステップＳ３０２−３−１−２−１−１６−９に処理を移行し、ＡＲＴ状態用ゲーム数カウンタの値が「０」ではないと判定された場合には（ステップＳ３０２−３−１−２−１−１６−８＝Ｎｏ）、第２上乗せ前兆状態用処理のサブルーチンを終了し、条件装置コマンド受信時処理のステップＳ３０２−３−１−２−２に処理を移行する。
【０６７８】
（ステップＳ３０２−３−１−２−１−１６−９）
ステップＳ３０２−３−１−２−１−１６−９において、サブＣＰＵ４０１は、ＡＲＴ状態用ゲーム数カウンタ保障処理を行う。具体的には、サブＣＰＵ４０１は、第２上乗せ状態に移行することが決定されているにもかかわらず、ＡＲＴ状態用ゲーム数カウンタの値が「０」となり、ＡＲＴ状態が終了することを防止するために、サブＲＡＭ４０３に設けられている第２上乗せ前兆状態用ゲーム数カウンタの値を、サブＲＡＭ４０３に設けられているＡＲＴ状態用ゲーム数カウンタの値に複写する処理を行う。そして、ステップＳ３０２−３−１−２−１−１６−９の処理が終了すると、第２上乗せ前兆状態用処理のサブルーチンを終了し、条件装置コマンド受信時処理のステップＳ３０２−３−１−２−２に処理を移行する。
【０６７９】
（第２上乗せ準備状態用処理）
次に、図６８に基づいて、図５１のステップＳ３０２−３−１−２−１の状態別移行処理において、サブ制御基板４００により管理される状態が第２上乗せ準備状態の場合に行われる第２上乗せ準備状態用処理についての説明を行う。なお、図６８は第２上乗せ準備状態用処理のサブルーチンを示す図である。
【０６８０】
（ステップＳ３０２−３−１−２−１−１７−１）
ステップＳ３０２−３−１−２−１−１７−１において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（上乗せ準備状態）（図３２（Ｄ）参照）に基づいて、ＡＲＴ状態において遊技可能なゲーム数を上乗せするか否かを抽選する処理を行う。そして、ステップＳ３０２−３−１−２−１−１７−１の処理が終了すると、ステップＳ３０２−３−１−２−１−１７−２に処理を移行する。
【０６８１】
（ステップＳ３０２−３−１−２−１−１７−２）
ステップＳ３０２−３−１−２−１−１７−２において、サブＣＰＵ４０１は、当選したか否かを判定する処理を行う。具体的には、サブＣＰＵ４０１は、ステップＳ３０２−３−１−２−１−１７−１のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−１７−２＝Ｙｅｓ）、ステップＳ３０２−３−１−２−１−１７−３に処理を移行し、当選していないと判定された場合には（ステップＳ３０２−３−１−２−１−１７−２＝Ｎｏ）、第２上乗せ準備状態用処理のサブルーチンを終了し、条件装置コマンド受信時処理のステップＳ３０２−３−１−２−２に処理を移行する。
【０６８２】
（ステップＳ３０２−３−１−２−１−１７−３）
ステップＳ３０２−３−１−２−１−１７−３において、サブＣＰＵ４０１は、ＡＲＴ状態用ゲーム数カウンタ加算処理を行う。具体的には、サブＣＰＵ４０１は、ステップＳ３０２−３−１−２−１−１７−１のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−１７−３の処理が終了すると、第２上乗せ準備状態用処理のサブルーチンを終了し、条件装置コマンド受信時処理のステップＳ３０２−３−１−２−２に処理を移行する。
【０６８３】
（第２上乗せ状態用処理）
次に、図６９に基づいて、図５１のステップＳ３０２−３−１−２−１の状態別移行処理において、サブ制御基板４００により管理される状態が第２上乗せ状態の場合に行われる第２上乗せ状態用処理についての説明を行う。なお、図６９は第２上乗せ状態用処理のサブルーチンを示す図である。
【０６８４】
（ステップＳ３０２−３−１−２−１−１８−１）
ステップＳ３０２−３−１−２−１−１８−１において、サブＣＰＵ４０１は、第２上乗せ状態用ゲーム数カウンタの値から「１」減算する処理を行う。具体的には、サブＣＰＵ４０１は、サブＲＡＭ４０３に設けられている第２上乗せ状態用ゲーム数カウンタの値から「１」減算する処理を行う。そして、ステップＳ３０２−３−１−２−１−１８−１の処理が終了すると、ステップＳ３０２−３−１−２−１−１８−２に処理を移行する。
【０６８５】
（ステップＳ３０２−３−１−２−１−１８−２）
ステップＳ３０２−３−１−２−１−１８−２において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（第２上乗せ状態）（図３２（Ｆ）参照）に基づいて、ＡＲＴ状態において遊技可能なゲーム数を上乗せするか否かを抽選する処理を行う。そして、ステップＳ３０２−３−１−２−１−１８−２の処理が終了すると、ステップＳ３０２−３−１−２−１−１８−３に処理を移行する。
【０６８６】
（ステップＳ３０２−３−１−２−１−１８−３）
ステップＳ３０２−３−１−２−１−１８−３において、サブＣＰＵ４０１は、当選したか否かを判定する処理を行う。具体的には、サブＣＰＵ４０１は、ステップＳ３０２−３−１−２−１−１８−２のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−１８−３＝Ｙｅｓ）、ステップＳ３０２−３−１−２−１−１８−４に処理を移行し、当選していないと判定された場合には（ステップＳ３０２−３−１−２−１−１８−３＝Ｎｏ）、ステップＳ３０２−３−１−２−１−１８−５に処理を移行する。
【０６８７】
（ステップＳ３０２−３−１−２−１−１８−４）
ステップＳ３０２−３−１−２−１−１８−４において、サブＣＰＵ４０１は、ＡＲＴ状態用ゲーム数カウンタ加算処理を行う。具体的には、サブＣＰＵ４０１は、ステップＳ３０２−３−１−２−１−１８−２のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−１８−４の処理が終了すると、ステップＳ３０２−３−１−２−１−１８−５に処理を移行する。
【０６８８】
（ステップＳ３０２−３−１−２−１−１８−５）
ステップＳ３０２−３−１−２−１−１８−５において、サブＣＰＵ４０１は、第２上乗せ状態用ゲーム数カウンタの値が「０」であるか否かを判定する処理を行う。具体的には、サブＣＰＵ４０１は、ステップＳ３０２−３−１−２−１−１８−１の処理により、サブＲＡＭ４０３に設けられている第２上乗せ状態用ゲーム数カウンタの値を「１」減算した結果、サブＲＡＭ４０３に設けられている第２上乗せ状態用ゲーム数カウンタの値が「０」となったか否かを判定する処理を行う。そして、第２上乗せ状態用ゲーム数カウンタの値が「０」であると判定された場合には（ステップＳ３０２−３−１−２−１−１８−５＝Ｙｅｓ）、ステップＳ３０２−３−１−２−１−１８−６に処理を移行し、第２上乗せ状態用ゲーム数カウンタの値が「０」ではないと判定された場合には（ステップＳ３０２−３−１−２−１−１８−５＝Ｎｏ）、第２上乗せ状態用処理のサブルーチンを終了し、条件装置コマンド受信時処理のステップＳ３０２−３−１−２−２に処理を移行する。
【０６８９】
（ステップＳ３０２−３−１−２−１−１８−６）
ステップＳ３０２−３−１−２−１−１８−６において、サブＣＰＵ４０１は、サブ制御基板４００により管理される状態を第３転落待機状態とする処理を行う。具体的には、サブＣＰＵ４０１は、サブ制御基板４００により管理される状態が第３転落待機状態となるように、サブＲＡＭ４０３に設けられている状態格納領域に第３転落待機状態をセットする処理を行う。そして、ステップＳ３０２−３−１−２−１−１８−６の処理が終了すると、第２上乗せ状態用処理のサブルーチンを終了し、条件装置コマンド受信時処理のステップＳ３０２−３−１−２−２に処理を移行する。
【０６９０】
（第３転落待機状態用処理）
次に、図７０に基づいて、図５１のステップＳ３０２−３−１−２−１の状態別移行処理において、サブ制御基板４００により管理される状態が第３転落待機状態の場合に行われる第３転落待機状態用処理についての説明を行う。なお、図７０は第３転落待機状態用処理のサブルーチンを示す図である。
【０６９１】
（ステップＳ３０２−３−１−２−１−１９−１）
ステップＳ３０２−３−１−２−１−１９−１において、サブＣＰＵ４０１は、ＡＲＴ状態用ゲーム数上乗せ抽選処理を行う。具体的には、サブＣＰＵ４０１は、条件装置コマンドに含まれている当選役に係る情報と、サブＲＯＭ４０２に設けられているＡＲＴ状態用ゲーム数上乗せ抽選テーブル（第３転落待機状態）（図３２（Ｈ）参照）に基づいて、ＡＲＴ状態において遊技可能なゲーム数を上乗せするか否かを抽選する処理を行う。そして、ステップＳ３０２−３−１−２−１−１９−１の処理が終了すると、ステップＳ３０２−３−１−２−１−１９−２に処理を移行する。
【０６９２】
（ステップＳ３０２−３−１−２−１−１９−２）
ステップＳ３０２−３−１−２−１−１９−２において、サブＣＰＵ４０１は、当選したか否かを判定する処理を行う。具体的には、サブＣＰＵ４０１は、ステップＳ３０２−３−１−２−１−１９−１のＡＲＴ状態用ゲーム数上乗せ抽選処理による抽選の結果、ＡＲＴ状態において遊技可能なゲーム数を上乗せすることが決定されたか否かを判定する処理を行う。そして、当選したと判定された場合には（ステップＳ３０２−３−１−２−１−１９−２＝Ｙｅｓ）、ステップＳ３０２−３−１−２−１−１９−３に処理を移行し、当選していないと判定された場合には（ステップＳ３０２−３−１−２−１−１９−２＝Ｎｏ）、第３転落待機状態用処理のサブルーチンを終了し、条件装置コマンド受信時処理のステップＳ３０２−３−１−２−２に処理を移行する。
【０６９３】
（ステップＳ３０２−３−１−２−１−１９−３）
ステップＳ３０２−３−１−２−１−１９−３において、サブＣＰＵ４０１は、ＡＲＴ状態用ゲーム数カウンタ加算処理を行う。具体的には、サブＣＰＵ４０１は、ステップＳ３０２−３−１−２−１−１９−１のＡＲＴ状態用ゲーム数上乗せ抽選処理による抽選の結果、上乗せすることが決定されたゲーム数を、サブＲＡＭ４０３に設けられているＡＲＴ状態用ゲーム数カウンタに加算する処理を行う。そして、ステップＳ３０２−３−１−２−１−１９−３の処理が終了すると、第３転落待機状態用処理のサブルーチンを終了し、条件装置コマンド受信時処理のステップＳ３０２−３−１−２−２に処理を移行する。
【０６９４】
（第４転落待機状態用処理）
次に、図７１に基づいて、図５１のステップＳ３０２−３−１−２−１の状態別移行処理において、サブ制御基板４００により管理される状態が第４転落待機状態の場合に行われる第４転落待機状態用処理についての説明を行う。なお、図７１は第４転落待機状態用処理のサブルーチンを示す図である。
【０６９５】
（ステップＳ３０２−３−１−２−１−２０−１）
ステップＳ３０２−３−１−２−１−２０−１において、サブＣＰＵ４０１は、第４転落待機状態用引戻抽選処理を行う。具体的には、サブＣＰＵ４０１は、条件装置コマンドに含まれている当選役に係る情報と、サブＲＯＭ４０２に設けられている第４転落待機状態用引戻抽選テーブル（図３３（Ｂ）参照）に基づいて、ＡＲＴ状態が終了した後、再度ＡＲＴ状態に移行するか否かを抽選する処理を行う。そして、ステップＳ３０２−３−１−２−１−２０−１の処理が終了すると、ステップＳ３０２−３−１−２−１−２０−２に処理を移行する。
【０６９６】
（ステップＳ３０２−３−１−２−１−２０−２）
ステップＳ３０２−３−１−２−１−２０−２において、サブＣＰＵ４０１は、当選したか否かを判定する処理を行う。具体的には、サブＣＰＵ４０１は、ステップＳ３０２−３−１−２−１−２０−１の第４転落待機状態用引戻抽選処理による抽選の結果、ＡＲＴ状態に移行することが決定されたか否かを判定する処理を行う。そして、当選したと判定された場合には（ステップＳ３０２−３−１−２−１−２０−２＝Ｙｅｓ）、ステップＳ３０２−３−１−２−１−２０−３に処理を移行し、当選していないと判定された場合には（ステップＳ３０２−３−１−２−１−２０−２＝Ｎｏ）第４転落待機状態用処理のサブルーチンを終了し、条件装置コマンド受信時処理のステップＳ３０２−３−１−２−２に処理を移行する。
【０６９７】
（ステップＳ３０２−３−１−２−１−２０−３）
ステップＳ３０２−３−１−２−１−２０−３において、サブＣＰＵ４０１は、サブ制御基板４００により管理される状態をＡＲＴ状態とする処理を行う。具体的には、サブＣＰＵ４０１は、サブ制御基板４００により管理される状態がＡＲＴ状態となるように、サブＲＡＭ４０３に設けられている状態格納領域にＡＲＴ状態をセットする処理を行う。そして、ステップＳ３０２−３−１−２−１−２０−３の処理が終了すると、ステップＳ３０２−３−１−２−１−２０−４に処理を移行する。
【０６９８】
（ステップＳ３０２−３−１−２−１−２０−４）
ステップＳ３０２−３−１−２−１−２０−４において、サブＣＰＵ４０１は、ＡＲＴ状態用ゲーム数カウンタの値に「５０」をセットする処理を行う。具体的には、サブＣＰＵ４０１は、サブＲＡＭ４０３に設けられているＡＲＴ状態用ゲーム数カウンタの値に「５０」をセットする処理を行う。そして、ステップＳ３０２−３−１−２−１−２０−４の処理が終了すると、第４転落待機状態用処理のサブルーチンを終了し、条件装置コマンド受信時処理のステップＳ３０２−３−１−２−２に処理を移行する。
【０６９９】
（表示判定コマンド受信時処理）
次に、図７２に基づいて、図５０のステップＳ３０２−３−１−４の処理により行われる表示判定コマンド受信時処理についての説明を行う。なお、図７２は表示判定コマンド受信時処理のサブルーチンを示す図である。
【０７００】
（ステップＳ３０２−３−１−４−１）
ステップＳ３０２−３−１−４−１において、サブＣＰＵ４０１は、表示判定コマンド受信時用状態別移行処理を行う。具体的には、サブＣＰＵ４０１は、サブＲＡＭ４０３に設けられている状態格納領域の値に基づいて、サブ制御基板４００により管理される状態に応じた処理を行う。ここで、ステップＳ３０２−３−１−４−１の状態別移行処理では、サブＲＡＭ４０３に設けられている状態格納領域の値に応じたサブルーチンが設けられている（図７３〜図８０参照）。そして、ステップＳ３０２−３−１−４−１の処理が終了すると、表示判定コマンド受信時処理のサブルーチンを終了し、コマンド別処理のステップＳ３０２−３−１−６に処理を移行する。
【０７０１】
（表示判定コマンド受信時Ｂｏｎｕｓ準備状態用処理）
次に、図７３に基づいて、図７２のステップＳ３０２−３−１−４−１の表示コマンド受信時用状態別移行処理において、サブ制御基板４００により管理される状態がＢｏｎｕｓ準備状態の場合に行われる表示判定コマンド受信時Ｂｏｎｕｓ準備状態用処理についての説明を行う。なお、図７３は表示判定コマンド受信時Ｂｏｎｕｓ準備状態用処理のサブルーチンを示す図である。
【０７０２】
（ステップＳ３０２−３−１−４−１−１−１）
ステップＳ３０２−３−１−４−１−１−１において、サブＣＰＵ４０１は、Ｂｏｎｕｓリプレイが表示されたか否かを判定する処理を行う。具体的には、サブＣＰＵ４０１は、「Ｂｏｎｕｓリプレイ」に係る図柄の組み合わせが有効ライン上に表示されたか否かを判定する処理を行う。そして、Ｂｏｎｕｓリプレイが表示されたと判定された場合には（ステップＳ３０２−３−１−４−１−１−１＝Ｙｅｓ）、ステップＳ３０２−３−１−４−１−１−２に処理を移行し、Ｂｏｎｕｓリプレイが表示されていないと判定された場合には（ステップＳ３０２−３−１−４−１−１−１＝Ｎｏ）、表示判定コマンド受信時Ｂｏｎｕｓ準備状態用処理のサブルーチンを終了し、コマンド別処理のステップＳ３０２−３−１−６に処理を移行する。
【０７０３】
（ステップＳ３０２−３−１−４−１−１−２）
ステップＳ３０２−３−１−４−１−１−２において、サブＣＰＵ４０１は、第１Ｂｏｎｕｓ待機中であるか否かを判定する処理を行う。具体的には、サブＣＰＵ４０１は、サブＲＡＭ４０３に設けられているＢｏｎｕｓ待機情報格納領域に格納されている値に基づいて、第１Ｂｏｎｕｓ待機中であるか否かを判定する処理を行う。そして、第１Ｂｏｎｕｓ待機中であると判定された場合には（ステップＳ３０２−３−１−４−１−１−２＝Ｙｅｓ）、ステップＳ３０２−３−１−４−１−１−３に処理を移行し、第１Ｂｏｎｕｓ待機中ではないと判定された場合には（ステップＳ３０２−３−１−４−１−１−２＝Ｎｏ）、ステップＳ３０２−３−１−４−１−１−５に処理を移行する。
【０７０４】
（ステップＳ３０２−３−１−４−１−１−３）
ステップＳ３０２−３−１−４−１−１−３において、サブＣＰＵ４０１は、サブ制御基板４００により管理される状態を第１Ｂｏｎｕｓ状態とする処理を行う。具体的には、サブＣＰＵ４０１は、サブ制御基板４００により管理される状態が第１Ｂｏｎｕｓ状態となるように、サブＲＡＭ４０３に設けられている状態格納領域に第１Ｂｏｎｕｓ状態をセットする処理を行う。そして、ステップＳ３０２−３−１−４−１−１−３の処理が終了すると、ステップＳ３０２−３−１−４−１−１−４に処理を移行する。
【０７０５】
（ステップＳ３０２−３−１−４−１−１−４）
ステップＳ３０２−３−１−４−１−１−４において、サブＣＰＵ４０１は、第１Ｂｏｎｕｓ状態用ゲーム数カウンタの値に「３０」をセットする処理を行う。具体的には、サブＣＰＵ４０１は、サブＲＡＭ４０３に設けられている第１Ｂｏｎｕｓ状態用ゲーム数カウンタの値に「３０」をセットする処理を行う。そして、ステップＳ３０２−３−１−４−１−１−４の処理が終了すると、ステップＳ３０２−３−１−４−１−１−１０に処理を移行する。
【０７０６】
（ステップＳ３０２−３−１−４−１−１−５）
ステップＳ３０２−３−１−４−１−１−５において、サブＣＰＵ４０１は、第２Ｂｏｎｕｓ待機中であるか否かを判定する処理を行う。具体的には、サブＣＰＵ４０１は、サブＲＡＭ４０３に設けられているＢｏｎｕｓ待機情報格納領域に格納されている値に基づいて、第２Ｂｏｎｕｓ待機中であるか否かを判定する処理を行う。そして、第２Ｂｏｎｕｓ待機中であると判定された場合には（ステップＳ３０２−３−１−４−１−１−５＝Ｙｅｓ）、ステップＳ３０２−３−１−４−１−１−６に処理を移行し、第２Ｂｏｎｕｓ待機中ではないと判定された場合には（ステップＳ３０２−３−１−４−１−１−５＝Ｎｏ）、ステップＳ３０２−３−１−４−１−１−８に処理を移行する。
【０７０７】
（ステップＳ３０２−３−１−４−１−１−６）
ステップＳ３０２−３−１−４−１−１−６において、サブＣＰＵ４０１は、サブ制御基板４００により管理される状態を第２Ｂｏｎｕｓ状態とする処理を行う。具体的には、サブＣＰＵ４０１は、サブ制御基板４００により管理される状態が第２Ｂｏｎｕｓ状態となるように、サブＲＡＭ４０３に設けられている状態格納領域に第２Ｂｏｎｕｓ状態をセットする処理を行う。そして、ステップＳ３０２−３−１−４−１−１−６の処理が終了すると、ステップＳ３０２−３−１−４−１−１−７に処理を移行する。
【０７０８】
（ステップＳ３０２−３−１−４−１−１−７）
ステップＳ３０２−３−１−４−１−１−７において、サブＣＰＵ４０１は、第２Ｂｏｎｕｓ状態用ゲーム数カウンタの値に「４０」をセットする処理を行う。具体的には、サブＣＰＵ４０１は、サブＲＡＭ４０３に設けられている第２Ｂｏｎｕｓ状態用ゲーム数カウンタの値に「４０」をセットする処理を行う。そして、ステップＳ３０２−３−１−４−１−１−７の処理が終了すると、ステップＳ３０２−３−１−４−１−１−１０に処理を移行する。
【０７０９】
（ステップＳ３０２−３−１−４−１−１−８）
ステップＳ３０２−３−１−４−１−１−８において、サブＣＰＵ４０１は、サブ制御基板４００により管理される状態を第３Ｂｏｎｕｓ状態とする処理を行う。具体的には、サブＣＰＵ４０１は、サブ制御基板４００により管理される状態が第３Ｂｏｎｕｓ状態となるように、サブＲＡＭ４０３に設けられている状態格納領域に第３Ｂｏｎｕｓ状態をセットする処理を行う。そして、ステップＳ３０２−３−１−４−１−１−８の処理が終了すると、ステップＳ３０２−３−１−４−１−１−９に処理を移行する。
【０７１０】
（ステップＳ３０２−３−１−４−１−１−９）
ステップＳ３０２−３−１−４−１−１−９において、サブＣＰＵ４０１は、第３Ｂｏｎｕｓ状態用ゲーム数カウンタの値に「５０」をセットする処理を行う。具体的には、サブＣＰＵ４０１は、サブＲＡＭ４０３に設けられている第３Ｂｏｎｕｓ状態用ゲーム数カウンタの値に「５０」をセットする処理を行う。そして、ステップＳ３０２−３−１−４−１−１−９の処理が終了すると、ステップＳ３０２−３−１−４−１−１−１０に処理を移行する。
【０７１１】
（ステップＳ３０２−３−１−４−１−１−１０）
ステップＳ３０２−３−１−４−１−１−１０において、サブＣＰＵ４０１は、天井ゲーム数カウンタの値に「０」をセットする処理を行う。具体的には、サブＣＰＵ４０１は、サブＲＡＭ４０３に設けられている天井ゲーム数カウンタの値に「０」をセットする処理を行う。そして、ステップＳ３０２−３−１−４−１−１−１０の処理が終了すると、表示判定コマンド受信時Ｂｏｎｕｓ準備状態用処理のサブルーチンを終了し、コマンド別処理のステップＳ３０２−３−１−６に処理を移行する。
【０７１２】
（表示判定コマンド受信時第１転落待機状態用処理）
次に、図７４に基づいて、図７２のステップＳ３０２−３−１−４−１の表示コマンド受信時用状態別移行処理において、サブ制御基板４００により管理される状態が第１転落待機状態の場合に行われる表示判定コマンド受信時第１転落待機状態用処理についての説明を行う。なお、図７４は表示判定コマンド受信時第１転落待機状態用処理のサブルーチンを示す図である。
【０７１３】
（ステップＳ３０２−３−１−４−１−２−１）
ステップＳ３０２−３−１−４−１−２−１において、サブＣＰＵ４０１は、ブランクが表示されたか否かを判定する処理を行う。具体的には、サブＣＰＵ４０１は、「ブランク」に係る図柄の組み合わせが有効ライン上に表示されたか否かを判定する処理を行う。そして、ブランクが表示されたと判定された場合には（ステップＳ３０２−３−１−４−１−２−１＝Ｙｅｓ）、ステップＳ３０２−３−１−４−１−２−２に処理を移行し、ブランクが表示されていないと判定された場合には（ステップＳ３０２−３−１−４−１−２−１＝Ｎｏ）、表示判定コマンド受信時第１転落待機状態用処理のサブルーチンを終了し、コマンド別処理のステップＳ３０２−３−１−６に処理を移行する。
【０７１４】
（ステップＳ３０２−３−１−４−１−２−２）
ステップＳ３０２−３−１−４−１−２−２において、サブＣＰＵ４０１は、サブ制御基板４００により管理される状態を通常状態とする処理を行う。具体的には、サブＣＰＵ４０１は、サブ制御基板４００により管理される状態が通常状態となるように、サブＲＡＭ４０３に設けられている状態格納領域に通常状態をセットする処理を行う。そして、ステップＳ３０２−３−１−４−１−２−２の処理が終了すると、ステップＳ３０２−３−１−４−１−２−３に処理を移行する。
【０７１５】
（ステップＳ３０２−３−１−４−１−２−３）
ステップＳ３０２−３−１−４−１−２−３において、サブＣＰＵ４０１は、天井ゲーム数カウンタの値に「９９９」をセットする処理を行う。具体的には、サブＣＰＵ４０１は、サブＲＡＭ４０３に設けられている天井ゲーム数カウンタの値に「９９９」をセットする処理を行う。そして、ステップＳ３０２−３−１−４−１−２−３の処理が終了すると、表示判定コマンド受信時第１転落待機状態用処理のサブルーチンを終了し、コマンド別処理のステップＳ３０２−３−１−６に処理を移行する。
【０７１６】
（表示判定コマンド受信時ＡＲＴ準備状態用処理）
次に、図７５に基づいて、図７２のステップＳ３０２−３−１−４−１の表示コマンド受信時用状態別移行処理において、サブ制御基板４００により管理される状態がＡＲＴ準備状態の場合に行われる表示判定コマンド受信時ＡＲＴ準備状態用処理についての説明を行う。なお、図７５は表示判定コマンド受信時ＡＲＴ準備状態用処理のサブルーチンを示す図である。
【０７１７】
（ステップＳ３０２−３−１−４−１−３−１）
ステップＳ３０２−３−１−４−１−３−１において、サブＣＰＵ４０１は、ＡＲＴリプレイが表示されたか否かを判定する処理を行う。具体的には、サブＣＰＵ４０１は、「ＡＲＴリプレイ」に係る図柄の組み合わせが有効ライン上に表示されたか否かを判定する処理を行う。そして、ＡＲＴリプレイが表示されたと判定された場合には（ステップＳ３０２−３−１−４−１−３−１＝Ｙｅｓ）、ステップＳ３０２−３−１−４−１−３−２に処理を移行し、ＡＲＴリプレイが表示されていないと判定された場合には（ステップＳ３０２−３−１−４−１−３−１＝Ｎｏ）、表示判定コマンド受信時ＡＲＴ準備状態用処理のサブルーチンを終了し、コマンド別処理のステップＳ３０２−３−１−６に処理を移行する。
【０７１８】
（ステップＳ３０２−３−１−４−１−３−２）
ステップＳ３０２−３−１−４−１−３−２において、サブＣＰＵ４０１は、サブ制御基板４００により管理される状態をＡＲＴ状態とする処理を行う。具体的には、サブＣＰＵ４０１は、サブ制御基板４００により管理される状態がＡＲＴ状態となるように、サブＲＡＭ４０３に設けられている状態格納領域にＡＲＴ状態をセットする処理を行う。そして、ステップＳ３０２−３−１−４−１−３−２の処理が終了すると、ステップＳ３０２−３−１−４−１−３−３に処理を移行する。
【０７１９】
（ステップＳ３０２−３−１−４−１−３−３）
ステップＳ３０２−３−１−４−１−３−３において、サブＣＰＵ４０１は、ＡＲＴ状態用ゲーム数カウンタの値に「５０」を加算する処理を行う。具体的には、サブＣＰＵ４０１は、サブＲＡＭ４０３に設けられているＡＲＴ状態用ゲーム数カウンタの値に「５０」を加算する処理を行う。そして、ステップＳ３０２−３−１−４−１−３−３の処理が終了すると、表示判定コマンド受信時ＡＲＴ準備状態用処理のサブルーチンを終了し、コマンド別処理のステップＳ３０２−３−１−６に処理を移行する。
【０７２０】
（表示判定コマンド受信時第１上乗せ準備状態用処理）
次に、図７６に基づいて、図７２のステップＳ３０２−３−１−４−１の表示コマンド受信時用状態別移行処理において、サブ制御基板４００により管理される状態が第１上乗せ準備状態の場合に行われる表示判定コマンド受信時第１上乗せ準備状態用処理についての説明を行う。なお、図７６は表示判定コマンド受信時第１上乗せ状態用処理のサブルーチンを示す図である。
【０７２１】
（ステップＳ３０２−３−１−４−１−４−１）
ステップＳ３０２−３−１−４−１−４−１において、サブＣＰＵ４０１は、ＲＵＳＨリプレイが表示されたか否かを判定する処理を行う。具体的には、サブＣＰＵ４０１は、「ＲＵＳＨリプレイ」に係る図柄の組み合わせが有効ライン上に表示されたか否かを判定する処理を行う。そして、ＲＵＳＨリプレイが表示されたと判定された場合には（ステップＳ３０２−３−１−４−１−４−１＝Ｙｅｓ）、ステップＳ３０２−３−１−４−１−４−２に処理を移行し、ＲＵＳＨリプレイが表示されていないと判定された場合には（ステップＳ３０２−３−１−４−１−４−１＝Ｎｏ）、表示判定コマンド受信時第１上乗せ準備状態用処理のサブルーチンを終了し、コマンド別処理のステップＳ３０２−３−１−６に処理を移行する。
【０７２２】
（ステップＳ３０２−３−１−４−１−４−２）
ステップＳ３０２−３−１−４−１−４−２において、サブＣＰＵ４０１は、サブ制御基板４００により管理される状態を第１上乗せ状態とする処理を行う。具体的には、サブＣＰＵ４０１は、サブ制御基板４００により管理される状態が第１上乗せ状態となるように、サブＲＡＭ４０３に設けられている状態格納領域に第１上乗せ状態をセットする処理を行う。そして、ステップＳ３０２−３−１−４−１−４−２の処理が終了すると、ステップＳ３０２−３−１−４−１−４−３に処理を移行する。
【０７２３】
（ステップＳ３０２−３−１−４−１−４−３）
ステップＳ３０２−３−１−４−１−４−３において、サブＣＰＵ４０１は、第１上乗せ状態用ゲーム数カウンタの値に「１０」をセットする処理を行う。具体的には、サブＣＰＵ４０１は、サブＲＡＭ４０３に設けられている第１上乗せ状態用ゲーム数カウンタの値に「１０」をセットする処理を行う。そして、ステップＳ３０２−３−１−４−１−４−３の処理が終了すると、表示判定コマンド受信時第１上乗せ準備状態用処理のサブルーチンを終了し、コマンド別処理のステップＳ３０２−３−１−６に処理を移行する。
【０７２４】
（表示判定コマンド受信時第２上乗せ準備状態用処理）
次に、図７７に基づいて、図７２のステップＳ３０２−３−１−４−１の表示コマンド受信時用状態別移行処理において、サブ制御基板４００により管理される状態が第２上乗せ準備状態の場合に行われる表示判定コマンド受信時第２上乗せ準備状態用処理についての説明を行う。なお、図７７は表示判定コマンド受信時第２上乗せ状態用処理のサブルーチンを示す図である。
【０７２５】
（ステップＳ３０２−３−１−４−１−５−１）
ステップＳ３０２−３−１−４−１−５−１において、サブＣＰＵ４０１は、特別リプレイが表示されたか否かを判定する処理を行う。具体的には、サブＣＰＵ４０１は、「特別リプレイ」に係る図柄の組み合わせが有効ライン上に表示されたか否かを判定する処理を行う。そして、特別リプレイが表示されたと判定された場合には（ステップＳ３０２−３−１−４−１−５−１＝Ｙｅｓ）、ステップＳ３０２−３−１−４−１−５−２に処理を移行し、特別リプレイが表示されていないと判定された場合には（ステップＳ３０２−３−１−４−１−５−１＝Ｎｏ）、表示判定コマンド受信時第２上乗せ準備状態用処理のサブルーチンを終了し、コマンド別処理のステップＳ３０２−３−１−６に処理を移行する。
【０７２６】
（ステップＳ３０２−３−１−４−１−５−２）
ステップＳ３０２−３−１−４−１−５−２において、サブＣＰＵ４０１は、サブ制御基板４００により管理される状態を第２上乗せ状態とする処理を行う。具体的には、サブＣＰＵ４０１は、サブ制御基板４００により管理される状態が第２上乗せ状態となるように、サブＲＡＭ４０３に設けられている状態格納領域に第２上乗せ状態をセットする処理を行う。そして、ステップＳ３０２−３−１−４−１−５−２の処理が終了すると、ステップＳ３０２−３−１−４−１−５−３に処理を移行する。
【０７２７】
（ステップＳ３０２−３−１−４−１−５−３）
ステップＳ３０２−３−１−４−１−５−３において、サブＣＰＵ４０１は、第２上乗せ状態用ゲーム数カウンタの値に「２０」をセットする処理を行う。具体的には、サブＣＰＵ４０１は、サブＲＡＭ４０３に設けられている第２上乗せ状態用ゲーム数カウンタの値に「２０」をセットする処理を行う。そして、ステップＳ３０２−３−１−４−１−５−３の処理が終了すると、表示判定コマンド受信時第２上乗せ準備状態用処理のサブルーチンを終了し、コマンド別処理のステップＳ３０２−３−１−６に処理を移行する。
【０７２８】
（表示判定コマンド受信時第２転落待機状態用処理）
次に、図７８に基づいて、図７２のステップＳ３０２−３−１−４−１の表示コマンド受信時用状態別移行処理において、サブ制御基板４００により管理される状態が第２転落待機状態の場合に行われる表示判定コマンド受信時第２転落待機状態用処理についての説明を行う。なお、図７８は表示判定コマンド受信時第２転落待機状態用処理のサブルーチンを示す図である。
【０７２９】
（ステップＳ３０２−３−１−４−１−６−１）
ステップＳ３０２−３−１−４−１−６−１において、サブＣＰＵ４０１は、ＡＲＴリプレイが表示されたか否かを判定する処理を行う。具体的には、サブＣＰＵ４０１は、「ＡＲＴリプレイ」に係る図柄の組み合わせが有効ライン上に表示されたか否かを判定する処理を行う。そして、ＡＲＴリプレイが表示されたと判定された場合には（ステップＳ３０２−３−１−４−１−６−１＝Ｙｅｓ）、ステップＳ３０２−３−１−４−１−６−２に処理を移行し、ＡＲＴリプレイが表示されていないと判定された場合には（ステップＳ３０２−３−１−４−１−６−１＝Ｎｏ）、表示判定コマンド受信時第２転落待機状態用処理のサブルーチンを終了し、コマンド別処理のステップＳ３０２−３−１−６に処理を移行する。
【０７３０】
（ステップＳ３０２−３−１−４−１−６−２）
ステップＳ３０２−３−１−４−１−６−２において、サブＣＰＵ４０１は、サブ制御基板４００により管理される状態をＡＲＴ状態とする処理を行う。具体的には、サブＣＰＵ４０１は、サブ制御基板４００により管理される状態がＡＲＴ状態となるように、サブＲＡＭ４０３に設けられている状態格納領域にＡＲＴ状態をセットする処理を行う。そして、ステップＳ３０２−３−１−４−１−６−２の処理が終了すると、表示判定コマンド受信時第２転落待機状態用処理のサブルーチンを終了し、コマンド別処理のステップＳ３０２−３−１−６に処理を移行する。
【０７３１】
（表示判定コマンド受信時第３転落待機状態用処理）
次に、図７９に基づいて、図７２のステップＳ３０２−３−１−４−１の表示コマンド受信時用状態別移行処理において、サブ制御基板４００により管理される状態が第３転落待機状態の場合に行われる表示判定コマンド受信時第３転落待機状態用処理についての説明を行う。なお、図７９は表示判定コマンド受信時第３転落待機状態用処理のサブルーチンを示す図である。
【０７３２】
（ステップＳ３０２−３−１−４−１−７−１）
ステップＳ３０２−３−１−４−１−７−１において、サブＣＰＵ４０１は、ＡＲＴリプレイが表示されたか否かを判定する処理を行う。具体的には、サブＣＰＵ４０１は、「ＡＲＴリプレイ」に係る図柄の組み合わせが有効ライン上に表示されたか否かを判定する処理を行う。そして、ＡＲＴリプレイが表示されたと判定された場合には（ステップＳ３０２−３−１−４−１−７−１＝Ｙｅｓ）、ステップＳ３０２−３−１−４−１−７−２に処理を移行し、ＡＲＴリプレイが表示されていないと判定された場合には（ステップＳ３０２−３−１−４−１−７−１＝Ｎｏ）、表示判定コマンド受信時第３転落待機状態用処理のサブルーチンを終了し、コマンド別処理のステップＳ３０２−３−１−６に処理を移行する。
【０７３３】
（ステップＳ３０２−３−１−４−１−７−２）
ステップＳ３０２−３−１−４−１−７−２において、サブＣＰＵ４０１は、サブ制御基板４００により管理される状態をＡＲＴ状態とする処理を行う。具体的には、サブＣＰＵ４０１は、サブ制御基板４００により管理される状態がＡＲＴ状態となるように、サブＲＡＭ４０３に設けられている状態格納領域にＡＲＴ状態をセットする処理を行う。そして、ステップＳ３０２−３−１−４−１−７−２の処理が終了すると、表示判定コマンド受信時第２転落待機状態用処理のサブルーチンを終了し、コマンド別処理のステップＳ３０２−３−１−６に処理を移行する。
【０７３４】
（表示判定コマンド受信時第４転落待機状態用処理）
次に、図８０に基づいて、図７２のステップＳ３０２−３−１−４−１の表示コマンド受信時用状態別移行処理において、サブ制御基板４００により管理される状態が第４転落待機状態の場合に行われる表示判定コマンド受信時第４転落待機状態用処理についての説明を行う。なお、図８０は表示判定コマンド受信時第４転落待機状態用処理のサブルーチンを示す図である。
【０７３５】
（ステップＳ３０２−３−１−４−１−８−１）
ステップＳ３０２−３−１−４−１−８−１において、サブＣＰＵ４０１は、ブランクが表示されたか否かを判定する処理を行う。具体的には、サブＣＰＵ４０１は、「ブランク」に係る図柄の組み合わせが有効ライン上に表示されたか否かを判定する処理を行う。そして、ブランクが表示されたと判定された場合には（ステップＳ３０２−３−１−４−１−８−１＝Ｙｅｓ）、ステップＳ３０２−３−１−４−１−８−２に処理を移行し、ブランクが表示されていないと判定された場合には（ステップＳ３０２−３−１−４−１−８−１＝Ｎｏ）、表示判定コマンド受信時第４転落待機状態用処理のサブルーチンを終了し、コマンド別処理のステップＳ３０２−３−１−６に処理を移行する。
【０７３６】
（ステップＳ３０２−３−１−４−１−８−２）
ステップＳ３０２−３−１−４−１−８−２において、サブＣＰＵ４０１は、サブ制御基板４００により管理される状態を通常状態とする処理を行う。具体的には、サブＣＰＵ４０１は、サブ制御基板４００により管理される状態が通常状態となるように、サブＲＡＭ４０３に設けられている状態格納領域に通常状態をセットする処理を行う。そして、ステップＳ３０２−３−１−４−１−８−２の処理が終了すると、ステップＳ３０２−３−１−４−１−８−３に処理を移行する。
【０７３７】
（ステップＳ３０２−３−１−４−１−８−３）
ステップＳ３０２−３−１−４−１−８−３において、サブＣＰＵ４０１は、天井ゲーム数カウンタの値に「９９９」をセットする処理を行う。具体的には、サブＣＰＵ４０１は、サブＲＡＭ４０３に設けられている天井ゲーム数カウンタの値に「９９９」をセットする処理を行う。そして、ステップＳ３０２−３−１−４−１−８−３の処理が終了すると、表示判定コマンド受信時第４転落待機状態用処理のサブルーチンを終了し、コマンド別処理のステップＳ３０２−３−１−６に処理を移行する。
【０７３８】
図８１は、本発明の実施の形態における遊技機のサブ制御基板に設置されたメモリチップを示す図である。
【０７３９】
図８１に示すメモリチップは、半導体記憶素子（メモリＩＣ）からなる記憶媒体（「記憶装置」とも称する）のパッケージングを示している。そのときの一例として、強誘電体メモリ（ＦｅＲＡＭ）があり、このＦｅＲＡＭは、不揮発性の半導体メモリであって、電源の供給・遮断によって記憶するデータが変化しない記憶装置を示している。
【０７４０】
図８１（ａ）は、プリント基板に配置されるメモリチップを立体視した図であって、パッケージングされたメモリチップに、リードフレームである端子（入出力端子）（「ピン」とも称することがある）が配列された例を示している。
【０７４１】
図８１（ａ）に示す例では、メモリチップの長辺両端に同数の端子が配列されており、図８１（ａ）では、一端２２本の合計４４本の端子が配列されている。
【０７４２】
また、図８１（ｂ）は、図８１（ａ）に示すメモリチップをトップビューした図であって、各端子の役割を記号によって示している。
【０７４３】
ここで各記号について説明する。なお、メモリチップでは、インデックス（ＩＮＤＥＸ）から反時計回りで順に端子番号（ピン番号）が採番されている。
【０７４４】
まず、「Ａ＊」と示された端子は、アドレス情報の入力を行うアドレス入力端子である。このときの表記に用いる「＊」は、「０（ゼロ）」以上のいずれかの番号を示すものである。（以下同様。）
【０７４５】
例えば、「Ａ０」と示された端子は、「０（ゼロ）」番目のアドレス情報の入出力（読み書き）端子であることを示し、「Ａ１７」と示された端子は、「１７」番目のアドレス情報の入出力（読み書き）端子であることを示す。
【０７４６】
次に、「ＣＥ」と示された端子は、チップイネーブル信号（以下、「ＣＥ信号」とも称する）の入力端子を示しており、このチップイネーブル信号を受け付けたときにメモリアクセスを開始することを示している。
【０７４７】
また、「Ｉ／Ｏ＊」と示された端子は、記憶素子（メモリアレイ、記憶領域）に記憶するデータ（入出力信号）の入出力を行う端子であって、双方向で通信が可能なデータバスである。このときのデータは遊技媒体を用いた遊技において用いられるデータであって、その一例として、遊技に関連する遊技関連情報がある。
【０７４８】
この「Ｉ／Ｏ＊」端子を介したデータの入出力は、上記のＣＥ端子におけるＣＥ信号の立ち上がり時に行われる。
【０７４９】
また、「ＶＤＤ」と示された端子は、電源の供給を受ける端子であって、図８１に示す例では、端子番号「１１」と「３３」の２つの端子があってこれら２つの端子をそれぞれ電源に接続（接地）することで電源からの電力（外部電力）の供給を受けることができる。
【０７５０】
また、「ＶＳＳ」と示された端子は、グランド（基準電圧（０ボルト））に接続する端子であって、上記のＶＤＤ端子と同様に、端子番号「１２」と「３４」の２つの端子があってこれら２つの端子をそれぞれグランドに接続することで帯電や過電流による誤動作を防止することができる。
【０７５１】
また、「ＷＥ」と示された端子は、ライトイネーブル信号（以下、「ＷＥ信号」とも称する）の入力端子を示しており、このライトイネーブル信号を受け付けたときに書込動作を開始するものである（書込動作を許可するものである）。
【０７５２】
また、「ＲＥＳＥＴ」と示された端子は、記憶素子に記憶している全てのデータを所定の安定状態に分極した初期設定値を記憶した状態とすることで記憶素子（記憶領域）を初期状態に設定する（初期化する）ための信号を受信する端子である。すなわち、「ＲＥＳＥＴ」端子を介して外部（サブＣＰＵ等）からリセット指示信号を受信すると、データが安定状態に分極されて初期値（例えば、「０（ゼロ）」若しくは「１」）に設定された初期状態（全てのデータを「０（ゼロ）」若しくは「１」にした状態）に初期化されることを示している。
【０７５３】
また、「ＬＢ」、「ＵＢ」と示された端子は、バイトコントロール端子である。
【０７５４】
そして、「ＯＥ」と示された端子は、アウトプットイネーブル信号（以下、「ＯＥ信号」と称する）の入力端子を示しており、このアウトプットイネーブル信号を受信することでＩ／Ｏ端子からデータバス上に記憶素子（記憶領域）で記憶するデータを出力する。
【０７５５】
メモリチップには、以上に示すような複数種類の端子が配置されている。これらの端子から入力される、または、出力される信号が相互に連関することで、メモリチップは、データの入出力制御処理を行うことを示している。
【０７５６】
このときの信号が相互に連関するとは、例えば、ＣＥ信号がＬｏｗの状態にあるときに「Ａ＊」端子のアドレスを切り替えることによって、データの読み出し動作が開始して連関することのほか、「Ｉ／Ｏ＊」端子から入力されたデータはＣＥ信号の立ち上がり時にラッチされて記憶素子（メモリアレイ等）に記憶することを示している。
【０７５７】
図８２は、図８１に示すメモリチップにおける詳細な構成を示すブロックダイヤグラムである。
【０７５８】
図８２には、アドレス処理部、コントロール回路、ロー（ロウ）デコーダ、デコーダ／アンプ、ＦｅＲＡＭアレイによって構成されたメモリチップを示している。
【０７５９】
アドレス処理部は、アドレス入力端子から入力されたアドレス信号を受け付けることでＦｅＲＡＭアレイにおけるアドレスを特定する処理を行う。
【０７６０】
また、コントロール回路は、ＲＥＳＥＴ端子、ＣＥ端子、ＷＥ端子、ＯＥ端子、ＵＢ端子、ＬＢ端子に入力された信号を受け付け、各端子からの信号に基づく制御処理を行う処理回路である。
【０７６１】
このコントロール回路は、各信号に基づいて行った制御処理に基づいてアドレス処理部、デコーダ／アンプにその制御処理に基づく処理を指示する。
【０７６２】
このとき、コントロール回路によって行われる制御処理は、各端子から受信した信号による動作状態と連関して処理を行う。
【０７６３】
例えば、ＯＥ端子からアウトプットイネーブル信号を受信すると、コントロール回路は、ＦｅＲＡＭアレイにおいて記憶するデータのリード（読み出し）動作を行うために、ＷＥ端子からライトイネーブル信号が入力されていない状態（「ＷＥ＝Ｈレベル」）と設定し、また、ＯＥ端子からアウトプットイネーブル信号が入力される状態（「ＯＥ＝Ｌレベル」）と設定し、さらに、ＲＥＳＥＴ端子からリセット信号（初期化信号）が入力されていない状態（「ＲＥＳＥＴ＝Ｈレベル」）と設定する。
【０７６４】
これによって、コントロール回路は、ＦｅＲＡＭアレイに記憶しているデータを読み出すために、アドレス処理部を介してローデコーダと、デコーダ／アンプのコラムデコーダとにそれぞれ、データの読み取りを指示する制御処理を行う。
【０７６５】
このローデコーダは、アドレス処理部によって指定されたアドレスに基づいてＦｅＲＡＭアレイのセルを特定し、そのセルのローをアクティブ状態に設定する。また、コラムデコーダは、アドレス処理部によって指定されたアドレスに基づいてＦｅＲＡＭアレイのセルを特定し、そのセルのコラムをアクティブ状態に設定する。
【０７６６】
そして、デコーダ／アンプを構成するセンスアンプでは、ローデコーダによってアクティブ状態に設定されたローのセルと、コラムデコーダによってアクティブ状態に設定されたコラムのセルとに応じて、そのセルで記憶するデータをセンスアンプが読み取ることでデータ線（図示せず）を介してＩ／Ｏ端子から（演出制御チップ等に）出力する。
【０７６７】
このときのＦｅＲＡＭアレイは、ローとコラムとによって特定されるセルによって構成された記憶素子からなる記憶領域である。
【０７６８】
記憶媒体は、図８２に示すような構成によって構成されている。言い換えれば、ＦｅＲＡＭアレイがデータを記憶する記憶領域であって、コントロール回路、アドレス処理部、ローデコーダ、デコーダ／アンプがメモリコントローラであって、この記憶領域とメモリコントローラとによって構成されたものが「メモリチップ」を構成している。
【０７６９】
図８３は、本発明の実施の形態におけるメモリチップ（記憶媒体）における状態遷移の様子を示す状態遷移図である。
【０７７０】
図８３において、メモリチップは、外部電源からの電力供給が行われること（Power Up）で移行するスタンバイ状態（準備状態、待機状態）と、スタンバイ状態においてメモリチップのリセット端子を介して信号が入力されて「ＲＥＳＥＴ信号＝Ｌｏｗ」となることによってリセット信号（初期化信号）を検出したリセット信号検出状態（Reset detect）と、そのリセット信号検出状態（すなわち、「ＲＥＳＥＴ信号＝Ｌｏｗ」の状態）となってから所定のリセット移行時間（「ノイズ対策時間」とも称する）を経過後に移行するリセットモード状態（RESET Mode）とがある。
【０７７１】
すなわち、ＲＥＳＥＴ信号が入力されて「ＲＥＳＥＴ＝Ｌｏｗ」となったタイミングにリセットモードへと移行するのではなく、ノイズを除去若しくは最小限に抑制するノイズ対策時間を経過した後にリセットモードに移行する。
【０７７２】
これによって、ノイズを除去若しくは最小限に抑制できる。
【０７７３】
なお、このリセット信号検出状態（Reset detect）およびリセットモード状態（RESET Mode）は、ＲＥＳＥＴ信号が「Ｌｏｗ」から「Ｈｉｇｈ」へと切り替わることによって解除されることでこれらのいずれかの状態からスタンバイ状態へと移行する。
【０７７４】
さらに、メモリチップは、これらの状態のほか、記憶領域（記憶アレイ）に記憶するデータの入出力操作（入出力処理）が行われたリードライト操作状態があり、このリードライト状態は、ＣＥ信号がＬｏｗの状態にあってＲＥＳＥＴ信号が「Ｈｉｇｈ」の状態にあるときに有効となる。反対に、ＣＥ信号がＬｏｗの状態にあってＲＥＳＥＴ信号が「Ｌｏｗ」の状態にあるときには無効となる。
【０７７５】
このようにして各種の状態が遷移することによってデータの入出力のほか、記憶領域に記憶されたデータのリセット処理が行われることとなる。
【０７７６】
続いて、図８４乃至図８７には、各処理におけるタイミングを規定したタイミングダイヤグラムを示している。
【０７７７】
これら図８４乃至図８７に示すダイヤグラムでは、各信号（ＣＥ信号、ＯＥ信号、ＷＥ信号等）の状態が「ＬｏｗからＨｉｇｈの状態となること」および「ＨｉｇｈからＬｏｗの状態となること」によって、任意の処理が行われることが示されている。
【０７７８】
このときのダイヤグラムにおいて示されている「Ｈｉｇｈ」の状態（Ｈｉｇｈレベル（Ｈレベル））は、メモリチップの端子において信号を受信しておらずにその端子ごとの役割における処理状態が無効とされていることを示している。また、各信号における「Ｌｏｗ」の状態（Ｌｏｗレベル（Ｌレベル））は、メモリチップの各端子が信号を受信し、その端子ごとの役割における処理状態が有効とされていることを示している。
【０７７９】
このことから信号の状態が「ＬｏｗからＨｉｇｈの状態となること（変更（移行、遷移）すること）」は、信号によって有効から無効に変更されたことを示し、反対に、「ＨｉｇｈからＬｏｗの状態となること（変更（移行、遷移）すること）」は、信号によって無効から有効に変更されたことを示す。
【０７８０】
図８４は、本発明の実施の形態における遊技機が搭載するメモリチップに記憶するデータのリードタイミングを示すダイヤグラムである。
【０７８１】
この図８４に示すダイヤグラムにおけるリードタイミングはあくまで一例であって、このダイヤグラムにおけるリードに限定されることはない。
【０７８２】
図８４において、メモリチップにおける「Ａ０〜Ａ１７」の全１８個のアドレス端子は、いずれのタイミングにおいても有効なアドレスであることを示している。
【０７８３】
また、所定の時間から「ｔ（ＡＳ）」によって示されるセットアップ時間を経過後のタイミングに、ＣＥ端子におけるチップイネーブル信号（ＣＥ信号）が「Ｌｏｗ」となり、その後、ＣＥ信号が「Ｈｉｇｈ」となるまでの期間を「ｔ（ＣＡ）」と示している。この「ｔ（ＣＡ）」は、「アクティブ時間」（若しくは、「チップアクティブ時間」）と称する。
【０７８４】
続いて、メモリチップのＣＥ端子が信号を受けてＣＥ信号が「Ｌｏｗ」となって以降に、有効アドレスの記憶領域をアクセスホールドした状態の時間（ｔ（ＡＨ））となる。このアクセスホールド時間（ｔ（ＡＨ））は、ＣＥ信号がＬｏｗとなってから、ＣＥ信号がＨｉｇｈとなる直前までの時間である。
【０７８５】
そして、ＣＥ信号がＬｏｗとなってから所定時間を経過後に、ＯＥ信号がＬｏｗとなると、続いて、ＬＢ（Ｌｏｗｅｒバイトコントロール）信号およびＵＢ（Ｕｐｐｅｒバイトコントロール）信号がＬｏｗとなる。
【０７８６】
このとき、ＯＥ信号がＬｏｗとなることによって、ＦｅＲＡＭアレイに記憶しているデータがデータバスに出力される。このＯＥ信号がＬｏｗとなってデータがデータバスに出力される状態、言い換えれば、データの読み出しに係るアドレスの指定、データの特定等の処理が行われてデータバスに出力される状態となって、「ｔ（ＯＥ）」のＯＥアクセス時間を経過すると、Ｉ／Ｏ端子からのデータの出力が確定することとなる。すなわち、ＦｅＲＡＭアレイからデータが読み出された（リードされた）状態となる。
【０７８７】
また、ＬＢ信号およびＵＢ信号がＬｏｗとなってから、「ｔ（ＯＥ）」のＯＥアクセス時間の終了までがＬＢアクセス時間（ＵＢアクセス時間）となる。すなわち、ＬＢ信号およびＵＢ信号がＬｏｗとなっている間に、それぞれＩ／Ｏ０〜Ｉ／Ｏ７、Ｉ／Ｏ８〜Ｉ／Ｏ１５の各端子からのデータ出力（データの読み出し）が可能な状態となる。
【０７８８】
そして、Ｉ／Ｏ端子におけるデータの出力が確定してから十分な時間を経過後に、ＣＥ信号がＨｉｇｈとなって「ｔ（ＣＡ）」のアクティブ時間が終了すると、そのアクティブ時間の終了後に、ＯＥ信号の状態においてもＬｏｗからＨｉｇｈとなってデータの出力が可能な状態を終了し、さらに、ＬＢ端子およびＵＢ端子における状態もＬｏｗからＨｉｇｈとなってＩ／Ｏ端子からの出力処理を終了する。
【０７８９】
このときのＣＥ信号が「Ｈｉｇｈ」となってから経過する時間として、一定のデータホールド時間（ｔ（ＯＨ））が設定されている。このデータホールド時間を経過することによって、Ｉ／Ｏ端子からのデータの出力が確定される期間が終了する。すなわち、このデータホールド時間（ｔ（ＯＨ））は、ＣＥ信号がＨｉｇｈとなっても一定期間、データをホールド（保持）してＩ／Ｏ端子からのデータ出力を確保できるようにした期間である。これによって、データ出力を確実なものとすることが可能となる。
【０７９０】
また、ＣＥ信号がＨｉｇｈとなってからその後にＣＥ信号がＬｏｗとなるまでの時間は「ｔ（ＰＣ）」によって表されるプリチャージ時間である。
【０７９１】
さらに、ＣＥ信号がＬｏｗからＨｉｇｈとなるタイミングから一定時間の「ｔ（ＨＺ）」のフローティング時間があり、ＯＥ信号においてもＬｏｗからＨｉｇｈとなるタイミングから一定時間の「ｔ（ＯＨＺ）」のフローティング時間があり、このほか、ＬＢ信号およびＵＢ信号においてもＬｏｗからＨｉｇｈとなるタイミングから一定時間の「ｔ（ＢＨＺ）」のフローティング時間がある。これらのフローティング時間を経過すると、Ｉ／Ｏ端子からのデータの出力が終了することとなる。
【０７９２】
図８５は、本発明の実施の形態における遊技機が搭載するメモリチップに記憶するデータのライトタイミングを示すダイヤグラムである。
【０７９３】
リードタイミングを示すダイヤグラムと同様に、メモリチップにおける「Ａ０〜Ａ１７」の全１８個のアドレス端子は、いずれのタイミングにおいても有効なアドレスであることを示している。
【０７９４】
「ｔ（ＡＳ）」のアドレスセットアップ時間を経過後、ＣＥ信号がＬｏｗとなると、その後、ＷＥ信号がＨｉｇｈからＬｏｗとなり、ＷＥ信号がＬｏｗとなってから「ｔ（ＷＺ）」の任意の時間（フローティング時間）が経過すると、そのときにＩ／Ｏ端子から出力されているデータの出力を停止する。このデータ出力が完了していない状態（残りのデータを出力する必要がある状態）においては、データ出力を一時停止することとなる。この場合における、ＷＥ信号がＬｏｗとなってから「ｔ（ＷＺ）」の任意の時間（フローティング時間）が経過した時間を「データ出力一時停止タイミング」と称する。
【０７９５】
また、ＷＥ信号がＨｉｇｈからＬｏｗとなって「ｔ（ＷＺ）」の任意の時間（フローティング時間）が経過して一時停止されたデータ出力は、ＷＥ信号がＬｏｗからＨｉｇｈとなるタイミングから「ｔ（ＷＸ）」の出力アクセス時間を経過した後に再開される。この場合における、ＷＥ信号がＬｏｗからＨｉｇｈとなるタイミングから「ｔ（ＷＸ）」の出力アクセス時間を経過した時間を「データ出力開始タイミング」と称する。
【０７９６】
このように、Ｉ／Ｏ端子を介したデータの出力処理は、ＷＥ信号がＬｏｗとなってデータの書き込みが許可された状態となってから所定時間（ｔ（ＷＺ））を経過後（データ出力一時停止タイミング後）、ＷＥ信号がＨｉｇｈとなってデータの書き込みが許可されていない状態となってから所定時間（ｔ（ＷＸ））を経過するまで（データ出力再開タイミングとなるまで）は停止することとなる。これは、ＷＥ信号によってＷＥ信号状態がＬｏｗとなってデータの入力が可能となってからそのデータがホールドされる時間を経過するまでは少なくとも、データの出力が停止されることから、データの出力よりもデータの入力が優先されることを示している。
【０７９７】
また、ＷＥ信号がＬｏｗからＨｉｇｈとなると、ＣＥ信号によってＣＥ信号状態がＬｏｗとなってからこのＷＥ信号がＨｉｇｈとなるまでのｔ（ＣＷ）の時間を経過すると、ＷＥ信号状態がＬｏｗとなってデータ出力が一時停止したタイミング（データ出力一時停止タイミング）以降に行われた、Ｉ／Ｏ端子からＦｅＲＡＭアレイへのデータ入力が確定することとなる。
【０７９８】
このときのＦｅＲＡＭアレイへのデータ入力に関する時間は、データの入力が開始されてからデータ出力一時停止タイミングとなるまでの「ｔ（ＤＳ）」のデータセットアップ時間と、データ出力一時停止タイミングとなってから所定時間経過するまでの「ｔ（ＤＨ）」のデータホールド時間とからなる。すなわち、Ｉ／Ｏ端子からＦｅＲＡＭアレイへのデータ入力は、ＣＥ信号とＷＥ信号とがＬｏｗにあるときに行われ（「ｔ（ＤＳ）」のデータセットアップ時間）、ＷＥ信号によってＬｏｗからＨｉｇｈとなると、データホールド時間（ｔ（ＤＨ））を経過することによって確定する。
【０７９９】
なお、ＷＥ信号がＬｏｗからＨｉｇｈとなって「ｔ（ＷＸ）」の出力アクセス時間を経過することでデータの出力が再開されると、データの出力は、残りのデータを出力するまでに要する時間、行われる。このうち、ＣＥ信号がＬｏｗからＨｉｇｈとなってからデータ出力が完了するまでの任意の時間が「ｔ（ＨＺ）」（出力フローティング時間）である。
【０８００】
図８６は、本発明の実施の形態における遊技機に搭載されたメモリチップによって行われるリセット処理におけるタイミングダイヤグラムである。
【０８０１】
図８６には、ＣＥ信号、ＷＥ信号、ＲＥＳＥＴ信号、Ｉ／Ｏ端子における入力状態が示されている。
【０８０２】
ＣＥ端子におけるＣＥ信号およびＷＥ端子におけるＷＥ信号が、Ｈｉｇｈの状態にあるプリチャージ時間（ｔ（ＰＣ））に、ＲＥＳＥＴ端子にＲＥＳＥＴ信号が入力されることでＲＥＳＥＴ信号をＨｉｇｈからＬｏｗへと変更される。このプリチャージ時間は、後述するリセット移行時間の前に設けられた時間を示しており、リセット処理前時間とも称する。
【０８０３】
このプリチャージ時間は、より詳細には、センスアンプを元に戻すために必要な時間のほか、ロウデコーダがＦｅＲＡＭアレイにアクセスするために必要な時間等である。
【０８０４】
すなわち、ＣＥ信号およびＷＥ信号が「Ｈｉｇｈ」の状態であって、Ｉ／Ｏ端子からＦｅＲＡＭアレイ（記憶領域）に記憶しているデータ（遊技関連情報）の出力、若しくは、ＦｅＲＡＭアレイ（記憶領域）にデータ（遊技関連情報）の入力の少なくとも一方が行われているか否かの入出力状態によって、データ（遊技関連情報）が入出力されている状態にないことが示されているときに、ＲＥＳＥＴ信号を「Ｈｉｇｈ」から「Ｌｏｗ」へと変更されて初期化処理が行われることとなることを示している。
【０８０５】
このときの入出力状態は、フラグ管理するものであって、すなわち、データがＩ／Ｏ端子を介して入出力されている状態にあるときにフラグが有効（フラグＯＮ）に設定されており、また、データがＩ／Ｏ端子を介して入出力されている状態にないときにフラグが無効（フラグＯＦＦ）に設定されている。このときのフラグを「リセット可能フラグ」とも称し、リセット可能フラグが有効であるとき入出力状態にあることを示し、リセット可能フラグが無効であるときに入出力状態にないことを示している。言い換えれば、データの入出力が開始されたときにリセット可能フラグを有効（フラグＯＮ）と設定し、データの入出力が終了したときにリセット可能フラグを無効（フラグＯＦＦ）と設定する。
【０８０６】
また、この入出力状態によって、データが入出力されている状態にあるとき（リセット可能フラグが有効に設定されているとき）、ＲＥＳＥＴ端子にＲＥＳＥＴ信号が入力されると、Ｉ／Ｏ端子を介してＦｅＲＡＭアレイへの遊技関連情報の入力、若しくは、ＦｅＲＡＭアレイからの遊技関連情報の出力を禁止する入出力禁止処理を行う。
【０８０７】
この入出力禁止処理は、Ｉ／Ｏ端子を介してＦｅＲＡＭアレイに入出力している遊技関連情報を破棄し、若しくは、入出力を停止し、Ｉ／Ｏ端子を介して遊技関連情報を入出力するために確保（拘束）（メモリの確保）していたＦｅＲＡＭアレイを解放する処理である。
【０８０８】
この解放処理は、Ｉ／Ｏ端子を介して遊技関連情報を入出力するプロセスの開始時点において少なくとも確保していたＦｅＲＡＭアレイに、他のプロセスにおける遊技関連情報の入出力を可能とする処理であって、確保していたＦｅＲＡＭアレイを解放（メモリの解放）するまでに一定の解放時間を要する。
【０８０９】
そして、ＲＥＳＥＴ信号が「Ｈｉｇｈ」から「Ｌｏｗ」へと変更されてから再び、ＲＥＳＥＴ信号が「Ｌｏｗ」から「Ｈｉｇｈ」へと変更されるまでの間が、「ｔ（ＲＭＲＴ）」によって表されるリセットモード時間である。
【０８１０】
すなわち、ＲＥＳＥＴ端子から信号が入力されることによってリセットモード（リセット状態）へと移行することを示しており、予め指定されたリセットモード時間を経過後に、リセット状態を解除することを示している。
【０８１１】
このときのリセットモード時間は、予め指定された時間情報であって、このリセットモード時間は、リセット処理に要する処理時間にリセット補助時間等を加算した時間である。このリセットモード時間は、後述するリセット移行時間（ｔ（ＲＭＥＮ））やリセット解除時間（ｔ（ＲＭＥＸ））に比べて十分に長い時間である。
【０８１２】
さらに言えば、このリセットモード時間（ｔ（ＲＭＲＴ））は、リセット処理を複数回、行うことも可能な時間である。つまり、リセットモード時間は、リセット処理に要する処理時間を複数、包含する時間と、リセット補助時間とによって構成される時間である。
【０８１３】
このとき行われるリセット処理は、複数回それぞれで同一のリセット処理であってもよいし、異なるリセット処理（例えば、第１リセット処理、第２リセット処理等）を行ってもよい。
前者の場合、単一のリセット処理を複数回繰り返すのに対して、後者の場合、複数種類の異なるリセット処理を行うこととなる。このようにして複数のリセット処理を繰り返すことによって、リセット処理における信頼性が向上することとなる。
【０８１４】
このときのリセット処理として、ＦｅＲＡＭアレイに記憶しているデータを初期値（「０（ゼロ）」）に設定する際に、各データを直接、初期値に設定する処理と、各データを初期値に対して正対する値（例えば、ビット値「１」）とした後に初期値（「０（ゼロ）」）に設定する処理とがある。
【０８１５】
結果として、リセット処理によって各データを初期値とするものであるが、異なる手法（手順）を用いることによってリセット処理（複数種類のリセット処理）を行うような構成であってもよいことを示している。
【０８１６】
続いて、図８６（ａ）に示すリセット移行時間（ｔ（ＲＭＥＮ））は、ＲＥＳＥＴ信号がＬｏｗとなってリセットモードに移行後の時間であって、ＲＥＳＥＴ端子にＲＥＳＥＴ信号が入力されたことにより発生し得る障害事象によるリセット処理の不具合を回避するために設けられた時間である。このことから、このリセット移行時間を「不具合回避時間」とも称する。
【０８１７】
この障害事象の一例として、記憶媒体（メモリチップ）や各種の基板（プリント基板）等の導体に流れる電流によって誘起された電圧の変化による静電気等のノイズがある。この例では、リセット移行時間は、ノイズ（障害事象）を回避する時間を意味することから「障害事象回避時間」とも称する。
【０８１８】
なお、図８６（ａ）において示す例では、「ｔ（ＰＣ）」のプリチャージ時間中にＲＥＳＥＴ端子に信号が入力されると、リセットモードに移行することが示されており、さらに、そのリセットモードに移行後の初期の時間をリセット移行時間としているが、これに限定されることなく、図８６（ｂ）に示すように、このリセット移行時間を経過後に、リセットモードに移行することとしてもよい。
【０８１９】
そして、リセットモードにおけるリセットモード時間（ｔ（ＲＭＲＴ））が経過した後の時間として、「ｔ（ＲＭＥＸ）」のリセット解除時間（「初期化解除時間」とも称する）が設けられている。
【０８２０】
この「ｔ（ＲＭＥＸ）」のリセット解除時間は、リセットモード時間に行われたリセット処理における、各データが初期値にあるリセット状態を保証する時間（初期化処理が正常に行われたことを保証する時間）である。言い換えれば、このリセット解除時間は、データ（遊技関連情報）をＦｅＲＡＭアレイに記憶する（入力する）ことを許可するまでの時間である。
【０８２１】
より詳細には、ＲＥＳＥＴ信号によってリセット処理が行われてＦｅＲＡＭアレイのデータがリセット（初期化）されたとしても、その後に意図しないデータがそのＦｅＲＡＭアレイに書き込まれてしまう事象が発生しうることをリセット解除時間によって防止する。
【０８２２】
すなわち、このリセット解除時間によってリセットされたことを確約し、ＦｅＲＡＭの読み取り側（ＣＰＵ等）に対して、ＦｅＲＡＭにおいてリセット状態を保証できるものである。
【０８２３】
このリセット解除時間（ｔ（ＲＭＥＸ））は、リセット移行時間（ｔ（ＲＭＥＮ））およびリセットモード時間（ｔ（ＲＭＲＴ））に比べて短い時間である。
【０８２４】
このリセット解除時間は、ＣＥ信号、ＷＥ信号等の全ての信号を無効する（信号の受信を無視する）時間である。もちろん、Ｉ／Ｏ端子におけるデータの入出力においても同様に、無効とする。反対に、このリセット解除時間が経過すると、ＦｅＲＡＭアレイにデータ（遊技関連情報）を記憶することが許可されたこととなり、Ｉ／Ｏ端子を介してデータの記憶処理（入力処理）の制御が可能となる。
【０８２５】
このようにして、リセット解除時間「ｔ（ＲＭＥＸ）」を設けることによって、ＦｅＲＡＭアレイに記憶しているデータを初期値（「０（ゼロ）」）とするリセット処理（初期化処理）によるリセット状態を保証することとなる。
【０８２６】
以上に示すような構成によって、外部からの信号がリセット端子に入力されたときに、確実にＦｅＲＡＭアレイのデータを初期化できるようになる。これは、内部での処理（ソフトウェア等による初期化処理）が行われないことから高い信頼性を有する初期化処理が行われることとなるほか、外部からの信号によって確実に初期化されることから初期化されたことを容易に認識することができるようになる。
【０８２７】
以上のことから、初期化処理を行うためには、少なくともプリチャージ時間（リセット処理前時間）、リセット移行時間（不具合回避時間）、リセットモード時間、リセット解除時間が必要である。このときのリセット移行時間は、リセットモード時間として包含することも可能であって、この場合、初期化処理を行うためには、プリチャージ時間（リセット処理前時間）、リセットモード時間、リセット解除時間が必要である。
【０８２８】
図８７は、本発明の実施の形態における遊技機のＦｅＲＡＭにおいて行われるリセット処理に基づく状態表示を示すダイヤグラムである。
【０８２９】
図８７では、外部から見たときの状態を示すダイヤグラム（以下、「外部ダイヤグラム」と称する）と、ＦｅＲＡＭ内部において実際に行われるリセット処理の状態を示すダイヤグラム（以下、「内部ダイヤグラム」と称する）とを示している。さらに、リセット処理における状態表示のタイミングを示している。
【０８３０】
図８７において示す「タイミングＡ」において、操作者によってリセットボタン（図示せず）が押下されると、外部ダイヤグラムにおいて示すように、ＲＥＳＥＴ信号が「Ｈｉｇｈ」から「Ｌｏｗ」となる。
【０８３１】
その後、リセット移行時間（以下、「不具合回避時間」と称する）を経過すると、不具合回避時間後の所定の「タイミングＢ」において、リセット処理が開始されて、内部におけるリセット処理状態を示す内部ダイヤグラムの信号状態が「Ｌｏｗ」から「Ｈｉｇｈ」へと変更される。
【０８３２】
そして、リセット処理が開始され、リセット処理が行われるリセットモード時間と、そのリセットモード時間後のリセット解除時間とを経過した「タイミングＣ」となると、内部ダイヤグラムの信号状態を「Ｈｉｇｈ」から「Ｌｏｗ」へと変更される。
【０８３３】
この「タイミングＣ」となると、外部ダイヤグラムにおける信号も「Ｌｏｗ」から「Ｈｉｇｈ」へと変更される。すなわち、リセット処理が完了した状態となる。
【０８３４】
このとき、外部ダイヤグラムにおける「タイミングＡ」から「タイミングＣ」までの間、リセット処理およびそのリセット処理に関する処理が行われている状態におけるＦｅＲＡＭ（記憶領域）の記憶状態を操作者が認識可能に報知する。この報知方法として、例えば、初期化処理状態確認ランプ（より詳細には、「ＬＥＤランプ」）を点灯（点滅）させることによって報知する方法がある。
【０８３５】
この「初期化処理状態確認ランプ」は、設定値変更ボタン４５の近傍や設定変更キーを挿入する設定変更用鍵穴４８の近傍等に設けておき、サブ制御基板４００に導線でサブＲＡＭ４０３のＲＥＳＥＴ端子と接続（結線）された構成とすることが可能である。
【０８３６】
これによって、「初期化処理状態確認ランプ」は、ＲＥＳＥＴ端子を介したＲＥＳＥＴ信号に応じて行われる点灯（点滅）制御に応じた記憶領域の記憶状態を確認することが可能となる（報知の一態様）。すなわち、ＲＥＳＥＴ信号を受け付けたことに基づいて記憶領域の記憶状態が報知されることを示している。
【０８３７】
この一例として、ＲＥＳＥＴ端子にＲＥＳＥＴ信号が入力されてＬｏｗとなると、初期化処理状態確認ランプを点灯させ、また、ＲＥＳＥＴ端子にＲＥＳＥＴ信号が入力されてＨｉｇｈとなると、初期化処理状態確認ランプを消灯させる。もちろん、ＲＥＳＥＴ信号が入力されたときにランプが消灯している場合にそのランプを点灯させ、ランプが点灯している場合にそのランプを消灯させるような構成であってもよい。
【０８３８】
このほか、サブＣＰＵ４０１がサブＲＡＭ４０３のＲＥＳＥＴ端子における入出力を監視（「入出力監視」または「ポート監視」とも称する）する構成とすることも可能である。このサブＣＰＵ４０１は、ＲＥＳＥＴ端子における入力を監視する処理を行う装置の一例であって、単に、ＲＥＳＥＴ端子における入出力を監視する装置であればよい。
【０８３９】
このような構成とした場合において、ＲＥＳＥＴ端子にＲＥＳＥＴ信号が入力されてＬｏｗとなったことをサブＣＰＵ４０１が検出すると、初期化処理状態確認ランプのほか、スタートランプ２４、第１ＢＥＴランプ２５、第２ＢＥＴランプ２６、第３ＢＥＴランプ２７、ランプ６０等を用いて点灯（点滅）制御する（報知の一態様）。このほか、サブＣＰＵ４０１が、ＲＥＳＥＴ信号によってＬｏｗからＨｉｇｈとなったことを検出すると、一定時間（例えば、リセット解除時間や、予め指定された時間）だけ、初期化処理状態確認ランプのほか、スタートランプ２４、第１ＢＥＴランプ２５、第２ＢＥＴランプ２６、第３ＢＥＴランプ２７、ランプ６０等を用いて点灯（点滅）制御する（報知の一態様）ことも可能である。
【０８４０】
前者の例として、サブＣＰＵ４０１が、ＲＥＳＥＴ端子にＲＥＳＥＴ信号が入力されてＬｏｗとなったことを検出すると、初期化処理状態確認ランプのほか、スタートランプ２４、第１ＢＥＴランプ２５、第２ＢＥＴランプ２６、第３ＢＥＴランプ２７、ランプ６０の少なくとも１つを点灯させ、ＲＥＳＥＴ端子にＲＥＳＥＴ信号が入力されてＬｏｗからＨｉｇｈとなったことを検出すると、点灯させたランプを消灯する制御を行う。もちろん、その点灯態様は問わない。
【０８４１】
上記例では、遊技者がサブＲＡＭ４０３の記憶状態を視覚によって認識可能としているが、これに限定されることはなく、スピーカ４０から出力される音によって、管理者がサブＲＡＭ４０３の初期化処理状態を認識できるようにしてもよい。
【０８４２】
これによって、操作者は、リセット処理の状態を認識することができるようになる。さらに言えば、外部からの信号がリセット端子に入力されて、確実にＦｅＲＡＭアレイのデータを初期化できることを、操作者が視認することができるようになる。
【０８４３】
このようなリセット処理（初期化処理）を備えたサブＲＡＭ４０３を設けることによって、遊技機では、管理者による簡単な操作によって、より確実で明確なリセット処理が行われることとなる。
【０８４４】
特に、遊技に関する情報（より明確には遊技媒体の払い出しに関する情報）を記憶するサブＲＡＭ４０３で上記に示すようなリセット処理を行うことによって、サブＲＡＭ４０３が不正なデータを記憶してしまっているような場合においても、この不正なデータを確実に消去、取り除くことができるようになる。
【０８４５】
さらに言えば、本遊技機は、サブＲＡＭ４０３内のデータをソフト制御によって消去したり、書き換えしたりする処理によってリセット処理を行うものではないため、ソフトウェア上の処理として、初期化したと見せかけるほか、実際に初期化した後に不正なデータを新たに記憶させる処理が行われてしまう問題を回避することができるものである。
【０８４６】
以上に示す実施の形態は、本発明の実施の一形態であって、これらの実施例に限定することなく、その要旨を変更しない範囲内で適宜変形して実施できるものである。
【符号の説明】
【０８４７】
１        遊技機
３００      メイン制御基板
３０１      メインＣＰＵ
３０２      メインＲＯＭ
３０３      メインＲＡＭ
３０４      メイン乱数発生器
４００      サブ制御基板
４０１      サブＣＰＵ
４０２      サブＲＯＭ
４０３      サブＲＡＭ
４０４      サブ乱数発生器
【図１】
2016036458.tif 000003
【図２】
2016036458.tif 000004
【図３】
2016036458.tif 000005
【図４】
2016036458.tif 000006
【図５】
2016036458.tif 000007
【図６】
2016036458.tif 000008
【図７】
2016036458.tif 000009
【図８】
2016036458.tif 000010
【図９】
2016036458.tif 000011
【図１０】
2016036458.tif 000012
【図１１】
2016036458.tif 000013
【図１２】
2016036458.tif 000014
【図１３】
2016036458.tif 000015
【図１４】
2016036458.tif 000016
【図１５】
2016036458.tif 000017
【図１６】
2016036458.tif 000018
【図１７】
2016036458.tif 000019
【図１８】
2016036458.tif 000020
【図１９】
2016036458.tif 000021
【図２０】
2016036458.tif 000022
【図２１】
2016036458.tif 000023
【図２２】
2016036458.tif 000024
【図２３】
2016036458.tif 000025
【図２４】
2016036458.tif 000026
【図２５】
2016036458.tif 000027
【図２６】
2016036458.tif 000028
【図２７】
2016036458.tif 000029
【図２８】
2016036458.tif 000030
【図２９】
2016036458.tif 000031
【図３０】
2016036458.tif 000032
【図３１】
2016036458.tif 000033
【図３２】
2016036458.tif 000034
【図３３】
2016036458.tif 000035
【図３４】
2016036458.tif 000036
【図３５】
2016036458.tif 000037
【図３６】
2016036458.tif 000038
【図３７】
2016036458.tif 000039
【図３８】
2016036458.tif 000040
【図３９】
2016036458.tif 000041
【図４０】
2016036458.tif 000042
【図４１】
2016036458.tif 000043
【図４２】
2016036458.tif 000044
【図４３】
2016036458.tif 000045
【図４４】
2016036458.tif 000046
【図４５】
2016036458.tif 000047
【図４６】
2016036458.tif 000048
【図４７】
2016036458.tif 000049
【図４８】
2016036458.tif 000050
【図４９】
2016036458.tif 000051
【図５０】
2016036458.tif 000052
【図５１】
2016036458.tif 000053
【図５２】
2016036458.tif 000054
【図５３】
2016036458.tif 000055
【図５４】
2016036458.tif 000056
【図５５】
2016036458.tif 000057
【図５６】
2016036458.tif 000058
【図５７】
2016036458.tif 000059
【図５８】
2016036458.tif 000060
【図５９】
2016036458.tif 000061
【図６０】
2016036458.tif 000062
【図６１】
2016036458.tif 000063
【図６２】
2016036458.tif 000064
【図６３】
2016036458.tif 000065
【図６４】
2016036458.tif 000066
【図６５】
2016036458.tif 000067
【図６６】
2016036458.tif 000068
【図６７】
2016036458.tif 000069
【図６８】
2016036458.tif 000070
【図６９】
2016036458.tif 000071
【図７０】
2016036458.tif 000072
【図７１】
2016036458.tif 000073
【図７２】
2016036458.tif 000074
【図７３】
2016036458.tif 000075
【図７４】
2016036458.tif 000076
【図７５】
2016036458.tif 000077
【図７６】
2016036458.tif 000078
【図７７】
2016036458.tif 000079
【図７８】
2016036458.tif 000080
【図７９】
2016036458.tif 000081
【図８０】
2016036458.tif 000082
【図８１】
2016036458.tif 000083
【図８２】
2016036458.tif 000084
【図８３】
2016036458.tif 000085
【図８４】
2016036458.tif 000086
【図８５】
2016036458.tif 000087
【図８６】
2016036458.tif 000088
【図８７】
2016036458.tif 000089